(57)【要約】  本発明は、試料中に含有される少なくとも１つの微生物の耐性である少なくとも１つの抗微生物剤に対する耐性の少なくとも１つの機構の少なくとも１つのマーカーを質量分析により検出する方法であって、抗微生物剤がセファロスポリンであり、前記耐性マーカーがタンパク質またはペプチドであることを特徴とする方法に関する。前記タンパク質またはペプチドは、前記微生物に由来するタンパク質であることが好ましい。【特許請求の範囲】
【請求項１】
試料中に含有される少なくとも１つの微生物について、少なくとも１つの抗微生物剤に対する耐性の少なくとも１つのマーカーを質量分析により検出する方法であって、
ａ）抗微生物剤がセファロスポリンであり、及び
ｂ）前記耐性のマーカーが、タンパク質またはペプチドである
ことを特徴とする方法。
【請求項２】
質量分析がＭＳ／ＭＳ質量分析である、請求項１に記載の検出方法。
【請求項３】
ＭＳ／ＭＳ質量分析がＭＲＭである、請求項２に記載の検出方法。
【請求項４】
耐性マーカーが、前記少なくとも１つの微生物に由来するタンパク質である、請求項１から３のいずれか一項に記載の検出方法。
【請求項５】
前記微生物に由来するタンパク質が、ペプチドに消化される、請求項４に記載の検出方法。
【請求項６】
消化が、酵素により実行される、請求項５に記載の検出方法。
【請求項７】
酵素がトリプシンである、請求項６に記載の検出方法。
【請求項８】
前記耐性マーカーが、タンパク質またはペプチドであるＴＥＭ、ＣＭＹ、ＣＴＸ−Ｍ、ＳＨＶ、ＦＯＸ、ＡＣＣ、ＡＣＴ、ＣＡＲＢ、ＤＨＡ、ＭＩＲ、ＭＯＸ、ＰＥＲ、ＶＥＢ、ＯＸＡ、またはＧＥＳの中のいずれかである、請求項１から７のいずれか一項に記載の検出方法。
【請求項９】
耐性マーカーが、配列番号１６６から配列番号２１８、配列番号２２０から配列番号２３０、配列番号２３２から配列番号２４１、配列番号２４３から配列番号２５２、配列番号２５４から配列番号２５７、配列番号２５９から配列番号２６１、配列番号１９２３、配列番号１９２７および配列番号１９２８に記載のペプチドから選択されるＴＥＭペプチドである、請求項１から８のいずれか一項に記載の検出方法。
【請求項１０】
耐性マーカーが、配列番号１６６、配列番号１６７、配列番号１６８、配列番号１６９、配列番号１７０、配列番号１７１、配列番号１７２、配列番号１７３、配列番号１７４、配列番号１８０、配列番号１８１、配列番号１８６、配列番号１８７、配列番号１８８、配列番号１８９、配列番号１９０、配列番号１９１、配列番号１９２、配列番号１９３、配列番号１９４、配列番号１９５、配列番号１９６、配列番号１９７、配列番号１９８、配列番号１９９、配列番号２００、配列番号２０１、配列番号２０２、配列番号２０３、配列番号２１２、配列番号２１３、配列番号２１４、配列番号２１５、配列番号２１６、配列番号２１７、配列番号２１９、配列番号２２０、配列番号２２３、配列番号２２４、配列番号２２５、配列番号２２６、配列番号２２７、配列番号２２８、配列番号２２９、配列番号２３０、配列番号２４１、配列番号２４２、配列番号２４３、配列番号２５０、配列番号２５１、配列番号２５２、配列番号２５３、配列番号２５４、配列番号２５５、配列番号２５９、配列番号２６０、配列番号２６１、配列番号１９２７及び配列番号１９２８に記載のペプチドから選択されるＴＥＭマーカーである、請求項９に記載の検出方法。
【請求項１１】
耐性マーカーがＥＳＢＬであり、耐性マーキングペプチドが配列番号１６８、配列番号１６９、配列番号１７９、配列番号１８１、配列番号１８６、配列番号１９９、配列番号２００、配列番号２０５、配列番号２０６、配列番号２０８、配列番号２１２、配列番号２１３、配列番号２１４、配列番号２１５、配列番号２１６、配列番号２１７、配列番号２２２、配列番号２２５、配列番号２２６、配列番号２２７、配列番号２３０、配列番号２３４、配列番号２３６、配列番号２３７、配列番号２３８、配列番号２３９、配列番号２４０、配列番号２４９、配列番号２５４、配列番号２５５、配列番号２５６、配列番号２５９、配列番号２６１、配列番号４４６、配列番号４４７、配列番号４４８、配列番号４４９、配列番号４５０、配列番号４５１、配列番号４５２、配列番号４５３、配列番号４５４、配列番号４５５、配列番号４５６、配列番号４５７、配列番号４５８、配列番号４５９、配列番号４６０、配列番号４６１、配列番号４６２、配列番号４６３、配列番号４６４、配列番号４６５、配列番号４６６、配列番号４６７、配列番号４６８、配列番号４６９、配列番号４７０、配列番号４７１、配列番号４７２、配列番号４７３、配列番号４７４、配列番号４７５、配列番号４７６、配列番号４７７、配列番号４７８、配列番号４８０、配列番号４８１、配列番号４８２、配列番号４８３、配列番号４８４、配列番号４８５、配列番号４８６、配列番号４８７、配列番号４８８、配列番号４８９、配列番号４９０、配列番号４９１、配列番号４９２、配列番号４９３、配列番号４９４、配列番号４９５、配列番号６１５、配列番号６３４、配列番号６４６、配列番号６５１、配列番号６５９、配列番号６６３、配列番号６６５、配列番号６７８、配列番号６８３、配列番号６８６、配列番号６９０、配列番号７０２、配列番号７０５、配列番号１０４５、配列番号１０４６、配列番号１０４７、配列番号１０５１、配列番号１０５２、配列番号１０５３、配列番号１０５４、配列番号１０５５、配列番号１０５６、配列番号１０５７、配列番号１０５８、配列番号１０５９、配列番号１０６０、配列番号１０６１、配列番号１０６２、配列番号１０６３、配列番号１０６４、配列番号１０６５、配列番号１０６９、配列番号１０７０、配列番号１０７１、配列番号１０７２、配列番号１０７３、配列番号１０７４、配列番号１０７５、配列番号１０７６、配列番号１０７７、配列番号１０８５、配列番号１０８６、配列番号１０８７、配列番号１０８８、配列番号１０８９、配列番号１０９０、配列番号１０９１、配列番号１０９２、配列番号１０９３、配列番号１０９４、配列番号１０９５、配列番号１０９６、配列番号１０９７、配列番号１０９８、配列番号１０９９、配列番号１１００、配列番号１１０１、配列番号１１０２、配列番号１１０３、配列番号１１０４、配列番号１２６８、配列番号１２７０、配列番号１２７１、配列番号１２７２、配列番号１２７７、配列番号１２７８、配列番号１２７９、配列番号１２８０、配列番号１２８１、配列番号１２８３、配列番号１２８８、配列番号１２９０、配列番号１２９５、配列番号１２９７、配列番号１２９９、配列番号１３００、配列番号１３０１、配列番号１３０２、配列番号１３０３、配列番号１３０４、配列番号１３０５、配列番号１３０６、配列番号１３０７、配列番号１３０８、配列番号１３０９、配列番号１３１０、配列番号１３１４、配列番号１３１５、配列番号１３１６、配列番号１３１７、配列番号１３１８、配列番号１３１９、配列番号１３２０、配列番号１３２３、配列番号１３３２、配列番号１３３９、配列番号１３４１、配列番号１３４２、配列番号１３４４、配列番号１３５４、配列番号１３５５、配列番号１３５６、配列番号１３５７、配列番号１３５８、配列番号１３５９、配列番号１３６０、配列番号１３６５、配列番号１３６７、配列番号１３６９、配列番号１３７３、配列番号１３９０、配列番号１３９１、配列番号１３９３、配列番号１３９４、配列番号１４０７、配列番号１４１３、配列番号１４１４、配列番号１４２３、配列番号１４２５、配列番号１４２７、配列番号１４３２、配列番号１４３３、配列番号１４３９、配列番号１４４４、配列番号１４４６、配列番号１４４７、配列番号１４４８、配列番号１４５０、配列番号１４５１、配列番号１４５６、配列番号１４５７、配列番号１４６５、配列番号１４６８、配列番号１４７２、配列番号１４７７、配列番号１４７８、配列番号１４８０、配列番号１４８５、配列番号１４８７、配列番号１４９０、配列番号１４９５、配列番号１４９８、配列番号１４９９、配列番号１５０４、配列番号１５０６、配列番号１５０８、配列番号１５０９、配列番号１５１０、配列番号１５１３、配列番号１５１４、配列番号１５１５、配列番号１５２１、配列番号１５２５、配列番号１５２６、配列番号１５３３、配列番号１５３４、配列番号１５３９、配列番号１５４０、配列番号１５４３、配列番号１５４５、配列番号１５４８、配列番号１５５０、配列番号１５５１、配列番号１５５２、配列番号１５５３、配列番号１５５４、配列番号１５５５、配列番号１５５６、配列番号１５５９、配列番号１５６７、配列番号１５６９、配列番号１５７０、配列番号１５７１、配列番号１５７２、配列番号１５８２、配列番号１５８９、配列番号１５９０、配列番号１５９２、配列番号１５９５、配列番号１５９６、配列番号１５９８、配列番号１６００、配列番号１６０２、配列番号１６０５、配列番号１６０９、配列番号１６１１、配列番号１６１２、配列番号１６１３、配列番号１６１４、配列番号１６１５、配列番号１６１６、配列番号１６１７、配列番号１６１８、配列番号１６２０、配列番号１６２６、配列番号１６２７、配列番号１６３２、配列番号１６３３、配列番号１６３４、配列番号１６３５、配列番号１６３７、配列番号１６３８、配列番号１６３９、配列番号１６４０、配列番号１６５２、配列番号１６５３、配列番号１６５６、配列番号１６５７、配列番号１６６０、配列番号１６６１、配列番号１６６２、配列番号１６６４、配列番号１６６５、配列番号１６６６、配列番号１６７０、配列番号１６７１、配列番号１６７２、配列番号１６７８、配列番号１６８０、配列番号１６８１、配列番号１６９５、配列番号１６９６、配列番号１６９７、配列番号１７０３、配列番号１７０４、配列番号１７０６、配列番号１７０７、配列番号１７０８、配列番号１７０９、配列番号１７１２、配列番号１７１３、配列番号１７１４、配列番号１７２０、配列番号１７２１、配列番号１７２２、配列番号１７２５、配列番号１７３０、配列番号１７３２、配列番号１７３３、配列番号１７３７、配列番号１７３８、配列番号１７４０、配列番号１７４２、配列番号１７４３、配列番号１７４８、配列番号１７５１、配列番号１７５２、配列番号１７５３、配列番号１７５４、配列番号１７５５、配列番号１７５８、配列番号１７５９、配列番号１７６１、配列番号１７６２、配列番号１７６３、配列番号１７６９、配列番号１７７１、配列番号１７７３、配列番号１７７６、配列番号１７７７、配列番号１７８５、配列番号１７８８、配列番号１７９２、配列番号１７９４、配列番号１８００、配列番号１８０６、配列番号１８１０、配列番号１８１６、配列番号１８１８、配列番号１８２８、配列番号１９２７、配列番号１９２８、配列番号２００９、配列番号２０１０、配列番号２０１１、配列番号２０１２、配列番号２０１３、配列番号２０１５、配列番号２０１７、配列番号２０１９、配列番号２０２１、配列番号２０２２、配列番号２０２３、配列番号２０２４、配列番号２０２５、配列番号２０２６、配列番号２０２７、配列番号２０２９、配列番号２０３０、配列番号２０３２、配列番号２０３４、配列番号２０３５、配列番号２０３６、配列番号２０３７、配列番号２０３８、配列番号２０３９、配列番号２０４２、配列番号２０４３、配列番号２０４４、配列番号２０４５、配列番号２０４６、配列番号２０４７、配列番号２０４８、配列番号２０４９、配列番号２０５０、配列番号２０５１、配列番号２０５４、配列番号２０５５、配列番号２０５７、配列番号２０５８、配列番号２０５９、配列番号２０６０、配列番号２０６１、配列番号２０６２、配列番号２０６３、配列番号２０６５、配列番号２０６６、配列番号２０６７、配列番号２０６９、配列番号２０７０、配列番号２０７１、配列番号２０７２、配列番号２０７３、配列番号２０７４、配列番号２０７６、配列番号２０７７、配列番号２０７８、配列番号２０８１、配列番号２０８２、配列番号２０８３、配列番号２０８４、配列番号２０８５、配列番号２０８６、配列番号２０８７、配列番号２０８８、配列番号２０９０、配列番号２０９１、配列番号２０９２、配列番号２０９５、配列番号２１３２、配列番号２１３４、配列番号２１３５、配列番号２１３６、配列番号２１３７、配列番号２１３８、配列番号２１４１、配列番号２１４２、配列番号２１４３、配列番号２１４４、配列番号２１４５、配列番号２１４６、配列番号２１４７、配列番号２１４８、配列番号２１４９、配列番号２１５０、配列番号２１５１、配列番号２１５２、配列番号２１５３、配列番号２１５４、配列番号２１５５、配列番号２１５７、配列番号２１５８、配列番号２１５９、配列番号２１６０、配列番号２１６１、配列番号２１６２、配列番号２１６３、配列番号２１６４、配列番号２１６５、配列番号２１６６、配列番号２１６７、配列番号２１６８、配列番号２１６９、配列番号２１７０及び配列番号２１７１に記載の配列から選択される、請求項１から８のいずれか一項に記載の検出方法。
【請求項１２】
耐性マーカーが、配列番号３１２から配列番号３２０、配列番号３２２から配列番号３４３、配列番号３４５から配列番号３５０、配列番号１９２９、配列番号１９３１から配列番号１９３４、配列番号１９３６、配列番号１９３８、配列番号１９３９、配列番号１９４０、配列番号１９４２、配列番号１９４４、配列番号１９４５、配列番号１９４６、配列番号１９４８、配列番号１９４９、配列番号１９５１、配列番号１９５３から配列番号１９６２、配列番号１９６９、配列番号１９７０、配列番号１９７１、配列番号１９７８、配列番号１９８０、配列番号１９８１、配列番号１９８２、配列番号１９８４から配列番号１９９９、配列番号２００１、配列番号２００２、配列番号２００３、配列番号２００４及び配列番号２００７に記載のペプチドから選択されるＣＭＹペプチドである、請求項１から８のいずれか一項に記載の検出方法。
【請求項１３】
耐性マーカーが、配列番号３１２、配列番号３１３、配列番号３１４、配列番号３１５、配列番号３１６、配列番号３１７、配列番号３１８、配列番号３２０、配列番号３２２、配列番号３２３、配列番号３２５、配列番号３２６、配列番号３２７、配列番号３２８、配列番号３３０、配列番号３３１、配列番号３３２、配列番号３３３、配列番号３３４、配列番号３３５、配列番号３３６、配列番号３３９、配列番号３４０、配列番号３５０、配列番号３３７及び配列番号３４３に記載のペプチドから選択されるＣＭＹペプチドである、請求項１２に記載の検出方法。
【請求項１４】
耐性マーカーが、配列番号４４６から配列番号４７８、配列番号４８０から配列番号４９５および配列番号２００９から配列番号２０１３、配列番号２０１５、配列番号２０１７、配列番号２０１９、配列番号２０２１、配列番号２０２２、配列番号２０２３、配列番号２０２４、配列番号２０２５、配列番号２０２６、配列番号２０２７、配列番号２０２９、配列番号２０３０、配列番号２０３２、配列番号２０３４、配列番号２０３５、配列番号２０３６、配列番号２０３７、配列番号２０３８、配列番号２０３９、配列番号２０４２、配列番号２０４３、配列番号２０４４、配列番号２０４５、配列番号２０４６、配列番号２０４７、配列番号２０４８、配列番号２０４９、配列番号２０５０、配列番号２０５１、配列番号２０５４、配列番号２０５５、配列番号２０５７、配列番号２０５８、配列番号２０５９、配列番号２０６０、配列番号２０６１、配列番号２０６２、配列番号２０６３、配列番号２０６５、配列番号２０６６、配列番号２０６７、配列番号２０６９、配列番号２０７０、配列番号２０７１、配列番号２０７２、配列番号２０７３、配列番号２０７４、配列番号２０７６、配列番号２０７７、配列番号２０７８、配列番号２０８１、配列番号２０８２、配列番号２０８３、配列番号２０８４、配列番号２０８５、配列番号２０８６、配列番号２０８７、配列番号２０８８、配列番号２０９０、配列番号２０９１及び配列番号２０９２に記載のペプチドから選択されるＣＴＸ−Ｍペプチドである、請求項１から８のいずれか一項に記載の検出方法。
【請求項１５】
耐性マーカーが、配列番号４４６、配列番号４５１、配列番号４５４、配列番号４５８、配列番号４６０、配列番号４６１、配列番号４６２、配列番号４６３、配列番号４６４、配列番号４６７、配列番号４６８、配列番号４７０、配列番号４７１、配列番号４７４、配列番号４８０、配列番号４８４、配列番号４８５、配列番号４８９及び配列番号４９１に記載のペプチドから選択されるＣＴＸ−Ｍペプチドである、請求項１４に記載の方法。
【請求項１６】
耐性マーカーが、配列番号６１４から配列番号７１１および配列番号２０９３から配列番号２０９６の配列のペプチドから選択されるＳＨＶペプチドである、請求項１から８のいずれか一項に記載の検出方法。
【請求項１７】
耐性マーカーが、配列番号６１４、配列番号６１７、配列番号６１８、配列番号６１９、配列番号６２０、配列番号６２２、配列番号６２４、配列番号６２６、配列番号６２８、配列番号６３０、配列番号６３１、配列番号６３２、配列番号６３６、配列番号６３７、配列番号６３８、配列番号６４９、配列番号６５１、配列番号６５２、配列番号６５３、配列番号６５５、配列番号６５６、配列番号６５７、配列番号６５８、配列番号６５９、配列番号６６０、配列番号６６１、配列番号６６２、配列番号６６３、配列番号６６４、配列番号６６６、配列番号６６７、配列番号６６８、配列番号６７１、配列番号６７２、配列番号６７４、配列番号６８２、配列番号６８４、配列番号６８６、配列番号６８９、配列番号６９１、配列番号６９４、配列番号６９５、配列番号６９６、配列番号６９７、配列番号６９８、配列番号７０１、配列番号７０２、配列番号７０４、配列番号７０７及び配列番号７０８に記載のペプチドから選択されるＳＨＶペプチドである、請求項１４に記載の検出方法。
【請求項１８】
耐性マーカーが、配列番号７１９から配列番号７３３、配列番号２０９８、配列番号２１０１、配列番号２１０２、配列番号２１０５、配列番号２１０７、配列番号２１０８、配列番号２１０９、配列番号２１１０、配列番号２１１２および配列番号２１１３に記載のペプチドから選択されるＦＯＸペプチドである、請求項１から８のいずれか一項に記載の検出方法。
【請求項１９】
耐性マーカーが、配列番号７１９、配列番号７２０、配列番号７２１、配列番号７２３、配列番号７２４、配列番号７２５、配列番号７２６、配列番号７２７、配列番号７２８、配列番号７２９、配列番号７３０、配列番号７３１及び配列番号７３２に記載のペプチドから選択されるＦＯＸペプチドである、請求項１８に記載の方法。
【請求項２０】
耐性マーカーが、配列番号７４０から配列番号７８７に記載のペプチドから選択されるＡＣＣペプチドである、請求項１から８のいずれか一項に記載の検出方法。
【請求項２１】
耐性マーカーが、配列番号７４０、配列番号７４１、配列番号７４２、配列番号７４３、配列番号７４４、配列番号７４５、配列番号７４６、配列番号７４７、配列番号７４８、配列番号７５１、配列番号７５５、配列番号７５６、配列番号７５７、配列番号７５８、配列番号７６１、配列番号７６２、配列番号７６３、配列番号７６５、配列番号７６６、配列番号７６７、配列番号７６８、配列番号７６９、配列番号７７０、配列番号７７１、配列番号７７３、配列番号７７４、配列番号７７５、配列番号７７６、配列番号７７７、配列番号７７８、配列番号７７９、配列番号７８０、配列番号７８１、配列番号７８２、配列番号７８３、配列番号７８４、配列番号７８５、配列番号７８６及び配列番号７８７に記載の配列から選択されるＡＣＣペプチドである、請求項２０に記載の検出方法。
【請求項２２】
耐性マーカーが、配列番号７４１、配列番号７４４、配列番号７４５、配列番号７５６、配列番号７５８、配列番号７６１、配列番号７６５、配列番号７６７、配列番号７６９、配列番号７７１、配列番号７７３、配列番号７７５、配列番号７７６、配列番号７７８、配列番号７７９、配列番号７８１、配列番号７８３、配列番号７８４、配列番号７８６及び配列番号７８７に記載の配列から選択されるＡＣＣペプチドである、請求項２０に記載の方法。
【請求項２３】
耐性マーカーが、配列番号７９８、配列番号７９９、配列番号８０２、配列番号８０４から配列番号８０７、配列番号８０９から配列番号８１３、配列番号８１６から配列番号８２６及び配列番号８２８から配列番号８４１に記載のペプチドから選択されるＡＣＴペプチドである、請求項１から８のいずれか一項に記載の検出方法。
【請求項２４】
耐性マーカーが、配列番号８５３から配列番号９２１に記載のペプチドから選択されるＣＡＲＢペプチドである、請求項１から８のいずれか一項に記載の検出方法。
【請求項２５】
耐性マーカーが、配列番号８５３、配列番号８５４、配列番号８５５、配列番号８５６、配列番号８５７、配列番号８５９、配列番号８６０、配列番号８６１、配列番号８６５、配列番号８６６、配列番号８６７、配列番号８６８、配列番号８６９、配列番号８７０、配列番号８７１、配列番号８７２、配列番号８７３、配列番号８７４、配列番号８７５、配列番号８７６、配列番号８７７、配列番号８７８、配列番号８８２、配列番号８８３、配列番号８８４、配列番号８８６、配列番号８８７、配列番号８８９、配列番号８９０、配列番号８９１、配列番号８９２、配列番号８９３、配列番号８９４、配列番号８９６、配列番号８９７、配列番号８９８、配列番号８９９、配列番号９００、配列番号９０１、配列番号９０３、配列番号９０４、配列番号９０５、配列番号９０６、配列番号９０７、配列番号９０８、配列番号９０９、配列番号９１１、配列番号９１２、配列番号９１３、配列番号９１５、配列番号９１６、配列番号９１７、配列番号９１８、配列番号９１９、配列番号９２０及び配列番号９２１に記載のペプチドから選択されるＣＡＲＢペプチドである、請求項２４に記載の検出方法。
【請求項２６】
耐性マーカーが、配列番号９２８から配列番号９３５、配列番号９３７から配列番号９４２、及び配列番号９４４から配列番号９４８に記載のペプチドから選択されるＤＨＡペプチドである、請求項１から８のいずれか一項に記載の検出方法。
【請求項２７】
耐性マーカーが、配列番号９２９、配列番号９３１、配列番号９３２、配列番号９３４、配列番号９３７、配列番号９３８、配列番号９３９、配列番号９４１、配列番号９４４、配列番号９４６、配列番号９４７及び配列番号９４８に記載のペプチドから選択されるＤＨＡペプチドである、請求項２６に記載の方法。
【請求項２８】
耐性マーカーが、配列番号９５４、配列番号９５６、配列番号９５７、配列番号９５９から配列番号９６１、配列番号９６３、配列番号９６４、配列番号９６６、配列番号９６７、及び配列番号９６９から配列番号９８１に記載のペプチドから選択されるＭＩＲペプチドである、請求項１から８のいずれか一項に記載の検出方法。
【請求項２９】
耐性マーカーが、配列番号９７９、配列番号９８０及び配列番号９８１に記載のペプチドから選択されるＭＩＲペプチドである、請求項２８に記載の検出方法。
【請求項３０】
耐性マーカーが、配列番号９９０から配列番号９９３、配列番号９９５から配列番号９９８、配列番号１０００から配列番号１０１２、配列番号１０１４から配列番号１０１６、配列番号１０１８から配列番号１０２０、配列番号１０２２から配列番号１０２９、および配列番号１０３１から配列番号１０３７に記載のペプチドから選択されるＭＯＸペプチドである、請求項１から８のいずれか一項に記載の検出方法。
【請求項３１】
耐性マーカーが、配列番号９９２、配列番号１０１５、配列番号１００６、配列番号１０２３、配列番号１０２４、配列番号１０３５、配列番号１０３６、及び配列番号１０３７に記載のペプチドから選択されるＭＯＸペプチドである、請求項３０に記載の検出方法。
【請求項３２】
耐性マーカーが、配列番号１０４５から配列番号１０４７、配列番号１０５１から配列番号１０６５、および配列番号１０６９から配列番号１０７７に記載のペプチドから選択されるＰＥＲペプチドである、請求項１から８のいずれか一項に記載の検出方法。
【請求項３３】
耐性マーカーが、配列番号１０５１、配列番号１０５４、配列番号１０５５、配列番号１０５７、配列番号１０６１、配列番号１０６９、配列番号１０７３、配列番号１０７５、及び配列番号１０７６に記載のペプチドから選択されるＰＥＲペプチドである、請求項３２に記載の検出方法。
【請求項３４】
耐性マーカーが、配列番号１０８５から配列番号１１０４に記載のペプチドから選択されるＶＥＢペプチドである、請求項１から８のいずれか一項に記載の検出方法。
【請求項３５】
耐性マーカーが、配列番号１０８８、配列番号１０８９、配列番号１０９３、及び配列番号１１０３に記載のペプチドから選択されるＶＥＢペプチドである、請求項３４に記載の検出方法。
【請求項３６】
耐性マーカーが、配列番号１２６７、配列番号１２６８、配列番号１２７０、配列番号１２７１、配列番号１２７２、配列番号１２７３、配列番号１２７４、配列番号１２７５、配列番号１２７６、配列番号１２７７、配列番号１２７８、配列番号１２７９、配列番号１２８０、配列番号１２８１、配列番号１２８３、配列番号１２８４、配列番号１２８６、配列番号１２８８、配列番号１２８９、配列番号１２９０、配列番号１２９１、配列番号１２９２、配列番号１２９３、配列番号１２９４、配列番号１２９５、配列番号１２９６、配列番号１２９７、配列番号１２９８、配列番号１２９９、配列番号１３００、配列番号１３０１、配列番号１３０２、配列番号１３０３、配列番号１３０４、配列番号１３０５、配列番号１３０６、配列番号１３０７、配列番号１３０８、配列番号１３０９、配列番号１３１０、配列番号１３１１、配列番号１３１２、配列番号１３１３、配列番号１３１４、配列番号１３１５、配列番号１３１６、配列番号１３１７、配列番号１３１８、配列番号１３１９、配列番号１３２０、配列番号１３２１、配列番号１３２２、配列番号１３２３、配列番号１３２４、配列番号１３２５、配列番号１３２９、配列番号１３３０、配列番号１３３２、配列番号１３３３、配列番号１３３４、配列番号１３３５、配列番号１３３６、配列番号１３３８、配列番号１３３９、配列番号１３４１、配列番号１３４２、配列番号１３４４、配列番号１３４５、配列番号１３４６、配列番号１３４７、配列番号１３４８、配列番号１３４９、配列番号１３５１、配列番号１３５２、配列番号１３５３、配列番号１３５４、配列番号１３５５、配列番号１３５６、配列番号１３５７、配列番号１３５８、配列番号１３５９、配列番号１３６０、配列番号１３６２、配列番号１３６４、配列番号１３６５、配列番号１３６７、配列番号１３６９、配列番号１３７０、配列番号１３７１、配列番号１３７２、配列番号１３７３、配列番号１３７４、配列番号１３７６、配列番号１３７８、配列番号１３８０、配列番号１３８１、配列番号１３８２、配列番号１３８３、配列番号１３８４、配列番号１３８５、配列番号１３９０、配列番号１３９１、配列番号１３９３、配列番号１３９４、配列番号１３９５、配列番号１３９６、配列番号１３９７、配列番号１３９８、配列番号１３９９、配列番号１４００、配列番号１４０１、配列番号１４０３、配列番号１４０６、配列番号１４０７、配列番号１４０９、配列番号１４１０、配列番号１４１１、配列番号１４１２、配列番号１４１３、配列番号１４１４、配列番号１４１７、配列番号１４１８、配列番号１４２２、配列番号１４２３、配列番号１４２４、配列番号１４２５、配列番号１４２７、配列番号１４２８、配列番号１４３０、配列番号１４３１、配列番号１４３２、配列番号１４３３、配列番号１４３４、配列番号１４３５、配列番号１４３６、配列番号１４３７、配列番号１４３８、配列番号１４３９、配列番号１４４３、配列番号１４４４、配列番号１４４５、配列番号１４４６、配列番号１４４７、配列番号１４４８、配列番号１４４９、配列番号１４５０、配列番号１４５１、配列番号１４５２、配列番号１４５４、配列番号１４５６、配列番号１４５７、配列番号１４５８、配列番号１４５９、配列番号１４６０、配列番号１４６１、配列番号１４６４、配列番号１４６５、配列番号１４６８、配列番号１４７２、配列番号１４７５、配列番号１４７７、配列番号１４７８、配列番号１４８０、配列番号１４８３、配列番号１４８４、配列番号１４８５、配列番号１４８６、配列番号１４８７、配列番号１４９０、配列番号１４９３、配列番号１４９４、配列番号１４９５、配列番号１４９６、配列番号１４９８、配列番号１４９９、配列番号１５０１、配列番号１５０２、配列番号１５０３、配列番号１５０４、配列番号１５０５、配列番号１５０６、配列番号１５０７、配列番号１５０８、配列番号１５０９、配列番号１５１０、配列番号１５１１、配列番号１５１２、配列番号１５１３、配列番号１５１４、配列番号１５１５、配列番号１５１７、配列番号１５１８、配列番号１５２０、配列番号１５２１、配列番号１５２４、配列番号１５２５、配列番号１５２６、配列番号１５２７、配列番号１５２８、配列番号１５２９、配列番号１５３１、配列番号１５３２、配列番号１５３３、配列番号１５３４、配列番号１５３５、配列番号１５３６、配列番号１５３７、配列番号１５３８、配列番号１５３９、配列番号１５４０、配列番号１５４１、配列番号１５４３、配列番号１５４４、配列番号１５４５、配列番号１５４６、配列番号１５４７、配列番号１５４８、配列番号１５５０、配列番号１５５１、配列番号１５５２、配列番号１５５３、配列番号１５５４、配列番号１５５５、配列番号１５５６、配列番号１５５７、配列番号１５５８、配列番号１５５９、配列番号１５６１、配列番号１５６２、配列番号１５６３、配列番号１５６４、配列番号１５６５、配列番号１５６７、配列番号１５６８、配列番号１５６９、配列番号１５７０、配列番号１５７１、配列番号１５７２、配列番号１５７３、配列番号１５７６、配列番号１５７９、配列番号１５８０、配列番号１５８２、配列番号１５８３、配列番号１５８４、配列番号１５８５、配列番号１５８６、配列番号１５８７、配列番号１５８８、配列番号１５８９、配列番号１５９０、配列番号１５９１、配列番号１５９２、配列番号１５９３、配列番号１５９４、配列番号１５９５、配列番号１５９６、配列番号１５９８、配列番号１５９９、配列番号１６００、配列番号１６０２、配列番号１６０３、配列番号１６０４、配列番号１６０５、配列番号１６０６、配列番号１６０７、配列番号１６０８、配列番号１６０９、配列番号１６１１、配列番号１６１２、配列番号１６１３、配列番号１６１４、配列番号１６１５、配列番号１６１６、配列番号１６１７、配列番号１６１８、配列番号１６１９、配列番号１６２０、配列番号１６２３、配列番号１６２４、配列番号１６２５、配列番号１６２６、配列番号１６２７、配列番号１６２９、配列番号１６３２、配列番号１６３３、配列番号１６３４、配列番号１６３５、配列番号１６３６、配列番号１６３７、配列番号１６３８、配列番号１６３９、配列番号１６４０、配列番号１６４１、配列番号１６４２、配列番号１６４３、配列番号１６４４、配列番号１６４５、配列番号１６４６、配列番号１６４７、配列番号１６４８、配列番号１６４９、配列番号１６５０、配列番号１６５１、配列番号１６５２、配列番号１６５３、配列番号１６５４、配列番号１６５５、配列番号１６５６、配列番号１６５７、配列番号１６５８、配列番号１６５９、配列番号１６６０、配列番号１６６１、配列番号１６６２、配列番号１６６３、配列番号１６６４、配列番号１６６５、配列番号１６６６、配列番号１６６７、配列番号１６６８、配列番号１６７０、配列番号１６７１、配列番号１６７２、配列番号１６７８、配列番号１６７９、配列番号１６８０、配列番号１６８１、配列番号１６８６、配列番号１６８８、配列番号１６９０、配列番号１６９３、配列番号１６９４、配列番号１６９５、配列番号１６９６、配列番号１６９７、配列番号１６９８、配列番号１６９９、配列番号１７００、配列番号１７０１、配列番号１７０２、配列番号１７０３、配列番号１７０４、配列番号１７０５、配列番号１７０６、配列番号１７０７、配列番号１７０８、配列番号１７０９、配列番号１７１１、配列番号１７１２、配列番号１７１３、配列番号１７１４、配列番号１７１６、配列番号１７１９、配列番号１７２０、配列番号１７２１、配列番号１７２２、配列番号１７２５、配列番号１７２６、配列番号１７２８、配列番号１７３０、配列番号１７３１、配列番号１７３２、配列番号１７３３、配列番号１７３４、配列番号１７３５、配列番号１７３６、配列番号１７３７、配列番号１７３８、配列番号１７３９、配列番号１７４０、配列番号１７４１、配列番号１７４２、配列番号１７４３、配列番号１７４４、配列番号１７４８、配列番号１７５０、配列番号１７５１、配列番号１７５２、配列番号１７５３、配列番号１７５４、配列番号１７５５、配列番号１７５６、配列番号１７５８、配列番号１７５９、配列番号１７６１、配列番号１７６２、配列番号１７６３、配列番号１７６６、配列番号１７６７、配列番号１７６９、配列番号１７７０、配列番号１７７１、配列番号１７７２、配列番号１７７３、配列番号１７７６、配列番号１７７７、配列番号１７７８、配列番号１７８０、配列番号１７８２、配列番号１７８３、配列番号１７８４、配列番号１７８５、配列番号１７８６、配列番号１７８８、配列番号１７８９、配列番号１７９２、配列番号１７９４、配列番号１７９９、配列番号１８００、配列番号１８０２、配列番号１８０３、配列番号１８０４、配列番号１８０６、配列番号１８０７、配列番号１８０８、配列番号１８１０、配列番号１８１１、配列番号１８１２、配列番号１８１６、配列番号１８１７、配列番号１８１８、配列番号１８２０、配列番号１８２１、配列番号１８２２、配列番号１８２５、配列番号１８２６、配列番号１８２７、配列番号１８２８、配列番号１８２９、配列番号１８３０、配列番号１８３１、配列番号１８３２、配列番号１８３３、配列番号１８３４、配列番号２１６０、配列番号２１６１、配列番号２１６２、配列番号２１６３、配列番号２１６４、配列番号２１６５、配列番号２１６６、配列番号２１６７、配列番号２１６８、配列番号２１６９、配列番号２１７０及び配列番号２１７１に記載のペプチドから選択されるＯＸＡペプチドである、請求項１から８のいずれか一項に記載の検出方法。
【請求項３７】
耐性マーカーが、配列番号２１６０、配列番号２１６２、配列番号２１６４、配列番号２１６５、配列番号２１６６、配列番号２１６７、配列番号２１６９、配列番号２１７０、及び配列番号２１７１に記載のペプチドから選択されるＯＸＡペプチドである、請求項３６に記載の検出方法。
【請求項３８】
耐性マーカーが、配列番号２１３２、配列番号２１３４から配列番号２１３８、配列番号２１４１から配列番号２１５５、および配列番号２１５７から配列番号２１５９に記載のペプチドから選択されるＧＥＳペプチドである、請求項１から８のいずれか一項に記載の検出方法。
【発明の詳細な説明】
【技術分野】
【０００１】
本発明は、微生物学の分野に関する。より正確に述べると、本発明は、質量分析を用いることによる、試料由来の少なくとも１つの微生物のセファロスポリンに対する耐性の少なくとも１つの機構の検出に関する。
【背景技術】
【０００２】
パスツールによる微生物の発見以来、微生物は、顕微鏡法および生化学的解析により研究されている。これらの従来の方法は、長時間にわたり面倒であることが多く、代替的解析法が極めて早期から探索されてきた。このため、１９７５年から、Ｊ．ＡｎｈａｌｔおよびＣ．Ｆｅｎｓｅｌａｕにより、質量分析を介する細菌の解析が創始された［１］。
【０００３】
この予備的業績の後、微生物の細胞壁に由来する脂肪酸についての研究であって、質量分析と組み合わせたガスクロマトグラフィー（ＧＣ−ＭＳ）を用いる研究が行われた［２］。この方法は、脂肪酸メチルエステルを表すＦＡＭＥという英語の用語の下で普及した。ＦＡＭＥは、現在のところ、分類研究のための基準方法を構成している。しかし、その使用は、サポニン化、加水分解、および誘導による試料の処理を取り扱う特定の専門的実験室に依然として限定されている。
【０００４】
１９９６年に、Ｍ．Ｃｌａｙｄｏｎらによる業績［３］のほか、Ｔ．ＫｒｉｓｈｎａｍｕｒｔｈｙおよびＰ．Ｒｏｓｓによる業績［４］が、ＭＡＬＤＩ−ＴＯＦ（マトリックス支援レーザー脱離イオン化飛行時間の英語の頭字語）質量分析器により、異なる細菌種を同定する可能性を裏付けた。解析では、質量スペクトルの収集と、専門的ソフトウェアによる解釈とを組み合わせる。ＭＡＬＤＩ−ＴＯＦは、極めて簡素であり、数分間で実行することができる。しかし、ＭＡＬＤＩ−ＴＯＦが医学的解析の実験室に導入されるようになったのは、ごく最近のことである［５］。その臨床的使用は、現在のところ、細菌種および酵母種の同定に限定されている。ＭＡＬＤＩ−ＴＯＦは、抗微生物剤に対する耐性を同定するのに常法として用いられていはいない。
【０００５】
しかし、抗生剤などの抗微生物剤に対する耐性の同定は、最適の患者ケアを確保するのに不可欠の要素である。
【０００６】
これらの必要を満たすために、他の質量分析法、特に、タンデム質量分析法が提起されている。例として述べると、β−ラクタマーゼを四重極ＴＯＦ（Ｑ−ＴＯＦ）により同定することについてのＣ．Ｆｅｎｓｅｌａｕらの業績［６］を引用することが可能である。
【０００７】
しかし、これらの研究成果は、日常的な臨床使用には適用可能でない。これらの研究成果は、高技能者を要請する研究用測定器により得られた。試料１つ当たり１時間を超えることが多い解析時間は、微生物学的解析実験室の作業負荷には適合しない。
【０００８】
より近年になって、Ｓ．Ｈｏｆｓｔａｄｌｅｒら［７］は、ＰＣＲによる微生物ゲノムの増幅を、エレクトロスプレーＴＯＦ（ＥＳＩ−ＴＯＦ）によるＰＣＲ産物の検出と組み合わせる方法を提起した。この方法は、現在では完全に自動化されている［８］。しかし、この方法は、分子生物学に固有の欠陥、すなわち、抽出収量、プローブの費用などの欠陥を伴うＰＣＲ増幅を要請する。
【発明の概要】
【０００９】
この文脈で、本発明の目的は、セファロスポリンに対する耐性の機構を検出する方法であって、先行技術による方法の欠点を克服することを可能とする方法を提起すること、すなわち、特に、分子生物学法と比較して、各々の種に特異的な試薬を伴わない廉価な方法であって、１時間より短い短時間で結果をもたらし、高技能者を必要とすることなく、通常の臨床研究において使用することができる方法を提供することである。
【００１０】
この目的のために、本発明は、試料由来の少なくとも１つの微生物の少なくとも１つの抗微生物剤に対する耐性の少なくとも１つの機構を質量分析により検出する新たな方法であって、抗微生物剤がセファロスポリンであり、タンパク質および／またはペプチドが、少なくとも１つのセファロスポリンクラスの抗生剤に対する耐性の前記機構のマーカーとして検出されることを特徴とする方法を提起する。
【００１１】
数種の異なる抗微生物剤に対する耐性のマーカーは、同時に検出されうることが有利である。
【００１２】
出願番号ＰＣＴ／ＦＲ２０１０／０５２１８１において示される通り、前記微生物の種類および／または毒性のマーカーも、耐性機構マーカーの検出の前に、またはこれと同時に、質量分析により同様に検出することができる。
【発明を実施するための形態】
【００１３】
少なくとも１つのセファロスポリンクラスの抗微生物剤に対する耐性のマーカーとは、前記特性に特徴的なタンパク質由来の分子を意味することが理解される。
【００１４】
セファロスポリンとは、β−ラクタムファミリーに属する抗生剤である。セファロスポリンは通常、以下の数種のサブクラスに分類される：
・第１群、および第２ｂ群、第２ｂｒ群、第２ｂｅ群、第２ｂｅｒ群のβ−ラクタマーゼにより分解される、セファゾリン、セファロチン、セファクロル、セファレキシンなど、第１世代のセファロスポリン；
・第１群、第２ｂｅ群、第２ｂｅｒ群のβ−ラクタマーゼにより分解される、セファマンドール、セフポドキシム、セフロキシムなど、第２世代のセファロスポリン；
・第１世代のセファロスポリンおよび第２世代のセファロスポリンより安定的であるが、第１群、第２ｂｅ群、第２ｂｅｒ群のβ−ラクタマーゼにより分解される、セフォタキシム、セフタジジム、セフトリアキソン、セフィキシムなど、第３世代のセファロスポリン；
・第２ｂｅ群および第２ｂｅｒ群のβ−ラクタマーゼにより分解される、セフェピムおよびセフピロームなど、第４世代のセファロスポリン；
・第２ｂｅ群および第２ｂｅｒ群のβ−ラクタマーゼにより分解される、セフタロリンおよびセフトビプロールなど、抗ＭＲＳＡ活性を呈示するセファロスポリン；
・第１群のβ−ラクタマーゼにより分解される、セフォキシチン、セフォテタン、セフメタゾールなどのセファマイシン。
【００１５】
少なくとも１つの抗微生物剤に対する耐性の決定とは、抗微生物剤により破壊される微生物の感受性を決定することを意味することが理解される。耐性機構に関与するタンパク質は、ファミリーおよび種によって異なることになる。
【００１６】
β−ラクタマーゼ、β−ラクタム耐性の細菌酵素についての用語法は、標準化されていない。β−ラクタマーゼ、β−ラクタム耐性の細菌酵素は、それらの一次構造に基づく４つの分子クラス（Ａ〜Ｄ）、または標的基質およびそれらの阻害剤に対する耐性に基づく機能群に分類される（概説については、［９］ＢｕｓｈおよびＪａｃｏｂｙ、Ａｎｔｉｍｉｃｒｏｂｉａｌ  Ａｇｅｎｔｓ  ａｎｄ  Ｃｈｅｍｏｔｈｅｒａｐｙ、２０１０；５４（３）：９６９〜９７６を参照されたい）。分子的分類のためには、配列決定法を介して、より正確な分類が可能となっている：例えば、１８３のＴＥＭタンパク質変異体が記載されている（ＴＥＭ−ｉと名付けられる；ｉは、１〜１８３の間である）。機能的分類のためには、ＢｕｓｈおよびＪａｃｏｂｙ（前出）により、以下の新たな機能的亜群が提起されている：
・第１群の酵素は、分子クラスＣに属するセファロスポリナーゼである。ＡＣＣ、ＡＣＴ、ＭＩＲ、ＭＯＸ、ＤＨＡ、ＣＭＹ、およびＦＯＸは、この亜群に属するプラスミド保有酵素である。
・第２群の酵素は、分子クラスＡおよびＤに属する。この群はそれ自体、亜群：２ａ、２ｂ、２ｂｅ、２ｂｒ、２ｂｅｒ、２ｃ、２ｃｅ、２ｄ、２ｄｅ、２ｄｆ、２ｆなどに細分される。ＣＴＸ−Ｍ（２ｂｅ）、ＳＨＶ（２ｂ、２ｂｅ、または２ｂｒ）、ＰＥＲ（２ｂｅ）、ＶＥＢ（２ｂｅ）、およびＴＥＭ（２ｂ、２ｂｅ、２ｂｒ、または２ｂｅｒ）は、この群に属する酵素である。
○第２ａ亜群は、ベンジルペニシリンおよびペニシリン誘導体を加水分解するが、セファロスポリン、カルバペネム、またはモノバクタムは加水分解しないβ−ラクタマーゼに対応する。
○第２ｂ亜群は、第１世代のペニシリンならびにセファロリジンおよびセファロチンなどのセファロスポリンを加水分解し、クラブラン酸、スルホバクタム、またはタゾバクタムにより阻害される広域スペクトルのβ−ラクタマーゼに対応する。変異体であるＴＥＭ−１、ＴＥＭ−２、およびＳＨＶ−１は、この亜群に属する。
■第２ｂｅ亜群は、これらもまたクラブラン酸、スルホバクタム、またはタゾバクタムにより阻害される、広域スペクトルのβ−ラクタマーゼ（ＥＳＢＬ）に対応する。これらの酵素は、第２ｂ亜群の特性に加えて、セフォタキシムまたはセフタジジムなど、少なくとも１つのオキシイミノ系β−ラクタム、およびアズトレオナムなどのモノバクタムを加水分解する。この亜群は、多数のＴＥＭおよびＳＨＶの変異体、ＰＥＲおよびＶＥＢの変異体のほか、ＣＴＸ−Ｍ、ＢＥＬ−１、ＢＥＳ−１、ＳＦＯ−１、ＴＡＬ−１、およびＴＡＬ−２を含有する。
■第２ｂｒ亜群は、クラブラン酸、スルホバクタム、またはタゾバクタムによる阻害に対して非感受性の、第２ｂ亜群に由来するβ−ラクタマーゼに対応する。この亜群は、酵素であるＴＥＭおよびＳＨＶの変異体を含有する。
■第２ｂｅｒ亜群は、クラブラン酸、スルホバクタム、またはタゾバクタムによる阻害に対して非感受性の、第２ｂｅ亜群に由来するβ−ラクタマーゼに対応する。この亜群は、ＴＥＭ変異体を含有する。
○第２ｃｅ亜群は、それがカルベニシリンまたはチカルシリンのほか、セフェピムおよびセフピロームを加水分解する能力を特徴とする。ＣＡＲＢ−１０は、この亜群の一部である。
○第２ｄ亜群は、クロキサシリンまたはオキサシリンを加水分解することが可能なＯＸＡβ−ラクタマーゼを包含する。ＯＸＡ（またはオキサシリナーゼ）は、それらの一次配列により、クラスＤのβ−ラクタマーゼに対応し、セファロスポリン、またはセファロスポリンおよびカルバペネムに対する耐性を付与しうる（Ｐｏｉｒｅｌら、２０１０、Ａｎｔｉｍｉｃｒｏｂｉｏ．Ａｇｅｎｔｓ  Ｃｈｅｍｏｔｈｅｒ．、５４：２４〜３８）。
■第２ｄｅ亜群は、オキシ−イミノ−β−ラクタムまで及ぶが、カルバペネムまでは及ばない広域スペクトルを有するＯＸＡを包含する。
■第２ｄｆ亜群は、カルバペネムまで及ぶスペクトルを有するＯＸＡを包含する。
○第２ｅ亜群は、クラブラン酸またはタゾバクタムにより阻害される、広域スペクトルのセファロスポリナーゼに対応する。
○第２ｆ亜群は、ＳＭＥ、ＫＰＣ、または特定のＧＥＳの変異体などのカルバペネマーゼに対応する。最初のＧＥＳβ−ラクタマーゼは、１９９８年に仏領ギアナで単離された（Ｐｏｉｒｅｌら、２０００、Ａｎｔｉｍｉｃｒｏｂｉｏ．Ａｇｅｎｔｓ  Ｃｈｅｍｏｔｈｅｒ．、４３：６２２〜６３２）。この酵素（ＧＥＳ−１）は、ＥＳＢＬ耐性（第２ｂｅ亜群）を付与した。ＧＥＳβ−ラクタマーゼを保有する細菌からの第２の単離は、２０００年に南アフリカで達成された（Ｐｏｉｒｅｌら、２００１、Ａｎｔｉｍｉｃｒｏｂｉｏ．Ａｇｅｎｔｓ  Ｃｈｅｍｏｔｈｅｒ．、４５：２５９８〜２６０３）。この酵素（ＧＥＳ−２）は、セファロスポリン、およびイミペネム（第２ｆ亜群）などのカルバペネムに対する耐性を付与した。
・第３群の酵素は、カルバペネムクラスの抗生剤を加水分解することで知られるメタロ−β−ラクタマーゼである。酵素ＩＭＰ、ＶＩＭ、ＣＡＵ、ＧＯＢ、またはＦＥＺは、この群の一部である。
【００１７】
本発明の方法を使用して、細菌におけるセファロスポリンに対する耐性の機構を検出することができる。したがって、例えば、本発明の方法によりセファロスポリンに対する耐性の機構を探索することが可能な細菌としては、以下について非網羅的に言及することができる：
・第１群および第２群のタンパク質およびペプチドを耐性マーカーとして用いる腸内細菌（Ｅｎｔｅｒｏｂａｃｔｅｒｉａｃｅａｅ）科；
・非発酵型細菌（緑膿菌（Ｐｓｅｕｄｏｍｏｎａｓ  ａｅｒｕｇｉｎｏｓａ）、アシネトバクター・バウマンニー（Ａｃｉｎｅｔｏｂａｃｔｅｒ  ｂａｕｍａｎｎｉｉ））など。
【００１８】
カルバペネムに対して耐性であることが知られる株はまた、セファロスポリンおよびペニシリンに対しても耐性であることにもさらに注意すべきである。したがって、カルバペネムに対する耐性の機構を検出する方法はまた、セファロスポリンおよびペニシリンに対する耐性の機構を検出することも可能とする。
【００１９】
本発明の方法を使用しうる試料は、標的の微生物を含有しやすい任意の試料である。試料は、動物、植物、またはヒトである生物由来でありうる。この場合、試料は、体液検体（例えば、全血液、血清、血漿、尿、脳脊髄液、生物学的分泌物）、組織検体、または単離細胞に対応しうる。この検体は、β−ラクタムに対する細菌の耐性の機構のマーカーが被験試料中で入手可能な限りでそれ自体として用いる場合もあり、解析の前に、当業者に知られた方法に従う富化、抽出、濃縮、精製、培養による調製を経る場合もある。
【００２０】
試料は、産業由来の場合もあり、非網羅的なリストにより述べれば、大気検体、水検体、地表検体、部品もしくは工業製品、または食品の場合もある。食品試料の中では、乳製品（ヨーグルト、チーズ）、肉、魚、鶏卵、果物、野菜、水、飲料（ミルク、果汁、ソーダなど）の試料について非網羅的な言及を行うことができる。これらの食品試料はまた、ソースまたは調理済み食品にも由来しうる。最後に、食品試料は、動物の餌などの動物飼料にも由来しうる。
【００２１】
質量分析による検出の上流では、解析される試料を、この試料中に存在する全タンパクからペプチドを作製するために前処理して、例えば、タンパク質分解酵素（プロテアーゼ）による消化を介して、または化学的試薬の作用を介して、これらのタンパク質をペプチドにフラグメント化することが好ましい。実際、タンパク質の切断は、物理化学的処理により実行することもでき、生物学的処理により実行することもでき、２つの処理の組合せにより実行することもできる。使用可能な処理の中では、特に、Ｈ２Ｏ２を伴うヒドロキシルラジカルによる処理について言及することができる。ヒドロキシルラジカルによる処理は、タンパク質のペプチド結合のうちのいずれかにおいてランダムに生じる、ペプチド結合の切離しを結果としてもたらす。ヒドロキシルラジカルの濃度は、実行される切断の数を決定し、したがって、得られるペプチドフラグメントの長さを決定する。また、例えば、とりわけ、メチオニル残基のカルボキシル基においてペプチド結合を分断する臭化シアン（ＣＮＢｒ）処理など、他の化学的処理も用いることができる。また、トリフルオロ酢酸中でタンパク質溶液を１０００℃まで加熱することにより、アスパルチル残基において部分的な酸切断を実施することも可能である。
【００２２】
にもかかわらず、タンパク質の構造のうちのより多くを保存し、制御が容易であるために、酵素的消化によるタンパク質の処理が、物理化学的処理よりも好ましい。「酵素的消化」とは、適切な反応条件下における、単一であるかまたは組み合わせた１または複数の酵素の作用を意味することが理解される。プロテアーゼと称する、タンパク質分解を実行する酵素は、タンパク質を、特定の場所で切り離す。各プロテアーゼは一般に、その中で常に同じ切離しを施すアミノ酸の配列を認識する。あるプロテアーゼが単一のアミノ酸またはその間で切断を実施する２つのアミノ酸の配列を認識するのに対し、他のプロテアーゼは、長い配列のみを認識する。これらのプロテアーゼは、エンドプロテアーゼの場合もあり、エキソプロテアーゼの場合もある。ＷＯ２００５／０９８０７１において記載される通り、既知のプロテアーゼの中では、以下について言及することができる：
・Ａｒｇ残基およびＬｙｓ残基のカルボキシル基においてペプチド結合を分断するトリプシン、リシンの−ＣＯ基のペプチド結合を切断するエンドシリン、芳香族残基（Ｐｈｅ、Ｔｙｒ、およびＴｒｐ）のカルボキシル基においてペプチド結合を加水分解するキモトリプシン、芳香族残基（Ｐｈｅ、Ｔｙｒ、およびＴｒｐ）のＮＨ２基において切離しをもたらすペプシン、Ｇｌｕ残基のカルボキシル基においてペプチド結合を切断する、黄色ブドウ球菌（Ｓｔａｐｈｙｌｏｃｏｃｃｕｓ  ａｕｒｅｕｓ）のＶ８株に由来するＶ８プロテアーゼなどの特異的酵素；
・疎水性アミノ酸（Ｘａａ−Ｔｈｅ、Ｘａａ−Ｉｌｅ、Ｘａａ−Ｐｈｅ）のＮＨ２基のペプチド結合を加水分解する、細菌であるバチルス・テルモプロテオリティクス（Ｂａｃｉｌｌｕｓ  ｔｈｅｒｍｏｐｒｏｔｅｏｌｙｔｉｃｕｓ）に由来するテルモリシン、制御された反応条件（酵素濃度および反応の持続時間）下で、ほとんど全ての結合を加水分解し、タンパク質をオリゴペプチドに転換しうる細菌プロテアーゼであるスブチリシンおよびプロナーゼなどの非特異的酵素。
【００２３】
数種のプロテアーゼを、それらの作用方式が適合性である場合は同時に用いることもでき、逐次的に用いることもできる。本発明の枠組み内で、試料の消化は、プロテアーゼ酵素、例えば、トリプシンの作用を介して実行することが好ましい。
【００２４】
化学的試薬またはプロテアーゼを用いるペプチドの生成は、溶液中の簡素な反応を介して得ることができる。ペプチドの生成はまた、電子レンジにより実行することもでき［１０］圧力下で実行することもでき［１１］、またはさらには超音波デバイスによって実行することもできる［１２］。これら直前の３つの場合には、プロトコールがはるかに迅速となろう。
【００２５】
このようにして得られたペプチドの中で、タンパク質に特異的なペプチドを、タンパク質分解性ペプチドと称する。質量分析によりアッセイされるのは、これらのペプチドである。
【００２６】
本発明によれば、セファロスポリンに対する細菌の耐性の機構のマーカーは、セファロスポリンに対する耐性の機構が探索される細菌に由来するタンパク質である。特に、前記タンパク質は、酵素によりペプチドに消化されることが好ましく、トリプシンにより消化されることがより好ましい。
【００２７】
同様にまた、セファロスポリンに対する細菌の耐性の機構を特徴づけるタンパク質マーカーを含有する試料も、精製を目的として前処理することができる。この精製のための前処理は、上記のペプチド生成ステップの前または後で使用することができる。
【００２８】
試料精製のための前処理は、当業者に広く知られており、特に、遠心分離法、濾過法、電気泳動法、またはクロマトグラフィー法を使用することができる。これらの分離法を単独で、または互いに組み合わせて用いて、多次元分離を得ることができる。例えば、多次元クロマトグラフィーは、Ｔ．Ｆｏｒｔｉｎら［１３］、またはＨ．Ｋｅｓｈｉｓｈｉａｎら［１４］により記載される通り、イオン交換クロマトグラフィーによる分離を、逆相クロマトグラフィーによる分離と組み合わせることにより用いることができる。これらの公刊物では、クロマトグラフィー媒体を、カラムまたはカートリッジ内に入れることが可能とされている（固相抽出）。
【００２９】
タンパク質分解性ペプチドの電気泳動による画分、またはクロマトグラフィーによる画分（または一次元クロマトグラフィーもしくは多次元クロマトグラフィーにおける保持時間）は、各ペプチドに特徴的であり、したがって、これらの技法を使用することにより、タンパク質分解性ペプチドまたはアッセイされるペプチドを選択することが可能となる。このような作製したペプチドの画分化は、後続の質量分析によるアッセイの特異性を増大させることを可能とする。
【００３０】
ペプチドを画分化するための電気泳動法またはクロマトグラフィー法に対する代替法は、とりわけ、Ｎ−糖ペプチドの精製にある（［１５］および特許出願第ＷＯ２００８／０６６６２９号）。しかし、このような精製が定量化することを可能とするのは、Ｎ−グリコシル化による翻訳後修飾を経たペプチドに限られる。とはいえ、全てのタンパク質がグリコシル化されるわけではなく、したがって、その使用は限定される。
【００３１】
当業者には、本発明の方法において使用される質量分析が、異なる種類の分子を解析および検出するための強力なツールとして広く知られている。一般に、イオン化することが可能な任意の種類の分子は、質量分析器を一助として、その分子量により検出することができる。検出される分子がタンパク質由来であるかまたは代謝由来であるかの性質により、特定の質量分析法がより適切となりうる。にもかかわらず、検出のためにいかなる質量分析法を用いるのであれ、この質量分析法は、標的分子を、いわゆる分子イオンにイオン化するステップを包含し、本発明の場合には、特徴づけマーカーをイオン化するステップと、得られた分子イオンをそれらの質量により分離するステップとを包含する。
【００３２】
したがって、全ての質量分析器は、以下を含む：
・解析される試料中に存在するマーカーをイオン化する、すなわち、正または負の電荷をこれらのマーカーに付与することを意図するイオン化源；
・イオン化されたマーカーまたは分子イオンを、それらの質量対電荷比（ｍ／ｚ）により分離することを意図する質量分析計；
・分子イオンにより直接的に、または、以下で詳述される通り、分子イオンから作製したイオンによりもたらされるシグナルを測定することを意図する検出器。
【００３３】
質量分析を使用するのに必要なイオン化ステップは、当業者に知られた任意の方法を介して実行することができる。イオン化源は、アッセイされる分子を、気体のイオン化状態に転換することを可能とする。イオン化源は、陽イオンについて研究するための陽イオンモードで用いることもでき、陰イオンについて研究するための陰イオンモードで用いることもできる。数種のイオン源が存在し、探索される結果および解析される分子に応じてこれらが用いられることになる。特に、以下について言及することができる：
・電子イオン化（ＥＩ）、化学イオン化（ＣＩ）、および脱離化学イオン化（ＤＣＩ）
・高速原子衝撃（ＦＡＢ）、準安定原子衝撃（ＭＡＢ）、またはイオン衝撃（ＳＩＭＳ、ＬＳＩＭＳ）
・誘導結合プラズマ（ＩＣＰ）
・大気圧化学イオン化（ＡＰＣＩ）および大気圧光イオン化（ＡＰＰＩ）
・電子噴霧化またはエレクトロスプレー（ＥＳＩ）
・マトリックス支援レーザー脱離／イオン化（ＭＡＬＤＩ）、表面活性化レーザー脱離／イオン化（ＳＥＬＤＩ）、またはシリコン上の脱離／イオン化（ＤＩＯＳ）
・準安定分子種との相互作用によるイオン化／脱離（ＤＡＲＴ）。
【００３４】
特に、イオン化は、以下の通りに使用することができる：標的分子を含有する試料を、イオン化源であって、分子を気体状態でイオン化させ、したがって、初期分子に対応する分子イオンに転換するイオン化源に導入する。エレクトロスプレーイオン化（ＥＳＩ）源は、分子を、液体状態から気体状態に移行させることにより、イオン化することを可能とする。したがって、得られる分子イオンは、陽イオンモードでは、１つ、２つの、もしくはさらには３つの、またはこれを超えるさらなるプロトンを伴って、液体状態中に存在する分子に対応し、したがって、１つ、２つの、もしくはさらには３つの、またはこれを超える電荷を保有する。例えば、標的分子がタンパク質である場合、標的タンパク質の画分化の後で得られるタンパク質分解性ペプチドの、陽イオンモードで機能するエレクトロスプレーイオン源を介するイオン化により、１つ、２つの、もしくはさらには３つの、またはこれを超えるさらなるプロトンを伴い、したがって、１つ、２つの、もしくはさらには３つの、またはこれを超える電荷を担い、液体状態から気体状態に移行することを可能とする、気体状態のポリペプチドイオンがもたらされる［１６］。この種のイオン源は、標的分子または得られたタンパク質分解性ペプチドが逆相液体クロマトグラフィーによりあらかじめ分離されている場合に特によく適する。にもかかわらず、この試料中に存在する分子のイオン化収量は、存在する異なる種の濃度および性質に応じて変化しうる。この現象により、当業者によく知られたマトリックス効果がもたらされる。
【００３５】
ＭＡＬＤＩ用のイオン化源は、固体状態の試料に由来する分子のイオン化を可能とすることになる。
【００３６】
イオン化されたマーカーをそれらの質量対電荷比（ｍ／ｚ）により分離するステップを実行する質量分析計は、当業者に知られた任意の質量分析計である。低分解度の分析計、四重極（ｑｕａｄｒｉｐｏｌｅまたはｑｕａｄｒｕｐｏｌｅ）（Ｑ）分析計、３Ｄイオントラップ（ＩＴ）分析計、または、イオントラップとも称するリニアイオントラップ（ＬＩＴ）分析計、および分析物の正確な質量を測定することを可能とする高分解度の分析計であって、特に、電気セクターに連結された磁気セクターを用いる分析計、飛行時間（ＴＯＦ）分析計、フーリエ変換イオンサイクロトロン共鳴（ＦＴ−ＩＣＲ）分析計であるＯｒｂｉｔｒａｐについて言及することができる。
【００３７】
それらのｍ／ｚ比に応じた分子イオンの分離は、１回だけ（単回の質量分析、またはＭＳ）使用することもでき、数回にわたる逐次的なＭＳによる分離を実行することもできる。２回にわたる逐次的なＭＳによる分離を実行する場合、この解析をＭＳ／ＭＳまたはＭＳ２と称する。３回にわたる逐次的なＭＳによる分離を実行する場合、この解析をＭＳ／ＭＳ／ＭＳまたはＭＳ３と称し、より一般的に、ｎ回にわたる逐次的なＭＳによる分離を実行する場合、この解析をＭＳｎと称する。
【００３８】
数回の逐次的な分離を使用する技法の中では、単一の標的分子を検出もしくはアッセイする場合のＳＲＭ（選択的反応モニタリング）モード、または数種の標的分子を検出もしくはアッセイする場合のＭＲＭ（多重反応モニタリング）モードが、ＭＳ２分離で特に用いられる。同様に、ＭＲＭ３モードも、ＭＳ／ＭＳ／ＭＳ分離で特に用いられる。これを、標的化質量分析と称する。
【００３９】
単一のＭＳモードで検出する場合、検出される標的分子と相関するのは、得られる分子イオンの質量対電荷比である。
【００４０】
ＭＳ／ＭＳモードで検出する場合、ＭＳアッセイと比較して、本質的に以下の２つのステップ：
・分子イオンをフラグメント化するステップであって、前駆体イオンと称するイオンをもたらし、次いで、第１世代のフラグメントイオンと称するイオンをもたらすステップと、
・第１世代のフラグメントイオンと称するイオンを、それらの比（ｍ／ｚ）２により分離するステップ（比（ｍ／ｚ）１は、前駆体イオンの比（ｍ／ｚ）に対応する）と
が付加される。
【００４１】
したがって、検出される標的分子と相関するのは、このようにして得られる第１世代のフラグメントイオンの質量対電荷比である。第１世代のフラグメントイオンとは、フラグメント化のステップの後で前駆体イオンから派生するイオンであり、その質量対電荷比であるｍ／ｚは、前駆体イオンのｍ／ｚと異なることが理解される。
【００４２】
（ｍ／ｚ）１と（ｍ／ｚ）２との対をトランジションと称し、検出される特徴的なイオンを表す。
【００４３】
当業者は、標準的な方法に従い、標的分子と相関することが検出される特徴的なイオンの選択を行う。それらの選択は、再現性および信頼性の点で、可能な限り最も高感度で、特異的で、頑健なアッセイをもたらすと有利であろう。タンパク質分解性ペプチドによる（ｍ／ｚ）１、および第１世代のフラグメントによる（ｍ／ｚ）２を選択するために開発された方法では、選択が反応の強度に本質的に基づく。さらなる詳細については、Ｖ．Ｆｕｓａｒｏら［１７］を参照することが可能である。当業者は、Ａｐｐｌｉｅｄ  ＢｉｏｓｙｓｔｅｍｓまたはＭＲＭａｉｄによるＭＩＤＡＳソフトウェアおよびＭＲＭ  Ｐｉｌｏｔソフトウェア［１８］など、市販のソフトウェアを用いて、全ての可能なトランジション対の予測を可能としうる。当業者はまた、研究者集団により記載されているペプチドのＭＲＭトランジションの全てをまとめるように、Ｆ  Ｄｅｓｉｅｒｅら［１９］により構築された、ＰｅｐｔｉｄｅＡｔｌａｓと称するデータベースも用いることができる。このデータベースであるＰｅｐｔｉｄｅＡｔｌａｓは、インターネット上において無償で入手できる。タンパク質以外の分子にはまた、例えば、Ａｐｐｌｉｅｄ  Ｂｉｏｓｙｓｔｅｍｓ社（Ｕｎｉｔｅｄ  Ｓｔａｔｅｓ  ｏｆ  Ａｍｅｒｉｃａ）によるＣｌｉｑｕｉｄソフトウェアを介してアクセス可能なデータベースなどのデータベースを用いることも可能である。
【００４４】
タンパク質分解性ペプチドによる（ｍ／ｚ）１および（ｍ／ｚ）２を選択するための代替法は、他の作業中に得られるＭＳ／ＭＳによるフラグメント化スペクトルを用いることである。この作業は、例えば、プロテオーム解析によるバイオマーカーの発見および同定の段階でありうる。この手法は、使用者会議においてＴｈｅｒｍｏ  Ｓｃｉｅｎｔｉｆｉｃにより提起された［１８］。この手法は、ＳＩＥＶＥ（Ｔｈｅｒｍｏ  Ｓｃｉｅｎｔｉｆｉｃ）ソフトウェアによる試験を介して同定されるペプチドから、候補トランジションのリストを作成することを可能とする。イオンによる（ｍ／ｚ）１および（ｍ／ｚ）２の選択についての特定の基準は、Ｊ．Ｍｅａｄら［１８］により詳述されているが、これを以下に詳述する：
・リシンまたはアルギニンにプロリンが後続するのでない限り、内部切断部位、すなわち、内部リシンまたは内部アルギニンを伴うペプチドは、回避しなければならない；
・アスパラギンまたはグルタミンを伴うペプチドは、脱アミノ化しうるために、回避しなければならない；
・Ｎ末端においてグルタミンまたはグルタミン酸を伴うペプチドは、自発的に環化しうるために、回避しなければならない；
・メチオニンを伴うペプチドは、酸化しうるために、回避しなければならない；
・システインを伴うペプチドは、チオール官能基の潜在的な変性ステップ、還元ステップ、および保護ステップにおいて再現不可能な形で修飾されうるために、回避しなければならない；
・プロリンを伴うペプチドは一般に、ＭＳ／ＭＳにおいて極めて強い単一のピークを伴う強度の大きなフラグメントを作製するために、好適であると考えることができる。しかし、極めて強い単一のフラグメントは、複雑な混合物中におけるトランジションの識別の検証を可能としない。実のところ、数種の特徴的なフラグメントの同時的な存在だけが、探索される前駆体イオンが実際に検出されたことの検証を可能とする；
・プロリンがＣ末端に隣接する（ｎ−１位にある）かまたはＣ末端から２番目にある（ｎ−２位にある）ペプチドは、この場合、第１世代のペプチドフラグメントのサイズが、十分に特異的であるためには余りに小さすぎると一般に考えられるために、回避すべきである；
・特異性を促進するために、前駆体を超える質量を有するフラグメントの選択に優先性を与えるべきである。この目的のためには、二価に帯電した前駆体イオンを選択し、前駆体を超える質量を有する、強度の最も強い第１世代のイオンフラグメント、すなわち、一価に帯電した第１世代のフラグメントイオンを選択することが必要である。
【００４５】
選択された前駆体イオンのフラグメント化は、イオンを分離することもまた可能な三連四重極モデル［２０］、イオントラップモデル［２１］、または飛行時間（ＴＯＦ）モデル［２２］などのフラグメント化セル内で実行される。１回または複数回のフラグメント化は慣例上、電場内のアルゴンもしくは窒素など、不活性ガスとの衝突により、強い光源を用いる光励起もしくは光解離により、例えば、飛行時間チューブ内で電位差を印加することを介する、電子もしくはラジカル種との衝突により、または他の任意の活性化モードにより実行されることになる。電場の特徴は、フラグメント化の強度および性質を決定する。したがって、例えば、四重極内、不活性ガスの存在下で印加される電場により、イオンにもたらされる衝突エネルギーが決定される。この衝突エネルギーは、アッセイされるトランジションの感度を増大させるように、当業者により最適化されるであろう。例として述べると、Ａｐｐｌｉｅｄ  Ｂｉｏｓｙｓｔｅｍｓ社（Ｆｏｓｔｅｒ  Ｃｉｔｙ、Ｕｎｉｔｅｄ  Ｓｔａｔｅｓ  ｏｆ  Ａｍｅｒｉｃａ）によるＡＢ  ＳＣＩＥＸ  ＱＴＲＡＰ（登録商標）５５００質量分析器のｑ２では、衝突エネルギーを５〜１８０ｅＶの間で変化させることが可能である。同様に、衝突ステップの持続時間、および、例えば、イオントラップ内の励起エネルギーも、最高感度のアッセイをもたらすように、当業者により最適化されるであろう。例として述べると、Ａｐｐｌｉｅｄ  Ｂｉｏｓｙｓｔｅｍｓ社によるＡＢ  ＳＣＩＥＸ  ＱＴＲＡＰ（登録商標）５５００質量分析器のＱ３では、励起時間と称するこの持続時間を０．０１０〜５０ミリ秒の間で変化させ、励起エネルギーを０〜１（任意単位）の間で変化させることが可能である。
【００４６】
最後に、選択された特徴的なイオンの検出を、特に、検出器および処理システムを介する従来の方式で行う。検出器は、イオンを回収し、その強度が回収されたイオンの量に依存する電気シグナルを発生させる。次いで、得られたシグナルを、コンピュータで処理しうるように増幅する。コンピュータのデータ処理アセンブリーにより、質量スペクトル検出器により受け取られた情報を変換することが可能となる。
【００４７】
ＳＲＭモード、またはさらにはＭＲＭモードの原理は、とりわけ、前駆体イオンを選択し、それをフラグメント化し、次いで、とりわけ、そのフラグメントイオンのうちの１つを選択することである。このような適用のために、三連四重極、またはハイブリッドの三連四重極／イオントラップデバイスが一般に用いられる。
【００４８】
標的タンパク質をアッセイまたは検出することを視野に入れてＭＳ２モードにおいて用いられる三連四重極デバイス（Ｑ１ｑ２Ｑ３）の場合、第１の四重極（Ｑ１）は、早期の消化ステップにおいてアッセイされ、得られるタンパク質に特徴的なタンパク質分解性ペプチドに対応する分子イオンを、それらの質量対電荷比（ｍ／ｚ）に応じてフィルタリングすることを可能とする。探索されるタンパク質分解性ペプチドの質量対電荷比であって、（ｍ／ｚ）１と称する比を有するペプチドだけが第２の四重極（ｑ２）に伝送され、後続のフラグメント化のための前駆体イオンとして作用する。分析計ｑ２は、質量対電荷比が（ｍ／ｚ）１であるペプチドを、第１世代のフラグメントイオンにフラグメント化しうる。フラグメント化は一般に、ｑ２における、前駆体ペプチドの、窒素またはアルゴンなどの不活性ガスとの衝突を介して得られる。第１世代のフラグメントイオンは、第１世代のフラグメントイオンを、（ｍ／ｚ）２と称する特定の質量対電荷比に応じてフィルタリングする第３の四重極（Ｑ３）に伝送される。探索されるタンパク質分解性ペプチドに特徴的なフラグメントの質量対電荷比である（ｍ／ｚ）２を有する第１世代のフラグメントイオンだけが、検出器に伝送されて、検出されるか、またはさらには定量化される。
【００４９】
この操作モードは、一方で前駆体イオンの選択に関して、他方で第１世代のフラグメントイオンの選択に関して、二重の選択性を呈示する。したがって、定量化には、ＳＲＭモードまたはＭＲＭモードの質量分析が有利である。
【００５０】
本発明による方法において使用される質量分析がタンデム質量分析（ＭＳ２、ＭＳ３、ＭＳ４、またはＭＳ５）である場合、数個の質量分析計を、互いに連結することができる。例えば、第１の分析計がイオンを分離し、衝突セルがイオンをフラグメント化することを可能とし、第２の分析計がフラグメントイオンを分離する。イオントラップまたはＦＴ−ＩＣＲなど、特定の分析計が、数個の分析計を一体に構成し、イオンをフラグメント化し、フラグメントを直接的に解析することを可能とする。
【００５１】
本発明の好ましい実施形態によれば、本発明の方法は、以下の特徴のうちの１または複数を含む：
・少なくとも１つの抗微生物剤に対する潜在的な耐性の特性のために使用される質量分析が、ＭＳ／ＭＳ質量分析であって、検出されるかまたは定量化される分子に特異的なフラグメントを作製し、したがって、アッセイ法に大きな特異性をもたらす利点を有するＭＳ／ＭＳ質量分析である特徴；
・ＭＳ／ＭＳ質量分析が、ＭＲＭであって、質量分析器において、数十ミリ秒にわたる解析サイクル時間であり、多数の異なる分子を、マルチプレックス様式で、高感度に検出または定量化することを可能とする解析サイクル時間を用いる利点を有するＭＲＭである特徴；
・適切な場合、種類の特性および毒性因子の決定を、少なくとも１つの抗微生物剤に対する耐性のマーカーを決定する質量分析装置と同じ質量分析装置において、好ましくは同時に実行する特徴であって、解析時間を短縮し、測定器の費用を節減し、また、結果の処理および作成も容易とする利点を有する特徴。
【００５２】
抗生剤に対する耐性を決定することに加えて、試験対象の試料中に存在する１または複数の微生物を同定することが必要である。
【００５３】
微生物を同定する方法は、例えば、Ｍｕｒｒａｙ  Ｐ．Ｒ．ら、Ｍａｎｕａｌ  ｏｆ  Ｃｌｉｎｉｃａｌ  Ｍｉｃｒｏｂｉｏｌｏｇｙ、２００７、９版により、とりわけ、細菌および酵母についてはＩ巻、ＩＩＩ節、１５および１６章により、ウイルスについては、ＩＩ巻、ＶＩ節、８２章により、原虫についてはＩＩ巻、Ｘ節、１３５章により記載される通り、当業者に広く知られている。従来の同定法の例として、例えば、ＶＩＴＥＫ２（ｂｉｏＭｅｒｉｅｕｘ）同定カードを用いることによる生物学的プロファイルの決定、またはさらには特定の遺伝子の存在についての研究、およびそれらの配列についての研究に基づく同定基準を伴う分子生物学法を用いることによる生物学的プロファイルの決定について言及することができる。
【００５４】
同定は、同定が行われる試料から直接的に実行することもでき、試料中に含有される微生物を、Ｍｕｒｒａｙ  Ｐ．Ｒ．ら、Ｍａｎｕａｌ  ｏｆ  Ｃｌｉｎｉｃａｌ  Ｍｉｃｒｏｂｉｏｌｏｇｙ、２００７、９版、Ｉ巻、ＩＩＩ節、１４章により、特に、細菌についてはＩ巻、ＩＶ節、２１章により、ウイルスについては、ＩＩ巻、ＶＩ節、８１章により、酵母についてはＩＩ巻、ＶＩＩＩ節、１１７章、原虫についてはＩＩ巻、Ｘ節、１３４章により記載される通り、探索される微生物種に照らして調整した最適の培養培地および培養条件により、当業者によく知られた方法を用いて培養することもできる。
【００５５】
したがって、一般に、生化学的方法を用いて検体中の細菌を同定する場合、例えば、寒天上に播種した後に、純粋な培養物中の細菌を得ることがまず必要である。特定の場合には、分子生物学（ＰＣＲ）を、解析される試料に直接的に適用することができる。
【００５６】
微生物を培養する代わりに、活性表面を介して試料中の微生物を直接的に捕捉することにより濃縮することもできる。このような方法は、Ｆｅ３Ｏ４／ＴｉＯ２活性化表面を伴う磁気ビーズを一助として異なる細菌種を捕捉したＷ．−Ｊ．Ｃｈｅｎら［１１］により記載された。また、レクチンによる捕捉［２３］、または抗体による捕捉［２４］、またはバンコマイシンによる捕捉［２５］など、他の手段を介する捕捉も可能である。捕捉により、微生物を濃縮し、したがって、培養ステップを縮小、またはさらには除外することが可能となる。これにより、大幅な時間の節減が結果としてもたらされる。
【００５７】
同定はまた、既に記載されている技法に従う質量分析、好ましくはＭＳにより、ＭＳ／ＭＳにより、またはさらには、本発明の一実施形態を構成する、ＭＳにＭＳ／ＭＳを後続させた質量分析によっても実行することができる。この場合にもまた、試料を、あらかじめ、寒天上における播種など、培養ステップにかけることができる。
【００５８】
ＭＳによる同定法の使用は、数分間で実行することができ、要請される質量分析器が、単一の分析計である、すなわち、ＭＳ／ＭＳにおいて用いられるタンデム質量分析器ほど複雑な測定器ではない点で有利である。
【００５９】
また、ＭＳにＭＳ／ＭＳを後続させた質量分析による同定法の使用も有利である。これは、ＭＳにより観察されたイオンの識別を点検することを可能とし、これにより、解析の特異性が増大する。
【００６０】
ＭＲＭ型のＭＳ／ＭＳによる同定法の使用は、従来のＭＳにＭＳ／ＭＳを後続させた手法より高感度でより簡素である利点を有する。この方法は、ＭＳスペクトルの収集とＭＳ／ＭＳスペクトルの収集との間で情報を処理する高性能ソフトウェアも、ＭＳスペクトル、次いで、ＭＳ／ＭＳスペクトルを接合するためのマシンパラメータ環境の変化も要請しない。
【００６１】
ＭＳによる同定法は、Ｓ．Ｖａｉｄｙａｎａｔｈａｎら［２６］またはＲ．Ｅｖｅｒｌｅｙら［２７］により記載される通り、クロマトグラフィーによる分離の後で、生試料に対して、エレクトロスプレーイオン源と共に使用することができる。したがって、異なるｍ／ｚ範囲により、微生物を同定することが可能となる。Ｓ．Ｖａｉｄｙａｎａｔｈａｎらは２００〜２０００Ｔｈの間の範囲を用い、Ｒ．Ｅｖｅｒｌｅｙらは、６２０〜２４５０Ｔｈの間の範囲を用いた。また、質量スペクトルをデコンボリュートして、それらの荷電状態とは独立にタンパク質の質量に到達することもできる。したがって、Ｒ．Ｅｖｅｒｌｅｙらは、約５，０００〜５０，０００Ｄａの間の質量を用いた。代替的に、ＭＳによる同定法はまた、Ｃｌａｙｄｏｎら［３］ならびにＴ．ＫｒｉｓｈｎａｍｕｒｔｈｙおよびＰ．Ｒｏｓｓ［４］により記載されている通り、ＭＡＬＤＩ−ＴＯＦを一助としても使用することができる。解析では、質量スペクトルの収集と、専門的ソフトウェアによる解釈とを組み合わせる。ＭＡＬＤＩ−ＴＯＦは、極めて簡素であり、数分間で実行することができる。この同定法は、現在のところ、医学的解析実験室においてますます普及しつつある［２８］。
【００６２】
試料中に存在するそれらのタンパク質を介する、ＭＳ／ＭＳを後続させたＭＳによる細菌の同定は、多数の研究チームにより広く適用されている。例として述べると、サルモネラ・エンテリカ（Ｓａｌｍｏｎｅｌｌａ  ｅｎｔｅｒｉｃａ）のペプチドームについて研究した、Ｍａｎｅｓ，Ｎ．ら［２９］の近年の業績、またはトリプシンによるタンパク質の消化後における細菌のプロテオームについて研究したＲ．Ｎａｎｄａｋｕｍａｒら［３０］もしくはＬ．Ｈｅｒｎｙｃｈｏｖａら［３１］の業績について言及することができる。従来の手法は、ｉ）ＭＳスペクトルを収集すること、ｉｉ）強いシグナルを伴うＭＳスペクトルにおいて観察される各前駆体イオンを逐次的に選択すること、ｉｉｉ）各前駆体イオンを逐次的にフラグメント化し、そのＭＳ／ＭＳスペクトルを収集すること、ｉｖ）Ｍａｓｃｏｔ（Ｍａｔｒｉｘ  Ｓｃｉｅｎｃｅ、Ｌｏｎｄｏｎ、Ｕｎｉｔｅｄ  Ｋｉｎｇｄｏｍ）、またはＳＥＱＵＥＳＴ（Ｔｈｅｒｍｏ  Ｓｃｉｅｎｔｉｆｉｃ、Ｗａｌｔｈａｍ、Ｕｎｉｔｅｄ  Ｓｔａｔｅｓ  ｏｆ  Ａｍｅｒｉｃａ）などのソフトウェアを介して、ＳＷＩＳＳ−ＰＲＯＴまたはＮＣＢＩなどのタンパク質データベースに問い合わせて、観察されたＭＳ／ＭＳスペクトルにマッチする確率が高いペプチドを同定することにある。種に特徴的なタンパク質またはペプチドが同定される場合は、この方法により、微生物の同定がもたらされうる。
【００６３】
質量分析の使用の利点のうちの１つは、質量分析が、特に、分子、本発明の場合は、β−ラクタムに対する細菌の耐性の機構のマーカーを定量化するのに有用である点にある。この目的のために、検出される電流の強度であって、標的分子の量と比例する強度を用いる。このようにして測定される電流の強度は、存在する標的分子の量を決定することを可能とする定量的な測定値であって、その国際単位系（ＳＩ）であるモル／ｍ３単位もしくはｋｇ／ｍ３単位における表現により、またはこれらの単位の倍数もしくは約数により、またはその倍数もしくは約数を含めた通常のＳＩ単位の誘導単位により特徴づけられる測定値として働きうる。非限定的な例として、ｎｇ／ｍｌまたはフェムトモル／ｌなどの単位は、定量的な測定値を特徴づける単位である。
【００６４】
にもかかわらず、測定されたピーク面積であって、検出されるイオンにより誘導される電流の強度に対応するピーク面積を、アッセイされる標的分子の量と相関させることが可能であるためには較正が必要である。この目的で、本発明の枠組み内では、質量分析において慣例上用いられる較正を使用することができる。ＭＲＭアッセイは慣例上、外部基準物質を一助として較正されるか、または好ましくはＴ．Ｆｏｒｔｉｎら［１３］により記載される内部基準物質などの内部基準物質を一助として較正される。標的分子が、対象のタンパク質のアッセイを可能とするタンパク質分解性ペプチドである場合は、測定されたシグナルを、アッセイされる量が既知である基準シグナルと比べて較正することにより、定量的な測定値と標的のタンパク質分解性ペプチドの量との間の相関を得、その後、定量的な測定値と対象のタンパク質の量との間の相関を得る。較正は、例えば、以下で詳述されるＡＱＵＡ法、ＱｃｏｎＣＡＴ法、またはＰＳＡＱ法に従い、例えば、基準のタンパク質分解性ペプチドを異なる濃度で逐次的に注入すること（外部較正）により、または好ましくは内部基準物質としての重ペプチドを用いる内部較正により得られる検量線を用いて実行することができる。「重ペプチド」とは、タンパク質分解性ペプチドに対応するが、１もしくは複数の炭素１２（１２Ｃ）原子が、炭素１３（１３Ｃ）により置きかえられ、かつ／または１もしくは複数の窒素１４（１４Ｎ）原子が窒素１５（１５Ｎ）により置きかえられたペプチドを意味することが理解される。
【００６５】
内部基準物質としての重ペプチド（ＡＱＵＡ）の使用はまた、米国特許出願第２００４／０２２９２８３号においても提起された。その原理は、通常の天然同位体より重い同位体を含有するアミノ酸を伴うタンパク質分解性ペプチドを人工的に合成することである。このようなアミノ酸は、例えば、炭素１２（１２Ｃ）原子の一部を、炭素１３（１３Ｃ）で置きかえることにより、または窒素１４（１４Ｎ）原子の一部を、窒素１５（１５Ｎ）で置きかえることにより得られる。このようにして合成された人工ペプチド（ＡＱＵＡ）は、天然ペプチドと厳密に同じ（質量が大きいことを除き）物理化学的特性を有する。ＡＱＵＡペプチドは一般に、質量分析によるアッセイの上流の、例えば、対象の試料中のタンパク質の切断を伴う処理と、処理ステップの後で得られたペプチドの画分化との間で、所与の濃度で試料に添加される。したがって、ＡＱＵＡペプチドは、ペプチドの画分化において、アッセイされる天然ペプチドと共に共精製される。したがって、２つのペプチドは、アッセイのために質量分析器に同時に注入される。次いで、２つのペプチドは、イオン源内で同じイオン化を受ける。天然ペプチドのピーク面積と、その濃度が既知であるＡＱＵＡペプチドのピーク面積との比較により、天然ペプチドの濃度を計算し、したがって、アッセイされるタンパク質の濃度に遡及することが可能となる。ＡＱＵＡ法の変法は、ＱｃｏｎＣＡＴという名称の下に、Ｊ．−Ｍ．Ｐｒａｔｔら［３２］により提起された。この変化形はまた、特許出願第ＷＯ２００６／１２８４９２号においても記載されている。この変化形は、多様なＡＱＵＡペプチドを濃縮することと、人工ポリペプチドを組換え重タンパク質の形態で作製することとにある。組換えタンパク質は、重同位体を含むアミノ酸により合成する。この方式により、数種のタンパク質に対する同時的なアッセイを較正するための基準物質を低廉な費用で得ることが可能である。ＱｃｏｎＣＡＴ基準物質は、タンパク質の切断を伴う処理の上流で、タンパク質を画分化するステップ、タンパク質を変性させるステップ、タンパク質を還元するステップ、およびこれらが存在する場合はタンパク質のチオール官能基を保護するステップの前に初発から添加される。したがって、ＱｃｏｎＣＡＴ基準物質は、天然タンパク質と同じ、タンパク質の切断を伴う処理サイクルであって、タンパク質の切断を伴う処理ステップからの収量を考慮することを可能とする処理サイクルを経る。実際、特に、天然タンパク質の消化による処理は、完全でない場合がある。この場合、ＡＱＵＡ基準物質を用いれば、天然タンパク質の量を過小評価することになろう。したがって、完全なアッセイのためには、タンパク質の切断を伴う処理からの収量を考慮することが重要でありうる。しかし、Ｖ．Ｂｒｕｎら［３３］は、ＱｃｏｎＣＡＴ基準物質が、場合によって、ＱｃｏｎＣＡＴタンパク質とは異なる三次元的立体構成に疑いなく起因して、特に、天然タンパク質の消化による処理収量を正確に再現しない可能性があることを示した。
【００６６】
そこで、Ｖ．Ｂｒｕｎら［３３］は、ＰＳＡＱと称し、特許出願第ＷＯ２００８／１４５７６３号において記載される方法の使用を提起した。この場合には、内部基準物質が、天然タンパク質と同じ配列を有するが、重アミノ酸により合成された組換えタンパク質である。この合成は、重アミノ酸によりｅｘ  ｖｉｖｏで実行される。この基準物質は、天然ペプチドと厳密に同じ（質量が大きいことを除き）物理化学的特性を有する。この基準物質は、タンパク質の画分化ステップが存在する場合、その前に初発から添加される。したがって、この基準物質は、タンパク質の画分化ステップにおいて天然タンパク質と共に共精製される。この基準物質は、天然タンパク質と同じ処理収量であって、特に、消化による同じ処理収量を呈示する。ペプチドの画分化ステップを実行する場合はまた、切断の後で得られる重ペプチドも、天然ペプチドと共に共精製される。したがって、２つのペプチドが質量分析器に同時に注入されて、定量的にアッセイされる。次いで、２つのペプチドは、イオン源内で同じイオン化を受ける。天然ペプチドのピーク面積と、ＰＳＡＱ法における基準ペプチドのピーク面積との比較により、アッセイ法のステップの全てを考慮しながら、アッセイされるタンパク質の濃度を計算することが可能となる。
【００６７】
本発明の枠組み内で、質量分析アッセイにおいて用いられ、特に、ＭＲＭアッセイまたはＭＳアッセイにおいて用いられるこれらの技法の全て、すなわち、ＡＱＵＡ法、ＱｃｏｎＣＡＴ法、もしくはＰＳＡＱ法、または他の任意の較正法を使用して、較正を実行することができる。
【００６８】
本発明による検出方法において用いられる質量分析は、ＭＳ／ＭＳであることが好ましい。質量分析は、ＭＲＭであることがより好ましい。
【００６９】
耐性マーカーとしての少なくとも１つのペプチドの検出を特徴とする本発明の方法は、セファロスポリンに対する耐性を検出することを可能とする。前記耐性マーカーペプチドは、タンパク質であるＴＥＭ、ＣＭＹ、ＣＴＸ−Ｍ、ＳＨＶ、ＦＯＸ、ＡＣＣ、ＡＣＴ、ＣＡＲＢ、ＤＨＡ、ＭＩＲ、ＭＯＸ、ＰＥＲ、ＶＥＢ、ＯＸＡ、またはＧＥＳに属することが好ましい。
【００７０】
特に、ＴＥＭタンパク質の発現により誘導される、セファロスポリンに対する耐性の機構の検出は、ＴＥＭタンパク質ならびにその異なる配列変異体である配列番号１〜配列番号１６５および配列番号１８３６〜配列番号１８４３に属する少なくとも１つのペプチドの検出を特徴とする。
配列番号1:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号2:
MSIQHFRVALIPFFAAFCLPVFAHPETLVKVKDAEDKLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号3:
MSIQHFRVALIPFFAAFCLPVFAHPETLVKVKDAEDKLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGASERGSRGIIAALGPDGKPSRIVVIYTTGSQATMDERNRQIAEIGASLIKHW
配列番号4:
MSIQHFRVALIPFFAAFCFPVFAHPETLVKVKDAEDQLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGASERGSRGIIAALGPDGKPSRIVVIYMTGSQATMDERNRQIAEIGASLIKHW
配列番号5:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDSWEPELNEAIPNDERDTTMPAAMATTLRKLLTGELLTLASRQQLIDWMEADKVAGPLLRSALPAGWFIADKSGTGKRGSRGIIAALGPDGKPSRIVVIYTTGSQATMDERNRQIAEIGASLIKHW
配列番号6:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDHWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号7:
MSIQHFRVALIPFFAAFCLPVFAHPETLVKVKDAEDKLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDSWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号8:
MSIQHFRVALIPFFAAFCLPVFAHPETLVKVKDAEDKLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDSWEPELNEAIPNDERDTTMPAAMATTLRKLLTGELLTLASRQQLIDWMEADKVAGPLLRSALPAGWFIADKSGASERGSRGIIAALGPDGKPSRIVVIYTTGSQATMDERNRQIAEIGASLIKHW
配列番号9:
MSIQHFRVALIPFFAAFCFPVFAHPETLVKVKDAEDQLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDSWEPELNEAIPNDERDTTMPAAMATTLRKLLTGELLTLASRQQLIDWMEADKVAGPLLRSALPAGWFIADKSGAGERGSRGIIAALGPDGKPSRIVVIYMTGSQATMDERNRQIAEIGASLIKHW
配列番号10:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDSWEPELNEAIPNDERDTTMPAAMATTLRKLLTGELLTLASRQQLIDWMEADKVAGPLLRSALPAGWFIADKSGAGKRGSRGIIAALGPDGKPSRIVVIYTTGSQATMDERNRQIAEIGASLIKHW
配列番号11:
MSIQHFRVALIPFFAAFCLPVFAHPETLVKVKDAEDKLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDHWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号12:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDSWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号13:
MSIQHFRVALIPFFAAFCLPVFAHPETLVKVKDAEDKLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYMTGSQATMDERNRQIAEIGASLIKHW
配列番号14:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGASERGSRGIIAALGPDGKPSRIVVIYTTGSQATMDERNRQIAEIGASLIKHW
配列番号15:
MSIQHFRVALIPFFAAFCLPVFAHPETLVKVKDAEDKLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDHWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号16:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号17:
MSIQHFRVALIPFFAAFCLPVFAHPETLVKVKDAEDKLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号18:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGASERGSRGIIAALGPDGKPSRIVVIYTTGSQATMDERNRQIAEIGASLIKHW
配列番号19:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTTPAAMATTLRKLLTGELLTLASRQQLIDWMEADKVAGPLLRSALPAGWFIADKSGASERGSRGIIAALGPDGKPSRIVVIYTTGSQATMDERNRQIAEIGASLIKHW
配列番号20:
MSIQHFRVALIPFFAAFCLPVFAHPETLVKVKDAEDKLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLRNMGDHVTRLDRWEPELNEAIPNDERDTTMPAAMATTLRKLLTGELLTLASRQQLIDWMEADKVAGPLLRSALPAGWFIADKSGASERGSRGIIAALGPDGKPSRIVVIYTTGSQATMDERNRQIAEIGASLIKHW
配列番号21:
MSIQHFRVALIPFFAAFCLPVFAHPETLVKVKDAEDKLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGGSERGSRGIIAALGPDGKPSRIVVIYTTGSQATMDERNRQIAEIGASLIKH
配列番号22:
MSIQHFRVALIPFFAAFCLPVFAHPETLVKVKDAEDKLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDSWEPELNEAIPNDERDTTMPAAMATTLRKLLTGELLTLASRQQLIDWMEADKVAGPLLRSALPAGWFIADKSGTGKRGSRGIIAALGPDGKPSRIVVIYTTGSQATMDERNRQIAEIGASLIKHW
配列番号23:
MSIQHFRVALIPFFAAFCFPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGASERGSRGIIAALGPDGKPSRIVVIYMTGSQATMDERNRQIAEIGASLIKHW
配列番号24:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDSWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号25:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDHWEPELNEAIPNDERDTTMPAAMATTLRKLLTGELLTLASRQQLIDWMEADKVAGPLLRSALPAGWFIADKSGAGKRGSRGIIAALGPDGKPSRIVVIYMTGSQATMDERNRQIAEIGASLIKHW
配列番号26:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDHWEPELNEAIPNDERDTTMPAAMATTLRKLLTGELLTLASRQQLIDWMEADKVAGPLLRSALPAGWFIADKSGAGKRGSRGIIAALGPDGKPSRIVVIYTTGSQATMDERNRQIAEIGASLIKHW
配列番号27:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDHWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号28:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSSGIIAALGPDGKPSRIVVIYTTGSQATMDERNRQIAEIGASLIKHW
配列番号29:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSCGIIAALGPDGKPSRIVVIYTTGSQATMDERNRQIAEIGASLIKHW
配列番号30:
MSIQHFRVALIPFFAAFCLPVFAHPETLVKVKDAEDQLGARVGYIELDLNSGKILESFRPEERFPMISTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTTPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号31:
MSIQHFRVALIPFFAAFCLPVFAHPETLVKVKDAEDQLGARVGYIELDLNSGKILESFRPEERFPMLSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号32:
MSIQHFRVALIPFFAAFCLPVFAHPETLVKVKDAEDQLGARVGYIELDLNSGKILESFRPEERFPMVSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号33:
MSIQHFRVALIPFFAAFCLPVFAHPETLVKVKDAEDQLGARVGYIELDLNSGKILESFRPEERFPMLSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERDRQIAEIGASLIKHW
配列番号34:
MSIQHFRVALIPFFAAFCLPVFAHPETLVKVKDAEDQLGARVGYIELDLNSGKILESFRPEERFPMVSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERDRQIAEIGASLIKHW
配列番号35:
MSIQHFRVALIPFFAAFCLPVFAHPETLVKVKDAEDQLGARVGYIELDLNSGKILESFRPEERFPMISTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERDRQIAEIGASLIKHW
配列番号36:
MSIQHFRVALIPFFAAFCLPVFAHPETLVKVKDAEDQLGARVGYIELDLNSGKILESFRPEERFPMVSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDELNRQIAEIGASLIKHW
配列番号37:
MSIQHFRVALIPFFAAFCLPVFAHPETLVKVKDAEDQLGARVGYIELDLNSGKILESFRPEERFPMLSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRREPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERDRQIAEIGASLIKHW
配列番号38:
MSIQHFRVALIPFFAAFCLPVFAHPETLVKVKDAEDQLGARVGYIELDLNSGKILESFRPEERFPMISTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号39:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSTGIIAALGPDGKPSRIVVIYTTGSQATMDERNRQIAEIGASLIKHW
配列番号40:
MSIQHFRVALIPFFAAFCLPVFAHPETLVKVKDAEDKLGVRVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGASKRGSRGIIAALGPDGKPSRIVVIYMTGSQATMDERNRQIAEIGASLIKHW
配列番号41:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDHWEPELNEAIPNDERDTTTPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号42:
MSIQHFRVALIPFFAAFCLPVFAHPETLVKVKDAEDKLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSSGIIAALGPDGKPSRIVVIYTTGSQATMDERNRQIAEIGASLIKHW
配列番号43:
MSIQHFRVALIPFFAAFCLPVFAHPETLVKVKDAEDQLGARVGYIELDLNSGKILESFRPEERFPMLSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDEQNRQIAEIGASLIKHW
配列番号44:
MSIQHFRVALIPFFAAFCLPVFAHPETLVKVKDAEDKLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDSWEPELNEAIPNDERDTTMPAAMATTLRKLLTGELLTLASRQQLIDWMEADKVAGPLLRSALPAGWFIADKSGAGKRGSRGIIAALGPDGKPSRIVVIYTTGSQATMDERNRQIAEIGASLIKHW
配列番号45:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGASKRGSRGIIAALGPDGKPSRIVVIYMTGSQATMDERNRQIAEIGASLIKHW
配列番号46:
MSIQHFRVALIPFFAAFCFPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGASKRGSRGIIAALGPDGKPSRIVVIYMTGSQATMDERNRQIAEIGASLIKHW
配列番号47:
MSIQHFRVALIPFFAAFCFPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGASKRGSRGIIAALGPDGKPSRIVVIYMTGGQATMDERNRQIAEIGASLIKHW
配列番号48:
MSIQHFRVALIPFFAAFCLPVFAHPETLVKVKDAEDQLGARVGYIELDLNSGKILESFRPEERFPMLSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGASERGSRGIIAALGPDGKPSRIVVIYTTGSQATMDERDRQIAEIGASLIKHW
配列番号49:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSHGIIAALGPDGKPSRIVVIYTTGSQATMDERNRQIAEIGASLIKHW
配列番号50:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDRWEPELNEAIPNDERDTTTPAAMATTLRKLLTGELLTLASRQQLIDWMEADKVAGPLLRSALPAGWFIADKSGASERGSRGIIAALGPDGKPSRIVVIYTTGSQATMDERNRQIAEIGASLIKHW
配列番号51:
MSIQHFRVALIPFFAAFCFPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDSWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号52:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSLGIIAALGPDGKPSRIVVIYTTGSQATMDERNRQIAEIGASLIKHW
配列番号53:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAEPLLRSALPAGWFIADKSGAGERGSRGIIAALGPDGKPSRIVVIYTTGSQATMDERNRQIAEIGASLIKHW
配列番号54:
MSIQHFRVALIPFFAAFCLPVFAHPETLVKVKDAEDKLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLRNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号55:
MSIQHFRVALIPFFAAFCLPVFAHPETLVKVKDAEDQLGARVGYIELDLNSGKILESFRPEERFPMMSTFKVLLCGAVLSRVDAGQEQLDRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号56:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSSGIIAALGPDGKPSRIVIIYTTGSQATMDERNRQIAEIGASLIKHW
配列番号57:
MSIQHFRVALIPFFAAFCLPVFAHPETLVKVKDAEDKLGARVGYIELDLNSGKILESFRPEERFPMMSTFKVLLCGAVLSRVDAGQEQLGRRIHYSQNDLVEYSPVTEKHLTDGMTVRELCSAAITMGDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号58:
MSIQHFRVALIPFFAAFCLPVFAHPETLVKVKDAEDKLGARVGYIELDPNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDSWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号59:
MSIQHFRVALIPFFAAFCLPVFAHPETLVKVKDAEDKLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDHWEPELNEAIPNDERDTTMPAAMATTLRKLLTGELLTLASRQQLIDWMEADKVAGPLLRSALPAGWFIADKSGAGKRGSRGIIAALGPDGKPSRIVVIYTTGSQATMDERNRQIAEIGASLIKHW
配列番号60:
MSIQHFRVALIPFFAAFCFPVFAHPETLVKVKDAEDQLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDSWEPELNEAIPNDERDTTTPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号61:
MSIQHFRVALIPFFAAFCLPVFAHPETLVKVKDAEDKLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSCGIIAALGPDGKPSRIVVIYTTGSQATMDERNRQIAEIGASLIKHW
配列番号62:
MSIQHFRVALIPFFAAFCLPVFAHPETLVKVKDAEDKLGARVGYIELDLNSGKILESFRPEERFPMMSTFKVLLCGAVLSRVDAGQEQLDRRIHYSQNDLVKYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGASERGSRGIIAALGPDGKPSRIVVIYTTGSQATMDERNRQIAEIGASLIKHW
配列番号63:
MSIQHFRVALIPFFAAFCIPVFAHPETLVKVKDAEDKLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSCGIIAALGPDGKPSRIVVIYTTGSQATMDERNRQIAEIGASLIKHW
配列番号64:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGASKRGSRGIIAALGPDGKPSRIVVIYMTGSQATMDELNRQIAEIGASLIKHW
配列番号65:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASQQQLIDWMEADKVAGPLLRSALPAGWFIADKSGAGERGSRGIIAALGPDGKPSRIVVIYTTGSQATMDERNRQIAEIGASLIKHW
配列番号66:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGASKRGSRGIIAALGPDGKPSRIVVIYTTGSQATMDERNRQIAEIGASLIKHW
配列番号67:
MSIQHFRVALIPFFAAFCLPVFAHPETLVKVKDAEDKLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTTPAAMATTLRKLLTGELLTLASRQQLIDWMEADKVAGPLLRSALPAGWFIADKSGASKRGSRGIIAALGPDGKPSRIVVIYTTGSQATMDERNRQIAEIGASLIKHW
配列番号68:
MSIQHFRVALIPFFAAFCFPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSCGIIAALGPDGKPSRIVVIYMTGSQATMDERNRQIAEIGASLIKHW
配列番号69:
MSIQHFRVALIPFFAAFCFPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSSGIIAALGPDGKPSRIVVIYMTGSQATMDERNRQIAEIGASLIKHW
配列番号70:
MSIQHFRVALIPFFAAFCFPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDHWEPELNEAIPNDERDTTMPAAMATTLRKLLTGELLTLASRQQLIDWMEADKVAGPLLRSALPAGWFIADKSGAGERGSRGIIAALGPDGKPSRIVVIYMTGSQATMDERNRQIAEIGASLIKHW
配列番号71:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMGDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号72:
MSIQHFRVALIPFFAAFCLPVFAHPETLVKVKDAEDQLGARVGYIELDLNSGKILESFRPEERFPMLSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSSGIIAALGPDGKPSRIVVIYTTGSQATMDERNRQIAEIGASLIKHW
配列番号73:
MSIQHFRVALIPFFAAFCLPVFAHPETLVKVKDAEDQLGARVGYIELDLNSGKILESFRPEERFPMVSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRREPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERDRQIAEIGASLIKHW
配列番号74:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSGGIIAALGPDGKPSRIVVIYTTGSQATMDERNRQIAEIGASLIKHW
配列番号75:
MSIQHFRVALIPFFAAFCLPVFAHPETLVKVKDAEDQLGARVGYIELDLNSGKILESFRPEERFPMLSTFKVLLCGAVLSRVDAGQEQLGRRIHYSQNDLVEYSPVTEKHLTDGMTVRELCSAAVTMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERDRQIAEIGASLIKHW
配列番号76:
MSIQHFRVALIPFFAAFCLPVFAHPETLVKVKDAEDQLGARVGYIELDLNSGKILESFRPEERFPMLSTFKVLLCGAVLSRVDAGQEQLGRRIHYSQNDLVEYSPVTEKHLTDGMTVRELCSAAVTMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号77:
MSIQHFRVALIPFFAAFCLPVFAHPETLVKVKDAEDQLGARVGYIELDLNSGKILESFRPEERFPMVSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDEQNRQIAEIGASLIKHW
配列番号78:
MSIQHFRVALIPFFAAFCLPVFAHPETLVKVKDAEDQLGARVGYIELDLNSGKILESFRPEERFPMLSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRCEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDEQNRQIAEIGASLIKHW
配列番号79:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERDRQIAEIGASLIKHW
配列番号80:
MSIQHFRVALIPFFAAFCFPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDSWEPELNEAIPNDERDTTMPAAMATTLRKLLTGELLTLASRQQLIDWMEADKVAGPLLRSALPAGWFIADKSGAGKRGSRGIIAALGPDGKPSRIVVIYMTGSQATMDERNRQIAEIGASLIKHW
配列番号81:
MSIQHFRVALIPFFAAFCFPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDSWEPELNEAIPNDERDTTMPAAMATTLRKLLTGELLTLASRQQLIDWMEADKVAGPLLRSALPAGWFIADKSGTGKRGSRGIIAALGPDGKPSRIVVIYMTGSQATMDERNRQIAEIGASLIKHW
配列番号82:
MSIKHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLHCWEPELNEAIPNDERDTTTPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号83:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDRWEPELNEAIPNDERDTTTPAAMATTLRKLLTDELLTLASRQQLIDWMEADKVAGPLLRSALPAGWFIADKSGASERGSRGIIAALGPDGKPSRIVVIYTTGSQATMDERNRQIAEIGASLIKHW
配列番号84:
MSIQHFRVALIPFFAAFCLPVFAHPETLVKVKDAEDKLGARVGYIELDLNSGKILESFRPEERFPMMSTFKVLLCGAVLSRVDAGQEQLGRRIHYSQNDLVKYSPVTEKHLTDGMTVRELCSAAITMGDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGASERGSRGIIAALGPDGKPSRIVVIYTTGSQATMDERNRQIAEIGASLIKHW
配列番号85:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTGGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号86:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDCWEPELNEAIPNDERDTTTPAAMATTLRKLLTGELLTLASRQQLIDWMEADKVAGPLLRSALPAGWFIADKSGAGKRGSRGIIAALGPDGKPSRIVVIYTTGSQATMDERNRQIAEIGASLIKHW
配列番号87:
MSIKHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDRWEPELNEAIPNDERDTTTPAAMATTLRKLLTGELLTLASRQQLIDWMEADKVAGPLLRSALPAGWFIADKSGASERGSRGIIAALGPDGKPSRIVVIYTTGSQATMDERNRQIAEIGASLIKHW
配列番号88:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTTPAAMATTLRKLLTGELLTLASRQQLIDWMEADKVAGPLLRSALPAGWFIADKSGASKRGSRGIIAALGPDGKPSRIVVIYTTGSQATMDERNRQIAEIGASLIKHW
配列番号89:
MSIQHFRVALIPFFAAFCFPVFAHPETLVKVKDAEDQLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDRWEPELNEAIPNDERDTTTPAAMATTLRKLLTGELLTLASRQQLIDWMEADKVAGPLLRSALPAGWFIADKSGASERGSRGIIAALGPDGKPSRIVVIYMTGSQATMDERNRQIAEIGASLIKHW
配列番号90:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGAKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号91:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLGRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号92:
MSIQHFRVALIPFFAAFCLPVFAHPETLVKVKDAEDKLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGASKRGSRGIIAALGPDGKPSRIVVIYTTGSQATMDERNRQIVEIGASLIKHW
配列番号93:
MSIQHFRVALIPFFAAFCFPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDSWEPELNEAIPNDERDTTMPAAMATTLRKLLTGELLTLASRQQLIDWMEADKVAGPLLRSALPAGWFIADKSGAGERGSRGIIAALGPDGKPSRIVVIYMTGSQATMDERNRQIAEIGASLIKHW
配列番号94:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDELNRQIAEIGASLIKHW
配列番号95:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIVEIGASLIKHW
配列番号96:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCNAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号97:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDRWEPELNEAIPNDERDTTTPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号98:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDHWEPELNEAIPNDERDTTTPAAMATTLRKLLTGELLTLASRQQLIDWMEADKVAGPLLRSALPAGWFIADKSGASERGSRGIIAALGPDGKPSRIVVIYTTGSQATMDERNRQIAEIGASLIKHW
配列番号99:
MSIQHFRVALIPFFAAFCLPVFAHPETLVKVKDAEDQLGARVGYIELDLNSGKILESFRPEERFPMMSTFKVLLCGAELSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTSELLTLASRQQLIDWMEADKVAGPLLRSALPAGWFIADKSGAGERGSRGIIAALGPDGKPSRIVVIYTTGSQATMDERSRQIAEIGASLIKHW
配列番号100:
MSIQHFRVALIPFFAAFCLPVFAHPETLVKVKDAEDQLGARVGYIELDLNSGKILESFRPEERFPMLSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDHWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号101:
MSIQHFRVALIPFFAAFCFPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYMTGSQATMDERNRQIAEIGASLIKHW
配列番号102:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGADERGSRGIIAALGPDGKPSRIVVIYMTGSQATMDERNRQIAEIGASLIKHW
配列番号103:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLRNMGDHVTRLDRWEPELNEAIPNDERDTTMPAAMATTLRKLLTGELLTLASRQQLIDWMEADKVAGPLLRSALPAGWFIADKSGASERGSRGIIAALGPDGKPSRIVVIYTTGSQATMDERNRQIAEIGASLIKHW
配列番号104:
MSIQHFRVALIPFFAAFCLPVFAHPETLVKVKDAEDKLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDRWEPELNEAIPNDERDTTTPAAMATTLRKLLTGELLTLASRQQLIDWMEADKVAGPLLRSALPAGWFIADKSGASERGSRGIIAALGPDGKPSRIVVIYTTGSQATMDERNRQIAEIGASLIKHW
配列番号105:
MSIQHFRVALIPFFAAFCLPVFAHPETLVKVKDAEDKLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDSWEPELNEAIPNDERDTTMPAAMATTLRKLLTGELLTLASRQQLIDWMEADKVAGPLLRSALPAGWFIADKSGTGKRGSRGIIAALGPDGKPSRIVVIYTTGSQATMDERNRQIAEIGASLIKHW
配列番号106:
MSIQHFRVALIPFFAAFCFPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDHWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号107:
MSIQHFRVALIPFFAAFCLPVFAHPETLVKVKDAEDQLGARVGYIELDLNSGKILESFRPEERFPMMSTFKVLLCGAVLSRIDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPVAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号108:
MSIQHFRVALIPFFAAFCFPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号109:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDHWEPELNEAIPNDERDTTMPAAMATTLRKLLTGELLTLASRQQLIDWMEADKVAGPLLRSALPAGWFIADKSGAGERGSRGIIAALGPDGKPSRIVVIYMTGSQATMDERNRQIAEIGASLIKHW
配列番号110:
MSIQHFRVALIPFFAAFCFPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGASERGSRGIIAALGPDGKPSRIVVIYTTGSQATMDERNRQIAEIGASLIKHW
配列番号111:
MSIQHFRVALIPFFAAFCLPVFAHPETLVKVKDAEDKLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDSWEPELNEAIPNDERDTTMPAAMATTLRKLLTGELLTLASRQQLIDWMEADKVAGPLLRSALPAGWFIADKSGTGKRGSSGIIAALGPDGKPSRIVVIYTTGSQATMDERNRQIAEIGASLIKHW
配列番号112:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDEQNRQIAEIGASLIKHW
配列番号113:
MSIKHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGASERGSRGIIAALGPDGKPSRIVVIYTTGSQATMDERNRQIAEIGASLIKHW
配列番号114:
MSIKHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDRWEPELNEAIPNDERDTTTPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号115:
MSIQHFRVALIPFLAAFCLPVFAHPETLVKVKDAEDQLGARVGYIELDLNSGKILESFRPEERFPMLSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDSREPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERDRQIAEIGASLIKHW
配列番号116:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERETTTPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号117:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDNVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号118:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGEHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号119:
MSIQHFRVALIPFFAAFCLPVFAHPETLVKVKDAEDKLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDSWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号120:
MSIQHFRVALIPFFAAFCLPVFAHPETLVKVKPAEDKLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDSWEPELNEAIPNDERDTTMPAAMATTLRKLLTGELLTLASRQQLIDWMEADKVAGPLLRSALPAGWFIADKSGTGERGSRGIIAALGPDGKPSRIVVIYTTGSQATMDERNRQIAEIGASLIKHW
配列番号121:
MSIQHFRVALIPFFAAFCFPVFAHPETLVKVKDAEDQLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDSWEPELNEAIPNDERDTTTPAAMATTLRKLLTGELLTLASRQQLIDWMEADKVAGPLLRSALPAGWFIADKSGTGERGSRGIIAALGPDGKPSRIVVIYTTGSQATMDERNRQIAEIGASLIKHW
配列番号122:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDHWEPELNEAVPNDERDTTMPAAMATTLRKLLTGELLTLASRQQLIDWMEADKVAGPLLRSALPAGWFIADKSGAGKRGSRGIIAALGPDGKPSRIVVIYTTGSQATMDERNRQIAEIGASLIKHW
配列番号123:
MSIQHFRVALIPFFAAFCFPVFAHPETLVKVKDAEDQLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDSWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号124:
MSIQHFRVALIPFFAAFCLPVFAHPETLVKVKDAEDKLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDHWEPELNEAIPNDERDTTMPAAMATTLRKLLTGELLTLASRQQLIDWMEADKVAGPLLRSALPAGWFIADKSGASERGSRGIIAALGPDGKPSRIVVIYTTGSQATMDERNRQIAEIGASLIKHW
配列番号125:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTTPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号126:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDSWEPELNEAIPNDERDTTMPAAMATTLRKLLTGELLTLASRQQLIDWMEADKVAGPLLRSALPAGWFIADKSGTGKRGSRGIIAALGPDGKPSRIVVIYTTGGQATMDERNRQIAEIGASLIKHW
配列番号127:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDSWEPELNEAIPNDERDTTMPAAMATTLRKLLTGELLTLASRQQLIDWMEADKVAGPLLRSALPAGWFIADKSGAGRRGSRGIIAALGPDGKPSRIVVIYTTGSQATMDERNRQIAEIGASLIKHW
配列番号128:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDRWEPELNEAIPIDERDTTMPAAMATTLRKLLTGELLTLASRQQLIDWMEADKVAGPLLRSALPAGWFIADKSGASERGSRGIIAALGPDGKPSRIVVIYTTGSQATMDERNRQIAEIGASLIKHW
配列番号129:
MSIQHFRVALIPFFAAFCLPVFAHPETLVKVKDAEDKLGARVGYIEMDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGASERGSRGIIAALGPDGKPSRIVVIYTTGSQATMDERNRQIAEIGASLIKHW
配列番号130:
MSIQHFRVALIPFFAAFCLPVFAHPETLVKVEDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号131:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGANERGSRGIIAALGPDGKPSRIVVIYMTGSQATMDERNRQIAEIGASLIKHW
配列番号132:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDCWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号133:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDCWEPELNEAIPNDERDTTMPAAMATTLRKLLTGELLTLASRQQLIDWMEADKVAGPLLRSALPAGWFIADKSGAGKRGSRGIIAALGPDGKPSRIVVIYTTGSQATMDERNRQIAEIGASLIKHW
配列番号134:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLMRSALPAGWFIADKSGAGERGSHGIIAALGPDGKPSRIVVIYTTGSQATMDERNRQIAEIGASLIKHW
配列番号135:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLPDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSHGIIAALGPDGKPSRIVVIYTTGSQATMDERNRQIAEIGASLIKHW
配列番号136:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDHWEPELNEAIPNDERDTTMPAAMATTLRKLLTGELLTLASRQQLIDWMEADKVAGPLLRSVLPAGWFIADKSGAGERGSRGIIAALGPDGKPSRIVVIYTTGSQATMDERNRQIAEIGASLIKHW
配列番号137:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATKLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号138:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDSWEPELNEAIPNDERDTTTPAAMATTLRKLLTGELLTLASRQQLIDWMEADKVAGPLLRSALPAGWFIADKSGAGVRGSRGIIAALGPDGKPSRIVVIYTTGSQATMDERNRQIAEIGASLIKHW
配列番号139:
MSIQHFRVALIPFFAAFCLPVFAHPDTLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号140:
MSIQHFRVALIPFFAAFCLPVFAHPETLVKVKDAEDQLGARVGYIELDLNSGKILESFRPEERFPMVSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDHWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERDRQIAEIGGSLIKHW
配列番号141:
MSIQHFRVALIPFFAAFCLPVFAHPETLVKVKDAEDQLGARVGYIELDLNSGKILESFRPEERFPMVSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDHWEPELNEAIPNDERDTTMPAAMATTLRKLLTGELLTLASRQQLIDWMEADKVAGPLLRSALPAGWFIADKSGAGKRGSRGIIAALGPDGKPSRIVVIYTTGSQATMDERDRQIAEIGASLIKHW
配列番号142:
MSIQHFRVALIPFFAAFCLPVFAHPETLVKVKDAEDQLGARVGYIELDLNSGKILESFRPEERFPMLSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDSWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号143:
MSIQHFRVALIPFFAAFCLPVFAHPETLVKVKDAEDKLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDSWEPELNEAIPNDERDTTMPAAMATTLRKLLTGELLTLASRQQLIDWMEADKVAGPLLRSALPAGWFIADKSGAGKRGSRGIIAALGPDGKPSRIVVIYTTGSQATMDERNRQIAEIGASLIKHW
配列番号144:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNIGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号145:
MSIQHFRVALIPFFAAFCLPVFAHPETLVKVKDAEDQLGARVGYIELDLNSGKILESFRPEERFPMMSTFKVLLCGAVLSRIDAGQEQLGRRIHYSQSDLVEYSPVTEKHLTDGMTVRELCSAAITMSDNTAANLLLTTIGGPKELTAFLHNMGDHVTRLDRWEPELNEAIPNDERDTTMPVAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号146:
MSIQHFRVALIPFFAAFCLPVFAHPETLVKVKDAEDQLGARVGYIELDLNSGKILESFRPEERFPMLSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDSWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERDRQIAEIGASLIKHW
配列番号147:
MSIQHFRVALIPFFAAFCFPVFAHPETLVKVKDAEDQLGARVGYIELDLNSGKILESFRPEERFPMISTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTTPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号148:
MSIQHFRVALIPFFAAFCLPVFAHPETLVKVKDAEDKLGARVGYIELDLNSGKILESFRPEERFPMVSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号149:
MSIKHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDHWEPELNEAIPNDERDTTTPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号150:
MSIQHFRVALIPFFAAFCLPVFAHPKTLVKVKDAENQLGARVGYIELDLNSGKILESFRPEKRFPMMSTFKVLLCGAVLSRIDAGQEQLGRRIHYSQSDVVEYSPVTEKHLTDGMTVRELCSAAITMSDNTAANLLLTTIGGPKELTAFLHNMGDHVTRLDRWEPELNEAIPNDERDTTMPVAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号151:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDEQNRQIAEIGASLIKLW
配列番号152:
MSIQHFRVALIPFFAAFCLPVFAHPETLVKVKDAEDQVGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQTAEIGASLIKHW
配列番号153:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDSWEPELNEAIPNDERDTTTPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号154:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVGELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号155:
MSIQHFRVALIPFFAAFCFPVFAHPETLVKVKDAEDQLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSVLPAGWFIADKSGASERGSRGIIAALGPDGKPSRIVVIYMTGSQATMDERNRQIAEIGASLIKHW
配列番号156:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYMTGSQATMDERNRQIAEIGASLIKHW
配列番号157:
MSIQHFRVALIPFFAAFCLPVFAHPETLVKVKDAEDQLGARVGYIELDLNSGKILESFRPEERFPMLSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRGEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号158:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEICASLIKHW
配列番号159:
MSIQHFRVALIPFFAAFCLPVFAHPETLVKVKDAEDQLGARVGYIELDLNSGKILESFRPEERFPMMSTFKVLLCGAVLSRIDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号160:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEVDKVAGPLLRSALPAGWFIADKSGAGERGSSGIIAALGPDGKPSRIVIIYTTGSQATMDERNRQIAEIGASLIKHW
配列番号161:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEVDKVAGPLLRSALPAGWFIADKSGAGERGSSGIIAALGPDGKPSRIVVIYTTGSQATMDERKRQIAEIGASLIKHW
配列番号162:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEVDKVAGPLLRSALPAGWFIADKSGAGERGSRGIIAALGPDGKPSRIVVIYTTGSQATMDERNRQIAEIGASLIKHW
配列番号163:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSVLPAGWFIADKSGAGERGSRGIIAALGPDGKPSRIVVIYTTGSQATMDERNRQIAEIGASLIKHW
配列番号164:
MSIKHFRVALIPFFAAFCLPVFAHPETLVKVKDAEDKLGARVGYIELDLNSGKILESFRPEERFPMMSTFKVLLCGAVLSRVDAGQEQLGRRIHYSQNDLVKYSPVTEKHLTDGMTVRELCSAAITMSDNTAANLLLTTIGGPKELTAFLHNMGDHVTRLDSWEPELNEAIPNDERDTTTPAAMATTLRKLLTGELLTLASRQQLIDWMEADKVAGPLLRSALPAGWFIADKSGTGKRGSRGIIAALGPDGKPSRIVVIYTTGSQATMDERNRQIAEIGASLIKHW
配列番号165:
MSIQHFRVALIPFFAAFCLPVFAHPETLVKVKDAEDQLGSTSGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGSQELTAFLHNMGDHVTRLDRWEPELNEAIPNDEADTTMPAAMATTLRKLLTGELLTLASRQQLIDWMADKVAGPLLRSALPAGWFIADKSGARERGSRGIIAALGPDGKPSRIVVIYTTGSQATMDERNRQIAEIGASLIKHW
配列番号1836:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号1837:
MSIQHFRVALIPFFAAFCLPVFAHPETLVKVKDAEDQLGARVGYIELDLNSGKILESFRPEERFPMLSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号1838:
MSIQHFRVALIPFFAAFCLPVFAHPETLVKVKDAEDKLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号1839:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGASKRGSRGIIAALGPDGKPSRIVVIYMTGSQATMDERNRQIAEIGASLIKHW
配列番号1840:
MSIQHFRVALIPFFAAFCFPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGASKRGSRGIIAALGPDGKPSRIVVIYMTGSQATMDERNRQIAEIGASLIKHW
配列番号1841:
MSIQHFRVALIPFFAAFCFPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGASKRGSRGIIAALGPDGKPSRIVVIYMTGGQATMDERNRQIAEIGASLIKHW
配列番号1842:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDHWEPELNEAIPNDERDTTMPAAMATTLRKLLTGELLTLASRQQLIDWMEADKVAGPLLRSALPAGWFIADKSGAGERGSRGIIAALGPDGKPSRIVVIYTTGSQATMDERNRQIAEIGASLIKHW
配列番号1843:
MSIQHFRVALIPFFAAFCLPVFAHPETLVKVKDAEDQLGARVGYIELDLNSGKILESFRPEERFPMMSTFKVLLCGAVLSRVDAGQEQLGRRIHYSQNDLVEYSPVTEKHLTDGMTVRELCSAAITMSDNTAANLLLTTIGGPKELTAFLHNMGDHVTRLDRWEPELNEAIPNDERDTTMPAAMATTLRKLLTGELLTLASRQQLIDWMEADKVAGPLLRSALPAGWFIADKSGAGERGSSGIIAALGPDGKPSRIVVIYTTGSQATMDERNRQIAEIGASLIKHW
【００７１】
前記ペプチドは、以下で規定される配列番号１６６〜配列番号２６１および配列番号１９２３〜配列番号１９２８の配列のペプチドから選択することが好ましい。
2014512015.tif 000002
2014512015.tif 000003
2014512015.tif 000004
2014512015.tif 000005
2014512015.tif 000006
2014512015.tif 000007
2014512015.tif 000008
2014512015.tif 000009
2014512015.tif 000010
2014512015.tif 000011
2014512015.tif 000012
2014512015.tif 000013
【００７２】
臨床的対象欄内の、２ｂ、２ｂｒ、２ｂｅ、および２ｂｅｒの項目は、対応するペプチドにより検出することが可能となる、ＴＥＭβ−ラクタマーゼの機能的亜群に対応する。したがって、２ｂｅペプチドの検出は、ペニシリン、セファロリジンおよびセファロチンなどの第１世代のセファロスポリン、ならびにセフォタキシム、セフタジジムなどのオキシイミノ系β−ラクタムのクラス、またはアズトレオナムなどのモノバクタムに由来する少なくとも１つの抗生剤を加水分解することが可能な広域スペクトルを伴うβ−ラクタマーゼ（ＥＳＢＬ）の存在を示す。
【００７３】
ＴＥＭという項目は、第２ｂ亜群、第２ｂｒ亜群、および第２ｂｅ亜群、または第２ｂｅｒ亜群のうちの少なくとも２つの間で共通なペプチドを示す。対応するペプチドは、ＴＥＭβ−ラクタマーゼの存在、ならびに少なくともペニシリンおよび第１世代のセファロスポリンに対する耐性の機構の存在を示す。
【００７４】
ＴＥＭタンパク質により誘導される、ＥＳＢＬ（広域スペクトルのβ−ラクタマーゼ）によるセファロスポリンに対する耐性の機構の検出は、配列番号１６８、配列番号１６９、配列番号１７９、配列番号１８１、配列番号１８６、配列番号１９９、配列番号２００、配列番号２０５、配列番号２０６、配列番号２０８、配列番号２１２、配列番号２１３、配列番号２１４、配列番号２１５、配列番号２１６、配列番号２１７、配列番号２２２、配列番号２２５、配列番号２２６、配列番号２２７、配列番号２３０、配列番号２３４、配列番号２３６、配列番号２３７、配列番号２３８、配列番号２３９、配列番号２４０、配列番号２４９、配列番号２５４、配列番号２５５、配列番号２５６、配列番号２５９、配列番号２６１、配列番号１９２７、配列番号１９２８の配列から選択される、少なくとも１つの耐性マーキング２ｂｅペプチドの検出を特徴とする。
【００７５】
ＣＭＹタンパク質の発現により誘導される、セファロスポリンに対する耐性の機構の検出は、ＣＭＹタンパク質ならびにその異なる配列変異体である配列番号２６２〜配列番号３１１および配列番号１８４４〜配列番号１８７０に属する少なくとも１つのペプチドの検出を特徴とする。
配列番号262:
MQQRQSILWGAVATLMWAGLAHAGEASPVDPLRPVVDASIQPLLKEHRIPGMAVAVLKDGKAHYFNYGVANRESGASVSEQTLFEIGSVSKTLTATLGAYAVVKGAMQLDDKASRHAPWLKGSVFDSITMGELATYSAGGLPLQFPEEVDSSEKMRAYYRQWAPVYSPGSHRQYSNPSIGLFGHLAASSLKQPFAQLMEQTLLPGLGMHHTYVNVPKQAMASYAYGYSKEDKPIRVNPGMLADEAYGIKTSSADLLAFVKANIGGVDDKALQQAISLTHKGHYSVGGMTQGLGWESYAYPVTEQTLLAGNSAKVILEANPTAAPRESGSQVLFNKTGSTNGFGAYVAFVPARGIGIVMLANRNYPIPARVKAAHAILAQLAG
配列番号263:
MQQRQSILWGAVATLMWAGLAHAGEASPVDPLRPVVDASIQPLLKEHRIPGMAVAVLKDGKAHYFNYGVANRESGAGVSEQTLFEIGSVSKTLTATLGAYAVVKGAMQLDDKASRHAPWLKGSAFDSITMGELATYSAGGLPLQFPEEVDSSEKMRAYYRQWAPVYSPGSHRQYSNPSIGLFGHLAASSLKQPFAPLMEQTLLPGLGMHHTYVNVPKQAMASYAYGYSKEDKPIRVNPGMLADEAYGIKTSSADLLRFVKANIGGVDDKALQQAISLTHQGHYSVGGMTQGLGWESYAYPVTEQTLLAGNSAKVILEANPTAAPRESGSQVLFNKTGSTNGFGAYVAFVPARGIGIVMLANRNYPIEARIKAAHAILAQLAG
配列番号264:
MQQRQSILWGAVATLMWAGLAHAGEASPVDPLRPVVDASIQPLLKEHRIPGMAVAVLKDGKAHYFNYGVANRESGAGVSEQTLFEIGSVSKTLTATLGAYAVVKGAMQLDDKASRHAPWLKGSAFDSITMGELATYSAGGLPLQFPEEVDSSEKMRAYYRQWAPVYSPGSHRQYSNPSIGLFGHLAASSLKQPFAPLMEQTLLPGLGMHHTYVNVPKQAMASYAYGYSKEDKPIRVNPGMLADEAYGIKTSSADLLRFVKANIGGVDDKALQQAISLTHQGHYSVGGMTQGLGWESYAYPVTEQTLLAGNSAKVSLEANPTAAPRESGSQVLFNKTGSTNGFGAYVAFVPARGIGIVMLANRNYPIEARIKAAHAILAQLAG
配列番号265:
MMKKSLCCALLLTASFSTFASAKTEQQIADIVNRTITPLMQEQAIPGMAVAIIYQGKPYYFTWGKADIANNHPVTQQTLFELGSVSKTFNGVLGGDAIARGEIKLSDPVTKYWPELTGKQWQGISLLHLATYTAGGLPLQIPDDVTDKAALLRFYQNWQPQWAPGAKRLYANSSIGLFGALAVKPSGMSYEEAMTRRVLQPLKLAHTWITVPQNEQKDYAWGYREGKPVHVSPGQLDAEAYGVKSNVTDMARWVQVNMDASRVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAAWRILEKLQ
配列番号266:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYAWGYREGKPVHVSPGQLDAEAYGVKSSVIDMARWVQANMDASHVQEKTLQQGIALAQSRYWRIGDMYQGLGWEMLNWPLKADSIINGSDSKVAFAALPAVEVNPPAPAVKASWVHKTGSTGGFGSYVAFVPEKNLGIVMLANKSYPNPVRVEAAWRILEKLQ
配列番号267:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYAWGYREGKPVHVSPGQLDAEAYGVKSSVIDMARWVQANMDASHVQEKTLQQGIALAQSRYWRIGDMYQGLGWEMLNWPLKADSIINGNGSDSKVALAALPAVEVNPPAPAVKASWVHKTGSTGGFGSYVAFVPEKNLGIVMLANKSYPNPVRVEAAWRILEKLQ
配列番号268:
MKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGISLLHLATYTAGGLPLQIPDDVTDKAALLHFYQNWQPQWTPGAKRLYANSSIGLFGALAVKPSGMSYEEAMTRRVLQPLKLAHTWITVPQNEQKDYAWGYREGKPVHVSPGQLDAEAYGVKSSVIDMARWVQANMDASHVQEKTLQQGIALAQSRYWRIGDMYQGLGWEMLNWPLKADSIINGSDNKVALAALPAVEVNPPAPAVKASWVHKTGSTGGFGSYVAFVPEKNLGIVMLANKSYPNPVRVEAAWRILEKLQ
配列番号269:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGELAVKPSGMSYEEAMTRRVLQPLKLAHTWITVPQNEQKDYAWGYREGKPVHVSPGKLDAEAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAAWRILEKLQ
配列番号270:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYAWGYREGKPVHVSPGQLDAEAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAYWRILEKLQ
配列番号271:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYAWGYREGKPVHVSPGQLDAGAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAAWRILEKLQ
配列番号272:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGISLLHLATYTAGGLPLQIPDDVTDKAALLHFYQNWQPQWTPGAKRLYANSSIGLFGALAVKPSGMSYEEAMTRRVLQPLKLAHTWITVPQNEQKDYAWGYREGKPVHVSPGQLDAEAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAAWRILEKLQ
配列番号273:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYAWGYREGKAVHVSPGQLDAEAYGVKSSVIDMARWVQVNMDASRVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAAWRILEKLQ
配列番号274:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYAWGYREGKPVYVSPGQLDAEAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAAWRILEKLQ
配列番号275:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGELAVKPSGMSYEEAMTRRVLQPLKLAHTWITVPQNEQKDYAWGYREGKPVHVSPGQLDAEAYGVKSSVIDMARWVQANMDASHVQEKTLQQGIALAQSRYWRIGDMYQGLGWEMLNWPLKADSIINGSDNKVALAALPAVEVNPPAPAVKASWVHKTGSTGGFGSYVAFVPEKNLGIVMLANKSYPNPVRVEAAWRILEKLQ
配列番号276:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYAWGYREGKPVHVSPGRLDAEAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAAWRILEKLQ
配列番号277:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQFPDDVRDKAALLHFYQNWQPQWTPGAKRLYANSSIGLFGELAVKPSGMSYEEAMTRRVLQPLKLAHTWITVPQNEQKDYAWGYREGKPVHVSPGQLDAEAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAAWRILEKLQ
配列番号278:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYAWGYREGKPVHGSPGQLDAEAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAAWRILEKLQ
配列番号279:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDCIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPENEQKDYAWGYREGKPVHVSPGQLDAEAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAAWRILEKLQ
配列番号280:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVTDKAALLHFYQNWQPQWTPGAKRLYANSSIGLFGALAVKPSGMSYEEAMTRRVLQPLKLAHTWITVPQNEQKDYAWGYREGKPVHVSPGQLDAEAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAAWRILEKLQ
配列番号281:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYACGYREGKPVHVSPGQLDAEAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAAWRILEKLQ
配列番号282:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGISLLHLATYTAGGLPLQIPDDVTDKAALLRFYQNWQPQWTPGAKRLYANSSIGLFGTLAVKPSGMSYEEAMTRRVLQPLKLAHTWITVPQSEQKDYAWGYREGKPVHVSPGQLDAEAYGVKSSVIDMAHWVQANMDASHVQEKTLQQGIELAQSRYWRIGDMYQGLGWEMLNWPLKADSIINGSDSKVALAALPAVEVNPPAPAVKASWVHKTGYTGGFGSYVAFVPEKNLGIVMLANKSYPNPVRVEAAWRILEKLQ
配列番号283:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYAWGYREGKPVHVSPEQLDAEAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAAWRILEKLQ
配列番号284:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYAWGYREGKPVHVSPGQLDAEAYGVKSSVIDMARWVQANMDASHVQEKTLQQGIALAQSRYWRIGDMYQGLGWEMLNWPLKADSIINGSDSKVAALPAVEVNPPAPAVKASWVHKTGSTGGFGSYVAFVPEKNLGIVMLANKSYPNPVRVEAAWRILEKLQ
配列番号285:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFAALAVKPSGMSYEEAMTRRVLQPLKLAHTWITVPQNEQKDYAWGYREGKPVHVSPGQLDAEAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAAWRILEKLQ
配列番号286:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYAWGYREGKPVHVSPGQLDAEAYGVKSSVIDMARWVQANMDASHVQEKTLQQGIALAQSRYWRIGDMYQGLGWEMLNWPLKADSIINGSDSKVAPAVEVNPPAPAVKASWVHKTGSTGGFGSYVAFVPEKNLGIVMLANKSYPNPVRVEAAWRILEKLQ
配列番号287:
MMKKSLCCALLLTASFSTFAAAKTEQQIADIVNRTITPLMQEQAIPGMAVAIIYQGKPYYFTWGKADIANNHPVTQQTLFELGSVSKTFNGVLGGDAIARGEIKLSDPVTKYWPELTGKQWQGISLLHLATYTAGGLPLQIPDDVTDKAALLRFYQNWQPQWTPGAKRLYANSSIGLFGALAVKPSGMSYEEAMTRRVLQPLKLAHTWITVPQNEQKDYAWGYREGKPVHVTPGQLDAEAYGVKSNVTDMARWIQVNMDASRVQEKTLQQGIALAQSRYWRIGDMYQGLGWEMLNWPLKADSIINGSDSKVALAALHTVEVNPPAPAVKASWVHKTGSTGGFGSYVAFIPEKNLGIVMLANKSYPNPVRVEAAWRILEKLQ
配列番号288:
MMKKSICCALLLTASFSTFAAAKTEQQIADIVNRTITPLMQEQAIPGMAVAIIYEGKPYYFTWGKADIANNHPVTQQTLFELGSVSKTFNGVLGGDAIARGEIKLSDPVTKYWPELTGKQWRGISLLHLATYTAGGLPLQIPDEVTDKAELLRFYQNWQPQWTPGAKRLYANSSIGLFGALVVKPSGMSYEEAMTRRVLQPLKLAHTWITVPQSEQKNYAWGYREGKPVHVSPGQLDAEAYGVKSSVIDMARWVQANMDASHVQEKTLQQGIELAQSRYWRIGDMYQGLGWEMLNWPLKADSIINGSDSKVALAALPAVEVNPPAPAVKASWVHKTGSTGGFGSYVAFVPEKNLGIVMLANKSYPNPARVEAAWRILEKLQ
配列番号289:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYAWGYREGKPVHVSPGQLELDAEAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAAWRILEKLQ
配列番号290:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGEAIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYAWGYREGKPVHVSPGQLDAEAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAAWRILEKLQ
配列番号291:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYAWGYREGKPVHVSPGQFDAEAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAAWRILEKLQ
配列番号292:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYAWGYREGKPVHVSPGQLDAEAYGVKSSVIDMARWVQANMDASHVQEKTLQQGIALAQSRYWRIGDMYQGLGWEMLNWPLKTDSIINGSDSKVALAALPAVEVNPPAPAVKASWVHKTGSTGGFGSYVAFVPEKNLGIVMLANKSYPNPVRVEAAWRILEKLQ
配列番号293:
MQQRQSILWGAVATLMWAGLAHAGEASPVDPLRPVVDASIQPLLKEHRIPGMAVAVLKDGKAHYFNYGVANRESGASVSEQTLFDIGSVSKTLTATLGAYAVVKGAMQLDDKASRHAPWLKGSVFDSITMGELATYSAGGLPLQFPEEVDSSEKMRAYYRQWAPVYSPGSHRQYSNPSIGLFGHLAASSLKQPFAQLMEQTLLPGLGMHHTYVNVPKQAMASYAYGYSKEDKPIRVNPGMLADEAYGIKTSSADLLAFVKANIGGVDDKALQQAISLTHKGHYSVGGMTQGLGWESYAYPVTEQTLLAGNSAKVILEANPTAAPRESGSQVLFNKTGSTNGFGAYVAFVPARGIGIVMLANRNYPIPARVKAAHAILAQLAG
配列番号294:
MQQRQSILWGAVATLMWAGLAHAGEASPVDPLRPVVDASIQPLLKEHRIPGMAVAVLKDGKAHYFNYGVANRESGASVSEQTLFDIGSVSKTLTATLGAYAVVKGAMQLDDKASRHAPWLKGSVFDSITMGELATYSAGGLPLQFPEEVDSSEKMRAYYRQWAPVYSPGSHRQYSNPSIGLFGHLAASSLKQPFAQLMEQTLLPGLGMHHTYVNVPKQAMASYAYGYSKEDKPIRVNPGMLADEAYGIKTSSADLLAFVKANIGGVDDKALQQAISLTHKGHYSVGGMTQGLGWESYAYPVTEQTLLAGNSAKVSLEANPTAAPRESGSQVLFNKTGSTNGFGAYVAFVPARGIGIVMLANRNYPIPARVKAAHAILAQLAG
配列番号295:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWSELTGKQWQGISLLHLATYTAGGLPLQIPDDVTDKTALLHFYQNWQPQWAPGAKRLYANSSIGLFGALAVKPSGMSYEEAMTRRVLQPLKLAHTWITVPQSEQKDYAWGYREGKPVHVSPGQLDAEAYGVKSSVIDMARWVQANMDASRVQEKTLQQGIALAQSRYWRIGDMYQGLGWEMLNWPLKADSIINGSDSKVALAAIPAVEVNPPAPAVKASWVHKTGSTGGFGSYVAFVPEKNLGIVMLANKSYPNPIRVEAAWRILEKLQ
配列番号296:
MMKKSLCCALLLTASFSTFASAKTEQQIADIVNRTITPLMQEQAIPGMAVAVIYQGKTYYFTWGKADIANNHPVTQQTLFELGSVSKTFNGVLGGDAIARGEIKLSDPVTKYWPELTGKQWQDISLLHLATYTAGGLPLQIPDDVTDKTALLHFYQNWQPQWAPGAKRLYANSSIGLFGALAVKPSGMSYEEAMTRRVLQPLKLAHTWITVPQSEQKDYAWGYREGKPVHVSPGQLDAEAYGVKSNVTDMARWVQVNMDASRVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAAWRILEKLQ
配列番号297:
MMKKSLCCALLLTAPLSTFAAAKTEQQIADIVNRTITPLMQEQAIPGMAVAVIYQGKPYYFTWGKADITNNHPVTQQTLFELGSVSKTFNGVLGGDAIARGEIKLSDPVTKYWPELTGKQWQGISLLHLATYTAGGLPLQIPDDVTDKAALLRFYQNWQPQWAPGAKRLYANSSIGLFGALAVKPSGMSYEEAMTRRVLQPLKLAHTWIKVPQSEQKDYAWGYREGKAVHVSPGQLDAEAYGVKSSVIDMARWVQVNMDASRVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAAWRILEKLQ
配列番号298:
MMKKSICCALLLTASFSTFAATKTEQQIADIVNRTITPLMQEQAIPGMAVAIIYEEKPYYFTWGKADIANNHPVTQQTLFELGSVSKTFNGVLGGDAIARGEIKLSDPVTKYWPELTGKQWRGISLLHLATYTAGGLPLQIPDEVTDKAALLRFYQNWQPQWTPGAKRLYANSSIGLFGALAVKPSGMSYEEAMTRRVLQPLKLAHTWITVPQSEQKNYAWGYREGKPVHVSPGQLDAEAYGVKSSVIDMARWVQANMDASHVQEKTLQQGIELAQSRYWRIGDMYQGLGWEMLNWPLKADSIINGSDSKVALAALPAVEVNPPAPAVKASWVHKTGSTGGFGSYVAFVPEKNLGIVMLANKSYPNPARVEAAWRILEKLQ
配列番号299:
GPGHLFAFNYGTDFMMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYAWGYREGKPVHASPGQLDAEAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAAWRILEKLQ
配列番号300:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYAWGYREGKPVHVSPGQLDAEAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAAWRILEKLQ
配列番号301:
MQQRQSILWGAVATLMWAGLAHAGEASPVDPLRPVVDASIQPLLKEHRIPGMAVAVLKDGKAHYFNYGVANRESGAGVSEQTLFEIGSVSKTLTATLGAYAVVKGAMQLDDKASRHAPWLKGSAFDSITMGELATYSAGGLPLQFPEEVDSSEKMRAYYRQWAPVYSPGSHRQYSNPSIGLFGHLAASSLKQPFAPLMEQTLLPGLGMHHTYVNVPKQAMASYAYGYSKEDKPIRVNPGMLADEAYGIKTSSADLLRFVKANIGGVDDKALQQAISLTHQGHYSVGGMTQGLGWESYAYPVTEQTLLAGNSAKVILEANPTAAPRESGSQVLFNKTGSTNGFGAYVAFVPARGIGIVMLANRNYPNEARIKAAHAILAQLAG
配列番号302:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYARGYREGKPVHVSPGQLDAEAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAAWRILEKLQ
配列番号303:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYARGYREGKPVHVSPGQLDAEAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAAWRILEKLQ
配列番号304:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYSNSSIGLFGALAVKPSGMSYEEAMTRRVLQPLKLAHTWITVPQNEQKDYARGYREGKPVHVSPGQLDAEAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKNYPNPVRVEAAWRILEKLQ
配列番号305:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGELAVKPSGMSYEEAMTRRVLQPLKLAHTWITVPQNEQKDYAWGYREGKPVHVSPGQLDAEAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAAWRILEKLQ
配列番号306:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYALGYREGKPVHVSPGQLDAEAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAAWRILEKLQ
配列番号307:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKFSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYAWGYREGKPVHVSPGQLDAEAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAAWRILEKLQ
配列番号308:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYARGYREGKPVHVSPGQLDAEAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKNYPNPVRVEAAWRILEKLQ
配列番号309:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYARGYREGKPVHVSPGQLDAEAYGVKSSVIDMARWVQANMDASHVQEKTLQQGIALAQSRYWRIGDMYQGLGWEMLNWPLKADSIINGSDSKVALAALPAVEINPPAPAVKASWVHKTGSTGGFGSYVAFVPEKNLGIVMLANKSYPNPVRVEAAWRILEKLQ
配列番号310:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYSNSSIGLFGALAVKPSGMSYEEAMTRRVLQPLKLAHTWITVPQNEQKDYARGYREGKPVHVSPGQLDAEAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAAWRILEKLQ
配列番号311:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYARGYREGKPVHVSPGQLNAEAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKNYPNPVRVEAAWRILEKLQ
配列番号1844:
MQQRQSILWGAVATLMWAGLAHAGEASPVDPLRPVVDASIQPLLKEHRIPGMAVAVLKDGKAHYFNYGVANRESGAGVSEQTLFEIGSVSKTLTATLGAYAVVKGAMQLDDKASRHAPWLKGSAFDSITMGELATYSAGGLPLQFPEEVDSSEKMRAYYRQWAPVYSPGSHRQYSNPSIGLFGHLAASSLKQPFAPLMEQTLLPGLGMHHTYVNVPKQAMASYAYGYSKEDKPIRVNPGMLADEAYGIKTSSADLLRFVKANIGGVDDKALQQAISLTHQGHYSVGGMTQGLGWESYAYPVTEQTLLAGNSAKVILEANPTAAPRESGSQVLFNKTGSTNGFGAYVAFVPARGIGIVMLANRNYPIEARIKAAHAILAQLAG
配列番号1845:
MQQRQSILWGAVATLMWAGLAHAGEASPVDPLRPVVDASIQPLLKEHRIPGMAVAVLKDGKAHYFNYGVANRESGAGVSEQTLFEIGSVSKTLTATLGAYAVVKGAMQLDDKASRHAPWLKGSAFDSITMGELATYSAGGLPLQFPEEVDSSEKMRAYYRQWAPVYSPGSHRQYSNPSIGLFGHLAASSLKQPFAPLMEQTLLPGLGMHHTYVNVPKQAMASYAYGYSKEDKPIRVNPGMLADEAYGIKTSSADLLRFVKANIGGVDDKALQQAISLTHQGHYSVGGMTQGLGWESYAYPVTEQTLLAGNSAKVSLEANPTAAPRESGSQVLFNKTGSTNGFGAYVAFVPARGIGIVMLANRNYPIEARIKAAHAILAQLAG
配列番号1846:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYAWGYREGKPVHVSPGQLDAEAYGVKSSVIDMARWVQANMDASHVQEKTLQQGIALAQSRYWRIGDMYQGLGWEMLNWPLKADSIINGSDSKVAFAALPAVEVNPPAPAVKASWVHKTGSTGGFGSYVAFVPEKNLGIVMLANKSYPNPVRVEAAWRILEKLQ
配列番号1847:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYAWGYREGKPVHVSPGQLDAEAYGVKSSVIDMARWVQANMDASHVQEKTLQQGIALAQSRYWRIGDMYQGLGWEMLNWPLKADSIINGNGSDSKVALAALPAVEVNPPAPAVKASWVHKTGSTGGFGSYVAFVPEKNLGIVMLANKSYPNPVRVEAAWRILEKLQ
配列番号1848:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYAWGYREGKPVHVSPGQLDAEAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAYWRILEKLQ
配列番号1849:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGELAVKPSGMSYEEAMTRRVLQPLKLAHTWITVPQNEQKDYAWGYREGKPVHVSPGQLDAEAYGVKSSVIDMARWVQANMDASHVQEKTLQQGIALAQSRYWRIGDMYQGLGWEMLNWPLKADSIINGSDNKVALAALPAVEVNPPAPAVKASWVHKTGSTGGFGSYVAFVPEKNLGIVMLANKSYPNPVRVEAAWRILEKLQ
配列番号1850:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYAWGYREGKPVHVSPGQLDAEAYGVKSSVIDMARWVQANMDASHVQEKTLQQGIALAQSRYWRIGDMYQGLGWEMLNWPLKADSIINGSDSKVAALPAVEVNPPAPAVKASWVHKTGSTGGFGSYVAFVPEKNLGIVMLANKSYPNPVRVEAAWRILEKLQ
配列番号1851:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYAWGYREGKPVHVSPGQLDAEAYGVKSSVIDMARWVQANMDASHVQEKTLQQGIALAQSRYWRIGDMYQGLGWEMLNWPLKADSIINGSDSKVAPAVEVNPPAPAVKASWVHKTGSTGGFGSYVAFVPEKNLGIVMLANKSYPNPVRVEAAWRILEKLQ
配列番号1852:
MMKKSLCCALLLTASFSTFAAAKTEQQIADIVNRTITPLMQEQAIPGMAVAVLYQGKPYYFTWGKADIANNHPVTQQTLFELGSVSKTFNGVLGGDAIARGEIKLSDPVTKYLPELTGKQWQGISLLHLATYTAGGLPLQIPDDVTDKAALLRFYQNWQPQWTPGAKRLYANSSIGLFGALAVKPSGMSYEEAMTRRVLQPLKLAHTWITVPQNEQKDYAWGYREGKPVHVTPGQLDAEAYGVKSNVTDMARWIQVNMDASRVQEKTLQQGIALAQSRYWRIGDMYQGLGWEMLNWPLKADSIINGSDSKVALAALPTVEVNPPAPAVKASWVHKTGSTGGFGSYVAFVPEKNLGIVMLANKSYPNPVRVEAAWRILEKLQ
配列番号1853:
MMKKSICCALLLTASFSTFAAAKTEQQIADIVNRTITPLMQEQAIPGMAVAIIYEGKPYYFTWGKADIANNHPVTQQTLFELGSVSKTFNGVLGGDAIARGEIKLSDPVTKYWPELTGKQWRGISLLHLATYTAGGLPLQIPDDVTDKAALLRFYQNWQPQWTPGAKRLYANSSIGLFGALAVKPSGMSYEEAMTRRVLQPLKLAHTWITVPQSEQKNYAWGYREGKPVHVSPGQLDAEAYGVKSSVIDMARWVQANMDASHVQEKTLQQGIELAQSRYWRIGDMYQGLGWEMLNWPLKADSIINGSDSKVALAALPAVEVNPPAPAVKASWVHKTGSTGGFGSYVAFVPEKNLGIVMLANKSYPNPARVEAAWRILEKLQ
配列番号1854:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYAWGYREGKPVHVSPGQLDAEAYGVKSSVIDMARWVQANMDASHVQEKTLQQGIALAQSRYWRIGDMYQGLGWEMLNWPLKTDSIINGSDSKVALAALPAVEVNPPAPAVKASWVHKTGSTGGFGSYVAFVPEKNLGIVMLANKSYPNPVRVEAAWRILEKLQ
配列番号1855:
MMKKSLCCALLLTASLSTFAAAKTEQQIADIVNRTITPLMQEQAIPGMAIAVIYQGKPYYFTWGKADITNNHPVTQQTLFELGSVSKTFNGVLGGDAIARGEIKLSDPVTKYWPELTGKQWQGISLLHLATYTAGGLPLQIPDDVTDKAALLRFYQNWQPQWAPGAKRLYANSSIGLFGALAVKPSGMSYEEAMTRRVLQPLKLAHTWITVPQNEQKDYAWGYREGKAVHVSPGQLDAEAYGVKSSVIDMARWVQVNMDASRVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAAWRILEKLQ
配列番号1856:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYAWGYREGKPVHVSPGQLDAEAYCVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAAWRILEKLQ
配列番号1857:
MMKKSLCCALLLTASFSTFAAAKTEQQIADIVNRTITPLMQEQAIPGMAVAVIYQGKPYYFTWGKADIANNHPVTQQTLFELGSVSKTFIGVLGGDAIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYAWGYREGKPVHVSPGQLDAEAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAAWRILEKLQ
配列番号1858:
MMNRYAAALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYAWGYREGKPVHVSPGQLDAEAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAAWRILEKLQ
配列番号1859:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFSALAVKPSGMSYEEAMTRRVLQPLKLAHTWITVPQNEQKDYAWGYREGKPVHVSPGQLDAEAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAAWRILEKLQ
配列番号1860:
MQQRQSILWGAVATLMWAGLAHAGEASPVDPLRPVVDASIQPLLKEHRIPGMAVAVLKDGKAHYFNYGVANRESGASVSEQTLFDIGSVSKTLTATLGAYAVVKGAMQLDDKASRHAPWLKGSVFDSITMGELATYSAGGLPLQFPEEVDSSEKMRAYYRQWAPVYSPGSHRQYSNPSIGLFGHLAASSLKQPFAQLMEQTLLPGLGMHHTYVNVPKQAMASYAYGYSKEDKPIRVNPGMLADEAYGIKTSSADLLAFVKANIGGVDDKALQQAISLTHKGHYSVGGMTQGLGWESYAYPVTEQTLLAGNSAKVILEANPTAAPRESGSQVLFNKTGSTNGFGAYVAFVPARGIGIVMLANRNYPIPARVKAAHAILAQLAG
配列番号1861:
MQQRQSILWGAVATLMWAGLAHAGEASPVDPLRPVVDASIQPLLKEHRIPGMAVAVLKDGKAHYFNYGVANRESGASVSEQTLFDIGSVSKTLTATLGAYAVVKGAMQLDDKASRHAPWLKGSVFDSITMGELATYSAGGLPLQFPEEVDSSEKMRAYYRQWAPVYSPGSHRQYSNPSIGLFGHLAASSLKQPFAQLMEQTLLPGLGMHHTYVNVPKQAMASYAYGYSKEDKPIRVNPGMLADEAYGIKTSSADLLAFVKANIGGVDDKALQQAISLTHKGHYSVGGMTQGLGWESYAYPVTEQTLLAGNSAKVSLEANPTAAPRESGSQVLFNKTGSTNGFGAYVAFVPARGIGIVMLANRNYPIPARVKAAHAILAQLAG
配列番号1862:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYAWGYREGKPVHVSPGQLDAEAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAAWRILEKLQ
配列番号1863:
MQQRQSILWGAVATLMWAGLAHAGEASPVDPLRPVVDASIQPLLKEHRIPGMAVAVLKDGKAHYFNYGVANRESGAGVSEQTLFEIGSVSKTLTATLGAYAVVKGAMQLDDKASRHAPWLKGSAFDSITMGELATYSAGGLPLQFPEEVDSSEKMRAYYRQWAPVYSPGSHRQYSNPSIGLFGHLAASSLKQPFAPLMEQTLLPGLGMHHTYVNVPKQAMASYAYGYSKEDKPIRVNPGMLADEAYGIKTSSADLLRFVKANIGGVDDKALQQAISLTHQGHYSVGGMTQGLGWESYAYPVTEQTLLAGNSAKVILEANPTAAPRESGSQVLFNKTGSTNGFGAYVAFVPARGIGIVMLANRNYPNEARIKAAHAILAQLAG
配列番号1864:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYARGYREGKPVHVSPGQLDAEAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAAWRILEKLQ
配列番号1865:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYSNSSIGLFGALAVKPSGMSYEEAMTRRVLQPLKLAHTWITVPQNEQKDYARGYREGKPVHVSPGQLDAEAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKNYPNPVRVEAAWRILEKLQ
配列番号1866:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGELAVKPSGMSYEEAMTRRVLQPLKLAHTWITVPQNEQKDYAWGYREGKPVHVSPGQLDAEAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAAWRILEKLQ
配列番号1867:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYARGYREGKPVHVSPGQLDAEAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKNYPNPVRVEAAWRILEKLQ
配列番号1868:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYANSSIGLFGALAVKPSGMSYEEAMTRRVLQPLKLAHTWITVPQNEQKDYARGYREGKPVHVSPGQLDAEAYGVKSSVIDMARWVQANMDASHVQEKTLQQGIALAQSRYWRIGDMYQGLGWEMLNWPLKADSIINGSDSKVALAALPAVEINPPAPAVKASWVHKTGSTGGFGSYVAFVPEKNLGIVMLANKSYPNPVRVEAAWRILEKLQ
配列番号1869:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLQIPDDVRDKAALLHFYQNWQPQWTPGAKRLYSNSSIGLFGALAVKPSGMSYEEAMTRRVLQPLKLAHTWITVPQNEQKDYARGYREGKPVHVSPGQLDAEAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTGGFGSYVAFVPEKNLGIVMLANKSYPNPVRVEAAWRILEKLQ
配列番号1870:
MMKKSLCCALLLTASFSTFAAAKTEQQIADIVNRTITPLMQEQAIPGMAVAVIYQGKPYYFTWGKADIANNHPVTQQTLFELGSVSKTFNGVLGGDAIARGEIKLSDPVTKYWPELTGKQWQGIRLLHLATYTAGGLPLKIPDDVRDKAALLHFYQNWQPQWTPGAKRLYSNSSIGLFGALAVKPSGMSYEEAMTRRVLQPLKLAHTWITVPQNEQKDYARGYREGKPVHVSPGQLDAEAYGVKSSVIDMARWVQANMDASHVQEKTLQQGIALAQSRYWRIGDMYQGLGWEMLNWPLKADSIINGSDSKVALAALPAVEVNPPAPAVKASWVHKTGSTVGFGSYVAFVPEKNLGIVMLANKSYPNPVRVEAAWRILEKLQ
【００７６】
前記ペプチドは、以下で規定される配列番号３１２〜配列番号３５０、配列番号７３４、配列番号７３５および配列番号１９２９〜配列番号２００７の配列のペプチドから選択することが好ましい。
2014512015.tif 000014
2014512015.tif 000015
2014512015.tif 000016
2014512015.tif 000017
2014512015.tif 000018
2014512015.tif 000019
2014512015.tif 000020
2014512015.tif 000021
2014512015.tif 000022
2014512015.tif 000023
【００７７】
ＣＴＸ−Ｍタンパク質の発現により誘導される、セファロスポリンに対する耐性の機構の検出は、ＣＴＸ−Ｍタンパク質ならびにその異なる配列変異体である配列番号３５１〜配列番号４４５および配列番号１８７１〜配列番号１９０８に属する少なくとも１つのペプチドの検出を特徴とする。
配列番号351:
MMTQSIRRSMLTVMATLPLLFSSATLHAQTNSVQQQLEALEKSSGGRLGVALINTADNSQILYRADERFAMCSTSKVMAAAAVLKQSESDKHLLNQRVEIKKSDLVNYNPIAEKHVNGTMTLAELGAAALQYSDNTAMNKLIAHLGGPDKVTAFARSLGDETFRLDRTEPTLNTAIPGDPRDTTTPLAMAQTLKNLTLGKALAETQRAQLVTWLKGNTTGSASIRAGLPKSWGVGDKTGSGDYGTTNDIAVIWPANHAPLVLVTYFTQPEQKAESRRDVLAAAAKIVTHGF
配列番号352:
MMRHRVKRMMLMTTACISLLLGSAPLYAQANDVQQKLAALEKSSGGRLGVALIDTADNAQTLYRADERFAMCSTSKVMAAAAVLKQSETQKKVLSQKVEIKSSDLINYNPITEKHVNGTMTLAELSAAALQYSDNTAMNKLIAHLGGPDKVTAFARAIGDNTFRLDRTEPTLNTAIPGDPRDTTTPLAMAQTLRNLTLGSALGETQRAQLVTWLKGNTTGAASIQAGLPTSWVVGDKTGSGDYGTTNDIAVIWPEGRAPLILVTYFTQPEQKAESRRDVLAAAAKIVTDGY
配列番号353:
MVTKRVQRMMFAAAACIPLLLGSAPLYAQTSAVQQKLAALEKSSGGRLGVALIDTADNTQVLYRGDERFPMCSTSKVMAAAAVLKQSETQKQLLNQPVEIKPADLVNYNPIAEKHVNGTMTLAELSAAALQYSDNTAMNKLIAQLGGPGGVTAFARAIGDETFRLDRTEPTLNTAIPGDPRDTTTPRAMAQTLRQLTLGHALGETQRAQLVTWLKGNTTGAASIRAGLPTSWTAGDKTGSGDYGTTNDIAVIWPQGRAPLVLVTYFTQPQQNAESRRDVLASAARIIAEGL
配列番号354:
MVKKSLRQFTLMATATVTLLLGSVPLYAQTVDVQQKLAELEQQSGGRLGVALINTADNSQILYRADERFAMCSTSKVMAAAAVLKKSESEPNLLNQRVEIKKSDLVNYNPIAEKHVNGTMSLAELSAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGDYGTTNDIAVIWPKDRAPLILVTYFTQPQPKAESRRDVLASAAKIVTDGL
配列番号355:
MVTKRVQRMMFAAAACIPLLLGSAPLYAQTSAVQQKLAALEKSSGGRLGVALIDTADNTQVLYRGDERFPMCSTSKVMAAAAVLKQSETQKQLLNQPVEIKPADLVNYNPIAEKHVNGTMTLAELSAAALQYSDNTAMNKLIAQLGGPGGVTAFARAIGDETFRLDRTEPTLNTAIPGDPRDTTTPRAMAQTLRQLTLGHALGETQRAQLVTWLKGNTTGAASIRAGLPTSWTVGDKTGSGDYGTTNDIAVIWPQGRAPLVLVTYFTQPQQNAESRRDVLASAARIIAEGL
配列番号356:
MVTKRMQRMMFAAAACIPLLLGSAPLYAQTSAVQQKLAALEKSSGGRLGVALIDTKDNTQVLYRGDERFPMCSTSKVMAAAAVLKQSETQKQLLNQPVEIKPADLVNYNPIAEKHVNGTMTLAELSAAALQYSDNTAMNKLIAQLGGPGGVTAFAREIGDETFRLDRTEPTLNTAIPGDPRDTTTPRAMAQTLRQLTLGHALGETQRAQLVTWLKGNTTGAASIRAGLPTSWTVGDKTGSGDYGTTNDIAVIWPQGRAPLVLVTYFTQPQQNAESRRDVLASAARIIAEGL
配列番号357:
MVKKSLRQFTLMATATVTLLLGSVPLYAQTADVQQKLAGLERQSGGRLGVALINTADNSQILYRADERFAMCSTSKVMAAAAVLKKSESEPNLLNQRVEIKKSDLVNYNPIAEKHVNGTMSPAELSAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGDYGTTNDIAVIWPKDRAPLILVTYFTQPQPKAESRRHVLAS
配列番号358:
MVKKSLRQFTLMATAAVTLLLGSVPLYAQTADVQQKLAELERQSGGRLGVALINTADNSQILYRADERFAMCSTSKVMAAAAVLKKSESEPSLLNQRVEIKKSDLVNYNPIAEKHVNGTMSLAELSAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGDYGTTNDIAVIWPKDRAPLILVTYFTQPQPKAESRRDILASAAKIVTDGL
配列番号359:
MVTKRVQRMMFAAAACIPLLLGSAPLYAQTSAVQQKLAALEKSSGGRLGVALIDTADNTQVLYRGDERFPMCSTSKVMAAAAVLKQSETQKQLLNQPVEIKPADLVNYNPIAEKHVNGTMTLAELSAAALQYSDNTAMNKLIAQLGGPGGVTAFARAIGDETFRLDRTEPTLNTAIPGDPRDTTTPRAMAQTLRQLTLGHALGETQRAQLVTWLKGNTTGAASIRAGLPTSWTAGDKTGSGGYGTTNDIAVIWPQGRAPLVLVTYFTQPQQNAESRRDVLASAARIIAEGL
配列番号360:
MVTKRVQRMMFAAAACIPLLLGSAPLYAQTSAVQQKLAALEKSSGGRLGVALIDTADNTQVLYRGDERFPMCSTSKVMAAAAVLKQSETQKQLLNQPVEIKPADLVNYNPIAEKHVNGTMTLAELSAAALQYSDNTAMNKLIAQLGGPGGVTAFARAIGDETFRLDRTEPTLNTAIPGDPRDTTTPRAMAQTLRQLTLGHALGETQRAQLVTWLKGNTTGAASIRAGLPTSWTVGDKTGSGDYGTTNDIAVIWPQGRAPLVLVTYFTQPQQNAESRRDVLASAARIIAEGL
配列番号361:
MVTKRVQRMMFAAAACIPLLLGSAPLYAQTSAVQQKLAALEKSSGGRLGVALIDTADNTQVLYRGDERFPMCSTSKVMAAAAVLKQSETQKQLLNQPVEIKPADLVNYNPIAEKHVNGTMTLAELSAAALQYSDNTAMNKLIAQLGGPGGVTAFARAIGDETFRLDRTESTLNTAIPGDPRDTTTPRAMAQTLRQLTLGHALGETQRAQLVTWLKGNTTGAASIRAGLPTSWTVGDKTGSGDYGTTNDIAVIWPQGRAPLVLVTYFTQPQQNAESRRDVLASAARIIAEGL
配列番号362:
MVTKRVQRMMFAAAACIPLLLGSAPLYAQTSAVQQKLAALEKSSGGRLGVALIDTADNTQVLYRGDERFPMCSTSKVMAAAAVLKQSETQKQLLNQPVEIKPADLVNYNPIAEKHVNGTMTLAELSAAALQYSDNTAMNKLIAQLGGPGGVTAFARAIGDETFRLDRTEPTLNTAIPGDPRDTTTPRAMAQTLRQLTLGHALGETQRAQLVTWLKGNTTGAASIRAGLPTSWTVGDKTGSGDYGTTNDIAVIWPQGRAPLVLVTYFTQPQQNAESRRDVLASAARIIAKGL
配列番号363:
MVKKSLRQFTLMATATVTLLLGSVPLYAQTADVQQKLAELERQSGGRLGVALINTADNSQILYRADERFAMCSTSKVMAAAAVLKKSESEPNLLNQRVEIKKSDLVNYNPIAEKHVNGTMSLAELSAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGGYGTTNDIAVIWPKDRAPLILVTYFTQPQPKAESRRDVLASAAKIVTDGL
配列番号364:
MVKKSLRQFTLMATATVTLLLGSVPLYAQTADVQQKLAELERQSGGRLGVALINTADNSQILYRADERFAMCSTSKVMAAAAVLKKSESEPNLLNQRVEIKKSDLVNYNPIAEKHVNGTMSLAELSAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGDYGTTNDIAVIWPKDRAPLILVTYFTQPQPKAESRRDVLASAAKIVTNGL
配列番号365:
MVKKSLRQFTLMATATVTLLLGSVPLYAQTADVQQKLAELERQSGGRLGVALINTADNSQILYRADERFAMCSTSKVMAVAAVLKKSESEPNLLNQRVEIKKSDLVNYNPIAEKHVNGTMSLAELSAAALQYSDNVAMNKLIAHVGGPASVTAFARQLGDETFRLDRTETTLNTAIPGDPRDTTSPRAMAQTLRNLTLGKALGDSQRAQLVTWMKGNTTGAASIQAGLPASWVVGDKTGSGDYGTTNDIAVIWPKDRAPLILVTYFTQPQPKAESRRDVLASAAKIVTNGL
配列番号366:
MMRKSVRRAMLMTTACVSLLLASVPLCAQANDVQQKLAALEKSSGGRLGVALINTADNTQTLYRADERFAMCSTSKVMAVAAVLKQSETQKGLLSQRVEIKPSDLINYNPIAEKHVNGTMTFGELSAAALQYSDNTAMNKLIAHLGGPDKVTAFARTIGDDTFRLDRTEPTLNTAIPGDPRDTTTPLAMAQALRNLTLGNALGDTQRAQLVMWLKGNTTGAASIQAGLPTSWVVGDKTGSGGYGTTNDIAVIWPEGRAPLVLVTYFTQSEPKAESRRDVLAAAARIVTDGY
配列番号367:
MVTKRVQRMMFAAAACIPLLLGSAPLYAQTSAVQQKLAALEKSSGGRLGVALIDTADNTQVLYRGDERFPMCSTSKVMAAAAVLKQSETQKQLLNQPVEIKPADLVNYNPIAEKHVNGTMTLAELSAAALQYSDNTAMNKLIAQLGGPGGVTAFARAIGDETFRLDRTEPTLNTAIPGDPRDTTTPRAMAQTLRQLTLGHALGETQRAQLVTWLKGNTTGAASIRAGLPTSWTVGDKTGSGDYGTTNDIAVIWPQGRAPLVLVTYFTQPQQNAERRRDVLASAARIIAEGL
配列番号368:
MMRKSVRRAMLMTTACVSLLLASVPLCAQANDVQQKLAALEKSSGGRLGVALINTADNTQTLYRADERFAMCSTSKVMAAAAVLKQSETQKGLLSQRVEIKPSDLINYNPIAEKHVNGTMTFGELSAAALQYSDNTAMNKLIAHLGGPDKVTAFARTIGDDTFRLDRTEPTLNTAIPGDPRDTTTPLAMAQALRNLTLGNALGDTQRAQLVMWLKGNTTGAASIRAGLPTSWVVGDKTGSGDYGTTNDIAVIWPEGRAPLVLVTYFTQSEPKAESRRDVLAAAARIVTDGY
配列番号369:
MVTKRVQRMMFAAAACIPLLLGSAPLYAQTSAVQQKLAALEKSSGGRLGVALIDTADNTQVLYRGDERFPMCSTSKVMAAAAVLKQSETQKQLLNQPVEIKPADLVNYNPIAEKHVNGTMTLAELSAAALQYSDNTAMNKLIAQLGGPGGVTAFARAIGDETFRLDRTEPTLNTAIPGDPRDTTTPRAMAQTLRQLTLGHALGETQRAQLVTWLKGNTTGAASIRAGLPTSWTVGDKTGSGGYGTTNDIAVIWPQGRAPLVLVTYFTQPQQNAESRRDVLASAARIIAEGL
配列番号370:
MVKKSLRQFTLMATATVTLLLGSVPLYAQTADVQQKLAELERQSGGRLGVALINTADNSQILYRADERFAMCSTSKVMAAAAVLKKSESEPNLLNQRVEIKKSDLVNYSPIAEKHVNGTMSLAELSAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGGYGTTNDIAVIWPKDRAPLILVTYFTQPQPKAESRRDVLASAAKIVTDGL
配列番号371:
MVKKSLRQFTLMATAAVTLLLGSVPLYAQTADVQQKLAELERQSGGRLGVALINTADNSQILYRADERFAMCSTSKVMAAAAVLKKSESEPNLLNQRVEIKKSDLVNYNPIAEKHVDGTMSLAELSAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGGYGTTNDIAVIWPKDRAPLILVTYFTQPQPKAESRRDVLASAAKIVTNGL
配列番号372:
MVKKSLRQFTLMATAAVTLLLGSVPLYAQTADVQQKLAELERQSGGRLGVALINTADNSQILYRADERFAMCSTSKVMAAAAVLKKSESEPNLLNQRVEIKKSDLVNYNPIAEKHVDGTMSLAELSAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGDYGTTNDIAVIWPKDRAPLILVTYFTQPQPKAESRRDVLASAAKIVTDGL
配列番号373:
MVKKSLRQFTLMATATVTLLLGSVPLYAQTVDVQQKLAELEQQSGGRLGVALINTADNSQILYRADERFAMCSTSKVMAAAAVLKKSESEPNLLNQRVEIKKSDLVNYNPIAEKHVNGTMSLAELSAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSCDYGTTNDIAVIWPKDRAPLILVTYFTQPQPKAESRRDVLASAAKIVTDGL
配列番号374:
MVKKSLRQFTLMATATVTLLLGSVPLHAQTADVQQKLAELEQQSGGRLGVALINTADNSQILYRADERFAMCSTSKVMAAAAVLKKSESEPNLLNQRVEIKKSDLVNYNPIAEKHVDGTMSLAELSAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGDYGTTNDIAVIWPKDRAPLILVTYFTQPQPKAESRRDVLASAAKIVTDGL
配列番号375:
MRHRVKRMMLMTTACISLLLGSAPLYAQANDVQQKLAALEKSSGGRLGVALIDTADNAQTLYRADERFAMCSTSKVMAAAAVLKQSETQKNVLSQKVEIKSSDLINYNPIAEKHVNGTMTLAELSAAALQYSDNTAMNKLIAHLGGPDKVTAFARAIGDDTFRLDRTEPTLNTAIPGDPRDTTTPLAMAQTLRHLTLGSALGETQRAQLVTWLKGNTTGAASIQAGLPTSWVVGDKTGSGDYGTTNDIAVIWPEGRAPLILVTYFTQPEQKAESRRDVLAAAAKIVTDGY
配列番号376:
MVTKRVQRMMFAAAACIPLLLGSAPLYAQTSAVQQKLAALEKSSGGRLGVALIDTADNTQVLYRGDERFPMCSTSKVMAAAAVLKQSETQKQLLNQPVEIKPADLVNYNPIAEKHVNGTMTLAELSAAALQYSDNTAMNKLIAQLGGPGGVTAFARAIGDETFRLDRTEPTLNTAIPGDPRDTTTPRAMAQTLRQLTLGHALGETQRAQLVTWLKGNTTGAARIRAGLPTSWTVGDKTGSGDYGTTNDIAVIWPQGRAPLVLVTYFTQPQQNAESRRDVLASAARIIAEGL
配列番号377:
MVTKRVQRMMFAAAACIPLLLGSAPLYAQTSAVQQKLAALEKSSGRRLGVALIDTADNTQVLYRGDERFPMCSTSKVMAAAAVLKQSETQKQLLNQPVEIKPADLVNYNPIAEKHVNGTMTLAELSAAALQYSDNTAMNKLIAQLGGPGGVTAFARAIGDETFRLDRTEPTLNTAIPGDPRDTTTPRAMAQTLRQLTLGHALGETQRAQLVTWLKGNTTGAASIRAGLPTSWTVGDKTGSGDYGTTNDIAVIWPQGRAPLVLVTYFTQPQQNAESRRDVLASAARIIAEGL
配列番号378:
MVTKRVQRMMFAAAACIPLLLGSAPLYAQTNAVQQKLAALEKSSGGRLGVALIDTADNTQVLYRGDERFPMCSTSKVMAAAAVLKQSETQKQLLNQPVEIKPADLVNYNPIAEKHVNGTMTLAELSAAALQYSDNTAMNKLIAQLGGPGGVTAFARAIGDETFRLDRTEPTLNTAIPGDPRDTTTPRAMAQTLRQLTLGHALGETQRAQLVTWLKGNTTGAASIRAGLPTSWTVGDKTGSGDYGTTNDIAVIWPQGRAPLVLVTYFTQPQQNAESRRDVLASAARIIAEGL
配列番号379:
MVTKRVQRMMFAAAACIPLLLGSAPLYAQTSAVQQKLAALEKSSGRRLGVPLIDTADNTQVLYRGDERFPMCSTSKVMAAAAVLKQSETQKQLLNQPVEIKPADLVNYNPIAEKHVNGTMTLAELSAAALQYSDNTAMNKLIAQLGGPGGVTAFARAIGDETFRLDRTEPTLNTAIPGDPRDTTTPRAMAQTLRQLTLGHALGETQRAQLVTWLKGNTTGAASIRAGLPTSWTVGDKTGSGDYGTTNDIAVIWPQGRAPLVLVTYFTQPQQNAESRRDVLASAARIIAEGL
配列番号380:
MVTKRVQRMMFAAAACIPLLLGSAPLYAQTSAVQQKLAALEKSSGGRLGVPLIDTADNTQVLYRGDERFPMCSTSKVMAAAAVLKQSETQKQLLNQPVEIKPADLVNYNPIAEKHVNGTMTLAELSAAALQYSDNTAMNKLIAQLGGPGGVTAFARAIGDETFRLDRTEPTLNTAIPGDPRDTTTPRAMAQTLRQLTLGHALGETQRAQLVTWLKGNTTGAASIRAGLPTSWTVGDKTGSGDYGTTNDIAVIWPQGRAPLVLVTYFTQPQQNAESRRDVLASAARIIAEGL
配列番号381:
MVTKRVQRMMFAAAACIPLLLGSAPLYAQTNAVQQKLAALEKSSGGRLGVPLIDTADNTQVLYRGDERFPMCSTSKVMAAAAVLKQSETQKQLLNQPVEIKPADLVNYNPIAEKHVNGTMTLAELSAAALQYSDNTAMNKLIAQLGGPGGVTAFARAIGDETFRLDRTEPTLNTAIPGDPRDTTTPRAMAQTLRQLTLGHALGETQRAQLVTWLKGNTTGAASIRAGLPTSWTVGDKTGSGDYGTTNDIAVIWPQGRAPLVLVTYFTQPQQNAESRRDVLASAARIIAEGL
配列番号382:
MVKKSLRQFTLMATATVTLLLGSVPLYAQTADVQQKLAELERQSGGRLGVALINTADNSQILYRADERFAMCSTSKVMAAAAVLKKSESEPNLLNQRVEIKKSDLVNYNPIAEKHVNGTMSLAELSAAALQYSDNVAMNKLIAHVGGPASVTAFARQLGDETFRLDGTEPTLNTAIPGDPRDTTSPRAMAQTLRNLTLGKALGDSQRAQLVTWMKGNTTGAASIQAGLPASWVVGDKTGSGDYGTTNDIAVIWPKDRAPLILVTYFTQPQPKAESRRDVLASAAKIVTDGL
配列番号383:
MMRKSVRRAMLMTTACVSLLLASVPLCAQANDVQQKLAALEKSSGGRLGVALINTADNTQTLYRADERFAMCSTSKVMAAAAVLKQSETQKGLLSQRVEIKPSDLINYNPIAEKHVNGTMTFGELSAAALQYSDNTAMNKLIAHLGGPDKVTAFARTIGDDTFRLDRTEPTLNTAIPGDPRDTTTPLAMAQALRNLTLGNALGDTQRAQLVMWLKGNTTGAASIQAGLPTSWVVGDKTGSGDYGTTNDIAVIWPEGRAPLVLVTYFTQSEPKAESRRDVLAAAARIVTDGY
配列番号384:
MMRKSVRRAMLMTTACVSLLLASVPLCAQANDVQQKLAALEKSSGGRLGVALINTADNTQTLYRADERFAMCSTSKVMAAAAVLKQSETQKGLLSQRVEIKPSDLVNYNPIAEKHVNGTMTFGELIAAALQYSDNTAMNKLIAHLGGPDKVTAFARTIGDDTFRLDRTEPTLNTAIPGDPRDTTTPLAMAQALRNLTLGNALGDTQRAQLVMWLKGNTTGAASIQAGLPTSWVVGDKTGSGGYGTTNDIAVIWPEGRAPLVLVTYFTQSEPKAESRRDVLAAAARIVTDGY
配列番号385:
MVKKSLRQFTLMATATVTLLLGSVPLYAQTADVQQKLAELERQSGGRLGVALINTADNSQILYRADERFAMCSTSKVMAAAAVLKKSESEPNLLNQRVEIKKSDLVNYNPIAEKHVNGTMSLAELSAAALQYSDNVAMNKLIAHVGGPASVTAFARQLGDETFRLDRTETTLNTAIPGDPRDTTSPRAMAQTLRNLTLGKALGDSQRAQLVTWMKGNTTGAASIQAGLPASWVVGDKTGSGDYGTTNDIAVIWPKDRAPLILVTYFTQPQPKAESRRDVLASAAKIVTDGL
配列番号386:
MMTQSIRRSMLTVMATLPLLFSSATLHAQANSVQQQLEALEKSSGGRLGVALINTADNSQILYRADERFAMCSTSKVMAAAAVLKQSESDKHLLNQRVEIKKSDLVNYNPIAEKHVNGTMTLAELGAAALQYSDNTAMNKLIAHLGGPDKVTAFARSLGDETFRLDRTEPTLNTAIPGDPRDTTTPLAMAQTLKNLTLGKALAETQRAQLVTWLKGNTTGSASIRAGLPKSWVVGDKTGSGGYGTTNDIAVIWPENHAPLVLVTYFTQPEQKAERRRDILAAAAKIVTHGF
配列番号387:
MVTKRVQRMMFAAAACIPLLLGSAPLYAQTSAVQQKLAALEKSSGGRLGVALIDTADNTQVLYRGDERFPMCSTSKVMAVAAVLKQSETQKQLLNQPVEIKPADLVNYNPIAEKHVNGTMTLAELSAAALQYSDNTAMNKLIAQLGGPGGVTAFARAIGDETFRLDRTEPTLNTAIPGDPRDTTTPRAMAQTLRQLTLGHALGETQRAQLVTWLKGNTTGAASIRAGLPTSWTAGDKTGSGDYGTTNDIAVIWPQGRAPLVLVTYFTQPQQNAESRRDVLASAARIIAEGL
配列番号388:
MVKKSLRQFTLMATATVTLLLGSVPLYAQTADVQQKLAELERQSGGRLGVALINTADNSQILYRADERFAMCSTSKVMAVAAVLKKSESEPNLLNQRVEIKKSDLVNYNPIAEKHVNGTMSLAELSAAALQYSDNVAMNKLIAHVGGPASVTAFARQLGDETFRLDRTESTLNTAIPGDPRDTTSPRAMAQTLRNLTLGKALGDSQRAQLVTWMKGNTTGAASIQAGLPASWVVGDKTGSGDYGTTNDIAVIWPKDRAPLILVTYFTQPQPKAESRRDVLASAAKIVTDGL
配列番号389:
MVKKSLRQFTLMATATVTLLLGSVPLYAQTADVQQKLAELERQSGGRLGVALINTADNSQILYRADERFPMCSTSKVMAAAAVLKKSESEPNLLNQRVEIKKSDLVNYNPIAEKHVNGTMSLAELSAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGGYGTTNDIAVIWPKDRAPLILVTYFTQPQPKAESRRDVLASAAKIVTDGL
配列番号390:
MVKKSLRQFTLMATATVTLLLGSVPLYAQTVDVQQKLAELEQQSGGRLGVALINTADNSQILYRADERFAMCSTSKVMAVAAVLKKSESEPNLLNQRVEIKKSDLVNYNPIAEKHVNGTMSLAELSAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGGYGTTNDIAVIWPKDRAPLILVIYFTQPQPKAESRRDVLASAAKIVTDGL
配列番号391:
MVKKSLRQFTLMATATVTLLLGSVPLYAQTADVQQKLAELERQSGGRLGVALINTADNSQILYRADERFAMCSTSKVMAAAAVLKKSESEPNLLNQRVEIKKSDLVNYNPIAEKHVNGTMSLAELSAAALQYSDNVAMNKLIAHVGGPASVTAFARQLGDETFRLDRTEQTLNTAIPGDPRDTTSPRAMAQTLRNLTLGKALGDSQRAQLVTWMKGNTTGAASIQAGLPASWVVGDKTGSGDYGTTNDIAVIWPKDRAPLILVTYFTQPQPKAESRRDVLASAAKIVTDGL
配列番号392:
MMTQSIRRSMLTVMATLPLLFSSATLHAQANSVQQQLEALEKSSGGRLGVALINTADNSQILYRADERFAMCSTSKVMAAAAVLKQSESDKLLLNQRVEIKKSDLVNYNPIAEKHVNGTMTLAELGAAALQYSDNTAMNKLIAHLGGPDKVTAFARSLGDETFRLDRTEPTLNTAIPGDPRDTTTPLAMAQTLKNLTLGKALAETQRAQLVTWLKGNTTGSASIRAGLPKSWVVGDKTGSGDYGTTNDIAVIWPENHAPLVLVTYFTQPEQKAESRRDILAAAAKIVTHGF
配列番号393:
MVKKSLRQFTLMATATVTLLLGSVPLYAQTADVQQKLAELERQSGGRLGVALINTADNSQILYRADERFAMCSTSKVMAVAAVLKKSESEPNLLNQRVEIKKSDLVNYNPIAEKHVNGTMSLAELSAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGGYGTTNDIAVIWPKDRAPLILVTYFTQPQPKAESRRDVLASAAKIVTDGL
配列番号394:
MVKKSLRQFTLMATATVTLLLGSVPLYAQTADVQQKLAELERQSGGRLGVALINTADNSQILYRADERFAMCSTSKVMAVAAVLKKSESEPNLLNQRVEIKKSDLVNYNPIAEKHVNGTMSLAELSAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGGYGTTNDIAVIWPKDRAPLILVTYFTQPQPKAESRRDVLASAAKIVTDGL
配列番号395:
MVKKSLRQFTLMATATVTLLLGSVPLYAQTADVQQKLAELERQSGGRLGVALINTADNSQILYRADERFAMCSTSKVMAVAAVLKKSESEPNLLNQRVEIKKSDLVNYNPIAEKHVDGTMSLAELSAAALQYSDNVAMNKLISHVGGPASVTAFARQLGDETFRLDRTETTLNTAIPGDPRDTTSPRAMAQTLRNLTLGKALGDSQRAQLVTWMKGNTTGAASIQAGLPASWVVGDKTGSGDYGTTNDIAVIWPKDRAPLILVTYFTQPQPKAESRRDVLASAAKIVTNGL
配列番号396:
MVKKSLRQFTLMATATVTLLLGSVPLYAQTADVQQKLAELERQSGGRLGVALINTADNSQILYRADERFAMCSTSKVMAVAAVLKKSESEPNLLNQRVEIKKSDLVNYNPIAEKHVDGTMSLAELSAAALQYSDNVAMNKLISHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGDYGTTNDIAVIWPKDRAPLILVTYFTQPQPKAESRRDVLASAAKIVTDGL
配列番号397:
MMTQSIRRSMLTVMATLPLLFSSATLHAQANSVQQQLEALEKSSGGRLGVALINTADNSQILYRADERFAMCSTSKVMAAAAVLKQSESDKHLLNQRVEIKKSDLVNYNPIAEKHVNGTMTLAELGAAALQYSDNTAMNKLIAHLGGPDKVTAFARSLGDETFRLDRTEPTLNTAIPGDPRDTTTPLAMAQTLKNLTLGKALAETQRAQLVTWLKGNTTGSASIRAGLPKSWVVGDKTGSGDYGTTNDIAVIWPENHAPLVLVTYFTQPEQKAENRRDILAAAAKIVTHGF
配列番号398:
MVTKRVQRMMFAAAACIPLLLGSAPLYAQTSAVQQKLAALEKSSGGRLGVALIDTADNTQVLYRGDERFPMCSTSKVMAVAAVLKQSETQKQLLNQPVEIKPADLVNYNPIAEKHVNGTMTLAELSAAALQYSDNTAMNKLIAQLGGPGGVTAFARAIGDETFRLDRTEPTLNTAIPGDPRDTTTPRAMAQTLRQLTLGHALGETQRAQLVTWLKGNTTGAASIRAGLPTSWTVGDKTGSGDYGTTNDIAVIWPQGRAPLVLVTYFTQPQQNAERRRDVLASAARIIAEGL
配列番号399:
MVKKSLRQFTLMATATVTLLLGSVPLYAQTADVQQKLAELERQSGGRLGVALINTADNSQILYRADERFAMCSTSKVMAVAAVLKKSESEPNLLNQRVEIKKSDLVNYNPIAEKHVNGTMSLAELSAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGGYGTTNDIAVIWPKDRAPLILVTYFTQPQPKAESRRDVLASAAKIVTNGL
配列番号400:
MVKKSLRQFTLMATATVTLLLGSVPLYAQTADVQQKLAELERQSGGRLGVALINTADNSQILYRADERFAMCSTSKVMAAAAVLKKSESEPNLLNQRVEIKKSDLVNYNPIAEKHVNGTMSLAELSAAALQYSDNVAMNKLIAHVGGPASVTAFARQLGDETFRLDRTESTLNTAIPGDPRDTTSPRAMAQTLRNLTLGKALGDSQRAQLVTWMKGNTTGAASIQAGLPASWVVGDKTGSGDYGTTNDIAVIWPKDRAPLILVTYFTQPQPKAESRRDVLASAAKIVTDGL
配列番号401:
MVKKSLRQFTLMATATVTLLLGNVPLYAQTADVQQKLAELERQSGGRLGVALINTADNSQILYRADERFAMCSTSKVMAAAAVLKKSESEPNLLNQRVEIKKSDLVNYNPIAEKHVNGTMSLAELSAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGDYGTTNDIAVIWPKDRAPLILVTYFTQPQPKAESRRDVLASAAKIVTDGL
配列番号402:
MVTKRVQRMMFAAAACIPLLLGSAPLYAQTSAVQQKLAALEKSSGGRLGVALIDTADNTQVLYRGDERFPMCSTSKVMAAAAVLKQSETQKQLLNQPVEIKPADLVNYSPIAEKHVNGTMTLAELSAAALQYSDNTAMNKLIAQLGGPGGVTAFARAIGDETFRLDRTEPTLNTAIPGDPRDTTTPRAMAQTLRQLTLGHALGETQRAQLVTWLKGNTTGAASIRAGLPTSWTVGDKTGSGDYGTTNDIAVIWPQGRAPLVLVTYFTQPQQNAESRRDVLASAARIIAEGL
配列番号403:
MVTKRVQRMMFAAAACIPLLLGSAPLYAQTSAVQQKLAALEKSSGGRLGVALIDTADNTQVLYRGDERFPMCSTSKVMAAAAVLEQSETQKQLLNQPVEIQPADLVNYNPIAEKHVNGTMTLAELSAAALQYSDHTAMNKLIAQLGGPGGVTAFARAIGDETFRLDRTEPTLNTAIPGDPRDTTTPRAMAQTLRQLTLGHALGETQRAQLVTWLKGNTTGAASIRAGLPTSWTVGDKTGSGDYGTTNDIAVIWPQGRAPLVLVTYFTQPQQNAESRRDVLASAARIIAEGL
配列番号404:
MVKKSLRQFTLMATATVTLLLGSVPLHAQTVDVQQKLAELERQSGGRLGVALINTADNSQILYRADERFAMCSTSKVMAAAAVLKKSESEPNLLNQRVEIKKSDLVNYNPIAEKHVNGTMSLAELSAAALQYSDNVAMNKLIAHVGGPASVTAFARQLGDDTFRLDRTEPTLNTAIPGDPRDTTSPRAMAQTLRNLTLGKALGDSQRAQLVTWMKGNTTGAASIQAGLPASWVVGDKTGSGDYGTTNDIAVIWPKDRAPLILVTYFTQPQPKAESRRDVLASAAKIVTDGL
配列番号405:
MVKKSLRQFTLMATATVTLLLGSVPLYAQTVDVQQKLAELERQSGGRLGVALINTADNSQILYRADERFAMCSTSKVMAAAAVLKKSESEPNLLNQRVEIKKSDLVNYNPIAEKHVNGTMSLAELSAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGDYGTTNDIAVIWPKDRAPLILVTYFTQPQPKAESRRDVLASAAKIVTDGL
配列番号406:
MVKKSLRQFTLMATATVTLLLGSVPLYAQTADVQQKLAELERQSGGRLGVALINTADNSQILYRADERFAMCSTSKVMAVAAVLKKSESEPNLLNQRVEIKKSDLVNYNPIAEKHVNGTMSLAELSAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGGYGTTNDIAVIWPKDRAPLILVTYFTQPQPNAESRRDVLASAAKIVTNGL
配列番号407:
MVTKRVQRMMFAAAACIPLLLGSAPLYAQTSAVQQKLAALEKSSGGRLGVALIDTADNTQVLYRGDERFPMCSTSKVMAVAAVLKQSETQKQLLNQPVEIKPADLVNYNPIAEKHVNGTMTLAELSAAALQYSDNTAMNKLIAQLGGPGGVTAFARAIGDETFRLDRTELTLNTAIPGDPRDTTTPRAMAQTLRQLTLGHALGETQRAQLVTWLKGNTTGAASIRAGLPTSWTVGDKTGSGDYGTTNDIAVIWPQGRAPLVLVTYFTQPQQNAESRRDVLASAARIIAEGL
配列番号408:
MVTKRVQRMMFAAAACIPLLLGSAPLYAQTSAVQQKLAALEKSSGGRLGVALIDTADNTHVLYRGDERFPMCSTSKVMAAAAVLKQSETQKQLLNQPVEIKPADLVNYNPIAEKHVNGTMTLAELSAAALQYSDNTAMNKLIAQLGGPGGVTAFARAIGDETFRLDRTEPTLNTAIPGDPRDTTTPRAMAQTLRQLTLGHALGETQRAQLVTWLKGNTTGAASIRAGLPTSWTVGDKTGSGDYGTTNDIAVIWPQGRAPLVLVTYFTQPQQNAESRRDVLASAARIIAEGL
配列番号409:
MVTKRVQRMMFAAAACIPLLLGSAPLYAQTSAVQQKLAALEKSSGGRLGVALIDTADNTQVLYRGDERFPMCSTSKVMAAAAVLKQSETQKQLLNQPVEIKPADLVNYNPIAEKHVNGTMTLAELSAAALQYSDNTAMNKLIAQLGGPGGVTAFARAIGDETFRLDRTEPTLNTAIPGDPRDTTTPRAMAQTLRQLTLGHALGETQRAQLVAWLKGNTTGAASIRAGLPTSWTVGDKTGSGDYGTTNDIAVIWPQGRAPLVLVTYFTQPQQNAESRRDVLASAARIIAEGL
配列番号410:
MVTKRVQRMMFAAAACIPLLLGSAPLYAQTSAVQQKLAALEKSSGGRLGVALIDTADNTQVLYRGDERFPMCSTSKVMAAAAVLKQSETQKQLLNQPVEIKPADLVNYNPIAEKHVNGTMTPAELSAAALQYSDNTAMNKLIAQLGGPGGVTAFARAIGDETFRLDRTEPTLNTAIPGDPRDTTTPRAMAQTLRQLTLGHALGETQRAQLVTWLKGNTTGAASIRAGLPTSWTVGDKTGSGDYGTTNDIAVIWPQGRAPLVLVTYFTQPQQNAESRRDVLASAARIIAEGL
配列番号411:
MVTKRVQRMMFAAAACIPLLLGSAPLYAQTSAVQQKLAALEKSSGGRLGVALIDTADNTQVLYRGDERFPMCSTSKVMAAAAVLKQSETQKQLLNQPVEIKPADLVNYNPFAEKHVNGTMTLAELSAAALQYSDNTAMNKLIAQLGGPGGVTAFARAIGDETFRLDRTEPTLNTAIPGDPRDTTTPRAMAQTLRQLTLGHALGETQRAQLVTWLKGNTTGAASIRAGLPTSWTVGDKTGSGDYGTTNDIAVIWPQGRAPLVLVTYFTQPQQNAESRRDVLASAARIIAEGL
配列番号412:
MVKKSLRQFTLMATATVTLLLGSVPLYAQTADVQQKLAELERQSGGRLGVALINTADNSQILYRADERFAMCSTSKVMAAAAVLKKSESEPNLLNQRVEIKKSDLVNYNPIAEKHVNGTMSLAELSAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGGYGTTNDIAVIWPKDRAPLILVTYFTQPQPKAESRHDVLASAAKIVTDGL
配列番号413:
MVTKRVQRMMFAAAACIPLLLGSAPLYAQTSAVQQKLAALEKSSGGRLGVALIDTADNTQVLYRGDERFPMCSTSKVMAVAAVLKQSETQKQLLNQPVEIKPADLVNYNPIAEKHVNGTMTLAELSAAALQYSDNTAMNKLIAQLGGPGGVTAFARAIGDETFRLDRTEPTLNTAIPGDPRDTTTPRAMAQTLRQLTLGHALGETQRAQLVTWLKGNTTGAASIRAGLPTSWTVGDKTGSGDYGTTNDIAVIWPQGRAPLVLVTYFTQPQQNAESRRDVLASAARIIAEGL
配列番号414:
MMRKSVRRAMLMTTACVSLLLASVPLCAQANDVQQKLAALEKSSGGRLGVALINTADNTQTLYRADERFAMCSTSKVMAVAAVLKQSETQKGLLSQRVEIKPSDLINYNPIAEKHVNGTMTFGELSAAALQYSDNTAMNKLIAHLGGPDKVTAFARTIGDDTFRLDRTEPTLNTAIPGDPRDTTTPLAMAQALRNLTLGNALGDTQRAQLVMWLKGNTTGAASIQAGLPTSWVVGDKTGSGDYGTTNDIAVIWPEGRAPLVLVTYFTQSEPKAESRRDVLAAAARIVTDGY
配列番号415:
MMTQSIRRSMLTVMATLPLLFSSATLHAQANSVQQQLEALEKSSGGRLGVALINTADNSQILYRADERFAMCSTSKVMAAAAVLKQSESDKHLLNQRVEIKKSDLVNYNPIAEKHVNGTMTLAELGAAALQYSDNTAMNKLIAHLGGPDKVTAFARSLGDETFRLDRTETTLNTAIPGDPRDTTTPLAMAQTLKNLTLGKALAETQRAQLVTWLKGNTTGSASIRAGLPKSWVVGDKTGSGDYGTTNDIAVIWPENHAPLVLVTYFTQPEQKAESRRDILAAAAKIVTHGF
配列番号416:
MMTQSIRRSMLTVMATLSLLFSSATLHAQANSVQQQLEALEKSSGGRLGVALINTADNSQILYRADERFAMCSTSKVMAAAAVLKQSESDKHLLNQRVEIKKSDLVNYNPIAEKHVNGTMTLAELGAAALQYSDNTAMNKLIAHLGGPDKVTAFARSLGDETFRLDRTEPTLNTAIPGDPRDTTTPLAMAQTLKNLTLGKALAETQRAQLVTWLKGNTTGSASIRAGLPKSWVVGDKTGSGDYGTTNDIAVIWPENHAPLVLVTYFTQPEQKAESRRDILAAAAKIVTHGF
配列番号417:
MVKKSLRQFTLMATATVTLLLGSVPLYAQTADVQQKLAELERQSGGRLGVALINTADNSQILYRADERFAMCSTSKVMAAAAVLKKSESEPNLLNQRVEIKKSDLVNYNPIAEKHVNGTMSLAELSAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSCGYGTTNDIAVIWPKDRAPLILVTYFTQPQPKAESRRDVLASAAKIVTDGL
配列番号418:
MMRKSVRRAMLMTTACVSLLLASVPLCAQANDVQQKLAALEKSSGGRLGVALINTADNTQTLYRADERFAMCSTSKVMAVAAVLKQSETQKGLLSQRVEIKPSDLINYNPIAEKHVNGTMTFGELSAAALQYSDNTAMNKLIAHLGGPDKVTAFARTIGDDTFRLDRTEPTLNTAIPGDPRDTTTPLAMAQSLRNLTLGNALGDTQRAQLVMWLKGNTTGAASIQAGLPTSWVVGDKTGSGDYGTTNDIAVIWPEGRAPLVLVTYFTQSEPKAESRRDVLAAAARIVTDGY
配列番号419:
MMTQSIRRSMLTVMATLPLLFSSATLHAQANSVQQQLEALEKSSGGRLGVALINTADNSQILYRADERFAMCSTSKVMAAAAVLKQSESDKHLLNQRVEIKKSDLVNYNPIAEKHVNGTMTLAELGAAALQYSDNTAMNKLIAHLGGPDKVTAFARSLGDETFRLDRTEPTLNTAIPGDPRDTTTPLAMAQTLKNLTLGKALAETQRTQLVTWLKGNTTGSASIRAGLPKSWVVGDKTGSGDYGTTNDIAVIWPENHAPLVLVTYFTQPEQKAESRRDILAAAAKIVTHGF
配列番号420:
MMRKSVRRAMLMTTACVSLLLASVPLCAQANDVQQKLAALEKSSGGRLGVALINTADNTQTLYRADERFAMCSTSKVMAAAAVLKQSETQKGLLSQRVEIKPSDLINYNPIAEKHVNGTMTLGELSAAALQYSDNTAMNKLIAHLGGPDKVTAFARTIGDDTFRLDRTEPTLNTAIPGDPRDTTTPLAMAQALRNLTLGNALGDTQRAQLVMWLKGNTTGAASIQAGLPTSWVVGDKTGSGGYGTTNDIAVIWPEGRAPLVLVTYFTQSEPKAESRRDVLAAAARIVTDGY
配列番号421:
MVTKRVQRMMFAAAACIPLLLGSAPLYAQTSAVQQKLAALEKSSGGRLGVALIDTADNTQVLYRGDERFPMCSTSKVMAAAAVLKQSETQKQLLNQPVEIKPADLVNYNPIAEKHVNGTMTLAELSAAALQYSDNTAMNKLIAQLGGPGGVTAFARAIGDETFRLDRTESTLNTAIPGDPRDTTTPRAMAQTLRQLTLGHALGETQRAQLVTWLKGNTTGAASIRAGLPTSWTVGDKTGSGDYGTTNDIAVIWPQGRAPLVLVTYFTQPQQNAERRRDVLASAARIIAEGL
配列番号422:
MMTQSIGRSMLTVMATLPLLFSSATLHAQANSVQQQLEALEKSSGGRLGVALINTADNSQILYRADERFAMCSTSKVMAAAAVLKQSESDKHLLNQRVEIKKSDLVNYNPIAEKHVNGTMTLAELGAAALQYSDNTAMNKLIAHLGGPDKVTAFARSLGDETFRLDRTEPTLNTAIPGDPRDTTTPLAMAQTLKNLTLGKALAETQRAQLVTWLKGNTTGSASIRAGLPKSWVVGDKTGSGDYGTTNDIAVIWPENHAPLVLVTYFTQPEQKAESRRDILAAAAKIVTHGF
配列番号423:
MVTKRVQRMMFAAAACIPLLLGSAPLYAQTSAVQQKLAALEKSSGGRLGVALIDTADNTQVLYRGDERFPMCSTSKVMAVAAVLKQSETQKQLLNQPVEIKPADLVNYNPIAEKHVNGTMTLAELSAAALQYSDNTAMNKLIAQLGGPGGVTAFARAIGDETFRLDRTEPTLNTAIPGDPRDTTTPRAMAQTLRQLTLGHALGETQRAQLVTWLKGNTTGAASIRAGLPTSWTVGDKTGSGGYGTTNDIAVIWPQGRAPLVLVTYFTQPQQNAESRRDVLASAARIIAEGL
配列番号424:
MMTQSIRRSMLTVMATLPLLFSSATLHAQANSVQQQLEALEKSSGGRLGVALINTADNSQILYRADERFAMCSTSKVMAAAAVLKQSESDKHLLNQRVEIKKSDLVNYNPIAEKHVNGTMTLAELGAAALQYSDNTAMNKLIAHLGGPDKVTAFARSLGDETFRLDRTEPTLNTAIPGDPRDTTTPLAMAQTLKNLTLGKALAETQRAQLVTWLKGNTTGSASIRAGLPKSWVVGDKTGSGDYGTTNDIAVIWPENHAPLVLVTYFTQPEQKAERRRDILAAAAKIVTHGF
配列番号425:
MVTKRVQRMMSAAAACIPLLLGSPTLYAQTSAVQQKLAALEKSSGGRLGVALIDTADNTQVLYRGDERFPMCSTSKVMAAAAVLKQSETQKQLLNQPVEIKPADLVNYNPIAEKHVNGTMTLAELSAAALQYSDNTAMNKLIAQLGGPGGVTAFARAIGDETFRLDRTEPTLNTAIPGDPRDTTTARAGADVASLRWVMRWAKPSGAVGDVAQRQYDRAAGIRAGLPTSWTVGDKTGSGDYGTTNDIAVIWPQGRAPLVLVTYFTQPQQNAESRRDVLASAARIIAEGL
配列番号426:
MVKKSLRQFTLMATATVTLLLGSVPLYAQTADVQQKLAELERQSGGRLGVALINTADNSQILYRADERFAMCSTSKVMAAAAVLKKSESEPNLLNQRVEIKKSDLVNYNPIAEKHVDGTMSLAELSAAALQYSDNVAMNKLISHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGDYGTTNDIAVIWPKDRAPLILVTYFTQPQPKAESRRDVLASAAKIVTNGL
配列番号427:
MRHRVKRMMLMTTACISLLLGSAPLYAQANDVQQKLAALEKSSGGRLGVALIDTADNAQTLYRADERFAMCSTSKVMAAAAVLKQSETQKNVLSQKVEIKSSDLINYNPIAEKHVNGTMTLAELSAAALQYSDNTAMNKLIAHLGGPDKVTAFARAIGDDTFRLDRTEPTLNTAIPGDPRDTTTPLAMAQTLRHLTLGSALGETQRAQLVTWLKGNTTGAASIQAGLPTSWVVGDKTGSGDYGTTNDIAVIWPEGRAPLILVTYFTQPEQKAENRRDVLAAAAKIVTDGY
配列番号428:
MVKKSLRQFTLMATATVTLLLGSVPLYAQTADVQQKLAELERQSGGRLGVALINTADNSQILYRADERFPMCSTSKVMAAAAVLKQSETQKQLLNQPVEIKPADLVNYNPIAEKHVNGTMTLAELSAAALQYSDNTAMNKLIAQLGGPGGVTAFARAIGDETFRLDRTEPTLNTAIPGDPRDTTTPRAMAQTLRQLTLGHALGETQRAQLVTWLKGNTTGAASIRAGLPASWVVGDKTGSGGYGTTNDIAVIWPKDRAPLILVTYFTQPQPKAESRRDVLASAAKIVTDGL
配列番号429:
MMTQSIRRSMLTVMATLPLLFSSATLHAQANSVQQQLEALEKSSGGRLGVALINTADNSQILYLADERFAMCSTSKVMAAAAVLKQSESDKHLLNQRVEIKASDLVNYNPIAEKHVNGTMTLAELGAGALQYSDNTAMNKLIAHLGGPDKVTAFARSLGDETFRLDRTEPTLNSAIPGDPRDTTTPLAMAQTLKNLTLGKALAETQRAQLVTWLKGNTTGSASIRAGLPKCWVVGDKTGSGDYGTTNDIAVIWPENHAPLVLVTYFTQPEQKAESRRDVLAAAAKIVTHGF
配列番号430:
MMTQSIRRSMLTVMATLPLLFSSATLHAQANSVQQQLEALEKSSGGRLGVALINTADNSQILYVADERFAMCSTSKVMAAAAVLKQSESDKHLLNQRVEIRASDLVNYNPIAEKHVNGTMTLAQLGAGALQYSDNTAMNKLIAHLGGPDKVTAFARSLGDETFRLDRTEPTLNSAIPGDPRDTTTPLAMAQTLKNLTLGKALAETQRAQLVTWLKGNTTGSASIRAGLPKSWGVGDKTGSGDYGTTNDIAVIWPENHAPLVLVTYFTQPEQKAESRRDVLAAAAKIVTHGF
配列番号431:
MVKKSLRQFTLMATATVTLLLGSVPLYAQTADVQQKLAELERQSGGRLGVALINTADNSQILYRADERFAMCSTSKVMAVAAVLKKSESEPNLLNQRVEIKKSDLVNYNPIAEKHVDGTMSLAELSAAALQYSDNVAMNKLISHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGDYGTTNDIAVIWPKDRAPLILVTYFTQPQPKAESRRDVLASAAKIVTNGL
配列番号432:
MMTQSIRRSMLTVMATLPLLFSSATLHAQANSVQQQLEALEKSSGGRLGVALINTADNSQILYRADERFAMCSTSKVMAAAAVLKQSESDKHLLNQRVEIKKSDLVNYNPIAEKHVNGTMTLAELGAAALQYSDNTAMNKLIAHLGGPDKVTAFARSLGDETFRLDRTEPTLNTAIPGDPRDTTTPLAMAQTLKNLTLGKALAETQRAQLVTWLKGNTTGSASIRAGLPKSWVVGDKTGSGDYGTTNDIAVIWPENHAPLVLVTYFTQPEQKAESRRDILAAAAKIVTHGF
配列番号433:
MVKKSLRQFTLMATATVTLLLGSVPLYAQTADVQQKLAELERQSGGRLGVALINTADNSQILYRADERFAMCSTSKVMAAAAVLKKSESEPNLLNQRVEIKKSDLVNYNPIAEKHVNGTMSLAELSAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGDYGTTNDIAVIWPKDRAPLILVTYFTQPQPKAESRRDVLASAAKIVTDGL
配列番号434:
MMTQSIRRSMLTVMATLPLLFSSATLHAQANSVQQQLEALEKSSGGRLGVAQINTADNSQILYVADERFAMCSTSKVMAAAAVLKQSESDKHLLNQRVEIRASDLVNYNPIAEKHVNGTMTLAELGAGALQYSDNTAMNKLIAHLGGPDKVTAFARSLGDETFRLDRTEPTLNSAIPGDPRDTTTPLAMAQTLKNLTLGKALAETQRAQLVTWLKGNTTGSASIRAGMPKSWGVGDKTGSGDYGTTNDIAVIWPENHAPLVLVTYFTQPEQKAESRRDILAAAAKIVTHGF
配列番号435:
MMTQSIRRSMLTVMATLPLLFSSATLHAQANSVQQQLEALEKSSGGRLGVALINTADNSQILYRADERFAMCSTSKVMAAAAVLKQSESDKHLLNQRVEIKKSDLVNYNPIAEKHVNGTMTLAELGAAALQYSDNTAMNKLIAHLGGPDKVTAFARSLGDETFRLDRTEPTLNTAIPGDPRDTTTPLAMAQTLKNLTLGKALAETQRAQLVTWLKGNTTGSASIRAGLPKSWVVGDKTGSGDYGTTNDIAVIWPENHAPLVLVTYFTQPEQKAESRRDFLAAAAKIVTHGF
配列番号436:
MVTKRVQRMMFAGGAGIPLLLGSAPFYAQTSAGQQKLAALEKSSGGRLGVALIDTADNTQVLYRGDERFPMCSTSKVMAAAAVLKQSETQKQLLNQPVEIKPADLVNYNPIAEKHVNGTMTLAELSAAALQYSDNTAMNKLIAQLGGPGGVTAFARAIGDETFRLDRTEPTLNTAIPGDPRDTTTPRAMAQTLRQLTLGHALGETQRAQLVTWLKGNTTGAASIRAGLPTSWTVGDKTGSGDYGTTNDIAVIWPQGRAPLVLVTYFTQPQQNAESRRDVLASAARIIAEGL
配列番号437:
MVKKSLRQFTLMATATVTLLLGSVPLYAQTADVQQKLAELERQSGGRLGVALINTADNSQILYRADERFAMCSTSKVMAAAAVLKKSESEPNLLNQRVEIKKSDLVNYNPIAEKHVNGTMSLAELSAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGGYGTTNDIAVIWPKDRAPLILVTYFTQPQPKAESRRDVLASAAKIVTNGL
配列番号438:
MVKKSLRQFTLMATATVTLLLGSVPLYAQTADVQQKLAELERQSGGRLGVALINTADNSQILYRADERFAMCSTSKVMAVAAVLKKSESEPNLLNQRVEIKKSDLVNYNPIAEKHVDGTMSLAELSAAALQYSDNVAMNKLISHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGGYGTTNDIAVIWPKDRAPLILVTYFTQPQPKAESRRDVLASAAKIVTNGL
配列番号439:
MMTQSIRRSMLTVMATLPLLFSSATLHAQANSVQQQLEALEKSSGGRLGVALINTADNSQILYRADERFAMCSTSKVMAAAAVLKQSESDKHLLNQRVEIKKSDLVNYNPIAEKHVNGTMTLAELGAAALQYSDNTAMNKLIAHLGGPDKVTAFARSLGDESFRLDRTEPTLNTAIPGDPRDTTTPLAMAQTLKNLTLGKALAETQRAQLVTWLKGNTTGSASIRAGLPKSWVVGDKTGSGDYGTTNDIAVIWPENHAPLVLVTYFTQPEQKAESRRDILAAAAKIVTHGF
配列番号440:
MVKKSLRQFTLMATAAVTLLLGSVPLYAQTADVQQKLAELERQSGGRLGVALINTADNSQILYRADERFAMCSTSKVMAAAAVLKKSESEPSLLNQRVEIKKSDLVNYNPIAEKHVNGTMSLAELSAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGGYGTTNDIAVIWPKDRAPLILVTYFTQPQPKAESRRDILASAAKIVTDGL
配列番号441:
MVKKSLRQFTLMATAAVTLLLGSVPLYAQTADVQQKLAELERQSGGRLGVALINTADNSQILYRADERFAMCSTSKVMAVAAVLKKSESEPSLLNQRVEIKKSDLVNYNPIAEKHVNGTMSLAELSAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGDYGTTNDIAVIWPKDRAPLILVTYFTQPQPKAESRRDILASAAKIVTDGL
配列番号442:
MMTQSIRRSMLTVMATLPLLFSSATLHAQTNSVQQQLKALEKSSGGRLGVALINTADNSQILYRADERFAMCSTSKVMAAAAVLKQSESDKHLLNQRVEIKKSDLVNYNPIAEKHVNGTMTLAELGAAALQYSDNTAMNKLIAHLGGPDKVTAFARSLGDETFRLDRTEPTLNTAIPGDPRDTTTPLAMAQTLKNLTLGKALAETQRAQLVTWLKGNTTGSASIQAGLPKSWVVGDKTGSGDYGTTNDIAIIWPENHAPLVLVTYFTQPEQKAESRRDVLAAAAKIVTRGF
配列番号443:
MMRKSVRRAILMTTACVSLLLASVPLYAQANDIQQKLAALEKSSGGRLGVALINTADNTQTLYRADERFAMCSTSKVMAAAAVLKQSETQKDLLSQRVEIKSSDLINYNPIAEKHVNGTMTLGELSAAALQYSDNTAMNKLIAHLGGPGKVTAFARVIGDDTFRLDRTEPTLNTAIPGDPRDTTTPLAMAQTLRNLTLGNALGDTQRAQLVTWLKGNTTGAASIQAGLPTSWVVGDKTGSGDYGTTNDIAVIWPEGRAPLVLVTYFTQPEPKAESRRDVLAAAARIVTDGY
配列番号444:
MMTQSIRRSMLTVMATLPLLFSSATLHAQTNSVQQQLEALEKSSGGRLGVALINTADNSQILYRADERFAMCSTSKVMAAAAVLKQSESDKHLLNQRVEIKKSDLVNYNPIAEKHVNGTMTLAELGAAALQYSDNTAMNKLIAHLGGPDKVTAFARSLGDETFRLDRTEPTLNTAIPGDPRDTTTPLAMAQTLKNLTLGKALAETQRAQLVTWLKGNTTGSASIRAGLPKSWGVGDKTGSGDYGTTNDIAVIWPENHAPLVLVTYFTQPEQKAESRRDVLAAAAKIVTHGF
配列番号445:
MMTQSIRRSMLTVMATLPLLFSSATLHAQTNSVQQQLEALEKSSGGRLGVALINTADNSQILYRADERFAMCSTSKVMAAAALLKQSESDKHLLNQRVEIKKSDLVNYNPIAEKHVNGTMTLAELGAAALQYSDNTAMNKLIAHLGGPDKVTAFARSLGDETFRLDRTEPTLNTAIPGDPRDTTTPLAMAQTLKNLTLGKALAETQRAQLVTWLKGNTTGSASIQAGLPKSWVVGDKTGSGDYGTTNDIAVIWPENHAPLVLVTYFTQPEQKAESRRDVLAAAAKIVTHGF
配列番号1871:
MVTKRVQRMMFAAAACIPLLLGSAPLYAQTSAVQQKLAALEKSSGGRLGVALIDTADNTQVLYRGDERFPMCSTSKVMAAAAVLKQSETQKQLLNQPVEIKPADLVNYNPIAEKHVNGTMTLAELSAAALQYSDNTAMNKLIAQLGGPGGVTAFARAIGDETFRLDRTEPTLNTAIPGDPRDTTTPRAMAQTLRQLTLGHALGETQRAQLVTWLKGNTTGAASIRAGLPTSWTVGDKTGSGDYGTTNDIAVIWPQGRAPLVLVTYFTQPQQNAESRRDVLASAARIIAEGL
配列番号1872:
MVTKRVQRMMFAAAACIPLLLGSAPLYAQTSAVQQKLAALEKSSGGRLGVALIDTADNTQVLYRGDERFPMCSTSKVMAAAAVLKQSETQKQLLNQPVEIKPADLVNYNPIAEKHVNGTMTLAELSAAALQYSDNTAMNKLIAQLGGPGGVTAFARAIGDETFRLDRTESTLNTAIPGDPRDTTTPRAMAQTLRQLTLGHALGETQRAQLVTWLKGNTTGAASIRAGLPTSWTVGDKTGSGDYGTTNDIAVIWPQGRAPLVLVTYFTQPQQNAESRRDVLASAARIIAEGL
配列番号1873:
MVTKRVQRMMFAAAACIPLLLGSAPLYAQTSAVQQKLAALEKSSGGRLGVALIDTADNTQVLYRGDERFPMCSTSKVMAAAAVLKQSETQKQLLNQPVEIKPADLVNYNPIAEKHVNGTMTLAELSAAALQYSDNTAMNKLIAQLGGPGGVTAFARAIGDETFRLDRTEPTLNTAIPGDPRDTTTPRAMAQTLRQLTLGHALGETQRAQLVTWLKGNTTGAASIRAGLPTSWTVGDKTGSGDYGTTNDIAVIWPQGRAPLVLVTYFTQPQQNAESRRDVLASAARIIAKGL
配列番号1874:
MVKKSLRQFTLMATATVTLLLGSVPLYAQTADVQQKLAELERQSGGRLGVALINTADNSQILYRADERFAMCSTSKVMAAAAVLKKSESEPNLLNQRVEIKKSDLVNYNPIAEKHVNGTMSLAELSAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGGYGTTNDIAVIWPKDRAPLILVTYFTQPQPKAESRRDVLASAAKIVTDGL
配列番号1875:
MVKKSLRQFTLMATATVTLLLGSVPLYAQTADVQQKLAELERQSGGRLGVALINTADNSQILYRADERFAMCSTSKVMAAAAVLKKSESEPNLLNQRVEIKKSDLVNYNPIAEKHVNGTMSLAELSAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGDYGTTNDIAVIWPKDRAPLILVTYFTQPQPKAESRRDVLASAAKIVTNGL
配列番号1876:
MVTKRVQRMMFAAAACIPLLLGSAPLYAQTSAVQQKLAALEKSSGGRLGVALIDTADNTQVLYRGDERFPMCSTSKVMAAAAVLKQSETQKQLLNQPVEIKPADLVNYNPIAEKHVNGTMTLAELSAAALQYSDNTAMNKLIAQLGGPGGVTAFARAIGDETFRLDRTEPTLNTAIPGDPRDTTTPRAMAQTLRQLTLGHALGETQRAQLVTWLKGNTTGAASIRAGLPTSWTVGDKTGSGDYGTTNDIAVIWPQGRAPLVLVTYFTQPQQNAERRRDVLASAARIIAEGL
配列番号1877:
MRHRVKRMMLMTTACISLLLGSAPLYAQANDVQQKLAALEKSSGGRLGVALIDTADNAQTLYRADERFAMCSTSKVMAAAAVLKQSETQKNVLSQKVEIKSSDLINYNPIAEKHVNGTMTLAELSAAALQYSDNTAMNKLIAHLGGPDKVTAFARAIGDDTFRLDRTEPTLNTAIPGDPRDTTTPLAMAQTLRHLTLGSALGETQRAQLVTWLKGNTTGAASIQAGLPTSWVVGDKTGSGDYGTTNDIAVIWPEGRAPLILVTYFTQPEQKAESRRDVLAAAAKIVTDGY
配列番号1878:
MVKKSLRQFTLMATATVTLLLGSVPLYAQTADVQQKLAELERQSGGRLGVALINTADNSQILYRADERFAMCSTSKVMAVAAVLKKSESEPNLLNQRVEIKKSDLVNYNPIAEKHVNGTMSLAELSAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGGYGTTNDIAVIWPKDRAPLILVTYFTQPQPKAESRRDVLASAAKIVTDGL
配列番号1879:
MVKKSLRQFTLMATATVTLLLGSVPLYAQTADVQQKLAELERQSGGRLGVALINTADNSQILYRADERFAMCSTSKVMAVAAVLKKSESEPNLLNQRVEIKKSDLVNYNPIAEKHVDGTMSLAELSAAALQYSDNVAMNKLISHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGDYGTTNDIAVIWPKDRAPLILVTYFTQPQPKAESRRDVLASAAKIVTDGL
配列番号1880:
MMTQSIRRSMLTVMATLPLLFSSATLHAQANSVQQQLEALEKSSGGRLGVALINTADNSQILYRADERFAMCSTSKVMAAAAVLKQSESDKHLLNQRVEIKKSDLVNYNPIAEKHVNGTMTLAELGAAALQYSDNTAMNKLIAHLGGPDKVTAFARSLGDETFRLDRTEPTLNTAIPGDPRDTTTPLAMAQTLKNLTLGKALAETQRAQLVTWLKGNTTGSASIRAGLPKSWVVGDKTGSGDYGTTNDIAVIWPENHAPLVLVTYFTQPEQKAENRRDILAAAAKIVTHGF
配列番号1881:
MVTKRVQRMMFAAAACIPLLLGSAPLYAQTSAVQQKLAALEKSSGGRLGVALIDTADNTQVLYRGDERFPMCSTSKVMAVAAVLKQSETQKQLLNQPVEIKPADLVNYNPIAEKHVNGTMTLAELSAAALQYSDNTAMNKLIAQLGGPGGVTAFARAIGDETFRLDRTEPTLNTAIPGDPRDTTTPRAMAQTLRQLTLGHALGETQRAQLVTWLKGNTTGAASIRAGLPTSWTVGDKTGSGDYGTTNDIAVIWPQGRAPLVLVTYFTQPQQNAERRRDVLASAARIIAEGL
配列番号1882:
MVKKSLRQFTLMATATVTLLLGSVPLYAQTADVQQKLAELERQSGGRLGVALINTADNSQILYRADERFAMCSTSKVMAVAAVLKKSESEPNLLNQRVEIKKSDLVNYNPIAEKHVNGTMSLAELSAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGGYGTTNDIAVIWPKDRAPLILVTYFTQPQPKAESRRDVLASAAKIVTNGL
配列番号1883:
MVKKSLRQFTLMATATVTLLLGSVPLYAQTADVQQKLAELERQSGGRLGVALINTADNSQILYRADERFAMCSTSKVMAVAAVLKKSESEPNLLNQRVEIKKSDLVNYNPIAEKHVNGTMSLAELSAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGGYGTTNDIAVIWPKDRAPLILVTYFTQPQPNAESRRDVLASAAKIVTNGL
配列番号1884:
MVKKSLRQFTLMATATVTLLLGSVPLYAQTADVQQKLAELERQSGGRLGVALINTADNSQILYRADERFAMCSTSKVMAAAAVLKKSESEPNLLNQRVEIKKSDLVNYNPIAEKHVNGTMSLAELSAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGGYGTTNDIAVIWPKDRAPLILVTYFTQPQPKAESRHDVLASAAKIVTDGL
配列番号1885:
MVTKRVQRMMFAAAACIPLLLGSAPLYAQTSAVQQKLAALEKSSGGRLGVALIDTADNTQVLYRGDERFPMCSTSKVMAVAAVLKQSETQKQLLNQPVEIKPADLVNYNPIAEKHVNGTMTLAELSAAALQYSDNTAMNKLIAQLGGPGGVTAFARAIGDETFRLDRTEPTLNTAIPGDPRDTTTPRAMAQTLRQLTLGHALGETQRAQLVTWLKGNTTGAASIRAGLPTSWTVGDKTGSGDYGTTNDIAVIWPQGRAPLVLVTYFTQPQQNAESRRDVLASAARIIAEGL
配列番号1886:
MVKKSLRQFTLMATATVTLLLGSVPLYAQTADVQQKLAELERQSGGRLGVALINTADNSQILYRADERFAMCSTSKAMAVAAVLKKSESEPNLLNQRVEIKKSDLVNYNPIAEKHVNGTMSLAELSAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGGYGTTNDIAVIWPKDRAPLILVTYFTQPQPKAESRRDVLASAAKIVTDGL
配列番号1887:
MVTKRVQRMMFAAAACIPLLLGSAPLYAQTSAVQQKLAALEKSSGGRLGVALIDTADNTQVLYRGDERFPMCSTSKVMAAAAVLKQSETQKQLLNQPVEIKPADLVNYNPIAEKHVNGTMTLAELSAAALQYSDNTAMNKLIAQLGGPGGVTAFARAIGDETFRLDRTESTLNTAIPGDPRDTTTPRAMAQTLRQLTLGHALGETQRAQLVTWLKGNTTGAASIRAGLPTSWTVGDKTGSGDYGTTNDIAVIWPQGRAPLVLVTYFTQPQQNAERRRDVLASAARIIAEGL
配列番号1888:
MVTKRVQRMMFAAAACIPLLLGSAPLYAQTSAVQQKLAALEKSSGGRLGVALIDTADNTQVLYRGDERFPMCSTSKVMAAAAVLKQSETQKQLLNQPVEIKPADLVNYNPIAEKHVNGTMTLAELSAAALQYSDNTAMNKLIAQLGGPGGVTAFARAIGDETFRLDRTEPTQNTAIPGDPRDTTTPRAMAQTLRQLTLGHALGETQRAQLVTWLKGNTTGAASIRAGLPTSWTVGDKTGSGGYGTTNDIAVIWPQGRAPLVLVTYFTQPQQNAESRRDVLASAARIIAEGL
配列番号1889:
MVKKSLRQFTLMATATVTLLLGSVPLYAQTADVQQKLAELERQSGGRLGVALINTADNSQILYRADERFAMCSTSKVMAAAAVLKKSESEPNLLNQRVEIKKSDLVNYNPIAEKHVNGTMSLAELIAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGGYGTTNDIAVIWPKDRAPLILVTYFTQPQPKAESRRDVLASAAKIVTDGL
配列番号1890:
MVTKRVQRMMFAAAACIPLLLGSAPLYAQTSAVQQKLAALEKSSGGRLGVALIDTADNTQVLYRGDERFPMCSTSKVMAAAAVLKQSETQKQLLNQPVEIKPADLVNYNPIAEKHVNGTMTLAELSAAALQYSDNTAMNKLIAQLGGPGGVTAFARAIGDETFRLDRTEPTLNTAIPGDPRDTTTPRAMAQTLRQLTLGHALGETQREQLVTWLKGNTTGAASIRAGLPTSWTVGDKTGSGGYGTTNDIAVIWPQGRAPLVLVTYFTQPQQNAESRRDVLASAARIIAEGL
配列番号1891:
MVTKRVQRMMFAAAACIPLLLGSAPLYAQTSAVQQKLAALEKSSGGRLGVALIDTADNTQVLYRGDERFPMCSTSKVMAVAAVLKQSETQKQLLNQPVEIKPADLVNYNPIAEKHVNGTMTLAELSAAALQYSDNTAMNKLIAQLGGPGGVTAFARAIGDETFRLDRTEPTLNTAIPGDPRDTTTPRAMAQTLRQLTLGHALGETQREQLVTWLKGNTTGAASIRAGLPTSWTVGDKTGSGGYGTTNDIAVIWPQGRAPLVLVTYFTQPQQNAESRRDVLASAARIIAEGL
配列番号1892:
MVTKRVQRMMFAAAACIPLLLGSAPLYAQTSAVQQKLAALEKSSGGRLGVALIDTADNTQVLYRGDERFPMCSTSKVMAAAAVLKQSETQKQLLNQPVEIKPADLVNYNPIAEKHVNGTMTLAELSAAALQYSDNTAMNKLIAQLGGPGGVTAFARAIGDETFRLDRTEPTLNTAIPGDPRDTTTPRAMAQTLRQLTLGHALGETQRAQLVTWLKGNTTGAASIRAGLPTSWTVGDKTGSGDYGTTNDIAVIWPQGRAPLVLVTYFTQPQQNAENRRDVLASAARIIAEGL
配列番号1893:
MVTKRVQRMMFAAAACIPLLLGSAPLYAQTSAVQQKLAALEKSSGGRLGVALIDTADNTQVLYRGDERFPMCSTSKVMAAAAVLKQSETQKQLLNQPVEIKPADLVNYNPIAEKHVNGTMTLAELSAAALQYSDNTAMNKLIAQLGGPGGVTAFARAIGDETFRLDRTEPTLNTAIPGDPRDTTTPRAMAQTLRQLTLGHALGETQRAQLVTWLKGNTTGAASIRAGLPTSWTVGDRTGSGDYGTTNDIAVIWPQGRAPLVLVTYFTQPQQNAESRHDVLASAARIIAEG
配列番号1894:
MVKKSLRQFTLMATATVTLLLGSVPLYAQTADVQQKLAELERQSGGRLGVALINTADNSQILYRADERFAMCSTSKVMAVAAVLKKSESEPNLLNQRVEIKKSDLVNYNPIAEKHVNGTMSLAELSAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGDYGTTNDIAVIWPKDRAPLILVTYFTQPQPKAESRRDVLASAAKIVTNGL
配列番号1895:
MVTKRVQRMMFAAAACIPLLLGSAPLYAQTSAVQQKLAALEKSSGGRLGVALIDTADNTQVLYRGDERFPMCSTSKVMAAAAVLKQSETQKQLLNQPVEIKPADLVNYNPIAEEHVNGTMTLAELSAAALQYSDNTAMNKLIAQLGGPGGVTAFARAIGDETFRLDRTEPTLNTAIPGDPRDTTTPRAMAQTLRQLTLGHALGETQRAQLVTWLKGNTTGAASIRAGLPTSWTVGDKTGSGDYGTTNDIAVIWPQGRAPLVLVTYFTQPQQNAESRRDVLASAARIIAEGNL
配列番号1896:
MVTKRVQRMMFAAAACIPLLLGSAPLYAQTSAVQQKLAALEKSSGGRLGVALIDTADNTQVLYRGDERFPMCSTSKVMAAAAVLKQSETQKQLLNQPVEIKPADLVNYNPIAEKHVNGTMTLAELSAAALQYSDNTAMNKLIAQLGGQGGVTAFARAIGDETFRLDRTEPTLNTAIPGDPRDTTTPRAMAQTLRQLTLGHALGETQRAQLVTWLKGNTTGAASIRAGLPTSWTVGDKTGSGDYGTTNDIAVIWPQGRAPLVLVTYFTQPQQNAESRRDVLASAARIIAEGL
配列番号1897:
VKKSLRQFTLMATATVTLLLGSVPLYAQTADVQQKLAELERQSGGRLGVALINTADNSQILYRADERFAMCSTSKVMAAAAVLKKSESEPNLLNQRVEIKKSDLVNYNPIAEKHVNGTMSLAELSAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDRTGSGGYGTTNDIAVIWPKDRAPLILVTYFTQPQPKAESRRDVLASAAKIVT
配列番号1898:
VKKSLRQFTLMATATVTLLLGSVPLYAQTADVQQKLAELERQSGGRLGVALINTADNSQILYRADERFAMCSTSKVMAAAAVLKKSESEPNLLNQRAEIKKSDLVNYNPIAEKHVNGTMSLAELSAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGGYGTTNDIAVIWPKDRAPLILVTYFTQPQPKAESRRDVLASAAKIVT
配列番号1899:
MVTKRVQRMMFAAAACIPLLLGSAPLYAQTSAVQQKLAALEKSSGGRLGVALIDTADNTQVLYRGDERFPMCSTSKVMAAAAVLKQSETQKQLLNQPVEIKPADLVNYNPIAEKHVNGTMTLAELGAAALQYSDNTAMNKLIAQLGGPGGVTAFARAIGDETFRLDRTEPTLNTAIPGDPRDTTTPRAMAQTLRQLTLGHALGETQRAQLVTWLKGNTTGAASIRAGLPTSWTVGDKTGSGDYGTTNDIAVIWPQGRAPLVLVTYFTQPQQNAESRRDVLASAARIIAEGL
配列番号1900:
MVTKRVQRMMFAAAACIPLLLGSAPLYAQTSAVQQKLAALEKSSGGRLGVALIDTADNTQVLYRGDERFPMCSTSKVMAAAAVLKRSETQKQLLNQPVEIKPADLVNYNPIAEKHVNGTMTLAELSAAALQYSDNTAMNKLIAQLGGPGGVTAFARAIGDETFRLDRTEPTLNTAIPGDPRDTTTPRAMAQTLRQLTLGHALGETQRAQLVTWLKGNTTGAASIRAGLPTSWTVGDKTGSGDYGTTNDIAVIWPQGRAPLVLVTYFTQPQQNAESRRDVLASAARIIAEGL
配列番号1901:
VKKSLRQFTLMATATVTLLLGSVPLYAQTADVQQKLAELERQSGGRLGVALINTADNSRILYRADERFAMCSTSKVMAAAAVLKKSESEPNLLNQRVEIKKSDLVNYNPIAEKHVNGTMSLAELSAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGGYGTTNDIAVIWPKDRAPLILVTYFTQPQPKAESRRDVLASAAKIVTK
配列番号1902:
MMTQSIRRSMLTVMATLPLLFSSATLHAQANSVQQQLEALEKSSGGRLGVALINTADNSQILYRADERFAMCSTSKVMAAAAVLKQSESDKHLLNQRVEIKKSDLVNYNPIAEKHVNGTMTLAELGAAALQYSDNTAMNKLIAHLGGPDKVTAFARSLGDETFRLDRTEPTLNTAIPGDPRDTTTPLAMAQTLKNLTLGKALAETQRAQLVTWLKGNTTGSASIRAGLPKSWVVGDKTGSGDYGTTNDIAVIWPENHAPLVLVTYFTQPEQKAERRRDILAAAAKIVTHGF
配列番号1903:
MRHRVKRMMLMTTACISLLLGSAPLYAQANDVQQKLAALEKSSGGRLGVALIDTADNAQTLYRADERFAMCSTSKVMAAAAVLKQSETQKNVLSQKVEIKSSDLINYNPIAEKHVNGTMTLAELSAAALQYSDNTAMNKLIAHLGGPDKVTAFARAIGDDTFRLDRTEPTLNTAIPGDPRDTTTPLAMAQTLRHLTLGSALGETQRAQLVTWLKGNTTGAASIQAGLPTSWVVGDKTGSGDYGTTNDIAVIWPEGRAPLILVTYFTQPEQKAENRRDVLAAAAKIVTDGY
配列番号1904:
MVKKSLRQFTLMATATVTLLLGSVPLYAQTADVQQKLAELERQSGGRLGVALINTADNSQILYRADERFAMCSTSKVMAVAAVLKKSESEPNLLNQRVEIKKSDLVNYNPIAEKHVDGTMSLAELSAAALQYSDNVAMNKLISHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGDYGTTNDIAVIWPKDRAPLILVTYFTQPQPKAESRRDVLASAAKIVTNGL
配列番号1905:
MMTQSIRRSMLTVMATLPLLFSSATLHAQANSVQQQLEALEKSSGGRLGVALINTADNSQILYRADERFAMCSTSKVMAAAAVLKQSESDKHLLNQRVEIKKSDLVNYNPIAEKHVNGTMTLAELGAAALQYSDNTAMNKLIAHLGGPDKVTAFARSLGDETFRLDRTEPTLNTAIPGDPRDTTTPLAMAQTLKNLTLGKALAETQRAQLVTWLKGNTTGSASIRAGLPKSWVVGDKTGSGDYGTTNDIAVIWPENHAPLVLVTYFTQPEQKAESRRDILAAAAKIVTHGF
配列番号1906:
MVKKSLRQFTLMATATVTLLLGSVPLYAQTADVQQKLAELERQSGGRLGVALINTADNSQILYRADERFAMCSTSKVMAAAAVLKKSESEPNLLNQRVEIKKSDLVNYNPIAEKHVNGTMSLAELSAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGDYGTTNDIAVIWPKDRAPLILVTYFTQPQPKAESRRDVLASAAKIVTDGL
配列番号1907:
MMTQSIRRSMLTVMATLPLLFSSATLHAQANSVQQQLEALEKSSGGRLGVALINTADNSQILYRADERFAMCSTSKVMAAAAVLKQSESDKHLLNQRVEIKKSDLVNYNPIAEKHVNGTMTLAELGAAALQYSDNTAMNKLIAHLGGPDKVTAFARSLGDETFRLDRTEPTLNTAIPGDPRDTTTPLAMAQTLKNLTLGKALAETQRAQLVTWLKGNTTGSASIRAGLPKSWVVGDKTGSGDYGTTNDIAVIWPENHAPLVLVTYFTQPEQKAESRRDFLAAAAKIVTHGF
配列番号1908:
MVKKSLRQFTLMATATVTLLLGSVPLYAQTADVQQKLAELERQSGGRLGVALINTADNSQILYRADERFAMCSTSKVMAAAAVLKKSESEPNLLNQRVEIKKSDLVNYNPIAEKHVNGTMSLAELSAAALQYSDNVAMNKLIAHVGGPASVTAFARQLGDETFRLDRTEPTLNTAIPGDPRDTTSPRAMAQTLRNLTLGKALGDSQRAQLVTWMKGNTTGAASIQAGLPASWVVGDKTGSGGYGTTNDIAVIWPKDRAPLILVTYFTQPQPKAESRRDVLASAAKIVTNGL
【００７８】
前記ペプチドは、以下で規定される配列番号４４６〜配列番号４９５および配列番号２００８〜配列番号２０９２の配列のペプチドから選択することが好ましい。
2014512015.tif 000024
2014512015.tif 000025
2014512015.tif 000026
2014512015.tif 000027
2014512015.tif 000028
2014512015.tif 000029
2014512015.tif 000030
2014512015.tif 000031
2014512015.tif 000032
2014512015.tif 000033
2014512015.tif 000034
2014512015.tif 000035
2014512015.tif 000036
【００７９】
臨床的対象欄内の２ｂｅの項目は、ＣＴＸ−Ｍペプチドの全てが、ペニシリン、セファロリジンおよびセファロチンなどの第１世代のセファロスポリン、ならびにセフォタキシム、セフタジジムなどのオキシイミノ系β−ラクタムのクラス、またはアズトレオナムなどのモノバクタムに由来する少なくとも１つの抗生剤を加水分解することが可能な広域スペクトルを伴うβ−ラクタマーゼ（ＥＳＢＬ）の存在を示すことを示す。
【００８０】
ＣＴＸ−Ｍタンパク質により誘導される、ＥＳＢＬ（広域スペクトルのβ−ラクタマーゼ）によるセファロスポリンに対する耐性の機構の検出は、配列番号４４６〜配列番号４７８、配列番号４８０〜配列番号４９５および配列番号２００８〜配列番号２０９２の配列から選択される、少なくとも１つの耐性マーキング２ｂｅペプチドの検出を特徴とする。
【００８１】
ＳＨＶタンパク質の発現により誘導される、セファロスポリンに対する耐性の機構の検出は、ＳＨＶタンパク質ならびにその異なる配列変異体である配列番号４９６〜配列番号６１３および配列番号１９０９〜配列番号１９１９に属する少なくとも１つのペプチドの検出を特徴とする。
配列番号496:
KRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号497:
LRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSASSQRQLLQWMVDDRVAGPLIRSVLPAGWFIADKTGAGERGARGIVALLGPNNKAERIVVIYLRDTPASMAERNQQIAGIGAALIEHWQR
配列番号498:
MRFIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号499:
MRFIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNNAERMVVIYLRDTPASMAERNQQIAGIGAALIEHWQR
配列番号500:
MRFIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGASKRGARGIVALLGPNNKAERIVVIYLRDTPASMAERNQQIAGIGAALIEHWQR
配列番号501:
MRIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPVGLTAFLRQIGDNVTRLDRWETELNEALPGDARDTTTPASMAATLRKLLTSQRLSARSQRQLLQWMVDDRVAGPLIRSVLPAGWFIADRTGAGERGARGIVALLGPNNKAERIVVIYLRDTPASMAERNQQIAGIGAALIEHWQR
配列番号502:
MRYARLCIISLLATLPLVVHASPQPLEQIKQSESQLSGRVGMIEMDLASGRTLTAWRADERFPMMSTFKVVLCGAVLARVDAGDEQLERKIHYRQQDLVDYSPVSEKHLADGMTVGELCAAAITVSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号503:
MRYFRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGASERGARGIVALLGPNNKAERIVVIYLRDTPASMAERNQQIAGIGAALIEHWQR
配列番号504:
MRYFRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPVGLTAFLRQIGDNVTRLDRWETELNEALPGDARDTTTPASMAATLRKLLTSQRLSARSQRQLLQWMVDDRVAGPLIRSVLPAGWFIADRTGAGERGARGIVALLGPNNKAERIVVIYLRDTPASMAERNQQIAGIGAALIEHWQR
配列番号505:
MRYFRLCIISLLATLPLAVHASPQPLEQIKLSESQLSGSVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIDDNVTRLDRWETELNEALPGDARDTTTPASMAATLRKLLTSQRLSARSQRQLLQWMVDDRVAGPLIRSVLPAGWFIADKTGASKRGARGIVALLGPNNKAERIVVIYLRDTPASMAERNQQIAGIGAALIEHWQR
配列番号506:
MRYFRLCIISLLATLPLAVHASPQPLEQIKLSESQLSGSVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAAKRGARGIVALLGPNNKAERIVVIYLRDTPASMAERNQQIAGIGAALIEHWQR
配列番号507:
MRYFRLCIISLLATLPLAVHASPQPLEQIKLSESQLSGSVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号508:
MRYFRLCIISLLATLPLAVHASPQPLEQIKLSESQLSGSVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGASERGARGIVALLGPNNKAERIVVIYLRDTPASMAERNQQIAGIGAALIEHWQR
配列番号509:
MRYFRLCIISLLATLPLAVHASPQPLEQIKLSESQLSGSVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGASKRGARGIVALLGPNNKAERIVVIYLRDTPASMAERNQQIAGIGAALIEHWQR
配列番号510:
MRYFRLCIISLLATLPLAVHASPQPLEQIKLSESQLSGSVGMIEMDLASGRTLTAWRADGRFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGASERGARGIVALLGPNNKAERIVVIYLRDTPASMAERNQQIAGIGAALIEHWQR
配列番号511:
MRYIRLCIISLLAALPLAVHASPQPLEQIKQSESQLSGRVGMIEMDLASGRTLTAWRADERFPMISTFKVVLCGAVLARVDAGDEQLERKIHYRQQDLVDYSPVSEKHLADGMTVGELCAAAITMSDNSAANLLLAIVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号512:
MRYIRLCIISLLAALPLAVHASPQPLEQIKQSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVEDRVAGPLIRSVLPAGWFIADKTGAGERGARGIVALLGPNNKAERIVVIYLRDTPASMAERNQQIAGIGAALIEHWQR
配列番号513:
MRYIRLCIISLLAALPLAVHASPQPLEQIKQSESQLSGRVGMIEMDLASGRTLTAWRADERFPMMSTFKVVLCGAVLARVDAGDEQLERKIHYRQQDLVDYSPVSEKHLADGMTVGELCAAAITVSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQHIAGIGAALIEHWQR
配列番号514:
MRYIRLCIISLLAALPLAVHASPQPLEQIKQSESQLSGRVGMIEMDLASGRTLTAWRADERFPMMSTFKVVLCGAVLARVDAGDEQLERKIHYRQQDLVDYSPVSEKHLADGMTVGELCAAAITVSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号515:
MRYIRLCIISLLATLPLAVHASPQPLDQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGASKRGARGIVALLGPNNKAERIVVIYLRDTPASMAERNQQIAGIGAALIEHWQR
配列番号516:
MRYIRLCIISLLATLPLAVHASPQPLEQIKLSESQLSGRVGMIEMDLASGRTLTAWHADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号517:
MRYIRLCIISLLATLPLAVHASPQPLEQIKLSESQLSGRVGMIEMDLASGRTLTAWHADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGKRGARGIVALLGPNNKAERIVVIYLRDTPASMAKRNQQIAGIGAALIEHWQR
配列番号518:
MRYIRLCIISLLATLPLAVHASPQPLEQIKLSESQLSGRVGMIEMDLASGRTLTAWRADERFPMISTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号519:
MRYIRLCIISLLATLPLAVHASPQPLEQIKLSESQLSGRVGMIEMDLASGRTLTAWRADERFPMMSTFKVVLCGAVLARVDAGDEQLERKIHYLQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号520:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHFADGMTVGELCAAAITMSDNSAANLLLATVGGPAGLSAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号521:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTIGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号522:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGEFCAAAITMSDNSAANLLLATVGGPAGLTAFLRQIGDNVTRLDRWETELNEAFPGDARDTTTPASMAATLRKLLTSQRLSARSQRQLLQWMVDDRVAGPLIRSVLPAGWFIADKTGASERGARGIVALLGPNNKAERIVVIYLRDTPASMAERNQQIAGIGAALIEHWQR
配列番号523:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGEFCAAAITMSDNSAANLLLATVGGPAGLTAFLRQIGDNVTRLDRWETELNEALPGDARDTTTPASMAGTLRKLLTSQRLSARSQRQLLQWMVDDRVAGPLIRSVLPAGWFIADKTGASKRGARGIVALLGPNNKAERIVVIYLRDTPASMAERNQQIAGIGAALIEHWQR
配列番号524:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAAKLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号525:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATFGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号526:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGLAGLTAFLRQIGDNVTRLDRWETELNEALPADARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号527:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIDDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号528:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIDDNVTRLDRWETELNEALPGDARDTTTPASMAATLRKLLTSQRLSARSQRQLLQWMVDDRVAGPLIRSVLPAGWFIADKTGASKRGARGIVALLGPNNKAERIVVIYLRDTPASMAERNQQIAGIGAALIEHWQR
配列番号529:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDKVTRLDRWETELNEALPGDARDTTTPASMAATLRKLLTSQRLSARSQRQLLQWMVDDRVAGPLIRSVLPAGWFIADKTGASKRGARGIVALLGPNNKAERIVVIYLRDTPASMAERNQQIAGIGAALIEHWQR
配列番号530:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号531:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEAFPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号532:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEAFPGDARDTTTPASMAATLRKLLTSQRLSARSQRQLLQWMVDDRVAGPLIRSVLPAGWFIADKTGASERGARGIVALLGPNNKAERIVVIYLRDTPASMAERNQQIAGIGAALIEHWQR
配列番号533:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARATTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号534:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLNSQRLSARSQRQLLQWMVDDRVAGPLIRSVLPAGWFIADKTGASKRGARGIVALLGPNNKAERIVVIYLRDTPASMAERNQQIAGIGAALIEHWQR
配列番号535:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARLQRQLLQWMVDDRVAGPLIRSVLPAGWFIADKTGAGERGARGIVALLGPNNKAERIVVIYLRDTPASMAERNQQIAGIGAALIEHWQR
配列番号536:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQLQLLQWMVDDRVAGPLIRSVLPAGWFIADKTGAGERGARGIVALLGPNNKAERIVVIYLRDTPASMAERNQQIAGIGAALIEHWQR
配列番号537:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQLQLLQWMVDDRVAGPLIRSVLPAGWFIADKTGASERGARGIVALLGPNNKAERIVVIYLRDTPASMAERNQQIAGIGAALIEHWQR
配列番号538:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQLQLLQWMVDDRVAGPLIRSVLPAGWFIADKTGASKRGARGIVALLGPNNKAERIVVIYLRDTPASMAERNQQIAGIGAALIEHWQR
配列番号539:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDGVAGPLIRSVLPAGWFIADKTGAGERGARGIVALLGPNNKAERIVVIYLRDTPASMAERNQQIAGIGAALIEHWQR
配列番号540:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAAERGARGIVALLGPNNKAERIVVIYLRDTPASMAERNQQIAGIGAALIEHWQR
配列番号541:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPDNKAERIVVIYLRDTPASMAERNQQIAGIGAALIEHWQR
配列番号542:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNHKAERIVVIYLRDTPASMAERNQQIAGIGAALIEHWQR
配列番号543:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号544:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALRGPNNKAERIVVIYLRDTPASMAERNQQIAGIGAALIEHWQR
配列番号545:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGKRGARGIVALLGPNNKAERIVVIYLRDSPASMAERNQQIAGIGAALIEHWQR
配列番号546:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGKRGARGIVALLGPNNKAERTVVIYLRDTPASMAERNQQIAGIGAALIEHWQR
配列番号547:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGASERGARGIVALLGPNNKAERIVVIYLRDSPASMAERNQQIAGIGAALIEHWQR
配列番号548:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGASERGARGIVALLGPNNKAERIVVIYLRDTPASMAERNQQIAGIGAALIEHWQR
配列番号549:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGASKRGARGIVALLGPNNKAERIVVIYLRDTPASMAERNQQIAGIGAALIEHWQR
配列番号550:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGASKRGARGIVALLGPNNKAERIVVIYLRDTPASMAERNQQIAGLGAALIEHWQR
配列番号551:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADRTGAGERGARGIVALLGPNNKAERIVVIYLRDTPASMAERNQQIAGIGAALIEHWQR
配列番号552:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLSAGWFIADKTGAGERGARGIVALLGPNNKAERIVVIYLRDTPASMAERNQQIAGIGAALIEHWQR
配列番号553:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDGRVAGPLIRSVLPAGWFIADKTGAGERGARGIVALLGPNNKAERIVVIYLRDTPASMAERNQQIAGIGAALIEHWQR
配列番号554:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMTATLRKLLTSQRLSARSQRHLLQWMVDDRVAGPLIRSVLPAGWFIADKTGAGERGARGIVALLGPNNKAERIVVIYLRDTPASMAERNQQIAGIGAALIEHWQR
配列番号555:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMTATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号556:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMTATLRKLLTSQRLSARSQRQLLQWMVDDRVAGPLIRSVLPAGWFIADKTGAGKRGARGIVALLGPNNKAERIVVIYLRDTPASMAERNQQIAGIGAALIEHWQR
配列番号557:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMTATLRKLLTSQRLSARSQRQLLQWMVDDRVAGPLIRSVLPAGWFIADKTGASKRGARGIVALLGPNNKAERIVVIYLRDTPASMAERNQQIAGIGAALIEHWQR
配列番号558:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARGTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号559:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARNTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号560:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALSGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号561:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETERNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号562:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGENVTRLDRWETELNEALPGDARDTTTPASMAATLRKLLTNQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号563:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPVGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号564:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSVANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTLASMAERNQQIAGIGAALIEHWQR
配列番号565:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAVITMSDNSAANLLLATVGGPAGLTAFLRQIDDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号566:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCTAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号567:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKYLADGMTVGELCAAAITMSDNSAANLLLATVGGPVGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号568:
MRYIRLCIISLLATLPLAVHASPQPLEQIKLSESQLSGRVGMIEMDLASRTLTAWRADERFPMMSTFKVVLCGAVLARVDAGDEQLERKIHYRQQDLVDYSPVSEKHLADGMTVGELCAAAITMGDNSAANLLLRTVGGPAGLTAFLRQIGDNVTRLDRWETELNEALPGDARDTTTPASMAATLRNVLTSQRLSARSQRQLLQWMVDDRVAGPLIRSVLPAGWFIADKTGASKRGARGIVALLGPNNKAERIVVIYLRDTPASMAERNQQIAGIGAALIEHWQR
配列番号569:
MRYIRLCIISLLATLPLAVHASPQPLEQIKLSESQLSGRVGMIEMDLASRTLTAWRADERFPMMSTFKVVLCGAVLARVDAGDEQLERKIHYRQQDLVDYSPVSEKHLADGMTVGELCAAAITMSDNSAANLLLRTVGGPAGLTAFLRQIGDNVTRLDRWETELNEALPGDARDTTTPASMAATLRNVLTSQRLSARSQRQLLQWMVDDRVAGPLIRSVLPAGWFIADKTGASKRGARGIVALLGPNNKAERIVVIYLRDTPASMAERNQQIAGIGAALIEHWQR
配列番号570:
MRYIRLCIISLLATLPLAVHASPQPLEQIKLSESQLSGRVGMIEMDLASSRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号571:
MRYIRLCIISLLATLPLAVHASPQPLEQIKQSESQLSGRVGMIEMDLASGRTLTAWCADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号572:
MRYIRLCIISLLATLPLAVHASPQPLEQIKQSESQLSGRVGMIEMDLASGRTLTAWRADERFPMISTFKVVLCGAVLARVDAGDEQLERKIHYRQQDLVDYSPVSEKHLADGMTVGELCAAAITMSDNSAANLLLAIVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号573:
MRYIRLCIISLLATLPLAVHASPQPLEQIKQSESQLSGRVGMIEMDLASGRTLTAWRADERFPMMSTFKVALCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号574:
MRYIRLCIISLLATLPLAVHASPQPLEQIKQSESQLSGRVGMIEMDLASGRTLTAWRADERFPMMSTFKVLLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGASKRGARGIVALLGPNNKAERIVVIYLRDTPASMAERNQQIAGIGAALIEHWQR
配列番号575:
MRYIRLCIISLLATLPLAVHASPQPLEQIKQSESQLSGRVGMIEMDLASGRTLTAWRADERFPMMSTFKVVLCGAMLARVDAGDKQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGASKRGARGIVALLGPNNKAERIVVIYLRDTPASMAERNQQIAGIGAALIEHWQR
配列番号576:
MRYIRLCIISLLATLPLAVHASPQPLEQIKQSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLAIVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号577:
MRYIRLCIISLLATLPLAVHASPQPLEQIKQSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIDDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号578:
MRYIRLCIISLLATLPLAVHASPQPLEQIKQSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLISQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号579:
MRYIRLCIISLLATLPLAVHASPQPLEQIKQSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDARVAGPLIRSVLPAGWFIADKTGAGERGARGIVALLGPNNKAERIVVIYLRDTPASMAERNQQIAGIGAALIEHWQR
配列番号580:
MRYIRLCIISLLATLPLAVHASPQPLEQIKQSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKAGAGERGARGIVALLGPNNKAERIVVIYLRDTPASMAERNQQIAGIGAALIEHWQR
配列番号581:
MRYIRLCIISLLATLPLAVHASPQPLEQIKQSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAAERGARGIVALLGPNNKAERIVVIYLRDTPASMAERNQQIAGIGAALIEHWQR
配列番号582:
MRYIRLCIISLLATLPLAVHASPQPLEQIKQSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号583:
MRYIRLCIISLLATLPLAVHASPQPLEQIKQSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGGRGIVALLGPNNKAERIVVIYLRDTPASMAERNQQIAGIGAALIEHWQR
配列番号584:
MRYIRLCIISLLATLPLAVHASPQPLEQIKQSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGKRGARGIVALLGPNNKAERIVVIYLRDTPASMAERNQQIAGIGAALIEHWQR
配列番号585:
MRYIRLCIISLLATLPLAVHASPQPLEQIKQSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGASERGARGIVALLGPNNKAERIVVIYLRDTPASMAERNQQIAGIGAALIEHWQR
配列番号586:
MRYIRLCIISLLATLPLAVHASPQPLEQIKQSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGASKRGARGIVALLGGNIKAERIVVIYLRDTPASMAERNQQIAGIGAALIEHWQR
配列番号587:
MRYIRLCIISLLATLPLAVHASPQPLEQIKQSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGASKRGARGIVALLGPNNKAERIVVIYLRDTPASMAELDQQIAGIGAALIEHWQR
配列番号588:
MRYIRLCIISLLATLPLAVHASPQPLEQIKQSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGASKRGARGIVALLGPNNKAERIVVIYLRDTPASMAERNQQIAGIGAALIEHWQR
配列番号589:
MRYIRLCIISLLATLPLAVHASPQPLEQIKQSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGASRRGARGIVALLGPNNKAERIVVIYLRDTPASMAERNQQIAGIGAALIEHWQR
配列番号590:
MRYIRLCIISLLATLPLAVHASPQPLEQIKQSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADRTGAGERGARGIVALLGPNNKAERIVVIYLRDTPASMAERNQQIAGIGAALIEHWQR
配列番号591:
MRYIRLCIISLLATLPLAVHASPQPLEQIKQSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMTATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号592:
MRYIRLCIISLLATLPLAVHASPQPLEQIKQSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEVLPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号593:
MRYIRLCIISLLATLPLAVHASPQPLEQIKQSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGVTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号594:
MRYIRLCIISLLATLPLAVHASPQPLEQIKQSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPTGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号595:
MRYIRLCIISLLATLPLAVHASPQPLEQIKQSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGSPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号596:
MRYIRLCIISLLATLPLAVHASPQPLEQIKQSESQLSGRVGMIEMDLASGRTLTAWRADERFPMMSTFKVVLCGAVLARVDAGDEQLERKIHYRQQDLVDYSPVSEKHLADGMTVGELCAAAITVSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号597:
MRYIRLCIISLLATLPLAVHASPQPLEQIKQSESQLSGRVGMIEMDLASGRTLTAWRADERFPMMSTFKVVLCGAVLARVDAGDEQLERKIHYRQQDLVDYSPVSEKHLTDGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号598:
MRYIRLCIISLLATLPLAVHASPQPLEQIKQSESQLSGRVGMIEMDLASGRTLTAWRADERFPMMSTFKVVLCGAVLARVDAGDEQLERKIHYRQQDLVDYSPVSEKYLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号599:
MRYIRLCIISLLATLPLAVHASPQPLEQIKQSESQLSGRVGMIEMDLASGRTLTAWRADERFPMMSTFKVVLCGAVLARVDAGDEQLERKIHYRQQHLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号600:
MRYIRLCIISLLATLPLAVHASPQPLEQIKQSESQLSGRVGMIEMDLASGRTLTAWRADERFPMMSTFKVVLCGAVLARVDAGDKQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGGRGIVALLGPNNKAERIVVIYLRDTPASMAERNQQIAGIGAALIEHWQR
配列番号601:
MRYIRLCIISLLATLPLAVHASPQPLEQIKQSESQLSGRVGMIEMDLASGRTLTAWRADERFPMMSTFKVVLCGTVLARVDAGDEQLERKIHYRQQDLVDYSPVSEKHLADGMTVGELCAAAITMSDNSAANLLLATVGGPAGLTAFLRQIDDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号602:
MRYIRLCIISLLATLPLAVHASPQPLEQIKQSESQLSGRVGMIEMDLASGRTLTAWRADQRFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGASKRGARGIVALLGPNNKAERIVVIYLRDTPASMAERNQQIAGIGAALIEHWQR
配列番号603:
MRYIRLCIISLLATLPLAVHASPQPLEQIKQSESQLSGSVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAAERGARGIVALLGPNNKAERIVVIYLRDTPASMAERNQQIAGIGAALIEHWQR
配列番号604:
MRYIRLCIISLLATLPLAVHSSPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITVSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号605:
MRYIRLCIISLLATLPLTVHASPQPLEQIKQSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号606:
MRYIRLCIISLLATLSLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGKRGARGIVALLGPNNKAERIVVIYLRDTPASMAERNQQIAGIGAALIEHWQR
配列番号607:
MRYIRLCIISLLATMPLAVHASPQPLEQIKQSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号608:
MRYIRLCIISLLAVLPLAVHASPQPLEQIKQSESQLSGRVGMIEMDLASGRTLTAWRADERFPMMSTFKVVLCGAVLARVDAGDEQLERKIHYRQQDLVDYSPVSEKHLADGMTVGELCAAAITVSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号609:
MRYIRLNIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号610:
MRYIRRCIISLLATLPLAVHASPQPLEQIKQSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDMPASMAERNQQIAGIGAALIEHWQR
配列番号611:
MRYIRRCIISLLATLPLAVHASPQPLEQIKQSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号612:
MRYVRLCIISLLATLPLAVHASPQPLEQIKQSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号613:
MRYVRLCIISLLATLPLAVHTSPQPLEQIKQSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号1909:
MRYIRLCIISLLAALPLAVHASPQPLEQIKQSESQLSGRVGMIEMDLASGRTLTAWRADERFPMMSTFKVVLCGAVLARVDAGDEQLERKIHYRQQDLVDYSPVSEKHLADGMTVGELCAAAITVSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQHIAGIGAALIEHWQR
配列番号1910:
ALPGDARDTTTPASMAATLRKLLTSQRLSARSQRQLLQWMVDDRVAGPLIRSVLPAGWFIADKTGASERGARGIVALLGPNNKAERIVVIYLRDS
配列番号1911:
MRYIRLCIISLLAALPLVVHASPQPLEQIKQSESQLSGRVGMIEMDLASGRTLTAWRADERFPMMSTFKVVLCGAVLARVDAGDEQLERKIHYRQQDLVDYSPVSEKHLADGMTVGELCAAAITVSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号1912:
MRYIRLCIISLLATLPLAVHASPQPLEQIKQSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGASKRGARGIVALLGPNNKAERIVVIYLRDTPASMAELDQQIAGIGAALIEHWQR
配列番号1913:
MRYIRLCIISLLATLPLAVHASPQPLEQIKQSESQLSGRVGMIEMDLASGRTLTAWRADERFPMMSTFKVVLCGAVLARVDAGDEQLERKIHYRQQDLVDYSPVSEKHLADGMTVGELRAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGASKRGARGIVALLGPNNKAERIVVIYLRDTPASMAERNQQIAGTGAAPIEHWQR
配列番号1914:
MRYIRLCIISLLATLPLAVHASPQPLEQIKQSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLREIGDNVTRLDRWETELNEALPGDARDTTTPASMAATLRKLLTSQRLSARSQRQLLQWMVDDRVAGPLIRSVLPAGWFIADKTGASKRGARGIVALLGPNNKAERIVVIYLRDTPASMAERNQQIAGIGAALIEHWQR
配列番号1915:
MRYIRLCIISLLATLPLAVHASPQPLKQIKQSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMTATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号1916:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAALTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPHNKAERIVVIYLRDTPASMAERNQQIAGIGAALIEHWQR
配列番号1917:
KRYIRLCIISLLATLPLAVHASPQPLEQIKLSESQLSGRVGMIEMDLASGRTLTAWRADERFPMMSTFKVVLCGAVLARVDAGDEQLERKIHYSQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGAGERGARGIVALLGPNNKAERIVVIYLRDTPASMAERNQQIAGIGAALIEHWQR
配列番号1918:
MRYIRLCIISLLATLPLAVHASPQPLEQIKLSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGASKRGARGIVALLGPNNKAERIVVIYLRDTPASMAERNQQIAGIGAALIEHWQR
配列番号1919:
MRYIRLCIISLLATLPLAVHASPQPLEQIKQSESQLSGRVGMIEMDLASGRTLTAWRADERFPMMSTFKVVLCGAVLARVDAGDEQLERKIHYRQQDLVDYSPVSEKHLADGMTVGELCAAAITMSDNSAANLLLATVGGPAGLTAFLRQIGDNVTRLDRWETELNEALPGDARDTTTPASMAATLRKLLTSQRLSARSQRQLLQWMVDDRVAGPLIRSVLPAGWFIADKTGASKRGARGIVALLGPNNKAERIVVIYLRDTPASMAERNQQIAGIGAA
【００８２】
前記ペプチドは、以下で規定される配列番号６１４〜配列番号７１１および配列番号２０９３〜配列番号２０９６の配列のペプチドから選択することが好ましい。
2014512015.tif 000037
2014512015.tif 000038
2014512015.tif 000039
2014512015.tif 000040
2014512015.tif 000041
2014512015.tif 000042
2014512015.tif 000043
2014512015.tif 000044
2014512015.tif 000045
2014512015.tif 000046
【００８３】
臨床的対象欄内の２ｂ、２ｂｒ、２ｂｅ、および２ｂｅｒの項目は、対応するペプチドにより検出することが可能となる、ＳＨＶβ−ラクタマーゼの機能的亜群に対応する。したがって、２ｂｅペプチドの検出は、ペニシリン、セファロリジンおよびセファロチンなどの第１世代のセファロスポリン、ならびにセフォタキシム、セフタジジムなどのオキシイミノ系β−ラクタムのクラス、またはアズトレオナムなどのモノバクタムに由来する少なくとも１つの抗生剤を加水分解することが可能な広域スペクトルを伴うβ−ラクタマーゼ（ＥＳＢＬ）の存在を示すことになる。
【００８４】
ＳＨＶという項目は、第２ｂ亜群、第２ｂｒ亜群、および第２ｂｅ亜群、または第２ｂｅｒ亜群のうちの少なくとも２つの間で共通なペプチドを示す。対応するペプチドは、ＳＨＶβ−ラクタマーゼの存在、ならびに少なくともペニシリンおよび第１世代のセファロスポリンに対する耐性の機構の存在を示す。
【００８５】
ＳＨＶタンパク質により誘導される、ＥＳＢＬ（広域スペクトルのβ−ラクタマーゼ）によるセファロスポリンに対する耐性の機構の検出は、
配列番号616、配列番号617、配列番号627、配列番号629、配列番号634、配列番号647、配列番号648、配列番号653、配列番号654、配列番号656、配列番号660、配列番号661、配列番号662、配列番号663、配列番号664、配列番号665、配列番号670、配列番号673、配列番号674、配列番号675、配列番号678、配列番号682、配列番号684、配列番号685、配列番号686、配列番号687、配列番号688、配列番号697、配列番号702、配列番号703、配列番号704、配列番号707、配列番号708、配列番号709、配列番号711、配列番号2095
の配列から選択される少なくとも１つの耐性マーキング２ｂｅペプチドの検出を特徴とする。
【００８６】
ＦＯＸタンパク質の発現により誘導される、セファロスポリンに対する耐性の機構の検出は、ＦＯＸタンパク質ならびにその異なる配列変異体である配列番号７１２〜配列番号７１８および配列番号１９２０〜配列番号１９２２に属する少なくとも１つのペプチドの検出を特徴とする。
配列番号712:
MQQRRAFALLTLGSLLLAPCTYASGEAPLTAAVDGIIQPMLKAYRIPGMAVAVLKDGKAHYFNYGVANRESGQRVSEQTLFEIGSVSKTLTATLGAYAAVKGGFELDDKVSQHAPWLKGSALDGVTMAELATYSAGGLPLQFPDEVDSNDKMRTYYRSWSPVYPAGTHRQYSNPSIGLFGHLAANSLGQPFEQLMSQTLLPKLGLHHTYIQVPESAMVNYAYGYSKEDKPVRVTPGVLAAEAYGIKTGSADLLKFAEANMGYQGDAAVKSAIALTHTGFYSVGDMTQGLGWESYAYPVTEQTLLAGNAPAVSFQANPVTRFAVPKAMGEQRLYNKTGSTGGFGAYVAFVPARGIAIVMLANRNYPIEARVKAAHAILSQLAE
配列番号713:
MQQRRAFALLTLGSLLLAPCTYASGEAPLTAAVDGIIQPMLKAYRIPGMAVAVLKDGKAHYFNYGVANRESGQRVSEQTLFEIGSVSKTLTATLGAYAAVKGGFELDDKVSQHAPWLKGSALDGVTMAELATYSAGGLPLQFPDEVDSNDKMRTYYRSWSPVYPAGTHRQYSNPSIGLFGHLAANSLGQPFEQLMSQTLLPKLGLHHTYIQVPESAMVNYAYGYSKEDKPVRVTPGVLAAEAYGIKTGSADLLKFAEANMGYQGDAAVKSAIALTHTGFYSVGDMTQGLGWESYAYPVTEQTLLAGNAPAVSFQANPVTRFAVPKAMGEQRLYNKTGSTGGFGAYVAFVPARGIAIVMLANRNYPIEARVKAAHAILSQLAE
配列番号14:
MQQRRAFALLTLGSLLLAPCTYARGEAPLTAAVDGIIQPMLKEYRIPGMAVAVLKDGKAHYFNYGVANRESGQRVSEQTLFEIGSVSKTLTATLGAYAAVKGGFELDDKVSQHAPWLKGSAFDGVTMAELATYSAGGLPLQFPDEVDSNDKMRTYYRHWSPVYPAGTHRQYSNPSIGLFGHLAANSLGQPFEQLMSQTLLPKLGLHHTYIQVPESAIANYAYGYSKEDKPVRVTPGVLAAEAYGIKTGSADLLKFTEANMGYQGDAALKTRIALTHTGFYSVGDMTQGLGWESYAYPLTEQALLAGNSPAVSFQANPVTRFAVPKAMGEQRLYNKTGSTGGFGAYVAFVPARGIAIVMLANRNYPIEARVKAAHAILSQLAE
配列番号715:
MQQRRALALLTLGSLLLAPCTYASGEAPLTAAVDGIIQPMLKEYRIPGMAVAVLKDGKAHYFNYGVANRESGQRVSEQTLFEIGSVSKTLTATLGAYAAVKGGFELDDKVSHHAPWLKGSAFDGVTMAELATYSAGGLPLQFPDEVDSNDKMQTYYRSWSPVYPAGTHRQYSNPSIGLFGHLAANSLGQPFEKLMSQTLLPKLGLHHTYIQVPESAMANYAYGYSKEDKPIRVTPGVLAAEAYGIKTGSADLLKFVEANMGYQGDAALKSAIALTHTGFYSVGDMTQGLGWESYAYPVTEQALLAGNSPAVSFQANPVTRFAVPKAMGEQRLYNKTGSTGGFGAYVAFVPARGIAIVMLANRNYPIEARVKAAHAILSQLAE
配列番号716:
MQQRRAFALLTLGSLLLAPCTYASGEAPLTATVDGIIQPMLKEYRIPGIAVAVLKDGKAHYFNYGVANRESGQRVSEQTLFEIGSVSKTLTATLGAYAAVKGGFVLDDKVSQHAPWLKGSALDGVTMAELATYSAGGLPLQFPDKVDSNDKMQTYYRSWSPVYPAGTHRQYSNPSIGLFGHLAANSLGQPFEQLMSQTLLPKLGLHHTYIQVPESAMANYAYGYSKEDKPIRVTPGVLAAEAYGIKTGSADLLKFAEANMGYQGDALVKSAIALTHTGFYSVGEMTQGLGWESYDYPVTEQVLLAGNSPAVSFQANPVTRFAVPKAMGEQRLYNKTGSTGGFGAYVAFVPARGIAIVMLANRNYPIEARVKAAHAILSQLAE
配列番号717:
MQQRRALALLMLGSLLLAPCTYASGEAPLTATVDGIIQPMLKAYRIPGMAVAVLKDGKAHYFNYGVANRESGQRVSEQTLFEIGSVSKTLTATLGAYAAVKGGFELDDKVSQHAPWLKGSAFDGVTMAELATYSAGGLPLQFPDEVDSNDKMQTYYRSWSPVYPAGTHRQYSNPSIGLFGHLAANSLGQPFEQLMSQTLLPKLGLHHTYIQVPESAMANYAYGYSKEDKPIRATPGVLAAEAYGIKTGSADLLKFVEANMGYQGDAALKSAIALTHTGFHSVGEMTQGLGWESYDYPVTEQVLLAGNSPAVSFQANPVTRFAVPKAMGEQRLYNKTGSTGGFGAYVAFVPARGIAIVMLANRNYPIEARVKAAHAILSQLAE
配列番号718:
MQQRRAFALLTLGSLLLAPCTYARGEAPLTAAVDGIIQPMLKEYRIPGMAVAVLKDGKAHYFNYGVANRESGQRVSEQTLFEIGSVSKTLTATLGAYAAVKGGFELDDKVSQHAPWLKGSAFDGVTMAELATYSAGGLPLQFPDEVDSNDKMRTYYRHWSPVYPAGTHRQYSNPSIGLFGHLAANSLGQPFEQLMSQTLLPKLGLHHTYIQVPESAIANYAYGYSKEDKPVRATPGVLAAEAYGIKTGSADLLKFTEANMGYQGDAALKSAIALTHTGFYSVGDMTQGLGWESYAYPLTEQALLAGNSPAVSFQANPVTRFAVPKAMGEQRLYNKTGSTGGFGAYVAFVPARGIAIVMLANRNYPIEARVKAAHAILSQLAE
配列番号1920:
MQQRRAFALLTLGSLLLAPCTYASGEAPLTATVDGIIQPMLKEYRIPGIAVAVLKDGKAHYFNYGVANRESGQRVSEQTLFEIGSVSKTLTATLGAYAAVKGGFVLDDKVSQHAPWLKGSALDGVTMAELATYSAGGLPLQFPDKVDSNDKMQTYYRSWSPVYPAGTHRQYSNPSIGLFGHLAANSLGQPFEQLMSQTLLPKLGLHHTYIQVPESAMANYAYGYSKEDKPIRVTPGVLAAEAYGIKTGSADLLKFAEANMGYQGDALVKSAIALTHTGFYSVGEMTQGLGWESYDYPVTEQVLLAGNSPAVSLQANPVTRFAVPKAMGEQRLYNKTGSTGGFGAYVAFVPARGIAIVMLANRNYPIEARVKAAHAILSQLAE
配列番号1921:
MQQRRAFALLTLGSLLLAPCTYASGEAPLTVTVDGIIQPMLKAYRIPGMAVAVLKDGKAHYFNYGVANRESGQRVSEQTLFEIGSVSKTLTATLGAYAAVKGGFELDDKVSQHAPWLKGSAFDGVTMAELATYSAGGLPLQFPEEVDSNDKMRTYYRSWSPVYPAGTHRQYANTSIGLFGYLAANSLGQSFEQLMSQTLLPKLGLHHTYIQVPESAMANYAYGYSKEEKPIRVTPGMLAAEAYGIKTGSADLLKFAEANMGYQGDAAVKSAIALTHTGFYSVGDMTQGLGWESYDYPVTEQVLLADNSPAVSFQANPVTRFAVPKAMGEQRLYNKTGSTGGFGAYVAFVPARGIAIVMLANRNYPIEARVKAAHAILSQLAE
配列番号1922:
MQQRRAFALLTLGSLLLAPCTYASGEAPLTATVDGIIQPMLKEYRIPGIAVAVLKDGKAHYFNYGVANRESGQRVSEQTLFEIGSVSKTLTATLGAYAAVKGGFVLDDKVSQHAPWLKGSALDGVTMAELATYSAGGLPLQFPDKVDSNDKMQTYYRSWSPVYPAGTHRQYSNPSIGLFGHLAANSLGQPFEQLMSQTLLPKLGLHHTYIQVPESAMANYAYGYSKEDKPIRVTPGVLAAEAYGIKTGSADLLKFAEANMGYQGDALVKSAIALTHTGFYSVGEMTQGLGWESYDYPVTEQVLLAGNSPAVSFQANPVTRFAVPKAMGEQRLYNKTGSTGGFGAYVAFVPARGIAIVMLANRNYPIEARVKAAHAILSQLAE
【００８７】
前記ペプチドは、以下で規定される配列番号７１９〜配列番号７３３および配列番号２０９７〜配列番号２１１３の配列のペプチドから選択することが好ましい。
2014512015.tif 000047
2014512015.tif 000048
【００８８】
ＡＣＣタンパク質の発現により誘導される、セファロスポリンに対する耐性の機構の検出は、ＡＣＣタンパク質ならびにその異なる配列変異体である配列番号７３６〜配列番号７３９に属する少なくとも１つのペプチドの検出を特徴とする。
配列番号736:
MRKKMQNTLKLLSVITCLAATAQGAMAANIDESKIKDTVDGLIQPLMQKNNIPGMSVAVTIRGRNYIYNYGLAAKQPQQPVTENTLFEVGSLSKTFAAILASYAQASGKLSLEQSVSHYVPELRGSSFDHVSVLNVGTHTSGLQLFMPEDIKNTTQLMTYLKAWKPADAAGTHRVYSNIGTGLLGMIAAKSLGVSYEDAIEQTILPLLGMNQTYLKVPADQMENYAWGYNKKDEPVHVNMEILGNEAYGIKTTSSDLLRYVQANMGQLKLDGNAKIQHALTATHTGYFKSGEITQDLMWEQLPYPVSLPNLLTGNDMAMTKSVATPIVPPLPPQENVWINKTGSTNGFGAYIAFVPAKKMGIVMLANKNYSIDQRVTVAYKILSSLEVNK
配列番号737:
MRKKMQNTLKMLSVITCLALTAQGAMASEMDQAKIKDTVDSLIQPLMQKNNIPGMSVAVTLNGKNYIYNYGLASKQPQQPVTDNTLFEVGSLSKTFAATLASYAQVSGKLSLDKSISHYVPELRGSSFDHISVLNAGTHTTGLALFMPEEVKNTDQLMAYLKAWKPADPAGTHRVYSNIGTGLLGMIAAQSMGMTYEDAIEKTLLPKLGMTHTYLNVPADQAENYAWGYNKKNEPIHVNMEVLGNEAYGIRTNASDLIRYVQANMGQLKLDGNSTLQKALTDTHIGYFKSGKITQDLMWEQLPYPVSLPDLLTGNDMAMTKSVATPIVPPLPPQENVWINKTGSTNGFGAYIAFVPAKKMGIVMLANKNYSIDQRVT
配列番号738:
MQNTLKLLSVITCLAATVQGALAANIDESKIKDTVDDLIQPLMQKNNIPGMSVAVTVNGKNYIYNYGLAAKQPQQPVTENTLFEVGSLSKTFAATLASYAQVSGKLSLDQSVSHYVPELRGSSFDHVSVLNVGTHTSGLQLFMPEDIKNTTQLMAYLKAWKPADAAGTHRVYSNIGTGLLGMIAAKSLGVSYEDAIEKTLLPQLGMHHSYLKVPADQMENYAWGYNKKDEPVHGNMEILGNEAYGIKTTSSDLLRYVQANMGQLKLDANAKMQQALTATHTGYFKSGEITQDLMWEQLPYPVSLPNLLTGNDMAMTKSVATPIVPPLPPQENVWINKTGSTNGFGAYIAFVPAKKMGIVMLANKNYSIDQRVTVAYKILSSLEGNK
配列番号739:
MQNTLKLLSVITCLAATVQGALAANIDESKIKDTVDDLIQPLMQKNNIPGMSVAVTVNGKNYIYNYGLAAKQPQQPVTENTLFEVGSLSKTFAATLASYAQVSGKLSLDQSVSHYVPELRGSSFDHVSVLNVGTHTSGLQLFMPEDIKNTTQLMAYLKAWKPADAAGTHRVYSNIGTGLLGMIAAKSLGVSYEDAIEKTLLPQLGMHHSYLKVPADQMENYAWGYNKKDEPVHVNMEILGNEAYGIKTTSSDLLRYVQANMGQLKLDANAKMQQALTATHTGYFKSGEITQDLMWEQLPYPVSLPNLLTGNDMAMTKSVATPIVPPLPPQENVWINKTGSTNGFGAYIAFVPAKKMGIVMLANKNYSIDQRVTVAYKILSSLEGNK
【００８９】
前記ペプチドは、以下で規定される配列番号７４０〜配列番号７８７の配列のペプチドから選択することが好ましい。
2014512015.tif 000049
2014512015.tif 000050
2014512015.tif 000051
2014512015.tif 000052
【００９０】
ＡＣＴタンパク質の発現により誘導される、セファロスポリンに対する耐性の機構の検出は、ＡＣＴタンパク質ならびにその異なる配列変異体である配列番号７８８〜配列番号７９４に属する少なくとも１つのペプチドの検出を特徴とする。
配列番号788:
MMMTKSLCCALLLSTSCSVLATPMSEKQLAEVVERTVTPLMKAQAIPGMAVAVIYEGQPHYFTFGKADVAANKPVTPQTLFELGSISKTFTGVLGGDAIARGEISLGDPVTKYWPELTGKQWQGIRMLDLATYTAGGLPLQVPDEVKDNASLLRFYQNWQPQWKPGTTRLYANASIGLFGALAVKPSGMSYEQAITTRVFKPLKLDHTWINVPKAEEAHYAWGYRDGKAVHVSPGMLDAEAYGVKTNVQDMASWVMVNMKPDSLQDNSLRKGLTLAQSRYWRVGAMYQGLGWEMLNWPVDAKTVVEGSDNKVALAPLPAREVNPPAPPVNASWVHKTGSTGGFGSYVAFIPEKQLGIVMLANKSYPNPARVEAAYRILSAL
配列番号789:
MMMTKSLCCALLLSTSCSVLATPMSEKQLAEVVERTVTPLMKAQAIPGMAVAVIYEGQPHYFTFGKADVAANKPVTPQTLFELGSISKTFTGVLGGDAIARGEISLGDPVTKYWPELTGKQWQGIRMLDLATYTAGGLPLQVPDEVTDNASLLRFYQNWQPQWKPGTTRLYANASIGLFGALAVKPSGMSYEQAITTRVFKPLKLDHTWINVPKAEEAHYAWGYRDGKAIHVSPGMLDAEAYGVKTNVQDMASWVMVNMKPDSLQDNSLRKGLTLAQSRYWRVGAMYQGLGWEMLNWPVDAKTVVEGSDNKVALAPLPAREVNPPAPPVNASWVHKTGSTGGFGSYVAFIPEKQLGIVMLANKSYPNPARVEAAYRILSAL
配列番号790:
MMTKSLCCALLLSTSCSVLAAPMSEKQLAEVVERTVTPLMKAQAIPGMAVAVIYQGQPHYFTFGKADVAANKPVTPQTLFELGSISKTFTGVLGGDAIARGEISLGDPVTKYWPELTGKQWQGIRMLDLATYTAGGLPLQVPDEVADNASLLRFYQNWQPQWKPGTTRLYANTSIGLFGALAVKPSGMSYEQAITTRVFKPLKLDHTWINVPKAEEAHYAWGYRDGKAVHVSPGMLDAEAYGVKTNVQDMASWVMVNMKPDSLQDNSLRQGIALAQSRYWRVGAMYQGLGWEMLNWPVDAKTVVEGSDNKVALAPLPAREVNPPAPPVNASWVHKTGSTGGFGSYVAFIPEKQLGIVMLANKSYPNPARVEAAYRILSAL
配列番号791:
MMTKSLCCALLLSTSCSVLAAPMSEKQLAEVVERTVTPLMKAQAIPGMAVAVIYQGQPHYFTFGKADVAANKPVTPQTLFELGSISKTFTGVLGGDAIARGEISLGDPVTKYWPELTGKQWQGIRMLDLATYTAGGLPLQVPDEVTDNASLLRFYQNWQPQWKPGTTRLYANASIGLFGALAVKPSGMSYEQAITTRVFKPLKLDHTWINVPKAEEAHYAWGYRDGKAVHVSPGMLDAEAYGVKTNVKDMANWVMVNMKPDSLQDSSLKEGITLAQSRYWRVGAMYQGLGWEMLNWPVDAKTVVEGSDNKVALAPLPAREVNPPAPPVNASWVHKTGSTGGFGSYVAFIPEKQLGIVMLANKSYPNPARVEAAYRILDALQ
配列番号792:
MMRKSLCCALLLGISCSALATPVSEKQLAEVVANTVTPLMKAQSVPGMAVAVIYQGKPHYYTFGKADIAANKPVTPQTLFELGSISKTFTGVLGGDAIARGEISLDDPVTRYWPQLTGKQWQGIRMLDLATYTAGGLPLQVPDEVTDNASLLRFYQNWQPQWKPGTTRLYANASIGLFGALAVKPSGMPYEQAMTTRVLKPLKLDHTWINVPKAEEAHYAWGYRDGKAVRVSPGMLDAQAYGVKTNVQDMANWVMANMAPENVADASLKQGIALAQSRYWRIGSMYQGLGWEMLNWPVEANTVVEGSDSKVALAPLPVAEVNPPAPPVKASWVHKTGSTGGFGSYVAFIPEKQIGIVMLANTSYPNPARVEAAYHILEALQ
配列番号793:
MMKKSLCCALLLGISCSALAAPVSEKQLAEVVANTVTPLMKAQSIPGMAVAVIYQGKPHYYTFGKADIAASKPVTPQTLFELGSISKTFTGVLGGDAIARGEISLDDPVTRYWPQLTGKQWQGIRMLDLATYTAGGLPLQVPDEVTDNAALLRFYQNWQPQWKPGTTRLYANASIGLFGALAVKPSGMPFEQAMTTRVLKPLKLDHTWINVPKAEEAHYAWGYRDGKAVRVSPGMLDAQAYGMKTNVQDMANWVMANMAPENVADASLKQGISLAQSRYWRIGSMYQGLGWEMLNWPVEANTVIEGSDSKVALAPLPVAEVNPPAPPVKASWVHKTGSTGGFGSYVAFIPEKQIGIVMLANKSYPNPARVEAAYPILDALQ
配列番号794:
MMMTKSLCCALLLSTSCSVLATPMSEKQLAEVVERTVTPLMKAQAIPGMAVAVIYEGQPHYFTFGKADVAANKPVTPQTLFELGSISKTFTGVLGGDAIARGEISLGDPVTKYWPELTGKQWQGIRMLDLATYTAGGLPLQVPDEVTDNASLLRFYQNWQPQWKPGTTRLYANASIGLFGALAVKPSGMSYEQAITTRVFKPLKLDHTWINVPKAEEAHYAWGYRDGKAVHVSPGMLDAEAYGVKTNVQDMASWVMVNMKPDSLQDNSLRKGLTLAQSRYWRVGAMYQGLGWEMLNWPVDAKTVVEGSDNKVALAPLPAREVNPPAPPVNASWVHKTGSTGGFGSYVAFIPEKQLGIVMLANKSYPNPARVEAAYRILSAL
【００９１】
前記ペプチドは、以下で規定される配列番号７９５〜配列番号８４１の配列のペプチドから選択することが好ましい。
2014512015.tif 000053
2014512015.tif 000054
2014512015.tif 000055
2014512015.tif 000056
2014512015.tif 000057
【００９２】
ＣＡＲＢタンパク質の発現により誘導される、セファロスポリンに対する耐性の機構の検出は、ＣＡＲＢタンパク質ならびにその異なる配列変異体である配列番号８４２〜配列番号８５２に属する少なくとも１つのペプチドの検出を特徴とする。
配列番号842:
MLLYKMCDNQNYGVTYMKFLLAFSLLIPSVVFASSSKFQQVEQDVKAIEVSLSARIGVSVLDTQNGEYWDYNGNQRFPLTSTFKTIACAKLLYDAEQGKVNPNSTVEIKKADLVTYSPVIEKQVGQAITLDDACFATMTTSDNTAANIILSAVGGPKGVTDFLRQIGDKETRLDRIEPDLNEGKLGDLRDTTTPKAIASTLNKFLFGSALSEMNQKKLESWMVNNQVTGNLLRSVLPAGWNIADRSGAGGFGARSITAVVWSEHQAPIIVSIYLAQTQASMAERNDAIVKIGHSIFDVYTSQSR
配列番号843:
MLLYKMCDNQNYGVTYMKFLLAFSLLIPSVVFASSSKFQQVEQDVKAIEVSLSARIGVSVLDTQNGEYWDYNGNQRFPLTSTFKTIACAKLLYDAEQGKVNPNSTVEIKKADLVTYSPVIEKQVGQAITLDDACFATMTTSDNTAANIILSAVGGPKGVTDFLRQIGDKETRLDRIEPDLNEGKLGDLRDTTTPKAIASTLNKLLFGSALSEMNQKKLESWMVNNQVTGNLLRSVLPAGWNIADRSGAGGFGARSITAVVWSEHQAPIIVSIYLAQTQASMAERNDAIVKIGHSIFDVYTSQSR
配列番号844:
MKLLLVFSLLIPSMVFANSSKFQQVEQDAKVIEASLSAHIGISVLDTQTGEYWDYNGNQRFPLTSTFKTIACAKLLYDAEQGEINPKSTIEIKKADLVTYSPVIEKQVGQAITLDDACFATMTTSDNAAANIILNALGGPESVTDFLRQIGDKETRLDRIEPELNEGKLGDLRDTTTPNAIVNTLNELLFGSTLSQDGQKKLEYWMVNNQVTGNLLRSVLPEGWNIADRSGAGGFGARSITAVVWSEAQSPIIVSIYLAQTEASIADRNDAIVKIGRSIFEVYSSQSR
配列番号845:
MKFLLAFSLLIPSVVFASSSKFQQVEQDVKAIEVSLSARIGVSVLDTQNGEYWDYNGNQRFPLTSTFKTIACAKLLYDAEQGKVNPNSTVEIKKADLVTYSPVIEKQVGQAITLDDACFATMTTSDNTAANIILSAVGGPKGVTDFLRQIGDKETRLDRIEPDLNEGKLGDLRDTTTPKAIASTLNQLLFGSTLSEASQKKLESWMVNNQVTGNLLRSVLPVKWSIADRSGAGGFGARSITAIVWSEEKKTIIVSIYLAQTEASMAERNDAIVKIGRSIFEVYTSQSR
配列番号846:
MNVRKHKASFFSVVITFLCLTLSLNANATDSVLEAVTNAETELGARIGLAVHDLETGKRWEHKSNERFPLSSTFKTLACANVLQRVDLGKERIDRVVRFSESNLVTYSPVTEKHVGKKGMSLAELCQATLSTSDNSAANFILQAIGGPKALTKFLRSIGDDTTRLDRWETELNEAVPGDKRDTTTPIAMVTTLEKLLIDETLSIKSRQQLESWLKGNEVGDALFRKGVPSDWIVADRTGAGGYGSRAITAVMWPPNRKPIVAALYITETDASFEERNAVIAKIGEQIAKTVLMENSRN
配列番号847:
MKFLLAFSLLIPSVVFASSSKFQQVEQDVKAIEVSLSARIGVSVLDTQNGEYWDYNGNQRFPLTSTFKTIACAKLLYDAEQGKVNSNSTVEIKKADLVTYSPVIEKQVGQAITLDDACFATMTTSDNTAANIILSAVGGPKGVTDFLRQIGDKETRLDRIEPDLNEGKLGDLRDTTTPKAIASTLNKFLFGSALSEMNQKKLESWMVNNQVTGNLLRSVLPAGWNIADRSGAGGFGARSITAVVWSEHQAPIIVSIYLAQTQASMAERNDAIVKIGHSIFDVYTSQSR
配列番号848:
MKFLLAFSLLIPSVVFASSSKFQQVEQDVKAIEVSLSARIGVSVLDTQNGEYWDYNGNQRFPLTSTFKTIACAKLLYDAEQGKVNPNSTVEIKKADLVTYSPVIEKQVGQAITLDDACFATMTTSDNTAANIILSAVGGPKGVTDFLRQIGDKETRLDRIEPDLNEGKLGDLRDTTTPKAIASTLNKFLFGSALSEMNQKKLESWMVNNQVTGNLLRSVLPAGWNIADRSGAGGFGARSITAVVWSEHQAPIIVSIYLAQTQASMEERNDAIVKIGHSIFDVYTSQSR
配列番号849:
MKSLLVFALLMPSVVFASSSKFQSVEQEIKGIESSLSARIGVAILDTQNGESWDYNGDQRFPLTSTFKTIACAKLLYDAEHGKVNLNSTVEIKKADLVTYSPVLEKQVGKPITLSDACLATMTTSDNTAANIVINAVGDPKSITDFLRQIGDKETRLDRVEPELNEGKLGDLRDTTTPNAITSTLNQLLFGSTLSEASQKKLESWMVNNQVTGNLLRSVLPVKWSIADRSGAGGFGARSITAIVWSEEKKPIIVSIYLAQTEASMAERNDAIVKIGRSIFEVYTSQSR
配列番号850:
MDVRKHKASFFSVVITFLCLTLSLNANATDSVLEAVTNAETELGARIGLAVHDLETGKRWEHKSNERFPLSSTFKTLACANVLQRVDLGKERIDRVVRFSESNLVTYSPVTEKHVGKKGMSLAELCQATLSTSDNSAANFILQAIGGPKALTKFLRSIGDDTTRLDRWETELNEAVPGDKRDTTTPIAMVTTLEKLLIDETLSIKSRQQLESWLKGNEVGDALFRKGVPSDWIVADRTGAGGYGSRAITAVMWPPNRKPIVAALYITETDASFEERNAVIAKIGEQIAKTILMENSRN
配列番号851:
MKSLLVFALLMPSVVFASSSKFQSVEQEIKGIESSLSARIGVAILDTQNGESWDYNGDQRFPLTSTFKTIACAKLLYDAEHGKVNLNSTVEVKKADLVTYSPVLEKQVGKPITLSDACFATMTTSDNTAANIVINAVGDPKSITDFLRQIGDKETRLDRVEPELNEGKLGDLRDTTTPNAITSTLNQLLFGSTLSEASQKKLESWMVNNQVTGNLLRSVLPVTWSIADRSGAGGFGARSITAIVWSEEKKPIIVSIYLAQTEASMAERNDAIVKIGRSIFEVYTSQSR
配列番号852:
MKFLLVFSLLIPSVVFASSSKFRQVEQDVKAIEVSLSARIGVSVLDTQNGEYWDYNGNQRFPLTSTFKTIACAKLLYDAEQGKVNPNSTVEIKKADLVTYSPVIEKQVGQAITLDDACFATMTTSDNTAANIILSAVGGSKGVTDFLRQIGDKETRLDRIEPDLNEGKLGDLRDTTTPKAIASTLNKFLFGSALSEMNKKKLESWMVNNQVTGNLLRSVLPAGWNIADRSGAGGFGARSITAVVWSEHQAPIIVSIYLAQTQASMAERNDAIVKIGRSIFDVYTSQSR
【００９３】
前記ペプチドは、以下で規定される配列番号８５３〜配列番号９２１の配列のペプチドから選択することが好ましい。
2014512015.tif 000058
2014512015.tif 000059
2014512015.tif 000060
2014512015.tif 000061
2014512015.tif 000062
【００９４】
ＤＨＡタンパク質の発現により誘導される、セファロスポリンに対する耐性の機構の検出は、ＤＨＡタンパク質ならびにその異なる配列変異体である配列番号９２２〜配列番号９２７に属する少なくとも１つのペプチドの検出を特徴とする。
配列番号922:
MKKSLSATLISALLAFSAPGFSAADNVAAVVDSTIKPLMAQQDIPGMAVAVSVKGKPYYFNYGFADVQAKQPVTENTLFELGSVSKTFTGVLGAVSVAKKEMMLNDPAEKYQPELALPQWKGITLLDLATYTTGGLPLQVPDAVKNRAELLHFYQQWQPSRKPGDMRLYANSSIGLFGALTANAAGMPYEQLLTARILAPLGLSHTFITVPESAQSQYAYGYKNKKPVRVSPGQLDAESYGVKSASKDMLRWAEMNMEPSRAGNADLEMAMYLAQTRYYKTAAINQGLGWEMYDWPQQKDMIINGVTNEVALQPHPVTDNQVQPYNRASWVHKTGATTGFGAYVAFIPEKQVAIVILANKNYPNTERVKAAQAILSALE
配列番号923:
MKKSLSATLISALLAFSAPGFSAADNVAAVVDSTIKPLMAQQDIPGMAVAVSVKGKPYYFNYGFADIQAKQPVTENTLFELGSVSKTFTGVLGAVSVAKKEMALNDPAAKYQPELALPQWKGITLLDLATYTAGGLPLQVPDAVKSRADLLNFYQQWQPSRKPGDMRLYANSSIGLFGALTANAAGMPYEQLLTARILAPLGLSHTFITVPDSAQSQYAYGYKNKKPVRVSPGQLDAESYGVKSASKDMLRWAEMNIEPSRAGNADLEMAMYLAQTRYYKTAAINQGLGWEMYDWPQQKDMIINGVTNEVALQPHPVTDNQVQPYNRASWVHKTGATTGFGAYVAFIPEKQVAIVILANKNYPNTERVKAAQAILSALE
配列番号924:
MKKSLSATLISALLAFSAPGFSAADNVAAVVDSTIKPLMAQQDIPGMAVAVSVKGKPYYFNYGFADIQAKQPVTENTLFELGSVSKTFTGVLGAVSVAKKEMALNDPAAKYQPELALPQWKGITLLDLATYTAGGLPLQVPDAVKSRADLLNFYQQWQPSRKPGDMRLYANSSIGLFGALTANAAGMPYEQLLTARILAPLGLSHTFITVPESAQSQYAYGYKNKKPVRVSPGQLDAESYGVKSASKDMLRWAEMNMEPSRAGNADLEMAMYLAQTRYYKTAAINQGLGWEMYDWPQQKDMIINGVTNEVALQPHPVTDNQVQPYNRASWVHKTGATTGSGAYVAFIPEKQVAIVILANKNYPNTERVKAAQAILSALE
配列番号925:
MKKSLSATLISALLAFSAPGFSAADNVAAVVDSTIKPLMAQQDIPGMAVAVSVKGKPYYFNYGFADIQAKQPVTENTLFELGSVSKTFTGVLGAVSVAKKEMALNDPAAKYQPELALPQWKGITLLDLATYTAGGLPLQVPDAVKSRADLLNFYQQWQPSRKPGDMRLYANSSIGLFGALTANAAGMPYEQLLTARILAPLGLSHTFITVPESAQSQYAYGYKNKKPVRVSPGQLDAESYGVKSTSKDMLRWAEMNMEPSRAGNADLEMAMYLAQTRYYKTAAINQGLGWEMYDWPQQKDMIINGVTNEVALQPHPVTDNQVQPYNRASWVHKTGATTGFGAYVAFIPEKQVAIVILANKNYPNTERVKAAQAILSALE
配列番号926:
MKKSLSATLISALLAFSAPGFSAADNVAAVVDSTIKPLMAQQDIPGMAVAVSVKGRPYYFNYGFADVQAKQPVTENTLFELGSVSKTFTGVLGAVSVAKKEMALNDPAAKYQPELALPQWKGITLLDLATYTAGGLPLQVPDAVKSRADLLHFYQQWQPSRKPGDMRLYANSSIGLFGALTANAAGMPYEQLLTARILAPLGLSHTFITVPESAQSQYAYGYKNKKPVRVSPGQLDAESYGVKSASKDMLRWAEMNMEPSRAGNADLEMAMYLAQTRYYKTAAINQGLGWEMYDWPQQKDMIINGVTNEVALQPHPVTDNQVQPYNRASWVHKTGATTGFGAYVAFIPEKQVAIVILANKNYPNTERVKAAQAILSALE
配列番号927:
MKKSLSATLISALLAFSAPGFSAADNVAAVVDSTIKPLMAQQDIPGMAVAVSVKGKPYYFNYGFADIQAKQPVTENTLFELGSVSKTFTGVLGAVSVAKKEMALNDPAAKYQPELALPQWKGITLLDLATYTAGGLPLQVPDAVKSRADLLNFYQQWQPSRKPGDMRLYANSSIGLFGALTANAAGMPYEQLLTARILAPLGLSHTFITVPESAQSQYAYGYKNKKPVRVSPGQLDAESYGVKSASKDMLRWAEMNMEPSRAGNADLEMAMYLAQTRYYKTAAINQGLGWEMYDWPQQKDMIINGVTNEVALQPHPVTDNQVQPYNRASWVHKTGATTGFGAYVAFIPEKQVAIVILANKNYPNTERVKAAQAILSALE
【００９５】
前記ペプチドは、以下で規定される配列番号９２８〜配列番号９４８の配列のペプチドから選択することが好ましい。
2014512015.tif 000063
2014512015.tif 000064
2014512015.tif 000065
【００９６】
ＭＩＲタンパク質の発現により誘導される、セファロスポリンに対する耐性の機構の検出は、ＭＩＲタンパク質ならびにその異なる配列変異体である配列番号９４９〜配列番号９５３に属する少なくとも１つのペプチドの検出を特徴とする。
配列番号949:
MMTKSLSCALLLSVASSAFAAPMSEKQLAEVVERTVTPLMNAQAIPGMAVAVIYQGQPHYFTFGKADVAANKPVTPQTLFELGSISKTFTGVLGGDAIARGEIALGDPVAKYWPELTGKQWQGIRMLDLATYTAGGLPLQVPDEVTDTASLLRFYQNWQPQWKPGTTRLYANASIGLFGALAVKPSGMSYEQAMTTRVFKPLKLDHTWINVPKAEEAHFAWGYREGKAVHVSPGMLDAEAYGVKTNVKDMASWLIANMKPDSLQAPSLKQGIALAQSRYWRVGAMYQGLGWEMLNWPVDAKTVVGGSDNKVALAPLPVAEVNPPAPPVKASWVHKTGSTGGFGSYVAFIPEKQLGIVMLANKSYPNPARVEAAYRILDALQ
配列番号950:
MMTKSLSCALLLSVASAAFAAPMSETQLAEVVERTVTPLMNAQAIPGMAVAVIYQGQPHYFTFGKADVAANKPVTPQTLFELGSISKTFTGVLGGDAIARGEIALGDPVAKYWPELTGKQWQGIRMLDLATYTAGGLPLQVPDEVTDTASLLRFYQNWQPQWKPGTTRLYANASIGLFGALAVKPSGMSYEQAMTTRVFKPLKLDHTWINVPKAEEAHYAWGYREGKAVHVSPGMLDAEAYGVKTNVKDMASWVIANMKPDSLQAPSLKQGIALAQSRYWRVGAMYQGLGWEMLNWPVDAKTVVGGSDNKVALAPLPVAEVNPPAPPVKASWVHKTGSTGGFGSYVAFIPEKQLGIVMLANKSYPNPARVEAAYHILDALQ
配列番号951:
MMTKSLSCALLLSVASAAFAAPMSEKQLAEVVERTVTPLMNAQAIPGMAVAVIYQGQPHYFTFGKADVAANKPVTPQTLFELGSISKTFTGVLGGDAIARGEIALGDPVAKYWPELTGKQWQGIRMLDLATYTAGGLPLQVPDEVTDTASLLRFYQNWQPQWKPGTTRLYANASIGLFGALAVKPSGMSYEQAMTTRVFKPLKLDHTWINVPKAEEAHYAWGYREGKAVHVSPGMLDAEAYGVKTNVKDMASWLIANMKPDSLHAPSLKQGIALAQSRYWRVGAMYQGLGWEMLNWPVDAKTVVGGSDNKVALAPLPVAEVNPPAPPVKASWVHKTGSTGGFGSYVAFIPEKQLGIVMLANKSYPNPARVEAAYRILDALQ
配列番号952:
MMTKSLSCALLLSVASAAFAAPMFEKQLAEVVERTVTPLMNAQAIPGMAVAVIYQGQPHYFTFGKADVAANKPVTPQTLFELGSISKTFTGVLGGDAIARGEIALGDPVAKYWPELTGKQWQGIRMLDLATYTAGGLPLQVPDEVTDTASLLRFYQNWQPQWKPGTTRLYANASIGLFGALAVKPSGMSYEQAMTTRVFKPLKLDHTWINVPKAEEAHYAWGYREGKAVHVSPGMLDAEAYGVKTNVKDMASWLIANMKPDSLHAPSLKQGIALAQSRYWRVGAMYQGLGWEMLNWPVDAKTVVGGSDNKVALAPLPVAEVNPPAPPVKASWVHKTGSTGGFGSYVAFIPEKQLGIVMLANKSYPNPARVEAAYRILDALQ
配列番号953:
MMTKSLSCALLLSVASSAFAAPMSEKQLAEVVERTVTPLMNAQAIPGMAVAVIYQGQPHYFTFGKADVAANKPVTPQTLFELGSISKTFTGVLGGDAIARGEIALGDPVAKYWPELTGKQWQGIRMLDLATYTAGGLPLQVPDEVTDTASLLRFYQNWQPQWKPGTTRLYANASIGLFGALAVKPSGMSYEQAMTTRVFKPLKLDHTWINVPKAEEAHYAWGYREGKAVHVSPGMLDAEAYGVKTNVKDMASWLIANMKPDSLQAPSLKQGIALAQSRYWRVGAMYQGLGWEMLNWPVDAKTVVGGSDNKVALAPLPVAEVNPPAPPVKASWVHKTGSTGGFGSYVAFIPEKQLGIVMLANKSYPNPARVEAAYRILDALQ
【００９７】
前記ペプチドは、以下で規定される配列番号９５４〜配列番号９８１の配列のペプチドから選択することが好ましい。
2014512015.tif 000066
2014512015.tif 000067
【００９８】
ＭＯＸタンパク質の発現により誘導される、セファロスポリンに対する耐性の機構の検出は、ＭＯＸタンパク質ならびにその異なる配列変異体である配列番号９８２〜配列番号９８８に属する少なくとも１つのペプチドの検出を特徴とする。
配列番号982:
MQQRQSILWGAVATLMWAGLAHAGETSPVDPLRPVVDASIQPLLKEHRIPGMAVAVLKDGKAHYFNYGVADRERAVGVSEQTLFEIGSVSKPLTATLGAYAVVKGAMQLDDKASRHAPWLKGSAFDSITMGELATYSAGGLPLQFPEEVDSLEKMQAYYRQWTPAYSPGSHRQYSNPSIGLFGHLAASSLKQPFAQLMEQTLLPGLGLHHTYVNVPKQAMASYAYGYSKEDKPIRVSPGMLADEAYGIKTSSADLLRFVKANISGVDDKALQQAISLTHKGHYSVGGMTQGLGWERYAYPVSEQTLLAGNSAKVILEANPTAAPRESGSQMLFNKTGSTSGFGAYVAFVPAKGIGIVMLANRNYPIPARVKAAHAILTQLAR
配列番号983:
MQQRQSILWGALATLMWAGLAHAGDTSAVDPLRPVVDASIRPLLKEHRIPGMAVAVLKDGKAHYFNYGVADRERAVGVSEQTLFEIGSVSKPLTATLGAYAVVKGAMQLDDKASRHAPWLKGSAFDSITMGELATYSAGGLPLQFPEEVDSLEKMQAYYRQWTPAYSPGSHRQYSNPSIGLFGHLAASSMKQPFAQLMEQTLLPGLGLHHTYVNVPKQAMASYAYGYSKEDKPIRVSPGMLADEAYGIKTSSADLLRFVKANISGVDDKALQQAISLTHKGHYSVGGMTQGLGWESYAYPVSEQTLLAGNSAEVILEANPTAAPRESGNLMLFNKTGSTSGFGAYVAFVPAKGIGIVMLANRNYPIPARVKAAHAILTQLAR
配列番号984:
MQQRQSILWGALATLMWAGLAHAGDKAATDPLRPVVDASIRPLLKEHRIPGMAVAVLKDGKAHYFNYGVADRERAVGVSEQTLFEIGSVSKTLTATLGAYAVVQGGFELDDKASLFAPWLKGSAFDNITMGELATYSAGGLPLQFPEEVDSLEKMQAYYRQWTPAYSRGSHRQYANPSIGLFGYLAASSMKQPFDRLMEQTMLPGLGLYHTYLNVPEQPMGHYAYGYWKEDKPFRVTPAMLAEEPYGIKTSSADLLRFVKANISGVDNAAMQQAIDLTHQGQYAVGEMTQGLGWERYPYPVSEQTLLAGNSPAMIYNANPAAPAPAAAGHPVLFKKTGSTNGFGAYVAFVPAKGIGVVMLANRNYPNEGTLKAGHAILTQLAR
配列番号985:
MQQRQSILWGVLPTLMWAGLAHAGDRAATDPLRPVVDASIRPLLKEHRIPGMAVAVLKDGKAHYFNYGVADRERAVGVSEQTLFEIGSVSKTLTATLGAYAVVQGSFELDDKASLFAPWLKGSVFDNITMGELATYSAGGLPLQFPEEVDSLEKMQAYYRQWTPAYSPGSHRQYANPSIGLFGYLAASSMKQPFDRLMEQTILPGLGLYHTYLNVPEQAMGHYAYGYSKEDKPIRVTPGMLADEAYGIKTSSADLLRFVKANISGVDNAAMQQAIDLTHQGQYAVGEMTQGLGWERYAYPVSEQTLLAGNSAAMIYNANPAAPAPAARGHPVLFNKTGSTNGFGAYVAFVPAKGIGIVMLANRNSPIEGTLKAGHAILTQLAR
配列番号986:
MQQRQSILWGALATLMWAGLVHAGDKAATDPLRPVVDASIRPLLKEHRIPGMAVAVLKDGKAHYFNYGVADRERAVGVSEQTLFEIGSVSKTLTATLGAYAVVQGSFELDDKASLFAPWLKGSVFDNITMGELATYSAGGLPLQFPEEVDSLEKMQAYYRQWTPAYSPGSHRQYANPSIGLFGYLAASSMKQPFDRLMEQTMLPGLGLYHTYLTVPEQAMGHYAYGYSKEDKPIRVTPGMLADEAYGIKTSSADLLRFVKANIGGVDNAAMQQAIDLTHQGQYAVGEMTQGLGWERYAYPVSEQTLLAGNSPAMIYNAIPAVPAPAAAGHPVLFNKTGSTNGFGAYVAFVPAKGIGIVMLANRNSPIEARIKAAHAILTQLAR
配列番号987:
MQQRQSILWGAVATLMWAGLAHAGEASPVDPLRPVVDASIQPLLKEHRIPGMAVAVLKDGKAHYFNYGVANRESGASVSEQTLFEIGSVSKTLTATLGAYAVVKGAMQLDDKASRHAPWLKGSVFDSITMGELATYSAGGLPLQFPEEVDSSEKMRAYYRQWAPVYSPGSHRQYSNPSIGLFGHLAASSLKQPFAQLMEQTLLPGLGMHHTYVNVPKQAMASYAYGYSKEDKPIRVNPGMLADEAYGIKTSSADLLAFVKANIGGVDDKALQQAISLTHKGHYSVGGMTQGLGWESYAYPVTEQTLLAGNSAKVILEANPTAAPRESGSQVLFNKTGSSNGFGAYVAFVPARGIGIVMLANRNYPIPARVKAAHAILAQLAG
配列番号988:
MQQRQSILWGALATLMWAGLAHAGETSPVDPLRPVVDASIRPLLKEHRIPGMAVAVLKDGKAHYFNYGVADRERAVGVSEQTLFEIGSVSKPLTATLGAYAVVKGAMQLDDKASRHAPWLKGSAFDSITMGELATYSAGGLPLQFPEEVDSLEKMQAYYRQWTPAYSPGSHRQYSNPSIGLFGHLAASSMKQPFAQLMEQTLLPGLGLHHTYVNVPKQAMASYAYGYSKEDKPIRVSPGMLADEAYGIKTSSADLLRFVKANISGVHDKALQQAISLTHKGHYSVGGMTQGLGWESYAYPVSEQTLLAGNSAKVILEANPTAAPRESGSQMLFNKTGSTSGFGAYVAFVPAKGIGIVMLANRNYPIPARVKAAHAILTQLAR
【００９９】
前記ペプチドは、以下で規定される配列番号９８９〜配列番号１０３７の配列のペプチドから選択することが好ましい。
2014512015.tif 000068
2014512015.tif 000069
2014512015.tif 000070
2014512015.tif 000071
【０１００】
ＰＥＲタンパク質の発現により誘導される、セファロスポリンに対する耐性の機構の検出は、ＰＥＲタンパク質ならびにその異なる配列変異体である配列番号１０３８〜配列番号１０４４に属する少なくとも１つのペプチドの検出を特徴とする。
配列番号1038:
MNVIIKAVVTASTLLMVSFSSFETSAQSPLLKEQIESIVIGKKATVGVAVWGPDDLEPLLINPFEKFPMQSVFKLHLAMLVLHQVDQGKLDLNQTVIVNRAKVLQNTWAPIMKAYQGDEFSVPVQQLLQYSVSLSDNVACDLLFELVGGPAALHDYIQSMGIKETAVVANEAQMHADDQVQYQNWTSMKGAAEILKKFEQKTQLSETSQALLWKWMVETTTGPERLKGLLPAGTVVAHKTGTSGIKAGKTAATNDLGIILLPDGRPLLVAVFVKDSAESSRTNEAIIAQVAQTAYQFELKKLSALSPN
配列番号1039:
MNVIIKAVVTASTLLMVSFSSFETSAQSPLLKEQIESIVIGKKATVGVAVWGPDDLEPLLINPFEKFPMQSVFKLHLAMLVLHQVDQGKLDLNQTVIVNRAKVLQNTWAPIMKAYQGDEFSVPVQQLLQYSVSHTDNVACDLLFELVGGPAALHDYIQSMGIKETAVVANEAQMHADDQVQYQNWTSMKGAAEILKKFEQKTQLSETSQALLWKWMVETTTGPERLKGLLPAGTVVAHKTGTSGIKAGKTAATNDLGIILLPDGRPLLVAVFVKDSAESSRTNEAIIAQVAQTAYQFELKKLSALSPN
配列番号1040:
MNVIIKAVVTASTLLMVSFSSFETSAQSPLLKGQIESIVIGKKATVGVAVWGPDDLEPLLINPFEKFPMQSVFKLHLAMLVLHQVDQGKLDLNQTVIVNRAKVLQNTWAPIMKAYQGDEFSVPVQQLLQYSVSHSDNVACDLLFELVGGPAALHDYIQSMGIKETAVVANEAQMHADDQVQYQNWTSMKGAAEILKKFEQKTQLSETSQALLWKWMVETTTGPERLKGLLPAGTVVAHKTGTSGIKAGKTAATNDLGIILLPDGRPLLVAVFVKDSAESSRTNEAIIAQVAQTAYQFELKKLSALSPN
配列番号1041:
MNVIAKGVFTTTALLMLSLSSWVVSAQSPLLKEQIETIVTGKKATVGVAVWGPDDLEPLLVNPFEKFPMQSVFKMHLAMLVLHQVDQGKLDLNKTVAVNRAAVLQNTWSPMMKDHQGDEFTVTVQQLLQYSVSHSDNVACDLLFELVGGPAALHAYIQSLGIKETEVVANEAQMHADDQVQYKNWTSMKAAAQLLRKFEQKKQLSETSQALLWKWMVETTTGPQRLKGLLPAGTVVAHKTGTSGVRAGKTAATNDIGVIMLPDGRPLLVAVFVKDSAESARTNEAIIAQVAQAAYQFELKKLSAVSPD
配列番号1042:
MNVIIKAVVTASTLLMVSFSSFETSAQSPLLKEQIESIVIGKKATVGVAVWGPDDLEPLLINPFEKFPMQSVFKLHLAMLVLHQVDQGKLDLNQTVIVNRAKVLQNTWAPIMKAYQGDQFSVPVQQLLQYSVSHSDNVACDLLFELVGGPAALHDYIQSMGIKETAVVANEAQMHADDQVQYQNWTSMKGAAEILKKFEQKTQLSETSQALLWKWMVETTTGPERLKGLLPAGTVVAHKTGTSGVRAGKTAATNDLGIILLPDGRPLLVAVFVKDSAESSRTNEAIIAQVAQAAYQFELKKLSALSPN
配列番号1043:
MNVITKCVFTASALLMLGLSSFVVSAQSPLLKEQIETIVTGKKATVGVAVWGPDDLEPLLLNPFEKFPMQSVFKLHLAMLVLHQVDQGKLDLNQSVTVNRAAVLQNTWSPMMKDHQGDEFTVAVQQLLQYSVSHSDNVACDLLFELVGGPQALHAYIQSLGVKEAAVVANEAQMHADDQVQYQNWTSMKAAAQVLQKFEQKKQLSETSQALLWKWMVETTTGPQRLKGLLPAGTIVAHKTGTSGVRAGKTAATNDAGVIMLPDGRPLLVAVFVKDSAESERTNEAIIAQVAQAAYQFELKKLSAVSPD
配列番号1044:
MNVIIKAVVTASTLLMVSFSSFETSAQSPLLKEQIESIVIGKKATVGVAVWGPDDLEPLLINPFEKFPMQSVFKLHLAMLVLHQVDQGKLDLNQTVIVNRAKVLQNTWAPIMKAYQGDEFSVPVQQLLQYSVSHSDNVACDLLFELVGGPAALHDYIQSMGIKETAVVANEAQMHADDQVQYQNWTSMKGAAEILKKFEQKTQLSETSQALLWKWMVETTTGPERLKGLLPAGTVVAHKTGTSGIKAGKTAATNDLGIILLPDGRPLLVAVFVKDSAESSRTNEAIIAQVAQTAYQFELKKLSALSPN
【０１０１】
前記ペプチドは、以下で規定される配列番号１０４５〜配列番号１０７７の配列のペプチドから選択することが好ましい。
2014512015.tif 000072
2014512015.tif 000073
2014512015.tif 000074
【０１０２】
ＰＥＲタンパク質の発現により誘導される、セファロスポリンに対する耐性の機構の検出は、ＥＳＢＬ耐性を示す。配列番号１０４５〜配列番号１０６５および配列番号１０６９〜配列番号１０７７を一助として検出することが好ましい。
【０１０３】
ＶＥＢタンパク質の発現により誘導される、セファロスポリンに対する耐性の機構の検出は、ＶＥＢタンパク質ならびにその異なる配列変異体である配列番号１０７８〜配列番号１０８４に属する少なくとも１つのペプチドの検出を特徴とする。
配列番号1078:
MKIVKRILLVLLSLFFTIVYSNAQTDNLTLKIENVLKAKNARIGVAIFNSNEKDTLKINNDFHFPMQSVMKFPIALAVLSEIDKGNLSFEQKIEITPQDLLPKTWSPIKEEFPNGTTLTIEQILNYTVSESDNIGCDILLKLIGGTDSVQKFLNANHFTDISIKANEEQMHKDWNTQYQNWATPTAMNKLLIDTYNNKNQLLSKKSYDFIWKIMRETTTGSNRLKGQLPKNTIVAHKTGTSGINNGIAAATNDVGVITLPNGQLIFISVFVAESKETSEINEKIISDIAKITWNYYLNK
配列番号1079:
MKIVKRILLVLLSLFFTIVYSNAQADNLTLKIENVLKAKNARIGVAIFNSNEKDTLKINNDFHFPMQSVMKFPIALAVLSEIDKGNLSFEQKIEITPQDLLPKTWSPIKEEFPNGTTLTIEQILNYTVSESDNIGCDILLKLIGGTDSVQKFLNANHFTDISIKANEEQMHKDWNTQYQNWATPTAMNKLLIDTYNNKNQLLSKKSYDFIWKIMRETTTGSNRLKGQLPKNTIVAHKTGTSGINNGIAAATNDVGVITLPNGQLIFISVFVAESKETSEINEKIISDIAKITWNYYLNK
配列番号1080:
MKIVKRILLVLLSLFFTVVYSNAQTDNLTLKIENVLKAKNARIGVAIFNSNEKDTFKINNDFHFPMQSVMKFPIALAVLSEIDKGNLSFEQKIEITPQDLLPKTWSPIKEEFPNGTTLTIEQILNYTVSESDNIGCDILLKLIGGTDSVQKFLNANHFTDISIKANEEQMHKDWNTQYQNWATPTAMNKLLIDTYNNKNQLLSKKSYDFIWKIMRETTTGSNRLKGQLPKNTIVAHKTGTSGINNGIAAATNDVGVITLPNGQLIFISVFVAESKETSEINEKIISDIAKITWNYYLNK
配列番号1081:
MKIVKRILLVLLSLFFTIVYSNAQADNLTLKIENVLKAKNARIGVAIFNSNEKDTLKINNDFHFPMQSVMKFPIALAVLSEIDKGNLSFEQKIEITPQDLLPKMWSPIKEEFPNGTTLTIEQILNYTVSESDNIGCDILLKLIGGTDSVQKFLNANHFTDISIKANEEQMHKDWNTQYQNWATPTAMNKLLIDTYNNKNQLLSKKSYDFIWKIMRETTTGSNRLKGQLPKNTIVAHKTGTSGINNGIAAATNDVGVITLPNGQLIFISVFVAESKETSEINEKIISDIAKITWNYYLNK
配列番号1082:
MKIVKRILLVLLSLFFTVEYSNAQTDNLTLKIENVLKAKNARIGVAIFNSNEKDTLKINNDFHFPMQSVMKFPIALAVLSEIDKGNLSFEQKIEITPQDLLPKMWSPIKEEFPNGTTLTIEQILNYTVSESDNIGCDILLKLIGGTDSVQKFLNANHFTDISIKANEEQMHKDWNTQYQNWATPTAMNKLLIDTYNNKNQLLSKKSYDFIWKIMRETTTGSNRLKGQLPKNTIVAHKTGTSGINNGIAAATNDVGVITLPNGQLIFISVFVAESKETSEINEKIISDIAKITWNYYLNK
配列番号1083:
MKIVKRILLVLLSLFFTVVYSNAQADNLTLKIENVLKAKNARIGVAIFNSNEKDTLKINNDFHFPMQSVMKFPIALAVLSEIDKGNLSFEQKIEITPQDLLPKMWSPIKEEFPNGTTLTIEQILNYTVSESDNIGCDILLKLIGGTDSVQKFLNANHFTDISIKANEEQMHKDWNTQYQNWATPTAMNKLLIDTYNNKNQLLSKKSYDFIWKIMRETTTGSNRLKGQLPKNTIVAHKTGTSGINNGIAAATNDVGVITLPNGQLIFISVFVAESKETSEINEKIISDIAKITWNYYLNK
配列番号1084:
MKIVKRILLVLLSLFFTVEYSNAQTDNLTLKIENVLKAKNARIGVAIFNSNEKDTLKINNDFHFPMQSVMKFPIALAVLSEIDKGNLSFEQKIEITPQDLLPKTWSPIKEEFPNGTTLTIEQILNYTVSESDNIGCDILLKLIGGTDSVQKFLNANHFTDISIKANEEQMHKDWNTQYQNWATPTAMNKLLIDTYNNKNQLLSKKSYDFIWKIMRETTTGSNRLKGQLPKNTIVAHKTGTSGINNGITAATNDVGVITLPNGQLIFISVFVAESKETSEINEKIISDIAKITWNYYLNK
【０１０４】
前記ペプチドは、以下で規定される配列番号１０８５〜配列番号１１０４の配列のペプチドから選択することが好ましい。
2014512015.tif 000075
2014512015.tif 000076
【０１０５】
ＶＥＢタンパク質の発現により誘導される、セファロスポリンに対する耐性の機構の検出は、ＥＳＢＬ耐性を示す。
【０１０６】
ＯＸＡタンパク質の発現により誘導される、セファロスポリンまたはカルバペネムに対する耐性の機構の検出は、ＯＸＡタンパク質ならびにその異なる配列変異体である配列番号１１０５〜配列番号１２６６に属する少なくとも１つのペプチドの検出を特徴とする。
配列番号1105:
MSRLLLSGLLATGLLCAVPASAASGCFLYADGNGQTLSSEGDCSSQLPPASTFKIPLALMGYDSGFLVNEEHPALPYKPSYDGWLPAWRETTTPRRWETYSVVWFSQQITEWLGMERFQQYVDRFDYGNRDLSGNPGKHDGLTQAWLSSSLAISPEEQARFLGKMVSGKLPVSAQTLQYTANILKVSEVEGWQIHGKTGMGYPKKLDGSLNRDQQIGWFVGWASKPGKQLIFVHTVVQKPGKQFASIKAKEEVLAALPAQLKKL
配列番号1106:
IACLSSTALAGSITENTSWNKEFSAEAVNGVFVLCKSSSKSCATNDLARASKEYLPASTFKIPNAIIGLETGVIKNEHQVFKWDGKPRAMKQWERDLTLRGAIQVSAVPVFQQIAREVGEVRMQKYLKKFSYGNQNISGGIDKFWLEDQLRISAVNQVEFLESLYLNKLSASKENQLIVKEALVTEAAPEYLVHSKTGFSGVGTESNPGVAWWVGWVEKETEVYFFAFNMDIDNESKLPLRKSIPTKIMESEGIIGG
配列番号1107:
MKKILLLHMLVFVSATLPISSVASDEVETLKCTIIADAITGNTLYETGECARRVSPCSSFKLPLAIMGFDSGILQSPKSPTWELKPEYNPSPRDRTYKQVYPALWQSDSVVWFSQQLTSRLGVDRFTEYVKKFEYGNQDVSGDSGKHNGLTQSWLMSSLTISPKEQIQFLLRFVAHKLPVSEAAYDMAYATIPQYQAAEGWAVHGKSGSGWLRDNNGKINESRPQGWFVGWAEKNGRQVVFARLEIGKEKSDIPGGSKAREDILVELPVLMGNK
配列番号1108:
MAIRIFAILFSIFSLATFAHAQEGTLERSDWRKFFSEFQAKGTIVVADERQADRAMLVFDPVRSKKRYSPASTFKIPHTLFALDAGAVRDEFQIFRWDGVNRGFAGHNQDQDLRSAMRNSTVWVYELFAKEIGDDKARRYLKKIDYGNAGPSTSNGDYWIEGSLAISAQEQIAFLRKLYRNELPFRVEHQRLVKDLMIVEAGRNWILRAKTGWEGRMGWWVGWVEWPTGSVFFALNIDTPNRMDDLFKREAIVRAILRSIEALPPNPAVNSDAAR
配列番号1109:
MQRSLSMSGKRHFIFAVSFVISTVCLTFSPANAAQKLSCTLVIDEASGDLLHREGSCDKAFAPMSTFKLPLAIMGYDADILLDATTPRWDYKPEFNGYKSQQKPTDPTIWLKDSIVWYSQELTRRLGESRFSDYVQRFDYGNKDVSGDPGKHNGLTHAWLASSLKISPEEQVRFLRRFLRGELPVSEDALEMTKAVVPHFEAGDWDVQGKTGTGSLSDAKGGKAPIGWFIGWATRDDRRVVFARLTVGARKGEQPAGPAARDEFLNTLPALSENF
配列番号1110:
MKTFAAYVIIACLSSTALAGSITENTSWNKEFSAEAVNGVFVLCKSSSKSCATNDLARASKEYLPASTFKIPNAIIGLETGVIKNEHQVFKWDGKPRAMKQWERDLTLRGAIQVSAVPVFQQIAREVGEVRMQKYLKKFSYGNQNISGGIDKFWLEGQLRISAVNQVEFLESLYLNKLSASKENQLIVKEALVTEAAPEYLVHSKTGFSGVGTESNPGVAWWVGWVEKETEVYFFAFNMDIDNESKLPLRKSIPTKIMESEGIIGG
配列番号1111:
IACLSSTALAGSITENTSWNKEFSAEAVNGVFVLCKSSSKSCATNDLARASKEYLPASTFKIPNAIIGLETGVIKNEHQVFKWDGKPRAMKQWERDLTLRGAIQVSAVPVFQQITREVGEVRMQKYLKKFSYGNQNISGGIDKFWLEDQLRISAVNQVEFLESLYLNKLSASKENQLIVKEALVTEAAPEYLVHSKTGFSGVGTESNPGVAWWVGWVEKETEVYFFAFNMDIDNESKLPLRKSIPTKIMESEGIIGG
配列番号1112:
IACLSSTALAGSITENTSWNKEFSAEAVNGVFVLCKSSSKSCATNDLARASKEYLPASTFKIPSAIIGLETGVIKNEHQVFKWDGKPRAMKQWERDLTLRGAIQVSAVPVFQQIAREVGEVRMQKYLKKFSYGNQNISGGIDKFWLEGQLRISAVNQVEFLESLYLNKLSASKENQLIVKEALVTEAAPEYLVHSKTGFSGVGTESNPGVAWWVGWVEKETEVYFFAFNMDIDNESKLPLRKSIPTKIMESEGIIGG
配列番号1113:
MIIRFLALLFSAVVLVSLGHAQEKTHESSNWGKYFSDFNAKGTIVVVDERTNGNSTSVYNESRAQQRYSPASTFKIPHTLFALDAGAVRDEFHVFRWDGAKRSFAGHNQDQNLRSAMRNSTVWVYQLFAKEIGENKARSYLEKLNYGNADPSTKSGDYWIDGNLAISANEQISILKKLYRNELPFRVEHQRLVKDLMIVEAKRDWILRAKTGWDGQMGWWVGWVEWPTGPVFFALNIDTPNRMEDLHKREAIARAILQSVNALPPN
配列番号1114:
MAIRIFAILFSTFVFGTFAHAQEGMRERSDWRKFFSEFQAKGTIVVADERQTDRVILVFDQVRSEKRYSPASTFKIPHTLFALDAGAARDEFQVFRWDGIKRSFAAHNQDQDLRSAMRNSTVWIYELFAKEIGEDKARRYLKQIDYGNADPSTSNGDYWIDGNLAIAAQEQIAFLRKLYHNELPFRVEHQRLVKDLMIVEAGRNWILRAKTGWEGRIGWWVGWVEWPTGPVFFALNIDTPNRMDDLFKREAIVRAILRSIEALPPNPAVNSDAAR
配列番号1115:
MKTFAAYVITACLSSTALASSITENTSWNKEFSAEAVNGVFVLCKSSSKSCATNNLARASKEYLPASTFKIPSAIIGLETGVIKNEHQVFKWDGKPRAMKQWERDLSLRGAIQVSAVPVFQQIAREVGEVRMQKYLKKFSYGNQNISGGIDKFWLEGQLRISAVNQVEFLESLFLNKLSASKENQLIVKEALVTEAAPEYLVHSKTGFSGVGTESNPGVAWWVGWVEKGTEVYFFAFNMDIDNENKLPLRKSIPTKIMASEGIIGG
配列番号1116:
MKTFAAYVITACLSSTALASSITENTSWNKEFSAEAVNGVFVLCKSSSKSCATNNLARASKEYLPASTFKIPNAIIGLETGVIKNEHQVFKWDGKPRAMKQWERDLSLRGAIQVSAVPVFQQIAREVGEVRMQKYLKKFSYGNQNISGGIDKFWLEDQLRISAVNQVEFLESLFLNKLSASKENQLIVKEALVTEAAPEYLVHSKTGFSGVGTESNPGVAWWVGWVEKGTEVYFFAFNMDIDNENKLPLRKSIPTKIMASEGIIGG
配列番号1117:
MKTFAAYVITACLSSTALASSITENTSWNKEFSAEAVNGVFVLCKSSSKSCATNNLARASKEYLPASTFKIPNAIIGLETGVIKNEHQVFKWDGKPRAMKQWERDLSLRGAIQVSAVPVFQQIAREVGEVRMQKYLKKFSYGNQNISGGIDKFGLEGQLRISAVNQVEFLESLFLNKLSASKENQLIVKEALVTEAAPEYLVHSKTGFSGVGTESNPGVAWWVGWVEKGTEVYFFAFNMDIDNENKLPLRKSIPTKIMASEGIIGG
配列番号1118:
MKNTIHINFAIFLIIANIIYSSASASTDISTVASPLFEGTEGCFLLYDASTNAEIAQFNKAKCATQMAPDSTFKIALSLMAFDAEIIDQKTIFKWDKTPKGMEIWNSNHTPKTWMQFSVVWVSQEITQKIGLNKIKNYLKDFDYGNQDFSGDKERNNGLTEAWLESSLKISPEEQIQFLRKIINHNLPVKNSAIENTIENMYLQDLDNSTKLYGKTGAGFTANRTLQNGWFEGFIISKSGHKYVFVSALTGNLGSNLTSSIKAKKNAITILNTLNL
配列番号1119:
ANIIYSSASASTDISTVASPLFEGTEGCFLLYDVSTNAEIAQFNKAKCATQMAPDSTFKIALSLMAFDAEIIDQKTIFKWDKTPKGMEIWNSNHTPKTWMQFSVVWVSQEITQKIGLNKIKNYLKDFDYGNQDFSGDKERNNGLTEAWLESSLKISPEEQIQFLRKIINHNLPVKNSAIENTIENMYLQDLENSTKLYGKTGAGFTANRTLQNGWFEGFIISKSGHKYVFVSALTGNLGSNLTSSIKAKKNAITIL
配列番号1120:
IFSLATFAHAQEGTLERSDWRKFFSEFQAKGTIVVADERQADRAMLVFDPVRSKKRYSPASTFKIPHTLFALDAGAVRDEFQIFRWDGVNRGFAGHNQDQDLRSAMRNSTVWVYELFAKEIGDDKARRYLKKIDYGNAYPSTSNGDYWIEGSLAISAQEQIAFLRKLYRNELPFRVEHQRLVKDLMIVEAGRNWILRAKTGWEGRMGWWVGWVEWPTGSVFFALNIDTPNRMDDLFKREAIVRAIL
配列番号1121:
MIIRFLALLFSAVVLVSLGHAQDKTHESSNWGKYFSDFNAKGTIVVVDERTNGNSTSVYNESRAQQRYSPASTFKIPHTLFALDAGAVRDEFHVFRWDGAKRSFAGHNQDQNLRSAMRNSTVWVYQLFAKEIGENKARSYLEKLNYGNADPSTKSGDYWIDGNLAISANEQISILKKLYRNELPFRVEHQRLVKDLMIVEAKRDWILRAKTGWDGQMGWWVGWVEWPTGPVFFALNIDTPNRMEDLHKREAIARAILQSVNALPPN
配列番号1122:
MKKFILPIFSISILVSLSACSSIKTKSEDNFHISSQQHEKAIKSYFDEAQTQGVIIIKEGKNLSTYGNALARANKEYVPASTFKMLNALIGLENHKATTNEIFKWDGKKRTYPMWEKDMTLGEAMALSAVPVYQELARRTGLELMQKEVKRVNFGNTNIGTQVDNFWLVGPLKITPVQEVNFADDLAHNRLPFKLETQEEVEKMLLIKEVNGSKIYAKSGWGMGVTPQVGWLTGWVEQANGKKIPFSLNLEMKEGMSGSIRNEITYKLLENLGII
配列番号1123:
MKKFILPIFSISILVSLSACSSIKTKSEDNFHISSQQHEKAIKSYFDEAQTQGVIIIKEGKNLSTYGNALARANKEYVPASTFKMLNALIGLENHKATTNEIFKWDGKKRTYPMWEKDMTLGEAMALSAVPVYQELARRTGLELMQKEVKRVNFGNTNIGTQVDNFWLVGPLKITPVQEVNFADDLAHNRLPFKLETQEEVKKMLLIKEVNGSKIYAKSGWGMGVTPQVGWLTGWVEQANGKKIPFSLNLEMKEGMTGSIRNEITYKSLENLGII
配列番号1124:
MNKYFTCYVVASLFLSGCTVQHNLINETPSQIVQGHNQVIHQYFDEKNTSGVLVIQTDKKINLYGNALSRANTEYVPASTFKMLNALIGLENQKADINEIFKWKGEKRSFTAWEKDMTLGEAMKLSAVPVYQELARRIGLDLMQKEVKRIGFGNAEIGQQVDNFWLVGPLKVTPIQEVEFVSQLAHTQLPFSEKVQANVKNMLLLEESNGYKIFGKTGWAMDIKPQVGWLTGWVEQPDGKIVAFALKMEMRSEMPASIRNELLMKSLKQLNII
配列番号1125:
MAIRIFAILFSIFSLATFAHAQEGTLERSDWRKFFSEFQAKGTIVVADERQADRAMLVFDPVRSKKRYSPASTFKIPHTLFALDAGAVRDEFQIFRWDGVNRGFAGHNQDQDLRSAMRNSTVWVYELFAKEIGDDKARRYLKKIDYGNADPSTSNGDYCIEGSLAISAQEQIAFLRKLYRNELPFRVEHQRLVKDLMIVEAGRNWILRAKTGWEGRMGWWVGWVEWPTGSVFFALNIDTPNRMDDLFKREAIVRAIL
配列番号1126:
MKTFAAYVITACLSSTALASSITENTSWNKEFSAEAVNGVFVLCKSSSKSCATNNLARASKEYLPASTFKIPNAIIGLETGVIKNEHQVFKWDGKPRAMKQWERDLSLRGAIQVSAVPVFQQIAREVGEVRMQKYLKKFSYGNQNISGGIDKFWLEGQLRISAVNQVEFLESLFLNKLSASKENQLIVKEALVTEAAPEYLVHSKTGFSGVGTESNPGVAWWVGWVEKGTEVYFFAFNMDIDNENKLPLRKSIPTKIMASEGIIGG
配列番号1127:
MAIRFLTILLSTFFLTSFVHAQEHVLERSDWKKFFSDLRAEGAIVISDERQAEHALLVFGQERAAKRYSPASTFKLPHTLFALDADAVRDEFQVFRWDGVKRSFAGHNQDQDLRSAMRNSAVWVYELFAKEIGKDKARHYLKQIDYGNADPSTIKGDYWIDGNLEISAHEQISFLRKLYRNQLPFQVEHQRLVKDLMITEAGRNWILRAKTGWEGRFGWWVGWVEWPTGPVFFALNIDTPNRTDDLFKREAIARAILRSIDALPPN
配列番号1128:
MAIRIFAILFSIFSLATFAHAQEGTLERSDWRKFFSEFQAKGTIVVADERQADRAMLVFDPVRSKKRYSPASTFKIPHTLFALDAGAVRDEFQIFRWDGVNRGFAGHNQDQDLRSAMRNSTVWVYELFAKEIGDDKARRYLKKIDYGNADPSTSNGDYWIEGSIAISAQEQIAFLRKLYRNELPFRVEHQRLVKDLMIVEAGRNWILRAKTGWEGRMGWWVGWVEWPTGSVFFALNIDTPNRMDDLFKREAIVRAILRSIEALPPNPAVNSDAAR
配列番号1129:
MKKFILPIFSISILVSLSACSSIKTKSEDNFHISSQQHEKAIKSYFDEAQTQGVIIIKEGKNLSTYGNALARANKEYVPASTFKMLNALIGLENHKATTNEIFKWDGKKRTYPMWEKDMTLGEAMALSAVPVYQELARRTGLELMQKEVKRVNFGNTNIGTQVDNFWLVGPLKITPVQEVNFADDLAHNRLPFKLETQEEVKKMLLIKEVNGSKIYAKSGWGMGVTPQVGWLTGWVEQANGKKIPFSLNLEMKEGMSGSIRNEITYKSLENLGII
配列番号1130:
MAIRFLTILLSTFFLTSFVHAQEHVLERSDWKKFFSDLRAEGAIVISDERQAEHALLVFGQERAAKRYSPASTFKLPHTLFALDADAVRDEFQVFRWDGVKRSFAGHNQDQDLRSAMRNSAVWVYELFAKEIGEDKARRYLKQIDYGNADPSTIKGDYWIDGNLEISAHEQISFLRKLYRNQLPFQVEHQRLVKDLMITEAGRNWILRAKTGWEGRFGWWVGWVEWPTGPVFFALNIDTPNRTDDLFKREAIARAILRSIDALPPN
配列番号1131:
MAIRFFTILLSTFFLTSFVYAQEHVVIRSDWKKFFSDLQAEGAIVIADERQAKHTLSVFDQERAAKRYSPASTFKIPHTLFALDADAVRDEFQVFRWDGVNRSFAGHNQDQDLRSAMRNSTVWVYELFAKDIGEDKARRYLKQIDYGNVDPSTIKGDYWIDGNLKISAHEQILFLRKLYRNQLPFKVEHQRLVKDLMITEAGRSWILRAKTGWEGRFGWWVGWIEWPTGPVFFALNIDTPNRTDDLFKREAIARAILRSIDALPPN
配列番号1132:
MNKYFTCYVVASLFLSGCTVQHNLINETPSQIVQGHNQVIHQYFDEKNTSGVLVIQTDKKINLYGNALSRANTEYVPASTFKMLNALIGLENQKTDINEIFKWKGEKRSFTAWEKDMTLGEAMKLSAVPVYQELARRIGLDLMQKEVERIGFGNAEIGQQVDNFWLVGPLKVTPIQEVEFVSQLAHTQLPFSEKVQANVKNMLLLEESNGYKIFGKTGWAAMDIKPQVGWLTGWVEQPDGKIVAFALNMEMRSEMPASIRNELLMKSLKQLNII
配列番号1133:
MAIQIFAILFSTFVLATFAHAQDGTLERSDWGKFFSDFQAKGTIVVADERQADHAILVFDQARSMKRYSPASTFKIPHTLFALDAGAVRDEFQIFRWDGVKRSFAGHNKDQDLRSAMRNSTVWVYELFAKEIGDGKARRYLKQIGYGNADPSTSHGDYWIEGSLAISAQEQIAFLRKLYQNDLPFRVEHQRLVKDLMIVEAGRNWILRAKTGWEGSMGWWVGWVEWPTGPVFFALNIDTPNRMDDLFKREAIARAILLSIEALPPNPAVHSDAAR
配列番号1134:
MKNTIHINFAIFLIIANIIYSSASASTDISTVASQLFEGTEGCFLLYDASTNAEIAQFNKAKCAAQMAPDSTFKIALSLMAFDAEIIDQKTIFKWDKIPKGMEIWNSNHTPKTWMQFSVVWVSQEITQKIGLNKIKNYLKDFDYGNQDFSGDKERNNGLTEAWLESSLKISPEEQIQFLRKIINHNLPVRNSAIENTIDNMYLQDLENSTKLYGKTGAGFTANRTLQNGWFEGFIISKSGHKYVFVSALTGSLGSNLTSSIKAKKNAITILNTLNL
配列番号1135:
MLLFMFSIISFGNENQFMKEIFERKGLNGTFVVYDLKNDKIDYYNLDRANERFYPASSFKIFNTLIGLENGIVKNVDEMFYYYDGSKVFLDSWAKDSNLRYAIKVSQVPAYKKLARELGKERMQEGLNKLNYGNKEIGSEIDKFWLEGPLKISAMEQVKLLNLLSQSKLPFKLENQEQVKDITILEKKDDFILHGKTGWATDNIVVPIGWFVGWIETSDNIYSFAINLDISDSKFLPKREEIVREYFKNINVIK
配列番号1136:
MRVLALSAVFLVASIIGMPAVAKEWQENKSWNAHFTEHKSQGVVVLWNENKQQGFTNNLKRANQAFLPASTFKIPNSLIALDLGVVKDEHQVFKWDGQTRDIATWNRDHNLITAMKYSVVPVYQEFARQIGEARMSKMLHAFDYGNEDISGNVDSFWLDGGIRISATEQISFLRKLYHNKLHVSERSQRIVKQAMLTEANGDYIIRAKTGYSTRIEPKIGWWVGWVELDDNVWFFAMNMDMPTSDGLGLRQAITKEVLKQEKIIP
配列番号1137:
MLSRYSKTLAFAVVACTLAISTATAHAELVVRNDLKRVFDDAGVSGTFVLMDITADRTYVVDPARAARSIHPASTFKIPNSLIAFDTGAVRDDQEVLPYGGKPQPYEQWEHDMALPEAIRLSAVPIYQEVARRVGFERMQAYVDAFDYGNRQLGSAIDQFWLRGPLEISAFEEARFTSRMALKQLPVKPRTWDMVQRMLLIEQQGDAALYAKTGVATEYQPEIGWWAGWVERAGHVYAFALNIDMPREGDMAKRIPLGKQLMRALEVWPAP
配列番号1138:
MRPLLFSALLLLSGHTQASEWNDSQAVDKLFGAAGVKGTFVLYDVQRQRYVGHDRERAETRFVPASTYKVANSLIGLSTGAVRSADEVLPYGGKPQRFKAWEHDMSLRDAIKASNVPVYQELARRIGLERMRANVSRLGYGNAEIGQVVDNFWLVGPLKISAMEQTRFLLRLAQGELPFPAPVQSTVRAMTLLESGPGWELHGKTGWCFDCTPELGWWVGWVKRNERLYGFALNIDMPGGEADIGKRVELGKASLKALGILP
配列番号1139:
MNKGLHRKRLSKRLLLPMLLCLLAQQTQAVAAEQTKVSDVCSEVTAEGWQEVRRWDKLFESAGVKGSLLLWDQKRSLGLSNNLSRAAEGFIPASTFKLPSSLIALETGAVRDETSRFSWDGKVREIAVWNRDQSFRTAMKYSVVPVYQQLAREIGPKVMAAMVRQLEYGNQDIGGQADSFWLDGQLRITAFQQVDFLRQLHDNKLPVSERSQRIVKQMMLTEASTDYIIRAKTGYGVRRTPAIGWWVGWLELDDNTVYFAVNLDLASASQLPLRQQLVKQVLKQEQLLP
配列番号1140:
MNTIISRRWRAGLWRRLVGAVVLPATLAATPAAYAADVPKAALGRITERADWGKLFAAEGVKGTIVVLDARTQTYQAYDAARAEKRMSPASTYKIFNSLLALDSGALDNERAIIPWDGKPRRIKNWNAAMDLRTAFRVSCLPCYQVVSHKIGRRYAQAKLNEVGYGNRTIGGAPDAYWVDDSLQISAREQVDFVQRLARGTLPFSARSQDIVRQMSIVEATPDYVLHGKTGWFVDKKPDIGWWVGWIERDGNITSVAINIDMLSEADAPKRARIVKAVLKDLKLI
配列番号1141:
MKTFAAYVITACLSSTALASSITENTFWNKEFSAEAVNGVFVLCKSSSKSCATNNLARASKEYLPASTFKIPNAIIGLETGVIKNEHQIFKWDGKPRAMKQWERDLSLRGAIQVSAVPVFQQIAREVGEVRMQKYLKKFSYGNQNISGGIDKFWLEGQLRISAVNQVEFLESLFLNKLSASKENQLIVKEALVTEAAPEYLVHSKTGFSGVGTESNPGVAWWVGWVEKGAEVYFFAFNMDIDNENKLPLRKSIPTKIMASEGIIGG
配列番号1142:
MRVLALSAVLVVASIVGMPAMANEWQEKPSWNTHFSEHKAQGVIVLWNENKQQGFTNNLKRANQAFLPASTFKIPNSLIALDLGVVKDEHQVFKWDGQTRDIAAWNRDHDLITAMKYSVVPVYQEFARQIGQARMSKMLHAFDYGNEDISGNLDSFWLDGGIRISATEQVAFLRKLYHNKLHVSERSQRIVKQAMLTEANSDYIIRAKTGYSTRIEPQIGWWVGWVELDDNVWFFAMNMDMPTADGLGLRQAITKEVLKQEKIIP
配列番号1143:
MKKITLFLLFLNLVFGQDKILNNWFKEYNTSGTFVFYDGKTWASNDFSRAMETFSPASTFKIFNALIALDSGVIKTKKEIFYHYRGEKVFLSSWAQDMNLSSAIKYSNVLAFKEVARRIGIKTMQEYLNKLHYGNAKISKIDTFWLDNSLKISAKEQAILLFRLSQNSLPFSQEAMNSVKEMIYLKNMENLELFGKTGFNDGQKIAWIVGFVYLKDENKYKAFALNLDIDKFEDLYKREKILEKYLDELVKKVKNDG
配列番号1144:
MSKKNFILIFIFVILISCKNTEKISNETTLIDNIFTNSNAEGTLVIYNLNDDKYIIHNKERAEQRFYPASTFKIYNSLIGLNEKAVKDVDEVFYKLMAKSFLESWAKDSNLRYAIKNSQVPAYKELARRIGIKKMKENIEKLDFGNKSIGDSVDTFWLEGPLEISAMEQVKLLTKLAQNELQYPIEIQKAISDITITRANLHITLHGKTGLADSKNMTTEPIGWFVGWLEENDNIYVFALNIDNINSDDLAKRINIVKESLKALNLLK
配列番号1145:
MNKYFTCYVVASLFLSGCTVQHNLINETPSQIVQGHNQVIHQYFDEKNTSGVLVIQTDKKINLYGNALSRANTEYVPASTFKMLNALIGLENQKTDINEIFKWKGEKRSFTAWEKDMTLGEAMKLSAVPVYQELARRIGLDLMQKEVKRIGFGNAEIGQQVDNFWLVGPLKVTPIQEVEFVSQLAHTQLPFSEKVQANVKNMLLLEESNGYKIFGKTGWAMDIKPQVGWLTGWVEQPDGKIVAFALKMEMRSEMPASIRNELLMKSLKQLNII
配列番号1146:
MNIQALLLITSAIFISACSPYIVTANPNYSASKSDEKAEKIKNLFNEAHTTGVLVIQQGQTQQSYGNDLARASTEYVPASTFKMLNALIGLEHHKATTTEVFKWDGQKRLFPEWEKNMTLGDAMKASAIPVYQDLARRIGLELMSNEVKRIGYGNADIGTQVDNFWLVGPLKITPQQEAQFAYKLANKTLPFSQKVQDEVQSMLFIEEKNGNKIYAKSGWGWDVNPQVGWLTGWVVQPQGNIVAFSLNLEMKKGISSSVRKEITYRGLEQLGIL
配列番号1147:
MNIKALLLITSAIFISACSPYIVTANPNHSASKSDEKGEKIKNLFNEAHTTGVLVIQQGQTQQSYGNDLARASTEYVPASTFKMLNALIGLEHHKATTTEVFKWDGQKRLFPEWEKDMTLGDAMKASAIPVYQDLARRIGLELMSKEVKRVGYGNADIGTQVDNFWLVGPLKITPQQEAQFAYKLANKTLPFSPKVQDEVQSMLFIEEKNGNKIYAKSGWGWDVDPQVGWLTGWVVQPQGNIVAFSLNLEMKKGIPSSVRKEITYKSLEQLGIL
配列番号1148:
MNIKALLLITSAIFISACSPYIVTANPNHSASKSDEKAEKIKNLFNEAHTTGVLVIQQGQTQQSYGNDLARASTEYVPASTFKMLNALIGLEHHKATTTEVFKWDGKKRLFPEWEKDMTLGDAMKASAIPVYQDLARRIGLELMSKEVKRVGYGNADIGTQVDNFWLVGPLKITPQQEAQFAYKLANKTLPFSQKVQDEVQSMLFIEEKNGNKIYAKSGWGWDVNPQVGWLTGWVVQPQGNIVAFSLNLEMKKGIPSSVRKEITYKSLEQLGIL
配列番号1149:
MNIKALLLITSAIFISACSPYIVTANPNHSASKSDVKAEKIKNLFNEAHTTGVLVIQQGQTQQSYGNDLARASTEYVPASTFKMLNALIGLEHHKATTTEVFKWDGKKRLFPEWEKDMTLGDAMKASAIPVYQDLARRIGLELMSKEVKRVGYGNADIGTQVDNFWLVGPLKITPQQEAQFAYKLANKTLPFSQKVQDEVQSMLFIEEKNGNKIYAKSGWGWDVNPQVGWLTGWVVQPQGNIVAFSLNLEMKKGIPSSVRKEITYKSLEQLGIL
配列番号1150:
MNIKALLLITSAIFISACSPYIVSANPNHSASKSDEKAEKIKNLFNEAHTTGVLVIQQGQTQQSYGNDLARASTEYVPASTFKMLNALIGLEHHKATTTEVFKWDGQKRLFPEWEKNMTLGDAMKASAIPVYQDLARRIGLELMSNEVKRVGYGNADIGTQVDNFWLVGPLKITPQQEAQFAYKLANKTLPFSQEVQDEVQSMLFIEEKNGNKIYAKSGWGWDVNPQVGWLTGWVVQPQGNIVAFSLNLEMKKGIPSSVRKEITYKSLEQLGIL
配列番号1151:
MNIKALLLITSAIFISACSPYIVTANPNHSASKSDDKAEKIKNLFNEAHTTGVLVIHQGQTQQSYGNDLARASTEYVPASTFKMLNALIGLEHHKATTTEVFKWDGEKRLFPEWEKNMTLGDAMKASAIPVYQDLARRIGLELMSKEVKRVGYGNADIGTQVDNFWLVGPLKITPQQEAQFAYKLANKTLPFSQKVQDEVQSMLFIEEKNGNKIYAKSGWGWDVNPQVGWLTGWVVQPQGNIVAFSLNLEMKKGIPSSVRKEITYKSLEQLGIL
配列番号1152:
MNIKALLLITSAIFISACSPYIVTANPNHSASKSDKKAEKIKNLFNEAHTTGVLVIQQGQTQQSYGNDLARASTEYVPASTFKMLNALIGLEHHKATTTEVFKWNGQKRLFPEWEKDMTLGDAMKASAIPVYQDLARRIGLELMSNEVKRVGYGNADIGTQVDNFWLVGPLKITPQQEAQFAYKLANKTLPFSQKVQHEVQSMLFIEEKNGNKIYAKSGWGWDVDPQVGWLTGWVVQPQGNIVAFSLNLEMKKGIPSSVRKEITYKSLEQLGIL
配列番号1153:
MNIKALLLITSAIFISACSPYIVTANPNHSASKSDEKAEKIKNLFNEAHTTGVLVIQQGQTQQSYGNDLARASTEYVPASTFKMLNALIGLEHHKTTTTEVFKWDGQKRLFPEWEKDMTLGDAMKASAIPVYQDLARRIGLELMSKEVKRVGYGNADIGTQVDNFWLVGPLKITPQQEAQFAYKLANKTLPFSPKVQDEVQSMLFIEEKNGNKIYAKSGWGWDVDPQVGWLTGWVVQPQGNIVAFSLNLEMKKGIPSSVRKEITYKSLEQLGIL
配列番号1154:
MNIKALLLITSAIFISACSPYIVSANPNHSASKSDEKAEKIKNLFNEAHTTGVLVIQQGQTQQSYGNDLARASTEYVPASTFKMLNALIGLEHHKATTTAVFKWDGQKRLFPEWEKNMTLGDAMKASAIPVYQDLARRIGLELMSNEVKRVGYGNADIGTQVDNFWLVGPLKITPQQEAQFAYKLANKTLPFSQKVQDEVQSMLFIEEKNGNKIYAKSGWGWDVNPQVGWLTGWVVQPQGNIVAFSLNLEMKKGTPSSVRKEITYKSLEQLGIL
配列番号1155:
MNIKALLLITSAIFISACSPYIVSANPNHSASKSDEKAEKIKNLFNEAHTTGVLVIQQGQTQQSYGNDLARASTEYVPASTFKMLNALIGLEHHKATTTEVFKWDGQKRLFPEWEKNMTLGDAMKASAIPVYQDLPRRIGLELMSNEVKRVGYGNADIGTQVDNFWLVGPLKITPQQEAQFAYKLANKTLPFSQKVQDEVQSMLFIEEKNGNKIYAKSGWGWDVNPQVGWLTGWVVQPQGNIVAFSLNLEMKKGIPSSVRKEITYKSLEQLGIL
配列番号1156:
MNIKALLLITSAIFISACSPYIVTANPNHSASKSDVKAEKIKNLFNEAHTTGVLVIQQGQTQQSYGNDLARASTEYVPASTFKMLNALIGLEHHKATTTEVFKWDGKKRLFPEWEKDMTLGDAMKASAIPVYQDLARRIGLELMSKEVKRVGYGNADIGTQVDNFWLVGPLKITPQQEAQFAYKLANKTLPFSQKVQDEVQSMLFIEEKNGNKIYAKSGWGWDVNPQVGWLTGWVVQPQGNIVAFSLNLEMKKGIPSSVRKEITYKSLEKLGIL
配列番号1157:
MNIKTLLLITSTIFISACSPYIVTANPNHSTSKSDEKAEKIKNLFNEAHTTGVLVIQQGQTQQSYGNDLARASIEYVPASTFKMLNALIGLEHHKATTTEIFKWDGQKRLFPEWEKDMTLGDAMKASAIPVYQDLARRIGLELMSKEVKRVGYGNADIGTQVDNFWLVGPLKITPQQEAQFAYKLANKTLPFSLKVQDEVQSMLFIEEKNGNKIYAKSGWGWDVDPQVGWLTGWVVQPQGNIVAFSLNLEMKKGIPSSVRKEITYKSLEQLGIL
配列番号1158:
MNIKALLLITSAIFISACSPYIVTANPNHSASKSDVKAEKIKNLFNEAHTTGVLVIQQGQTQQSYGNDLARASTEYVPASTFKMLNALIGLEHHKATTTEVFKWDGKKRLFPEWEKDMTLGDAMKASAISVYQDLARRIGLELMSKEVKRVGYGNADIGTQVDNFWLAGPLKITPQQEAQFAYKLANKTLPFSQKVQDEVQSMLFIEEKNGNKIYAKSGWGWDVNPQVGWLTGWVVQPQGNIVAFSLNLEMKKGIPSSVRKEITYKSLEQLGIL
配列番号1159:
MNIKALLLITSAIFISACSPYIVTANPNHSASKSDVKAEKIKNLFNEAHTTGVLVIQQGQTQQSYGNDLARASTEYVPASTFKMLNALIGLEHHKATTTEVFKWDGKKRLFPEWEKDMTLGDAMKASALPVYQDLARRIGLELMSKEVKRVGYGNADIGTQVDNFWLVGPLKITPQQEAQFAYKLANKTLPFSQKVQDEVQSMLFIEEKNGNKIYAKSGWGWDVNPQVGWLTGWVVQPQGNIVAFSLNLEMKKGIPSSVRKEITYKSLEQLGIL
配列番号1160:
MNIKALLLITSAIFISACSPYIVTANPNHSASKSDDKAEKIKNLFNEAHTTGVLVIHQGQTQQSYGNDLARASTEYVPASTFKMLNALIGLEHHKATTTEVFKWDGEKRLFPEWEKNMTLGDAMKASAIPVYQDLARRIGLELMSKEVKRVGYGNADIGTQVDNFWLVGPLKITPQQEAQFAYKLANKTLPFSQKVQDEVQSMLFIEEKNGNKIYAKSGWGWDVNPQVGWLTGSVVQPQGNIVAFSLNLEMKKGIPSSVRKEITYKSLEQLGIL
配列番号1161:
MNIKTLLLITSTIFISACSPYIVTANPNHSTSKSDEKAEKIKNLFNEAHTTGVLVIQQGQTQQSYGNDLARASIEYVPASTFKMLNALIGLEHHKATTTEIFKWDGQKRLFPEWEKDMTLGDAMKASAIPVYQDLARRIGLELMSKEVKRVGYGNADIGTQVDNFWLVGPLKITPQQEAQFAYKLANKTLPFSLKAQDEVQSMLFIEEKNGNKIYAKSGWGWDVDPQVGWLTGWVVQPQGNIVAFSLNLEMKKGIPSSVRKEITYKSLEQLGIL
配列番号1162:
MNIKALLLITSAIFISACSPYIVTANPNHSASKSDKKAEKIKNLFNEAHTTGVLVIQQGQTQQSYGNDLARASTEYVPASTFKMLNALIGLEHHKATTTEVFKWDGKKRLFPEWEKDMTLGDAMKASAIPVYQDLARRIGLELMSKEVKRVGYGNADIGTQVDNFWLVGPLKITPQQEAQFAYKLANKTLPFSQKVQDEVQSMLFIEEKNGNKIYAKSGWGWDVNPQVGWLTGWVVQPQGNIVAFSLNLEMKKGIPSSVRKEITYKSLEQLGIL
配列番号1163:
MNIKTLLLITSAIFISACSHYIVSANPNHSASKSDEKAEKIKNLFNEAHTTGVLVIQQGQTQQSYGNDLARASTEYVPASTFKMLNALIGLEHHKATTTEVFKWDGQKRLFPEWEKNMTLGDAMKASAIPVYQDLARRIGLELMSNEVKRVGYGNADIGTQVDNFWLVGPLKITPQQEAQFTYKLANKTLPFSQKVQDEVQSMLFIEEKNGNKIYAKSGWGWDVNPQVGWLTGWVVQPQGNIVAFSLNLEMKKGIPSSVRKEITYKSLEQLGIL
配列番号1164:
MNIKALLLITSAIFISACSPYIVSANPNHSASKSDEKAEKIKNLFNEAHTTGVLVIQQGQTQQSYGNDLARASTEYVPASTFKMLNALIGLEHHKATTTEVFKWDGQKRLFPEWEKNMTLGDAMKASAIPVYQDLARRIGLELMSNEVKRVGYGNADIGTQVDNFWLVGPLKITPQQEAQFAYKLANKTLPFSQKVQDEVQSMLFIEEKNGNKIYAKSGWGWDVDPQVGWLTGWVVQPQGNIVAFSLNLEMKKGIPSSVRKEITYKSLEQLGIL
配列番号1165:
MNIKALLLITSTIFISACSPYIVTANPNHSASKSDEKAEKIKNLFNEAHTTGVLVIQQGQTQQSYGNDLARASTEYVPASTFKMLNALISLEHHKATTTEVFKWDGQKRLFPEWEKDMTLGDAMKASAIPVYQDLARRIGLELMSNEVKRVGYGNADIGTQVDNFWLVGPLKITPQQEAQFAYKLANKTLPFSQKVQDEVQSMLFIEEKNGNKIYAKSGWGWDVNPQVGWLTGWVVQPQGNIVAFSLNLEMKKGIPSSVRKEITYKSLEQLGIL
配列番号1166:
MNIQALLLITSAIFISACSPYIVSANPNHSASKSDEKAEKIKNLFNEAHTTGVLVIQQGQTQQSYGNDLARASTEYVPASTFKMLNALIGLEHHKATTTEVFKWDGKKRLFPEWEKDMTLGDAMKASAIPVYQDLARRIGLELMSKEVKRVGYGNADIGTQVDNFWLVGPLKITPQQEAQFAYKLANKTLPFSQKVQDEVQSMLFIEEKNGNKIYAKSGWGWDVNPQVGWLTGWVVQPHGNIVAFSLNLEMKKGIPSSVRKEITYKSLEQLGIL
配列番号1167:
MNIKALFLITSAIFISACSPYIVTANPNHSASKSDEKAEKIKNLFNEAHTTGVLVIQQGQTQQSYGNDLARASTEYVPASTFKMLNALIGLEHHKATTTEVFKWDGKKRLFPEWEKDMTLGDAMKASAIPVYQDLARRIGLELMSKEVKRVGYGNADIGTQVDNFWLVGPLKITPQQEAQFAYKLANKTLPFSQKVQDEVQSMLFIEEKNGNKIYAKSGWGWDVDPQVGWLTGWVVQPQGNIVAFSLNLEMKKGIPSSVRKEITYKSLEQLGIL
配列番号1168:
MKLLKILSLVCLSISIGACAEHSMSRAKTSTIPQVNNSIIDQNVQALFNEISADAVFVTYDGQNIKKYGTHLDRAKTAYIPASTFKIANALIGLENHKATSTEIFKWDGKPRFFKAWDKDFTLGEAMQASTVPVYQELARRIGPSLMQSELQRIGYGNMQMGTEVDQFWLKGPLTITPIQEVKFVYDLAQGQLPFKPEVQQQVKEMLYVERRGENRLYAKSGWGMAVDPQVGWYVGFVEKADGQVVAFALNMQMKAGDDIALRKQLSLDVLDKLGVFHYL
配列番号1169:
MNIKALLLITSTIFISACSPYIVTANPNHSTSKSDEKAEKIKNLFNEAHTTGVLVIQQGQTQQSYGNDLARASTEYVPASTFKMLNALIGLEHHKATTTEIFKWDGQKRLFPEWEKDMTLGDAMKASAIPVYQDLARRIGLELMSKEVKRVGYGNADIGTQVDNFWLVGPLKITPQQEAQFAYKLANKTLPFSLKVQDEVQSMLFIEEKNGNKIYAKSGWGWDVDPQVGWLTGWVVQPQGNIVAFSLNLEMKKGIPSSVRKEITYKSLEQLGIL
配列番号1170:
MNIKTLLLITSAIFISACSPYIVTANPNHSASKSDEKAEKIKNLFNEVHTTGVLVIRQGQTQQSYGNDLARASTEYVPASTFKMLNALIGLEHHKATTTEVFKWDGQKRLFPEWEKDMTLGDAMKASAIPVYQDLARRIGLELMSKEVKRVGYGNADIGTQVDNFWLVGPLKITPQQEAQFAYKLANKTLPFSPKVQDEVQSMLFIEEMNGNKIYAKSGWGWDVDPQVGWLTGWVVQPQGNIVAFSLNLEMKKGIPSSVRKEITYKSLEQLGIL
配列番号1171:
MKLLKILSLVCLSISIGACAEHSMSRAKTSTIPQVNNSIIDQNVQALFNEISGDAVFVTYDGQNIKKYGTHLDRAKTAYIPASTFKIANALIGLENHKATSTEIFKWDGKPRFFKAWDKDFTLGEAMQASTVPVYQELARRIGPSLMQSELQRIGYGNMQIGTEVDQFWLKGPLTITPIQEVKFVYDLAQGQLPFKPEVQQQVKEMLYVERRGENRLYAKSGWGMAVDPQVGWYVGFVEKADGQVVAFALNMQMKAGDDIALRKQLSLDVLDKLGVFHYL
配列番号1172:
MKKFILPIFSISILVSLSACSSIKTKSEDNFHISSQQHEKAIKSYFDEAQTQGVIIIKEGKNLSTYGNALARANKEYVPASTFKMLNALIGLENHKATTNEIFKWDGKKRTYPMWEKDMTLGEAMALSAVPVYQELARRTGLELMQKEVKRVNFGNTNIGTQVDNFWLVGPLKITPVQEVNFADDLAHNRLPFKLETQEEVKKMLLIKEVNGSKIYAKSGWGMDVTPQVGWLTGWVEQANGKKIPFSLNLEMKEGMSGSIRNEITYKSLENLGII
配列番号1173:
MAIRIFAILFSIFSLATFAHAQEGTLERSDWRKFFSEFQAKGTIVVADERQADRAMLVFDPVRSKKRYSPASTFKIPHTLFALDAGAVRDEFQIFRWDGVNRGFAGHNQDQDLRSAMRNSTVWVYELFAKEIGDDKARRYLKKIDYGNADPSTSNGDYWIESSLAISAQEQIAFLRKLYRNELPFRVEHQRLVKDLMIVEAGRNWILRAKTGWEGRMGWWVGWVEWPTGSVFFALNIDTPNRMDDLFKREAIVRAILRSIEALPPNPAVNSDAAR
配列番号1174:
MNIKALLLITSAIFISACSPYIVTANPNHSASKSDEKAEKIKNLFNEAHTTGVLVIQQGQTQQSYGNDLARASTEYVPASTFKMLNALIGLEHHKATTTEVFKWDGKKRLFPEWEKNMTLGDAMKASAIPVYQDLARRIGLELMSNEVKRVGYGNADIGTQVDNFWLVGPLKITPQQEAQFAYKLANKTLPFSQKVQDEVQSMLFIEEKNGNKIYAKSGWGWDVDPQVGWLTGWVVQPQGNIVAFSLNLEMKKGIPSSVRKEITYKSLEQLGIL
配列番号1175:
MNIKALLLITSAIFISACSPYIVTANPNHSASKSDVKAEKIKNLFNEAHTTGVLVIQQGQTQQSYGNDLARASTEYVPASTFKMLNALIGLEHHKATTTEVFKWDGKKRLFPEWEKDMTLGDAMKASAILVYQDLARRIGLELMSKEVKRVGYGNADIGTQVDNFWVVGPLKITPQQEAQFAYKLANKTLPFSQKVQDEVQSMLFIEEKNGNKIYAKSGWGWDVNPQVGWLTGWVVQPQGNIVAFSLNLEMKKGIPSSVRKEITYKSLEQLGIL
配列番号1176:
MNIKALLLITSAIFISACSPYIVTANPNHSASKSDKKAEKIKNLFNEAHTTGVLVIQQGQTQQSYGNDLARASTEYVPASTFKMLNALIGLEHHKATTTEVFKWNGQKRLFPEWEKDMTLGDAMKASAIPVYQDLARRIGLELMSNEVKRVGYGNADIGTQVDNFWLVGPLKITPQQEAQFAYKLANKTLPFSQKVQDEVQSMLFIEEKNGNKIYAKSGWGWDVDPQVGWLTGWVVQPQGNIVAFSLNLEMKKGIPSSVRKEITYKSLEQLGIL
配列番号1177:
MNIKALLLITSAIFISACSPYIVTANPNHSASKSDDKAEKIKNLFNEAHTTGVLVIHQGQTQQSYGNDLARASTEYVPASTFKMLNALIGLEHHKATTTEVFKWDGEKRLFPEWEKNMTLGDAMKASAIPVYQDLARRIGLELMSKEVKRVGYGNADIGTQVDNFWVVGPLKITPQQEAQFAYKLANKTLPFSQKVQDEVQSMLFIEEKNGNKIYAKSGWGWDVNPQVGWLTGWVVQPQGNIVAFSLNLEMKKGIPSSVRKEITYKSLEQLGIL
配列番号1178:
MNIKALLLITSAIFISACSPYIVTTNPNHSASKSDEKAEKIKNLFNEAHTTGVLVIQQGQTQQSYGNDLARASTEYVPASTFKMLNALIGLEHHKATTTEVFKWDGKKRLFPEWEKDMTLGDAMKASAIPVYQDLARRIGLELMSKEVKRVGYGNTDIGTQVDNFWVVGPLKITPQQEAQFAYKLANKTLPFSQKVQDEVQSMLFIEEKNGNKIYAKSGWGWDVDPQVGWLTGWVVQPQGNIVAFSLNLEMKKGIPSSVRKEITYKSLEQLGIL
配列番号1179:
MNIKALLLITSAIFISACSPYIVTANPNHSASKSDVKAEKIKNLFNEAHTTGVLVIQQGQTQQSYGNDLARASTEYVPASTFKMLNALIGLEHHKATTTEVFKWDGKKRLFPEWEKDMTLGDAMKASAIQVYQDLARRIGLELMSKEVKRVGYGNADIGTQVDNFWLVGPLKITPQQEAQFAYKLANKTLPFSQKVQDEVQSMLFIEEKNGNKIYAKSGWGWDVNPQVGWLTGWVVQPQGNIVAFSLNLEMKKGIPSSVRKEITYKSLEQLGIL
配列番号1180:
MNIKALLLITSAIFISACSPYIVTANPNHSASKSDDKAEKIKNLFNEAHTTGVLVIHQGQTQQSYGNDLARASTEYVPASTFKMLNALIGLEHHKATTTEVFKWDGEKRLFPEWEKNMTLGDAMKASALPVYQDLARRIGLELMSKEVKRVGYGNADIGTQVDNFWLVGPLKITPQQEAQFAYKLANKTLPFSQKVQDEVQSMLFIEEKNGNKIYAKSGWGWDVNPQVGWLTGWVVQPQGNIVAFSLNLEMKKGIPSSVRKEITYKSLEQLGIL
配列番号1181:
MNIKTLLLITSAIFISACSPYIVSANPNHSASKSDEKAEKIKNLFNEAHTTGVLVIQQGQTQQSYGNDLARASTEYVPASTFKMLNALIGLEHHKATTTEVFKWDGQKRLFPEWEKDMTLGDAMKASAIPVYQDLARRIGLELMSKEVKRVGYGNADIGTQVDNFWLVGPLKITPQQEAQFAYKLANKTLPFSPKVQDEVQSMLFIEEMNGNKIYAKSGWGWDVDPQVGWLTGWVVQPQGNIVAFSLNLEMKKGIPSSVRKEITYKSLEQLGIL
配列番号1182:
MNIKALLLITSAIFISACSPYIVTANPNHSASKSDDKAEKIKNLFNEAHTTGVLVIHQGQTQQSYGNDLARASTEYVPASTFKMLNALIGLEHHKATTTEVFKWDGEKRLFPEWEKNMTLGDAMKASAIPVYQDLARRIGLELMSKEVKRVGYGNADIGTQVDNFWLVGPLKITPQQEAQFAYKLANKTLPFSQKVQDEVQSMLFIEEKNGNKIYAKSGWGWDVNPQVGWLTGWVVQPQGNIVAFPLNLEMKKGIPSSVRKEITYKSLEQLGIL
配列番号1183:
MNIKALLLITSAIFISACSPYIVTANPNHSASKSDVKAEKIKNLFNEAHTTGVLVIQQGQTQQSYGNDLARASTEYVPASTFKMLNALIGLEHHKATTTEVFKWDGKKRLFPEWEKDMTLGDAMKASAIPVYQDLARRIGLELMSKEVKRVGYGNADIGTQVDNFWLVGPLKITPQQEAQFAYKLANKTLPFSQKVQDEVQSMLFIEEKNGNKIYAKSGWGGDVNPQVGWLTGWVVQPQGNIVAFSLNLEMKKGIPSSVRKEITYKSLEQLGIL
配列番号1184:
MNIKALLLITSAIFISACSPYIVTANPNHSASKSDVKAEKIKNLFNEAHTTGVLVIQQGQTQQSYGNDLARASTEYVPASTFKMLNALIGLEHHKATTTEVFKWDGKKRLFPEWEKDMTLGDAMKASAILVYQDLARRIGLELMSKEVKRVGYGNADIGTQVDNFWLVGPLKITPQQEAQFAYKLANKTLPFSQKVQDEVQSMLFIEEKNGNKIYAKSGWGWDVNPQVGWLTGWVVQPQGNIVAFSLNLEMKKGIPSSVRKEITYKSLEQLGIL
配列番号1185:
MNIKALLLITSAIFISACSPYIVTANPNHSASKSDVKAEKIKNLFNEAHTTGVLVIQQGQTQQSYGNDLARASTEYVPASTFKMLNALIGLEHHKATTTEVFKWDGKKRLFPEWEKDMTLGDAMKASAIPVYQDLARRIGLELMSKEVKRVGYGNADIGTQVDNFWVVGPLKITPQQEAQFAYKLANKTLPFSQKVQDEVQSMLFIEEKNGNKIYAKSGWGWDVNPQVGWLTGWVVQPQGNIVAFSLNLEMKKGIPSSVRKEITYKSLEQLGIL
配列番号1186:
MNIKALLLITSAIFISACSPYIVTANPNHSASKSDEKAEKIKNLFNEAHTTGVLVIQQGQTQQSYGNDLARASTEYVPASTFKMLNALIGLEHHKTTTTEVFKWDGQKRLFPEWEKDMTLGDAMKASAIPVYQDLARRIGLELMSKEVKRVGYGNADIGTQVDNFWVVGPLKITPQQEAQFAYKLANKTLPFSPKVQDEVQSMLFIEEKNGNKIYAKSGWGWDVDPQVGWLTGWVVQPQGNIVAFSLNLEMKKGIPSSVRKEITYKSLEQLGIL
配列番号1187:
MSKKNFILIFIFVILISCKNTEKISNETTLIDNIFTNSNAEGTLVIYNLNDDKYIIHNKERAEQRFYPASTFKIYNSLIGLNEKAVKDVDEVFYKYNGEKVFLESWAKDSNLRYAIKNSQVPAYKELARRIGLKKMKENIEKLDFGNKSIGDSVDTFWLEGPLEISAMEQVKLLTKLAQNELPYPIEIQKAVSDITILEQTYNYTLHGKTGLADSKNMTTEPIGWFVGWLEENDNIYVFALNIDNINSDDLAKRINIVKESLKALNLLK
配列番号1188:
MSKKNFILIFIFVILTSCKNTEKISNETTLIDNIFTNSNAEGTLVIYNLNDDKYIIHNKERAEQRFYPASTFKIYNSLIGLNEKAVKDVDEVFYKYNGEKVFLESWAKDSNLRYAIKNSQVPAYKELARRIGLKKMKENIEKLDFGNKSIGDSVDTFWLEGPLEISAMEQIKLLTKLAQNELPYPIEIQKAVSDITILEQTYNYTLHGKTGLADSKNMTTEPIGWFVGWLEENDNIYVFALNIDNINSDDLAKRINIVKESLKALNLLK
配列番号1189:
LLITSAIFISACSPYIVSANPNHSASKSDDKAEKIKNLFNEAHTTGVLVIQQGQTQQSYGNDLARASTEYVPASTFKMLNALIGLEHHKATTTEVFKWDGQKRLFPEWEKNMTLGDAMKASAIPVYQDLARRIGLELMSNEVKRVGYGNADIGTQVDNFWLVGPLKITPQQEAQFAYKLANKTLPFSQKVQDEVQSMLFIEEKNGNKIYAKSGWGWDVDPQVGWLTGWVVQPQGNIVAFSLNLEMKKGIPSSVRKEITYKSL
配列番号1190:
LLITSAIFISACSPYIVSANPNHSASKSDEKAEKIKNLFNEAHTTGVLVIQQGQTQQSYGNDLARASTEYVPASTFKMLNALIGLEHHKATTTEVFKWDGQKRLFPEWEKNMTLGDAMKASAIPVYQDLARRIGLELMSNEVKRVGYGNADIGTQVDNFWLVGPLKITPQQEAQFAYKLANKTLPFSQKVQDEVQSMLFIEEKNGNKIYAKSGWGWDVNPQVGWLTEWVVQPQGNIVAFSLNLEMKKGIPSSVRKEITYKSL
配列番号1191:
MTVRRLSCALGAALSLSALGGGPVQAAVLCTVVADAADGRILFQQGTQQACAERYTPASTFKLAIALMGADAGILQGPHEPVWNYQPAYPDWGGDAWRQPTDPARWIKYSVVWYSQLTAKALGQDRFQRYTSAFGYGNADVSGEPGKHNGTDGAWIISSLRISPLEQLAFLRKLVNRQLPVKAAAYELAENLFEAGQADGWRLYGKTGTGSPGSNGVYTAANAYGWFVGWARKDGRQLVYARLLQDERATRPNAGLRARDELVRDWPAMAGAWRP
配列番号1192:
MNIKALLLITSAIFISACSPYIVSANPNHSASKSDEKAEKIKNLFNEAHTTGVLVIQQGQTQQSYGNVLARASTEYVPASTFKMLNALIGLEHHKATTTEVFKWDGQKRLFPEWEKNMTLGDAMKASAIPVYQDLARRIGLELMSNEVKRVGYGNADIGTQVDNFWLVGPLKITPQQEAQFAYKLANKTLPFSQEVQDEVQSMLFIEEKNGNKIYAKSGWGWDVNPQVGWLTGWVVQPQGNIVAFSLNLEMKKGIPSSVRKEITYKSLEQLGIL
配列番号1193:
MKTFAAYVIIACLSSTALAGSITENTSWNKEFSAEAVNGVFVLCKSSSKSCATNDLARASKEYLPASTFKIPSAIIGLETGVIKNEHQVFKWDGKPRAMKQWERDLTLRGAIQVSAVPVFQQIAREVGEVRMQKYLKKFSYGNQNISGGIDKFWLEDQLRISAVNQVEFLESLYLNKLSASKENQLIVKEALVTEAAPEYLVHSKTGFSGVGTESNPGVAWWVGWVEKETEVYFFAFNMDIDNESKLPLRKSIPTKIMESEGIIGG
配列番号1194:
MNIKTLLLITSAIFISACSPYIVTANPNHSASKSDVKAEKIKNLFNEAHTTGVLVIQQGQTQQSYGNDLARASTEYVPASTFKMLNALIGLEHHKATTTEVFKWDGKKRLFPEWEKDMTLGDAMKASAIPVYQDLARRIGLELMSKEVKRVGYGNADIGTQVDNFWVVGPLKITPQQEAQFAYKLANKTLPFSQKVQDEVQSMLFIEEKNGNKIYAKSGWGWDVNPQVGWLTGWVVQPQGNIVAFSLNLEMKKGIPSSVRKEITYKSLEQLGIL
配列番号1195:
MNIKALLLITSAIFISACSPYIVTTNPNHSASKSDEKAEKIKNLFNEAHTTGVLVIQQGQTQQSYGNDLARASTEYVPASTFKMLNALIGLEHHKATTTEVFKWDGKKRLFPEWEKDMTLGDAMKASAIPVYQDLARRIGLELMSKEVKRVGYGNTDIGTQVDNFWLVGPLKITPQQEAQFAYKLANKTLPFSQKVQDEVQSMLFIEEKNGNKIYAKSGWGWDVDPQVGWLTGWVVQPQGNIVAFSLNLEMKKGIPSSVRKEITYKSLEQLGIL
配列番号1196:
MNIKALLLITSAIFISACSPYIVTANPNHSASKSDVKAEKIKNLFNEAHTTGVLVIQQGQTQQSYGNDLARASTEYVPASTFKMLNALIGLEHHKATTTEVFKWDGKKRLFPEWEKDMTLGDAMKASAVPVYQDLARRIGLELMSKEVKRVGYGNADIGTQVDNFWLVGPLKITPQQEAQFAYKLANKTLPFSQKVQDEVQSMLFIEEKNGNKIYAKSGWGWDVNQQVGWLTGWVVQPQGNIVAFSLNLEMKKGIPSSVRKEITYKSLEQLGIL
配列番号1197:
MNIKTLLLITSAIFISACSPYIVTANPNHSASKSDEKAEKIKNLFNEVHTTGVLVIQQGQTQQSYGNDLARASTEYVPASTFKMLNALIGLEHHKATTTEVFKWDGQKRLFPEWEKDMTLGDAMKASAIPVYQDLARRIGLELMSKEVKRVGYGNADIGTQVDNFWLVGPLKITPQQEAQFAYKLANKTLPFSPKVQDEVQSMLFIEEKNGNKIYAKSGWGWDVDPQVGWLTGWVVQPQGNIVAFSLNLEMKKGIPSSVRKEMTYKSLEQLGIL
配列番号1198:
MNKYFTCYVVASLFFSGCTVQHNLINETQSQIVQGHNQVIHQYFDEKNTSGVLVIQTDKKINLYGNALSRANTEYVPASTFKMLNALIGLENQKTDINEIFKWKGEKRSFTTWEKDMTLGEAMKLSAVPVYQELARRIGLDLMQKEVERIDFGNAEIGQQVDNFWLIGPLKVTPIQEVEFVSQLAHTQLPFSEKVQANVKNMLLLEENNGYKIFGKTGWAMDIKPQVGWLTGWVEQPDGKIVAFALNMEMRSEMPASIRNELLMKSLKQLNII
配列番号1199:
MNKYFTCYVVASLFLSGCTVQHNLINETPSQIVQGHNQVIHQYFDEKNTSGVLVIQTDKKINLYGNALSRANTEYVPASTFKMLNALIGLENQKTDINEIFKWKGEKRSFTAWEKDMTLGEAMKLSAVPVYQELARRIGLDLMQKEVKRIGFGNAEIGQQVDNFWLVGPLKVTPIQEVEFVSQLAHTQLPFSEKVQANVKNMLLLEESNGYKIFGKTGWAAMDIKPQVGWLTGWVEQPDGKIVAFALNMEMRSEMPASIRNELLMKSLKQLNII
配列番号1200:
MKTFAAYVITACLSSTALASSITENTSWNKEFSAEAVNGVFVLCKSSSKSCATNNLARASKEYLPASTFKIPNAIIGLETGVIKNEHQVFKWDGKPRAMKQWERDLSLRGAIQVSAVPVFQQIAREVGEVRMQKYLKKFSYGNQNISGGIDKFLLEGQLRISAVNQVEFLESLFLNKLSASKENQLIVKEALVTEAAPEYLVHSKTGFSGVGTESNPGVAWWVGWVEKGTEVYFFAFNMDIDNENKLPLRKSIPTKIMASEGIIGG
配列番号1201:
MAIRIFAILFSIFSLATFAHAQEGTLERSDWRKFFSEFQAKGTIVVADERQADRAMLVFDPVRSKKRYSPASTFKIPHTLFALDAGAVRDEFQIFRWDGVNRGFAGHNQDQDLRSAMRNSTVWVYELFAKEIGDDKARRYLKKIDYGDADPSTSNGDYWIEGSLAISAQEQIAFLRKLYRNELPFRVEHQRLVKDLMIVEAGRNWILRAKTGWEGRMGWWVGWVEWPTGSVFFALNIDTPNRMDDLFKREAIVRAILRSIEALPPNPAVNSDAAR
配列番号1202:
MNIKALLLITSAIFISACSPYIVTANPNHSASKSDKKAEKIKNLFNEAHTTGVLVIQQGQTQQSYGNDLARASTEYVPASTFKMLNALIGLEHHKASTTEVFKWNGQKRLFPEWEKDMTLGDAMKASAIPVYQDLARRIGLELMSNEVKRVGYGNADIGTQVDNFWLVGPLKITPQQEAQFAYKLANKTLPFSQKVQDEVKSMLFIEEKNGNKIYAKSGWGWDVDPQVGWLTGWVVQPQGNIVAFSLNLEMKKGIPSSVRKEITYKSLEQLGIL
配列番号1203:
MNIKALLLITSAIFISACSPYIVSANPNHSASKSDEKAEKIKNLFNEAHTTGVLVIQQGQTQQSYGNDLARASTEYVPASTFKMLNALIGLEHHKATTTEVFKWDGQKRLFPEWEKNMTLGDAMKASAIPVYQDLARRIGLELMSNEVKHVGYGNADIGTQVDNFWLVGPLKITPQQEAQFAYKLANKTLPFSPKVQDEVQSMLFIEEKNGNKIYAKSGWGWDVNPQVGWLTGWVVQPQGNIVAFSLNLEMKKGIPSSVRKEITYKSLEQLGIL
配列番号1204:
MNIKALLLITSAIFISACSPYIVSANPNHSASKSDEKAEKIKNLFNEAHTTGVLVIQQGQTQQSYGNDLARASTEYVPASTFKMLNALIGLEHHKATTTEVFKWDGQKRLFPEWEKNMTLGDAMKASAIPVYQDLARRIGLELMSNEVKHVGYGNADIGTQVDNFWLVGPLKITPQQEAQFAYKLANKTLPFSQKVQDEVQSMLFIEEKNGNKIYAKSGWGWDVNPQVGWLTGWVVQPQGNIVAFSLNLEMKKGIPSSVRKEITYKSLEQLGIL
配列番号1205:
MKKFILPILSISTLLSVSACSSIQTKFEDTFHTSNQQHEKAIKSYFDEAQTQGVIIIKKGKNISTYGNNLTRAHTEYVPASTFKMLNALIGLENHKATTTEIFKWDGKKRSYPMWEKDMTLGDAMALSAVPVYQELARRTGLDLMQKEVKRVGFGNMNIGTQVDNFWLVGPLKITPIQEVNFADDFANNRLPFKLETQEEVKKMLLIKEFNGSKIYAKSGWGMDVTPQVGWLTGWVEKSNGEKVAFSLNIEMKQGMPGSIRNEITYKSLENLGII
配列番号1206:
MNIKALLLITSAIFISACSPYIVSANPNHSASKSDEKAEKIKNLFNEAHTTGVLVIQQGQTQQSYGNDLARASTEYVPASTFKMLNALIGLEHHKATTTEVFKWDGQKRLFPEWEKNMTLGDAMKASAIPVYQDLARRIGLELMSNEVKRVGYGNADIGTQVDNFWLVGPLKITPQQEAQFAYKLANKTLPFSQEVQDEVQSILFIEEKNGNKIYAKSGWGWDVNPQVGWLTGWVVQPQGNIVAFSLNLEMKKGIPSSVRKEITYKSLEQLGIL
配列番号1207:
MKKFILPIFSISILVSLSACSSIKTKSEDNFHISSQQHEKAIKSYFDEAQTQGVIIIKEGKNLSTYGNALARANKEYVPASTFKMLNALIGLENHKATTNEIFKWDGKKRTYPMWEKDMTLGEAMALSAVPVYQELARRTGLELMQKEVKRVNFGNTNIGTQVDNFWLVGPLKITPVQEVNFADDLAHNRLPFKLETQEEVKKMLLIKEVNGSKIYAKSGWGMGVTSQVGWLTGWVEQANGKKIPFSLNLEMKEGMSGSIRNEITYKSLENLGII
配列番号1208:
MRVLALSAVFLVASIIGMPAVAKEWQENKSWNAHFTEHKSQGVVVLWNENKQQGFTNNLKRANQAFLPASTFKIPNSLIALDLGVVKDEHQVFKWDGQTRDIATWNRDHNLITAMKYSVVPVYQEFARQIGEARMSKMLHAFDYGNEDISGNVDSFWLDGGIRISATEQISFLRKLYHNKLHVSERSQRIVKQAMLTEANGDYIIRAKTGYSARIEPKIGWWVGWVELDDNVWFFAMNMDMPTSDGLGLRQAITKEVLKQEKIIP
配列番号1209:
MNIKALLLITSAIFISACSPYIVTANPNHSASKSDVKAEKIKNLFNEAHTTGVLVIQQGQTQQSYGNDLARASTEYVPASTFKMLNALIGLEHHKATTTEVFKWDGKKRLFPEWEKDMTLGDAMKASAVPVYQDLARRIGLELMSKEVKRVGYGNADIGTQVDNFWLVGPLKITPQQEAQFAYKLANKTLPFSQKVQDEVQSMLFIEEKNGNKIYAKSGWGLDVNPQVGWLTGWVVQPQGNIVAFSLNLEMKKGIPSSVRKEITYKSLEQLGIL
配列番号1210:
MNIKALLLITSAIFISACSPYIVTANPNHSASKSDVKAEKIKNLFNEAHTTGVLVIQQGQTQQSYGNDLARASTEYVPASTFKMLNALIGLEHHKATTTEVFKWDGKKRLFPEWEKDMTLGDAMKASAVPVYQDLARRIGLELMSKEVKRVGYGNADIGTQVDNFWLVGPLKITPQQEAQFAYKLANKTLPFSQKVQDEVQSMLFIEEKNGNKIYAKSGWGLDVNLQVGWLTGWVVQPQGNIVAFSLNLEMKKGIPSSVRKEITYKSLEQLGIL
配列番号1211:
MNIKALLLITSAIFISACSPYIVTANPNHSASKSDVKAEKIKNLFNEAHTTGVLVIQQGQTQQSYGNDLARASTEYVPASTFKMLNALIGLEHHKATTTEVFKWDGKKRLFPEWEKDMTLGDAMKASAIPVYQDLARRIGLELMSKEVKRVGYGNADIGTQVDNFWVVGPLKITPQQEAQFAYKLANKTLPFSQKVQDEVQSMLFIEEKNGNKIYAKSGWGWDVNPQVGWLTGWVVQPQGNIVAFSLNLEMKKGIPSSVRKEITYKSLEKLGIL
配列番号1212:
MNIKALLLITSAIFISACSPYIVTANPNHSASKSDVKAEKIRNLFNEAHTTGVLVIQQGQTQQSYGNDLARASTEYVPASTFKMLNALIGLEHHKATTTEVFKWDGKKRLFPEWEKDMTLGDAMKASAIPVYQDLARRIGLELMSKEVKRVGYGNADIGTQVDNFWVVGPLKITPQQEAQFAYKLANKTLPFSQKVQDEVQSMLFIEEKNGNKIYAKSGWGWDVNPQVGWLTGWVVQPQGNIVAFSLNLEMKKGIPSSVRKEITYKSLEQLGIL
配列番号1213:
MNIKALLLITSAIFISACSPYIVTANPNHSASKSDVKAEKIKNLFNEAHTTGVLVIQQGQTQQSYGNDLARASTEYVPASTFKMLNALIGLEHHKATTTEVFKWDSKKRLFPEWEKDMTLGDAMKASAIPVYQDLARRIGLELMSKEVKRVGYGNADIGTQVDNFWVVGPLKITPQQEAQFAYKLANKTLPFSQKVQDEVQSMLFIEEKNGNKIYAKSGWGWDVNPQVGWLTGWVVQPQGNIVAFSLNLEMKKGIPSSVRKEITYKSLEQLGIL
配列番号1214:
MNIKALLLITSAIFISACSPYIVTANPNHSASKSDVKAEKIKNLFNEAHTTGVLVIQQGQTQQSYGNDLARASTEYVPASTFKMLNALIGLEHHKATTTEVFKWDGKKRLFPEWEKDMTLGDAMKASAIPVYQDLARRIGLELMSKEVKRVGYGNADIGTQVDNFWVVGPLKITPQQEAQFAYKLANKTLPFSQKVQDGVQSMLFIEEKNGNKIYAKSGWGWDVNPQVGWLTGWVVQPQGNIVAFSLNLEMKKGIPSSVRKEITYKSLEQLGIL
配列番号1215:
MNIKALLLITSAIFISACSPYIVTANPNHSASKSDVKAEKIKNLFNEAHTTGVLVIQQGQTQQSYGNDLARASTEYVPASTFKMLNALIGLEHHKATTTEVFKWDSKKRLFPEWEKDMTLGDAMKASAILVYQDLARRIGLELMSKEVKRVGYGNADIGTQVDNFWLVGPLKITPQQEAQFAYKLANKTLPFSQKVQDEVQSMLFIEEKNGNKIYAKSGWGWDVNPQVGWLTGWVVQPQGNIVAFSLNLEMKKGIPSSVRKEITYKSLEQLGIL
配列番号1216:
MKLLKILSLVCLSISIGACAEHSMSRAKTSTIPQVNNSIIDQNVQALFNEISADAVFVTYDGQNIKKYGTHLDRAKTAYIPASTFKIANALIGLENHKATSTEIFKWDGKPRFLKAWDKDFTLGEAMQASTVPVYQELARRIGPSLMQSELQRIGYGNMQIGTEVDQFWLKGPLTITPIQEVKFVYDLAQGQLPFKPEVQQQVKEMLYVERRGENRLYAKSGWGMAVDPQVGWYVGFVEKADGQVVAFALNMQMKAGDDIALRKQLSLDVLDKLGVFHYL
配列番号1217:
MNKYFTCYVVASLFLSGCTVQHNLINETPSQIVQGHNQVIHQYFDEKNTSGVLVIQTDKKINLYGNALSRANTEYVPASTFKMLNALIGLENQKTDINEIFKWKGEKRSFTAWEKDMTLGEAMKLSAVPVYQELARRIGLDLMQKEVKRIGFGNAEIGQQVDNFWLVGPLKVTPIQEVEFVSQLAHTQLPFSEKVQANVKNMLLLEESNGYKIFGKTGWAMDVKPQVGWLTGWVEQPDGKIVAFALNMEMRSEMPASIRNELLMKSLKQLNII
配列番号1218:
MNKYFTCYVVASLFLSGCTVQHNLINETPSQIVQGHNQVIHQYFDEKNTSGALVIQTDKKINLYGNALSRANTEYVPASTFKMLNALIGLENQKTDINEIFKWKGEKRSFTAWEKDMTLGEAMKLSAVPVYQELARRIGLDLMQKEVKRIGFGNAEIGQQVDNFWLVGPLKVTPIQEVEFVSQLAHTQLPFSEKVQANVKNMLLLEESNGYKIFGKTGWAMDIKPQVGWLTGWVEQPDGKIVAFALNMEMRSEMPASIRNELLMKSLKQLNII
配列番号1219:
MNKYFTCYVVASLFLSGCTVQHNLINETPSQIVQGHNQVIHQYFDEKNTSGVLVIQTDKKINLYGNALSRANTEYVPASTFKMLNALIGLENQKTDINEIFKWKGEKRSFTAWEKDMTLGEAMKLSAVPVYQELARRIGLDLMQKEVKRIGFGNAEIGQQVDNFWLVGPLKVTPIQEVEFVSQLAHTQLPFSEKVQANVKNMLLLEESNGYKIFGKTGWAMDIKPQVGWLTGWVEQPDGKIVAFALNMEMRSEMPASIRNELMMKSLKQLNII
配列番号1220:
MNKYFTCYVVASLFLSGCTVQHNLINETPSQIVQGHNQVIHQYFDEKNTSGVLVIQTDKKINLYGNALSRANTEYVPASTFKMLNALIGLENQKTDINEIFKWKGEKRSFTAWEKDMTLGEAMKLSAVPVYQELARRIGLDLMQKEVKRIGFGNAEIGQQVDNFWLVGPLKVTPIQEVEFVSQLAHTQLPFSEKVQANVKNMLLLEESNGYKIFGKTGWAMDIKPQVGWLAGWVEQPDGKIVAFALNMEMRSEMPASIRNELLMKSLKQLNII
配列番号1221:
MNKYFTCYVVASLFLSGCTVQHNLINETPSQIVQGHNQVIHQYFDERNTSGVLVIQTDKKINLYGNALSRANTEYVPASTFKMLNALIGLENQKTDINEIFKWKGEKRSFTAWEKDMTLGEAMKLSAVPVYQELARRIGLDLMQKEVKRIGFGNAEIGQQVDNFWLVGPLKVTPIQEVEFVSQLAHTQLPFSEKVQANVKNMLLLEESNGYKIFGKTGWAMDIKPQVGWLTGWVEQPDGKIVAFALNMEMRSEMPASIRNELLMKSLKQLNII
配列番号1222:
MNKYFTCYVVASLFLSGCTVQHNLINETPSQIVQGHNQVIHQYFDEKNTSGVLVIQTDKKINLYGNALSRANTEYVPASTFKMLNALIGLENQKTDINEIFKWKGEKRSFTAWEKDMTLGEAMKLSAVPVYQELARRIGLDLMQKEVKRIGFGNAEIGQQVDNFWLVGPLKVTPIQEVEFVSQLAHTQLPFSEKVQANVKNMLLLEKSNGYKIFGKTGWAMDIKPQVGWLTGWVEQPDGKIVAFALNMEMRSEMPASIRNELLMKSLKQLNII
配列番号1223:
MNKYFTCYVVASLFLSGCTVQHNLINETPSQIVQGHNQVIHQYFDEKNTSGVLVIQTDKKINLYGNALSRANTEYVPASTFKMLNALIGLENQKTDINEIFKWKGEKRSFTAWEKDMTLGEAMKLSAVPVYQELARRIGLDLMQKEVKRIGFGNAEIGQQVDNFWLVGPLKVTPIQEVEFVSQLAHTQLPFSEKVQANVKNMLLLEESNGYKIFGKTGWAMDIKPQVGWLTGWVEQPDGKIVAFALNMEMRSEMPASTRNELLMKSLKQLNII
配列番号1224:
MKKFILPIFSISILLSLSACSSIQTKFEDTFHISNQKHEKAIKSYFDEAQTQGVIIIKEGKNISSYGNNLVRAHTEYVPASTFKMLNALIGLENHKATTNEIFKWDGKKRSYPMWEKDMTLGEAMALSAVPVYQDLARRIGLNLMQKEVKRVGFGNMNIGTQVDNFWLIGPLKITPIQEVNFADDLANNRLPFKLETQEEVKKMLLIKEVNGSKIYAKSGWGMDVSPQVGWLTGWVEKSNGEKVSFSLNIEMKQGMSGSIRNEITYKSLENLGII
配列番号1225:
MNIKALLLITSAIFISACSPYIVTANPNHSASKSDEKAEKIKNLFNEAHTTGVLVIQQGQTQQSYGNDLARASTEYVPASTFKMLNALIGLEHHKATTTEVFKWDGQKRLFPEWEKDMTLGDAMKASAIAVYQDLARRIGLELMSKEVKRVGYGNADIGTQVDNFWLVGPLKITPQQEAQFAYKLANKTLPFSPKVQDEVQSMLFIEEKNGNKIYAKSGWGWDVDPQVGWLTGWVVQPQGNIVAFSLNLEMKKGIPSSVRKEITYKSLEQLGIL
配列番号1226:
MNIKALLLITSAIFISACSPYIVTANPNHSASKSDEKAEKIKNLFNEAHTTGVLVIQQGQTQQSYGNDLARASTEYVPASTFKMLNALIGLEHHKATTTEVFKWDGQKRLFPEWEKDMTLGDAIKASAIPVYQDLARRIGLELMSKEVKRVGYGNADIGTQVDNFWLVGPLKITPQQEAQFAYKLANKTLPFSQKVQDEVQSMLFIEEKNGNKIYAKSGWGWDVDPQVGWLTGWVVQPQGNIVAFSLNLEMKKGIPSSVRKEITYKSLEQLGIL
配列番号1227:
MKILIFLPLLSCLGLTACSLPVSSLPSQSISTQAIASLFDQAQSSGVLVIQRDQQVQVYGNDLNRANTEYVPASTFKMLNALIGLQHGKATTNEIFKWDGKKRSFTAWEKDMTLGQAMQASAVPVYQELARRIGLELMQQEVQRIQFGNQQIGQQVDNFWLVGPLKVTPKQEVQFVSALAREQLAFDPQVQQQVKAMLFLQERKAYRLYVKSGWGMDVEPQVGWLTGWVETPQAEIVAFSLNMQMQNGIDPAIRLEILQQALAELGLYPKAEG
配列番号1228:
MHKHMSKLFIAFLAFLLSVPAAAEDQTLAELFAQQGIDGTIVISSLHNGKTFIHNDPRAKQRFSTASTFKILNTLISLEEKAISGKDDVLKWDGHIYDFPDWNRDQTLESAFKVSCVWCYQALARQVGAEKYRNYLRKSVYGELREPFEETTFWLDGSLQISAIEQVNFLKKVHLRTLPFSASSYETLRQIMLIEQTPAFTLRAKTGWATRVKPQVGWYVGHVETPTDVWFFATNIEVRDEKDLPLRQKLTRKALQAKGIIE
配列番号1229:
MKTFAAYVITACLSSTALASSITENTSWNKEFSAEAVNGVFVLCKSSSKSCATNNLARASKEYLPASTFKIPNAIIGLETGVIKNEHQVFKWDGKPRAMKQWERDLSLRGAIQVSAVPVFQQIAREVGEVRMQKYLKKFSYGNQNISGGTDKFWLEDQLRISAVNQVEFLESLFLNKLSASKENQLIVKEALVTEAAPEYLVHSKTGFSGVGTESNPGVAWWVGWVEKGTEVYFFAFNMDIDNENKLPLRKSIPTKIMASEGIIGG
配列番号1230:
MNIKALLLITSAIFISACSPYIVTANPNHSASKSDEKAEKIKNLFNEAHTTGVLVIQQGQTQQSYGNDLARASTEYVPASTFKMLNALIGLEHHKATTTEVFKWDGKKRLFPEWEKDMTLGDAMKASAILVYQDLARRIGLELMSKEVKRVGYGNADIGTQVDNFWLVGPLKITPQQEAQFAYKLANKTLPFSQKVQDEVQSMLFIEEKNGNKIYAKSGWGLDVDPQVGWLTGWVVQPQGNIVAFSLNLEMKKGIPSSVRKEITYKSLEQLGIL
配列番号1231:
MNIKALLLITSAIFISACSPYIVTANPNHSASKSDVKAEKIKNLFNEAHTTGVLVIQQGQTQQSYGNDLARASTEYVPASTFKMLNALIGLEHHKATTTEVFKWDGKKRLFPEWEKDMTLGDAMKASAIQVYQDLARRIGLELMSKEVKRVGYGNADIGTQVDNFWVVGPLKITPQQEAQFAYKLANKTLPFSQKVQDEVQSMLFIEEKNGNKIYAKSGWGWDVNPQVGWLTGWVVQPQGNIVAFSLNLEMKKGIPSSVRKEITYKSLEQLGIL
配列番号1232:
MNIKALLLITSAIFISACSPYIVTANPNHSASKSDVKAEKIKNLFNEAHTTGVLVIQQGQTQQSYGNDLARASTEYVPASTFKMLNALIGLEHHKATTTEVFKWDGKKRLFPEWEKDMTLGDAMKASAMPVYQDLARRIGLELMSKEVKRVGYGNADIGTQVDNFWLVGPLKITPQQEAQFAYKLANKTLPFSQKVQDEVQSMLFIEEKNGNKIYAKSGWGWDVNPQVGWLTGWVVQPQGNIVAFSLNLEMKKGIPSSVRKEITYKSLEQLGIL
配列番号1233:
MNIKALLLITSAIFISACSPYIVTANPNHSASKSDEKAEKIKNLFNEVHTTGVLVIQQGQTQQSYGNDLARASTEYVPASTFKMLNALIGLEHHKATTTEVFKWDGKKRLFPEWEKNMTLGDAMKASAIPVYQDLARRIGLELMSNEVKRVGYGNADIGTQVDNFWLVGPLKITPQQEAQFAYKLANKTLPFSQKVQDEVQSMLFIEEKNGNKIYAKSGWGWDVDPQVGWLTGWVVQPQGNIVAFSLNLEMKKGIPSSVRKEITYKSLEQLGIL
配列番号1234:
MRVLALSAVFLVASIIGMPAVAKEWQENKSWNAHFTEHKSQGVVVLWNENKQQGFTNNLKRANQAFLPASTFKIPNSLIALDLGVVKDEHQVFKWDGQTRDIATWNRDHNLITAMKYSVVPVYQEFARQIGEARMSKMLHAFDYGNEDISGNVDSFWLDGGIRISATEQISFLRKLYHNKLHVSERSQRIVKQAMLTEANGDYIIRAKTGYDTKIGWWVGWVELDDNVWFFAMNMDMPTSDGLGLRQAITKEVLKQEKIIP
配列番号1235:
MSKKNFILIFIFVILISCKNTEKTSNETTLIDNIFTNSNAEGTLVIYNLNDDKYIIHNKERAEQRFYPASTFKIYNSLIGLNEKAVKDVDEVFYKYNGEKVFLESWAKDSNLRYAIKNSQVPAYKELARRIGLEKMKENIEKLDFGNKNIGDSVDTFWLEGPLEISAMEQVKLLTKLAQNELPYPIEIQKAVSDITILEQTDNYTLHGKTGLADSENMTTEPIGWLVGWLEENNNIYVFALNIDNINSDDLAKRINIVKESLKALNLLK
配列番号1236:
MNIKALFLITSAIFISACSPYIVTANPNHSASKSDVKAEKIKNLFNEAHTTGVLVIQQGQTQQSYGNDLARASTEYVPASTFKMLNALIGLEHHKATTTEVFKWDGKKRLFPEWEKDMTLGDAMKASAIPVYQDLARRIGLELMSKEVKRVGYGNADIGTQVDNFWVVGPLKITPQQEAQFAYKLANKTLPFSQKVQDEVQSMLFIEEKNGNKIYAKSGWGWDVNPQVGWLTGWVVQPQGNIVAFSLNLEMKKGIPSSVRKEITYKSLEQLGIL
配列番号1237:
MNIKALFLITSAIFISACSPYIVTANPNHSASKSDVKAEKIKNLFNEAHTTGVLVIQQGQTQQSYGNDLARASTEYVPASTFKMLNALIGLEHHKATTTEVFKWDGKKRLFPEWEKDMTLGDAMKASAIPVYQDLARRIGLELMSKEVKRVGYGNADIGTQVDNFWVVGPLKITPQQEAQFAYKLANKTLPSSQKVQDEVQSMLFIEEKNGNKMYAKSGWGWDVNPQVGWLTGWVVQPQGNIVAFSLNLEMKKGIPSSVRKEITYKSLEQLGIL
配列番号1238:
MNIKALFLITSAIFISACSPYIVTANPNHSASKSDVKAEKIKNLFNEAHTTGVLVIQQGQTQQSYGNDLARASTEYVPASTFKMLNALIGLEHHKATTTEVFKWDGKKRLFPEWEKDMTLGDAMKASAIPVYQDLARRIGLELMSKEVKRVGYGNADIGTQVDNFWVVGPLKITPQQEAQFAYKLANKTLPFSQKVQDEVQSMLFIEEKNGNKIYAKSGWGWDVNPQVGWLTGWVVQPQGNIVAFSLNLEMKKGIPSSVRKEIAYKSLEQLGIL
配列番号1239:
MAIRIFAILFSIFSLATFAHAQEGTLERSDWRKFFSEFQAKGTIVVADERQADRAMLVFDPVRSKKRYSPASTFKIPHTLFALDAGAVRDEFQIFRWDGVNRGFAGHNQDQDLRSAMRNSTVWVYELFAKEIGDDKARRYLKKIDYGNADPSTSNGDCWIEGSLAISAQEQIAFLRKLYRNELPFRVEHQRLVKDLMIVEAGRNWILRAKTGWEGRMGWWVGWVEWPTGSVFFALNIDTPNRMDDLFKREAIVRAILRSIEALPPNPAVNSDAAR
配列番号1240:
MNIKTLLLITSAIFISACSPYIVTANPNHSASKSDEKAEKIKNLFNEVHTTGVLVIQQGQTQQSYGNDLARASTEYVPASTFKMLNALIGLEHHKATTTEVFKWDGQKRLFPEWEKDMTLGDAMKASAIPVYQDLARRIGLELMSKEVKRVGYGNADIGTQVDNFWVVGPLKITPQQEAQFAYKLANKTLPFSPKVQDEVQSMLFIEEKNGNKIYAKSGWGWDVDPQVGWLTGWVVQPQGNIVAFSLNLEMKKGIPSSVRKEITYKSLEQLGIL
配列番号1241:
MNIKTLLLITSAIFISACSPYIVTANPNHSASKSDEKAEKIKNLFNEVHTTGVLVIQQGQTQQSYGNDLARASTEYVPASTFKMLNALIGLEYHKATTTEVFKWDGQKRLFPEWEKDMTLGDAMKASAIPVYQDLARRIGLELMSKEVKRVGYGNADIGTQVDNFWLVGPLKITPQQEAQFAYKLANKTLPFSPKVQDEVQSMLFIEEKNGNKIYAKSGWGWDVNPQVGWLTGWVVQPQGNIVAFSLNLEMKKGIPSSVRKEITYKSLEQLGIL
配列番号1242:
MAIRFLTILLSTFFLTSFVHAQEHVVVRSDWKKFFSDLQAEGAIVIADERQAEHALLVFGQERAAKRYSPASTFKLPHTLFALDAGAVRDEFQVFRWDGVKRSFAGHNQDQDLRSAMRNSAVWVYELFAKEIGEDNARRYLKQIDYGNADPSTIKGNYWIDGNLEISAHEQISFLRKLYRNQLPFQVEHQRLVKYLMITEAGRNWILRAKTGWEGRFGWWIGWVEWPTGPVFFALNIDTPNRTDDLFKREAIARAILRSIDALPPN
配列番号1243:
MRVLALSAVFLVASIIGMPAVAKEWQENKSWNAHFTEHKSQGVVVLWNENKQQGFTNNLKRANQAFLPASTFKIPNSLIALDLGVVKDEHQVFKWDGQTRDIAAWNRDHDLITAMKYSVVPVYQEFARQIGEARMSKMLHAFDYGNEDISGNVDSFWLDGGIRISATQQIAFLRKLYHNKLHVSERSQRIVKQAMLTEANGDYIIRAKTGYSTRIEPKIGWWVGWVELDDNVWFFAMNMDMPTSDGLGLRQAITKEVLKQEKIIP
配列番号1244:
MNKYFTCYVVASLFLSGCTVQHNLINETPSQIVQGHNQVIHQYFDEKNTSGVLVIQTDKKINLYGNALSRANTEYVPASTFKMLNALIGLENQKTDINEIFKWKGEKRSFTAWEKDMTLGEAMKLSAVPVYQELARRIGLDLMQKEVKRIGFGNAEIGQQVDNFWLVGPLKVTPIQEVEFVSQLAHTQLPFSEKVQANVKNMLLLEESNGYKIFGKTGWAMDIKSQVGWLTGWVEQPDGKIVAFALNMEMRSEMPASIRNELLMKSLKQLNII
配列番号1245:
MNIKALLLITSAIFISACSPYIVTANPNHSASKSDVKAEKIKNLFNEAHTTGVLVIQQGQTQQSYGNDLARASTEYVPASTFKMLNALIGLEHHKATTTEVFKWDGKKRLFPEWEKDMTLGDAMKASAISVYQDLARRIGLELMSKEVKRVGYGNADIGTQVDNFWLVGPLKITPQQEAQFAYKLANKTLPFSQKVQDEVQSMLFIEEKNGNKIYAKSGWGWDVNPQVGWLTGWVVQPQGNIVAFSLNLEMKKGIPSSVRKEITYKSLEQLGIL
配列番号1246:
MAIRIFAILFSIFSLATFAHAQEGTLERSDWRKFFSEFQAKGTIVVADERQADRAMLVFDPVRSKKRYSPASTFKIPHTLFALDAGAVRDEFQIFRWDGVNRGFAGHNQDQDLRSAMRNSTVWVYELFAKEIGDDKARRYLKKIDYGNADPSTSNGDYWIEGSLAISAQEQIAFLRKLYRNELPFRVEHQRLVKDLMIVEAGRNWILRAKTGWEGRMGWWVGWVEWPTGSVFFALNIDTPNRMDDLFKREAIVRAILRSIEALPPNPAVNSDAAR
配列番号1247:
MKTIAAYLVLVFYASTALSESISENLAWNKEFSSESVHGVFVLCKSSSNSCTTNNAARASTAYIPASTFKIPNALIGLETGAIKDERQVFKWDGKPRAMKQWEKDLKLRGAIQVSAVPVFQQIAREVGEIRMQKYLNLFSYGNANIGGGIDKFWLEGQLRISAFNQVKFLESLYLNNLPASKANQLIVKEAIVTEATPEYIVHSKTGYSGVGTESSPGVAWWVGWVEKGTEVYFFAFNMDIDNESKLPSRKSISTKIMASEGIIIGG
配列番号1248:
MKTFAAYVITACLSSTALASSITENTFWNKEFSAEAVNGVFVLCKSSSKLACATNNLARASKEYLPASTFKIPNAIIGLETGVIKNEHQIFKWDGKPRAMKQWERDLSLRGAIQVSAVPVFQQIAREVGEVRMQKYLKKFSYGNQNISGGIDKFWLEGQLRISAVNQVEFLESLFLNKLSASKENQLIVKEALVTEAPEYLVHSKTGFSGVGTESNPGVAWWVGWVEKGAEVYFFAFNMDIDNENKLPLRKSIPTKIMASEGIIGG
配列番号1249:
MAIRIFAILFSTFVFGTFAHAQEGMRERSDWRKFFSEFQAKGTIVVADERQTDRVILVFDQVRSEKRYSPASTFKIPHTLFALDAGAARDEFQVFRWDGIKRSFAAHNQDQDLRSAMRNSTVWIYELFAKEIGEDKARRYLKQIDYGNADPSTSNGDYWIDGNLAIAAQEQIAFLRKLYHNELPFRVEHQRLVKDLMIVEAGRNWILRAKTGWEGRMGWWVGWVEWPTGPVFFALNIDTPNRMDDLFKREAIVRAILRSIEALPPNPAVNSDAAR
配列番号1250:
MKTFAAYVIIACLSSTALAGSITENTSWNKEFSAEAVNGVFVLCKSSSKSCATNDLARASKEYLPASTFKIPNAIIGLETGVIKNEHQVFKWDGKPRAMKQWERDLTLRGAIQVSAVPVFQQIAREVGEVRMQKYLKKFSYGSQNISGGIDKFWLEDQLRISAVNQVEFLESLYLNKLSASKENQLIVKEALVTEAAPEYLVHSKTGFSGVGTESNPGVAWWVGWVEKETEVYFFAFNMDIDNESKLPLRKSIPTKIMESEGIIGG
配列番号1251:
MNKYFTCYVVASLFLSGCTVQHNLINETPSQIVQGHNQVIHQYFDEKNTSGVLVIQTDKKINLYGNALSRANTEYVPASTFKMLNALIGLENQKTDINEIFKWKGEKRSFTAWEKDMTLGEAMKLSAVPVYQELARRIGLDLMQKEVKRIGFGNAEIGQQVDNFWLVGPLKVTPIQEVEFVSQLAHTQLPFSEKVQANVKNMLLLEESNGYKIFGKTGWAMDIKPQVGWLTGWVEQPDGKIVAFALNMEMRSEMPASIRNELLMKSLKQLNII
配列番号1252:
MKKLSVLLWLTLFYCGTIWAQSTCFLVQENQTVLKHEGKDCNKRFAPESTFKIALSLMGFDSGILKDTLNPEWPYKKEYELYLNVWKYPHNPRTWIRDSCVWYSQVLTQQLGMTRFKNYVDAFHYGNQDISGDKGQNNGLTHSWLSSSLAISPSEQIQFLQKIVNKKLSVNPKAFTMTKDILYIQELAGGWKLYGKTGNGRQLTKDKSQKLSLQHGWFIGWIEKDGRVITFTKHIADSKKHVTFASFRAKNETLNQLFYLINELEK
配列番号1253:
MNIKTLLLITSAIFISACSPYIVTANPNHSASKSDEKAEKIKNLFNEVHTTGVLVIQQGQTQQSYGNDLARASTEYVPASTFKMLNALIGLEHHKATTTEVFKWDGQKRLFPEWEKDMTLGDAMKASAIPVYQDLARRIGLELMSKEVKRVGYGNADIGTQVDNFWLVGPLKITPQQEAQFAYKLANKTLPFSPKVQDEVQSMLFIEEKNGNKIYAKSGWGWDVDPQVGWLTGWVVQPQGNIVAFSLNLEMKKGIPSSVRKEITYKSLEQLGIL
配列番号1254:
MKFRHALSSAFVLLGCIAASAHAKTICTAIADAGTGKLLVQDGDCGRRASPASTFKIAISLMGYDAGFLRNEHDPVLPYRDSYIAWGGEAWKQPTDPTRWLKYSVVWYSQQVAHHLGAQRFAQYAKAFGYGNADVSGDPGQNNGLDRAWIGSSLQISPLEQLEFLGKMLNRKLPVSPTAVDMTERIVESTTLADGTVVHGKTGVSYPLLADGTRDWARGSGWFVGWIVRGNQTLVFARLTQDERKQPVSAGIRTREAFLRDLPRLLAAR
配列番号1255:
MKFRHALSSAFVLLGCIAASAHAKTICTAIADAGTGKLLVQDGDCGRRASPASTFKIAISLMGYDAGFLRNEHDPVLPYRDSYIAWGGEAWKQPTDPTRWLKYPVVWYSQQVAHHLGAQRFAQYAKAFGYGNADVSGDPGQNNGLDRAWIGSSLQISPLEQLEFLGKMLNRKLPVSPTAVDMTERIVESTTLADGTVVHGKTGVSYPLLADGTRDWARGSGWFVGWIVRGKQTLVFARLTQDERKQPVSAGIRTREAFLRDLPRLLAAR
配列番号1256:
MRGKHTVILGAALSALFAGAAGAQMLECTLVADAASGQELYRKGACDKAFAPMSTFKVPLAVMGYDAGILVDAHNPRWDYKPEFNGYKFQQKTTDPTIWEKDSIVWYSQQLTRKMGQKRFAAYVAGFGYGNGDISGEPGKSNGLTHSWLGSSLKISPEGQVRFVRDLLSAKLPASKDAQQMTVSILPHFAAGDWAVQGKTGTGSFIDARGAKAPLGWFIGWATHEERRVVFARMTAGGKKGEQPAGPAARDAFLKALPDLAKRF
配列番号1257:
MKFRHALSSAFVLLGCIAASAHAKTICTAIADAGTGKLLVQDGDCGRRASPASTFKIAISLMGYDAGFLRNEHDPVLPYRDSYIAWGGEAWKQPTDPTRWLKYSVVWYSQQVAHHLGAQRFAQYAKAFGYGNADVSGDPGQNNGLDRAWIGSSLQISPLEQLEFLGKMLDRKLPVSPTAVDMTERIVESTTLADGTVVHGKTGVSYPLLADGTRDWARGSGWFVGWIVRGKQTLVFARLTQDERKQPVSAGIRTREAFLRDLPRLLAAR
配列番号1258:
MKFRHALSSAFVLLGCIAASAHAKTICTAIADAGTGKLLVQDGDCGRRASPASTFKIAISLMGYDAGFLRNEHDPVLPYRDSYIAWGGEAWKQPTDPTRWLKYSVVWYSQQVAHHLGAQRFAQYAKAFGYGNADVSGDPGQNNGLDRAWIGSSLQISPLEQLEFLGKMLNRKLPVSPTAVDMTERIVESTTLADGTVVHGKTGVSYPLLADGTRDWARGSGWFVGWIVRGKQTLVFARLTQDERKQPVSAGIRTREAFLRDLPRLLAAR
配列番号1259:
MKTFAAYVIIACLSSTALAGSITENTSWNKEFSAEAVNGVFVLCKSSSKSCATNDLARASKEYLPVSTFKIPSAIIGLETGVIKNEHQVFKWDGKPRAMKQWERDLTLRGAIQVSAVPVFQQIAREVGEVRMQKYLKKFSYGNQNISGGIDKFWLEGQLRISAVNQVEFLESLYLNKLSASKENQLIVKEALVTEAAPEYLVHSKTGFSGVGTESNPGVAWWVGWVEKETEVYFFAFNMDIDNESKLPLRKSIPTKIMESEGIIGG
配列番号1260:
MNIKALLLITSAIFISACSPYIVTANPNHSASKSDEKAEKIKNLFNEAHTTGVLVIQQGQTQQSYGNDLARASTEYVPASTFKMLNALIGLEHHKATTTEVFKWDGKKRLFPEWEKDMTLGDAMKASAIPVYQDLARRIGLELMSKEVKRVGYGNADIGTQVDNFWLVGPLKITPQQEAQFAYKLANKTLPFSQKVQDEVQSMLFIEEKNGNKIYAKSGWGWDVDPQVGWLTGWVVQPQGNIVAFSLNLEMKKGIPSSVRKEITYKSLEQLGIL
配列番号1261:
MNIKALLLITSAIFISACSPYIVSANPNHSASKSDEKAEKIKNLFNEAHTTGVLVIQQGQTQQSYGNDLARASTEYVPASTFKMLNALIGLEHHKATTTEVFKWDGQKRLFPEWEKNMTLGDAMKASAIPVYQDLARRIGLELMSNEVKRVGYGNADIGTQVDNFWLVGPLKITPQQEAQFAYKLANKTLPFSQKVQDEVQSMLFIEEKNGNKIYAKSGWGWDVNPQVGWLTGWVVQPQGNIVAFSLNLEMKKGIPSSVRKEITYKSLEQLGIL
配列番号1262:
MKTFAAYVITACLSSTALASSITENTFWNKEFSAEAVNGVFVLCKSSSKSCATNNLARASKEYLPASTFKIPNAIIGLETGVIKNEHQVFKWDGKPRAMKQWERDLSLRGAIQVSAVPVFQQIAREVGEVRMQKYLKKFSYGNQNISGGIDKFWLEGQLRISAVNQVEFLESLFLNKLSASKENQLIVKEALVTEAAPEYLVHSKTGFSGVGTESNPGVAWWVGWVEKGTEVYFFAFNMDIDNENKLPLRKSIPTKIMASEGIIGG
配列番号1263:
MKTIAAYLVLVFFAGTALSESISENLAWNKEFSSESVHGVFVLCKSSSNSCTTNNATRASTAYIPASTFKIPNALIGLETGAIKDARQVFKWDGKPRAMKQWEKDLTLRGAIQVSAVPVFQQIARDIGKKRMQKYLNLFSYGNANIGGGIDKFWLEGQLRISAVNQVKFLESLYLNNLPASKANQLIVKEAIVTEATPEYIVHSKTGYSGVGTESNPGVAWWVGWVEKGTEVYFFAFNMDIDNESKLPSRKSIPTKIMASEGIIIGG
配列番号1264:
MKKFILPIFSISILVSLSACSSIKTKSEDNFHISSQQHEKAIKSYFDEAQTQGVIIIKEGKNLSTYGNALARANKEYVPASTFKMLIALIGLENHKATTNEIFKWDGKKRTYPMWEKDMTLGEAMALSAVPVYQELARRTGLELMQKEVKRVNFGNTNIGTQVDNFWLVGPLKITPVQEVNFADDLAHNRLPFKLETQEEVKKMLLIKEVNGSKIYAKSGWGMGVTPQVGWLTGWVEQANGKKIPFSLNLEMKEGMSGSIRNEITYKSLENLGII
配列番号1265:
MNIKALLLITSAIFISACSPYIVTANPNHSASKSDDKAEKIKNLFNEAHTTGVLVIHQGQTQQSYGNDLARASTEYVPASTFKMLNALIGLEHHKATTTEVFKWNGQKRLFPEWEKDMTLGDAMKASAIPVYQDLARRIGLELMSNEVKRVGYGNADIGTQVDNFWLVGPLKITPQQEAQFAYKLANKTLPFSQKVQDEVQSMLFIEEKNGNKIYAKSGWGWDVDPQVGWLTGWVVQPQGNIVAFSLNLEMKKGIPSSVRKEITYKSLEQLGIL
配列番号1266:
MNIKALLLITSAISISACSPYIVTANPNHSASKSDEKAEKIKNLFNEAHTTGVLVIQQGQTQQSYGNDLARASTEYVPASTFKMLNALIGLEHHKATTTEVFKWDGQKRLFPEWEKDMTLGDAIKASAIPVYQDLARRIGLELMSKEVKRVGYGNADIGTQVDNFWLVGPLKITPQQEAQFAYKLANKTLPFSQKVQDEVQSMLFIEEKNGNKIYAKSGWGWDVDPQV
【０１０７】
前記ペプチドは、以下で規定される配列番号１２６７〜配列番号１８３５および配列番号２１６０〜配列番号２１７１の配列のペプチドから選択することが好ましい。
2014512015.tif 000077
2014512015.tif 000078
2014512015.tif 000079
2014512015.tif 000080
2014512015.tif 000081
2014512015.tif 000082
2014512015.tif 000083
2014512015.tif 000084
2014512015.tif 000085
2014512015.tif 000086
2014512015.tif 000087
2014512015.tif 000088
2014512015.tif 000089
2014512015.tif 000090
2014512015.tif 000091
2014512015.tif 000092
2014512015.tif 000093
2014512015.tif 000094
2014512015.tif 000095
2014512015.tif 000096
2014512015.tif 000097
2014512015.tif 000098
2014512015.tif 000099
2014512015.tif 000100
2014512015.tif 000101
2014512015.tif 000102
2014512015.tif 000103
2014512015.tif 000104
2014512015.tif 000105
2014512015.tif 000106
2014512015.tif 000107
【０１０８】
臨床的対象欄内の２ｄ、２ｄｅ、２ｄｆの項目は、対応するペプチドにより検出することが可能となる、ＯＸＡβ−ラクタマーゼの機能的亜群に対応する。したがって、２ｄｆペプチドの検出は、カルバペネムを加水分解することが可能なカルバペネマーゼであるβ−ラクタマーゼの存在を示すことになる。
【０１０９】
２ｄｅという項目は、ペニシリン、セファロリジンおよびセファロチンなどの第１世代のセファロスポリン、ならびにセフォタキシム、セフタジジムなどのオキシイミノ系β−ラクタムのクラス、またはアズトレオナムなどのモノバクタムに由来する少なくとも１つの抗生剤を加水分解することが可能な広域スペクトルを伴うβ−ラクタマーゼ（ＥＳＢＬ）の存在を示すことになる。
【０１１０】
ＯＸＡという項目は、第２ｄ亜群、第２ｄｅ亜群、および第２ｄｆ亜群のうちの少なくとも２つの間で共通なペプチドを示す。対応するペプチドは、ＯＸＡβ−ラクタマーゼの存在、ならびに少なくともペニシリンおよび第１世代のセファロスポリンに対する耐性の機構の存在を示す。
【０１１１】
ＯＸＡタンパク質により誘導される、ＥＳＢＬ（広域スペクトルのβ−ラクタマーゼ）によるセファロスポリンに対する耐性の機構の検出は、
配列番号1277、1297、1323、1344、1368、1369、1373、1375、1392、1421、1423、1427、1429、1439、1444、1446、1450、1451、1457、1465、1468、1490、1491、1495、1498、1534、1543、1545、1575、1589、1597、1598、1600、1602、1657、1713、1721、1724、1740、1742、1787、1824、1268、1269、1270、1271、1272、1278、1279、1280、1281、1283、1285、1288、1290、1295、1299、1300、1301、1302、1303、1304、1305、1306、1307、1308、1309、1310、1314、1315、1316、1317、1318、1319、1320、1332、1337、1339、1340、1341、1342、1350、1354、1355、1356、1357、1358、1359、1360、1365、1366、1367、1386、1389、1390、1391、1393、1394、1402、1404、1405、1407、1408、1413、1414、1419、1420、1425、1432、1433、1440、1447、1448、1456、1471、1472、1477、1478、1480、1485、1487、1488、1499、1504、1506、1508、1509、1510、1513、1514、1515、1516、1521、1522、1525、1526、1530、1533、1539、1540、1548、1550、1551、1552、1553、1554、1555、1556、1559、1567、1569、1570、1571、1572、1574、1577、1582、1590、1592、1595、1596、1605、1609、1610、1611、1612、1613、1614、1615、1616、1617、1618、1620、1626、1627、1628、1632、1633、1634、1635、1637、1638、1639、1640、1652、1653、1656、1660、1661、1662、1664、1665、1666、1669、1670、1671、1672、1673、1677、1
678、1680、1681、1685、1687、1695、1696、1697、1703、1704、1706、1707、1708、1709、1712、1714、1715、1717、1720、1722、1725、1727、1729、1730、1732、1733、1737、1738、1743、1746、1748、1751、1752、1753、1754、1755、1758、1759、1760、1761、1762、1763、1764、1765、1769、1771、1773、1775、1776、1777、1781、1785、1788、1790、1791、1792、1793、1794、1795、1796、1797、1798、1800、1805、1806、1809、1810、1815、1816、1818、1828、2160、2161、2162、2163、2164、2165、2166、2167、2168、2169、2170、2171
の配列から選択される、少なくとも１つの耐性マーキング２ｄｅペプチドの検出を特徴とする。
【０１１２】
ＧＥＳタンパク質の発現により誘導される、カルバペネムまたはセファロスポリンに対する耐性の機構の検出は、ＧＥＳタンパク質ならびにその異なる配列変異体である配列番号２１１４〜配列番号２１３０に属する少なくとも１つのペプチドの検出を特徴とする。
配列番号2114:
MRFIHALLLAGIAHSAYASEKLTFKTDLEKLEREKAAQIGVAIVDPQGEIVAGHRMAQRFAMCSTFKFPLAALVFERIDSGTERGDRKLSYGPDMIVEWSPATERFLASGHMTVLEAAQAAVQLSDNGATNLLLREIGGPAAMTQYFRKIGDSVSRLDRKEPEMGDNTPGDLRDTTTPIAMARTVAKVLYGGALTSTSTHTIERWLIGNQTGDATLRAGFPKDWVVGEKTGTCANGGRNDIGFFKAQERDYAVAVYTTAPKLSAVERDELVASVGQVITQLILSTDK
配列番号2115:
MRFIHALLLAGIAHSAYASEKLTFKTDLEKLEREKAAQIGVAIVDPQGEIVAGHRMAQRFAMCSTFKFPLAALVFERIDSGTERGDRKLSYGPDMIVKWSPATERFLASGHMTVLEAAQAAVQLSDNGATNLLLREIGGPAAMTQYFRKIGDSVSRLDRKEPEMGDNTPGDLRDTTTPIAMARTVAKVLYGGALTSTSTHTIERWLIGNQTGDATLRAGFPKDWVVGEKTGTCANGGRNDIGFFKAQERDYAVAVYTTAPKLSAVERDELVASVGQVITQLILSTDK
配列番号2116:
MRFIHALLLAGIAHSAYASEKLTFKTDLEKLEREKAAQIGVAIVDPQGEIVAGHRMAQRFAMCSTFKFPLAALVFERIDSGTERGDRKLSYGPDMIVEWSPATERFLASGHMTVLEAAQLAVQLSDNGATNLLLREIGGPAAMTQYFRKIGDSVSRLDRKEPEMGDNTPGDLRDTTTPIAMARTVAKVLYGGALTSTSTHTIERWLIGNQTGDATLRAGFPKDWVVGEKTGTCANGGRNDIGFFKAQERDYAVAVYTTAPKLSAVERDELVASVGQVITQLILSTDK
配列番号2117:
MRFIHALLLAGIAHSAYASEKLTFKTDLEKLEREKAAQIGVAIVDPQGEIVAGHRMAQRFAMCSTFKFPLAALVFERIDSGTERGDRKLSYGPDMIVEWSPATERFLASGHMTVLEAAQAAVQLSDNGATNLLLREIGGPAAMTQYFRKIGDSVSRLDRKEPEMNDNTPGDLRDTTTPIAMARTVAKVLYGGALTSTSTHTIERWLIGNQTGDATLRAGFPKDWVVGEKTGTCANGGRNDIGFFKAQERDYAVAVYTTAPKLSAVERDELVASVGQVITQLILSTDK
配列番号2118:
MRFIHALLLAGIAHSAYASEKLTFKTDLEKLEREKAAQIGVAIVDPQGEIVAGHRMAQRFAMCSTFKFPLAALVFERIDSGTERGDRKLSYGPDMIVEWSPATERFLASGHMTVLEAAQAAVQLSDNGATNLLLREIGGPAAMTQYFRKIGDSVSRLDRKEPEMSDNTPGDLRDTTTPIAMARTVAKVLYGGALTSTSTHTIERWLIGNQTGDATLRAGFPKDWVVGEKTGTCANGGRNDIGFFKAQERDYAVAVYTTAPKLSAVERDELVASVGQVITQLILSTDK
配列番号2119:
MRFIHALLLAGIAHSAYASEKLTFKTDLEKLEREKAAQIGVAIVDPQGEIVAGHRMAQRFAMCSTFKFPLAALVFERIDSGTERGDRKLSYGPDMIVKWSPATERFLASGHMTVLEAAQAAVQLSDNGATNLLLREIGGPAAMTQYFRKIGDSVSRLDRKEPEMSDNTPGDLRDTTTPIAMARTVAKVLYGGALTSTSTHTIERWLIGNQTGDATLRAGFPKDWVVGEKTGTCANGGRNDIGFFKAQERDYAVAVYTTAPKLSAVERDELVASVGQVITQLILSTDK
配列番号2120:
MRFIHALLLAGIAHSAYASEKLTFKTDLEKLEREKAAQIGVAIVDPQGEIVAGHRMAQRFAMCSTFKFPLAALVFERIDSGTERGDRKLSYGPDMIVEWSPATERFLASGHMTVLEAAQAAVQLSDNGATNLLLREIGGPAAMTQYFRKIGDSVSRLDRKEPEMGDNTPGDLRDTTTPIAMARTVAKVLYGGALTSTSTHTIERWLIGNQTGDATLRAGFPKDWVVGEKTGTCANGSRNDIGFFKAQERDYAVAVYTTAPKLSAVERDELVASVGQVITQLILSTDK
配列番号2121:
MRFIHALLLAGIAHSAYASEKLTFKTDLEKLEREKAAQIGVAIVDPQGEIVAGHRMAQRFAMCSTFKFPLAALVFERIDSGTERGDRKLSYGPDMIVEWSPATERFLASGHMTVLEAAQAAVQLSDNGATNLLLREIGGPAAMTQYFRKIGDSVSRLDRKEPEMGDNTPGDLRDTTTPIAMARTVAKVLYGGALTSTSTHTIERWLIGNQTGDATLRAGFPKDWVVGEKTGTCANGARNDIGFFKAQERDYAVAVYTTAPKLSAVERDELVASVGQVITQLILSTDK
配列番号2122:
MRFIHALLLAGTAHSAYASEKLTFKTDLEKLEREKAAQIGVAIVDPQGEIVAGHRTAQRFAMCSTFKFPLAALVFERIDSGTERGDRKLSYGPDMIVEWSPATERFLASGHMTVLEAAQAAVQLCDNGATNLLLREIGGPAAMTQYFRKIGDSVSRLDRKEPEMGDNTPGDLRDTTTPIAMARTVAKVLYGGALTSTSTHTIERWLIGNQTGDATLRAGFPKDWVVGEKTGTCANGGRNDIGFFKAQERDYAVAVYTTAPKLSAVERDELVASVGQVITQLILSTDK
配列番号2123:
MRFIHALLLAGIAHSAYASEKLTFKTDLEKLEREKAAQIGVAIVDPQGEIVAGHRMAQRFAMCSTFKFPLAALVFERIDSGTERGDRKLSYGPDMIVKWSPATERFLASGHMTVLEAAQAAVQLSDNGATNLLLREIGGPAAMTQYFRKIGDSVSRLDRKEPEMNDNTPGDLRDTTTPIAMARTVAKVLYGGALTSTSTHTIERWLIGNQTGDATLRAGFPKDWVVGEKTGTCANGGRNDIGFFKAQERDYAVAVYTTAPKLSAVERDELVASVGQVITQLILSTDK
配列番号2124:
MRFIHALLLAGIAHSAYASEKLTFKTDLEKLEREKAAQIGVAIVDPQGEIVAGHRMAQRFAMCSTFKFPLAALVFERIDSGTERGDRKLSYGPDMIVEWSPATERFLASGHMTVLEAAQAAVQLSDNGATNLLLREIGGPAAMTQYFRKIGDSVSRLDRKESEMSDNTPGDLRDTTTPIAMARTVAKVLYGGALTSTSTHTIERWLIGNQTGDATLRAGFPKDWVVGEKTGTCANGGRNDIGFFKAQERDYAVAVYTTAPKLSAVERDELVASVGQVITQLILSTDK
配列番号2125:
MRFIHALLLAGIAHSAYASEKLTFKTDLEKLEREKAAQIGVAIVDPQGEIVAGHRMAQRFAMCSTFKFPLAALVFERIDSGTERGDRKLSYGPDMIVEWSPATERFLASGHMTVLEAAQAAVQLSDNGATNLLLREIGGPAAMTQYFRKIGDSVSRLDRKEPEMSDNTPGDLRDTTTPIAMARTVAKVLYGGALTSTSTHTIERWLIGNQTGDATLRAGFPKDWVVGEKTGTCANGARNDIGFFKAQERDYAVAVYTTAPKLSAVERDELVASVGQVITQLILSTDK
配列番号2126:
MRFIHALLLAGIAHSAYASEKLTFKTDLEKLEREKAAEIGVAIVDPQGEIVAGHRMAQRFAMCSTFKFPLAALVFERIDSGTERGDRKLSYGPDMIVEWSPATERFLASGHMTVLEAAQAAVQLSDNGATNLLLREIGGPAAMTQYFRKIGDSVSRLDRKEPEMSDNTPGDLRDTTTPIAMARTVAKVLYGGALTSTSTHTIERWLIGNQTGDATLRAGFPKDWVVGEKTGTCANGGRNDIGFFKAQERDYAVAVYTTAPKLSAVERDELVASVGQVITQLILSTDK
配列番号2127:
MRFIHALLLAGIAHSAYASEKLTFKTDLEKLEREKAAQIGVAIVDPQGEIVAGHRMAQRFAMCSTFKFPLAALVFERIDSGTERGDRKLSYGPDMIVKWSPATERFLASGHMTVLEAAQAAVQLSDNGATNLLLREIGGPAAMTQYFRKIGDSVSRLDRKEPEMGDNTPGDLRDTTTPIAMARTVAKVLYGGALTSTSTHTIERWLIGNQTGDATLRAGFPKDWVVGEKTGTCANGARNDIGFFKAQERDYAVAVYTTAPKLSAVERDELVASVGQVITQLILSTDK
配列番号2128:
MRFIHALLLAGIAHSAYASEKLTFKTDLEKLEREKAAQIGVAIVDPQGEIVAGHRTAQRFAMCSTFKFPLAALVFERIDSGTERGDRKLSYGPDMIVKWSPATERFLASGHMTVLEAAQAAVQLSDNGATNLLLREIGGPAAMTQYFRKIGDSVSRLDRKEPEMGDNTPGDLRDTTTPIAMARTVAKVLYGGALTSTSTHTIERWLIGNQTGDATLRAGFPKDWVVGEKTGTCANGGRNDIGFFKAQERDYAVAVYTTAPKLSAVERDELVASVGQVITQLILSTDK
配列番号2129:
MRFIHALLLAGIAHSAYASEKLTFKTDLEKLEREKAAQIGVAIVDPQGEIVAGHRTAQRFAMCSTFKFPLAALVFERIDSGTERGDRKLSYGPDMIVKWSPATERFLASGHMTVLEAAQAAVQLSDNGATNLLLREIGGPAAMTQYFRKIGDSVSRLDRKEPEMSDNTPGDLRDTTTPIAMARTVAKVLYGGALTSTSTHTIERWLIGNQTGDATLRAGFPKDWVVGEKTGTCANGGRNDIGFFKAQERDYAVAVYTTAPKLSAVERDELVASVGQVITQLILSTDK
配列番号2130:
MRFIHALLLAGIAHSAYASEKLTFKTDLEKLEREKAAQIGVAIVDPQGEIVAGHRMAQRFAMCSTFKFPLAALVFERIDSGTERGDRKLSYGPDMIVEWSPATERFLASGHMTVLEAAQAAVQLSDNGATNLLLREIGGPAAMTQYFRKIGDSVSRLDRKEPEMGDNTPGDLRDTTTPIAMARTVAKVLYGGALTSTSTHTIERWLIGNQTGDATLRAGFPKDWVVGEKTGACANGARNDIGFFKAQERDYAVAVYTTAPKLSAVERDELVASVGQVITQLILSTDK
【０１１３】
前記ペプチドは、以下で規定される配列番号２１３１〜配列番号２１５９の配列のペプチドから選択することが好ましい。
2014512015.tif 000108
2014512015.tif 000109
2014512015.tif 000110
【０１１４】
臨床的対象欄内のＥＳＢＬおよびｃａｒｂａの項目は、対応するペプチドにより検出することが可能となる、ＧＥＳβ−ラクタマーゼ活性に対応する。したがって、ｃａｒｂａペプチドの検出は、カルバペネム、ペニシリン、セファロリジンおよびセファロチンなどの第１世代のセファロスポリン、ならびにセフォタキシム、セフタジジムなどのオキシイミノ系β−ラクタムのクラス、またはアズトレオナムなどのモノバクタムに由来する少なくとも１つの抗生剤を加水分解することが可能なカルバペネマーゼであるβ−ラクタマーゼの存在を示すことになる。
【０１１５】
ｃａｒｂａと称するペプチドが検出されない場合、ＥＳＢＬと称するペプチドの検出は、ペニシリン、セファロリジンおよびセファロチンなどの第１世代のセファロスポリン、ならびにセフォタキシム、セフタジジムなどのオキシイミノ系β−ラクタムのクラス、またはアズトレオナムなどのモノバクタムに由来する少なくとも１つの抗生剤を加水分解することが可能な広域スペクトルを伴うβ−ラクタマーゼ（ＥＳＢＬ）の存在を示すことになる。
【０１１６】
したがって、ＧＥＳタンパク質により誘導される、広域スペクトルを伴うセファロスポリナーゼの耐性の機構の検出は、配列番号２１３１〜配列番号２１５９の配列から選択される、少なくとも１つの耐性マーキングＥＳＢＬペプチドの検出を特徴とする。
【０１１７】
特定のペプチド配列は、数種の耐性機構に共通でありうる。したがって、以下の配列は同一である：
配列番号834および配列番号978
配列番号833および配列番号977
配列番号832および配列番号976
配列番号831および配列番号975
配列番号826および配列番号974
配列番号825および配列番号973
配列番号824および配列番号972
配列番号823および配列番号971
配列番号822および配列番号970
配列番号817および配列番号969
配列番号813および配列番号967
配列番号802および配列番号964
配列番号798および配列番号963
配列番号666および配列番号895
配列番号350および配列番号1035
配列番号349および配列番号1031
配列番号347および配列番号1030
配列番号346および配列番号1029
配列番号345および配列番号1028
配列番号343および配列番号1037および配列番号725
配列番号342および配列番号1026
配列番号341および配列番号1025
配列番号340および配列番号1024
配列番号339および配列番号1023
配列番号338および配列番号1020
配列番号337および配列番号1036および配列番号719
配列番号337および配列番号1036
配列番号336および配列番号841および配列番号981
配列番号323および配列番号840および配列番号980
配列番号315および配列番号839および配列番号948および配列番号979
配列番号240および配列番号679
配列番号184および配列番号626
配列番号182および配列番号625
配列番号1034および配列番号1999
配列番号1032および配列番号1988
配列番号1027および配列番号1970
配列番号1022および配列番号1952
配列番号1021および配列番号1937
配列番号1019および配列番号1933
配列番号809および配列番号966
配列番号1033および配列番号1989
【０１１８】
全ての場合において、上記の配列は、セファロスポリンに対する耐性の機構の発現を示す。
【０１１９】
本発明の方法およびその利点は、前記方法の実装の数個の非限定的な例を提示する本明細書の記載の残りから明らかとなろう。
【実施例１】
【０１２０】
生化学的プロファイルによる、試料に由来する微生物の同定
１．培養培地における試料の培養
最適の培養培地および最適の培養条件は、微生物の種により異なる。初期設定では、試料を、以下の異なる培地上に播種する：
○好気性雰囲気または嫌気性雰囲気中、３５℃で１８〜２４時間にわたる、ヒツジ血液によるＣｏｌｕｍｂｉａ寒天（ｂｉｏＭｅｒｉｅｕｘ  ｒｅｆ．４３０４１）培地；
○３７℃で１８〜２４時間にわたる、ＴＳＡ寒天（ｂｉｏＭｅｒｉｅｕｘ  ｒｅｆ．４３０１１）培地。
【０１２１】
２．微生物の同定
同定は、以下の通りに実行する：
１．単離されたコロニーを選択する
２．無菌条件を維持する一方で、３．０ｍＬの水性滅菌生理食塩液（０．４５〜０．５０％のＮａＣｌ、ｐＨ４．５〜７．０）を、透明なプラスチック製（ポリスチレン製）の試験管に移す
３．攪拌棒または滅菌スワブを一助として、十分な数の同一のコロニーを、ステップ２で調製された生理食塩液の試験管に移し、細菌懸濁液を、較正されたＶＩＴＥＫ（登録商標）のＤＥＮＳＩＣＨＥＫにより、０．５０〜０．６３マクファーランドの間に調整する
４．細菌懸濁液の試験管およびＶＩＴＥＫ（登録商標）同定カードを、ＶＩＴＥＫ（登録商標）カートリッジに取り付ける
５．カートリッジをＶＩＴＥＫ（登録商標）測定器に装填する
６．充填、密封、インキュベーション、および読取りの操作は自動である
７．生化学的プロファイルを収集する
８．既知の株の生化学的プロファイルと比較することにより、ＶＩＴＥＫ（登録商標）システムでの同定を実行する。
【実施例２】
【０１２２】
微生物富化による一次尿試料の調製：
以下のプロトコールを１６ステップ（富化された試料を、後で実施例４以降に従い処理する場合、ステップ５〜１２は任意選択であり、省略しても構わない）で実行する：
１．５ｍＬの夾雑物を含む尿を、２０００ｇで３０秒間遠心分離するステップ
２．上清を回収するステップ
３．１５０００ｇで５分間遠心分離するステップ
４．上清を廃棄するステップ
５．再懸濁させることにより、３ｍＬの蒸留水でペレットを洗浄するステップ
６．１５０００ｇで５分間遠心分離するステップ
７．上清を廃棄するステップ
８．１／１０に希釈するために、ペレットを溶媒（１メタノール容量に対して８アセトン容量）の存在下に置くステップ
９．−２０℃で１時間静置するステップ
１０．１５０００ｇで５分間遠心分離するステップ
１１．上清を廃棄するステップ
１２．１／１０に希釈するために、ペレットを溶媒（１メタノール容量に対して８アセトン容量）の存在下に置くステップ
１３．−２０℃で１時間静置するステップ
１４．１５０００ｇで５分間遠心分離するステップ
１５．上清を廃棄するステップ
１６．ペレットは、微生物が富化された試料を構成している。
【実施例３】
【０１２３】
ＭＡＬＤＩ−ＴＯＦによる、試料に由来する微生物の同定
同定は、以下の通りに実行する：
１．ＭＡＬＤＩ−ＴＯＦ質量分析のために、１μｌのエーゼを一助として、実施例１に従い得られた微生物コロニーの一部、または実施例２に従い富化された試料を移し、プレート上で均一に沈着させる
２．沈着物を１μｌのマトリックスで覆う。用いられるマトリックスは、有機溶媒（５０％のアセトニトリルおよび２．５％のトリフルオロ酢酸）中のＨＣＣＡ（α−シアノ−４−ヒドロキシ桂皮酸）の飽和溶液である
３．周囲温度で乾燥させる
４．プレートを質量分析器に導入する
５．質量スペクトルを収集する
６．得られたスペクトルを、知識ベースに含有されるスペクトルと比較する
７．得られたピークを、知識ベース内のピークと比較することにより、微生物を同定する。
【実施例４】
【０１２４】
ＥＳＩ−ＴＯＦによる、試料に由来する微生物の同定
同定は、以下の通りに実行する：
１．実施例１に従い得られた微生物コロニー、または実施例２に従い富化された試料をサンプリングし、１００μｌの脱塩水中に懸濁させる。
２．３０００ｇで５分間遠心分離する。
３．上清を廃棄する。
４．１００μｌの脱塩水中に再懸濁させる。
５．３０００ｇで５分間遠心分離する。
６．上清を廃棄する。
７．１００μｌのアセトニトリル、脱塩水、およびギ酸による混合物（５０／５０／０．１％）中に再懸濁させる。
８．細孔径が０．４５μｍのフィルターで濾過する。
９．単一のＭＳモードによる質量分析器に注入する。
１０．質量スペクトルを収集する。
１１．得られたスペクトルを、知識ベースに含有されるスペクトルと比較する。
１２．基準スペクトルを参照することにより、微生物を同定する。
【実施例５】
【０１２５】
微生物からの消化されたタンパク質の取得
以下のプロトコールは、慣例上１７ステップで実行される：
１．実施例１に従い得られた微生物コロニー、または実施例２に従い富化された試料をサンプリングし、１０〜１００μｌの６Ｍ塩酸グアニジン溶液、５０ｍＭトリス−ＨＣｌ、ｐＨ＝８．０中に懸濁させるステップ。
２．ジチオトレイトール（ＤＴＴ）を添加して、５ｍＭの最終濃度を達成するステップ。
３．水浴中９５℃で２０分間還元するステップ。
４．試験管を周囲温度まで冷却するステップ。
５．ヨードアセトアミドを添加して、１２．５ｍＭの最終濃度を得るステップ。
６．周囲温度、暗所内で４０分間アルキル化させるステップ。
７．５０ｍＭのＮＨ４ＨＣＯ３溶液、ｐＨ＝８．０で６倍に希釈して、塩酸グアニジンの最終濃度１Ｍを得るステップ。
８．１μｇのトリプシンを添加するステップ。
９．３７℃で６時間〜一晩の間消化するステップ。
１０．ｐＨが４を下回るまでギ酸を添加して、反応を停止させるステップ。
１１．試料容量を、水／０．５％（ｖ／ｖ）のギ酸で１ｍＬまで補充するステップ。
１２．Ｗａｔｅｒｓ  Ｏａｓｉｓ  ＨＬＢカラムを、１ｍＬのメタノール、次いで、１ｍＬのＨ２Ｏ／０．１％（ｖ／ｖ）のギ酸で平衡化するステップ。
１３．重力により流下する試料を沈着させるステップ。
１４．１ｍＬのＨ２Ｏ／０．１％（ｖ／ｖ）のギ酸で洗浄するステップ。
１５．８０％のメタノールと２０％の水／０．１％（ｖ／ｖ）のギ酸との混合物１ｍＬで溶出させるステップ。
１６．約１００μｌの容量を得るために、溶出物を、ＳｐｅｅｄＶａｃ（登録商標）ＳＰＤ２０１０蒸留器（Ｔｈｅｒｍｏ  Ｅｌｅｃｔｒｏｎ  Ｃｏｒｐｏｒａｔｉｏｎ、Ｗａｌｔｈａｍ、Ｍａｓｓａｃｈｕｓｅｔｔｓ、Ｕｎｉｔｅｄ  Ｓｔａｔｅｓ  ｏｆ  Ａｍｅｒｉｃａ）で、２時間にわたり蒸発させるステップ。
１７．次いで、十分量（ＱＳＦ）である２５０μｌの水／０．５％（ｖ／ｖ）のギ酸溶液中に溶出物を採取するステップ。
【実施例６】
【０１２６】
ＴＥＭβ−ラクタムに対する耐性の同定：
試料Ｓａｍ１０〜Ｓａｍ６１は、実施例１、３、または４で記載される方法のうちの１つに従い同定する。種の同定は、表１に示す。
表１：
2014512015.tif 000111
【０１２７】
試料Ｓａｍ１０〜Ｓａｍ６１は、ＴＥＭ耐性機構を含むことが可能な種（腸内細菌科の種）に対応する。次いで、以下の方法を実行して、このような機構について探索する。
【０１２８】
各試料を実施例５に従い処理し、次いで、容量５０μｌの消化されたタンパク質を注入し、以下の条件に従い解析する：
●Ｄｉｏｎｅｘ  Ｃｏｒｐｏｒａｔｉｏｎ（Ｓｕｎｎｙｖａｌｅ、Ｕｎｉｔｅｄ  Ｓｔａｔｅｓ  ｏｆ  Ａｍｅｒｉｃａ）によるＤｉｏｎｅｘ  Ｕｌｔｉｍａｔｅ  ３０００クロマトグラフィーチャネル。
●Ｗａｔｅｒｓ  ＢＥＨ１３０  Ｃ１８カラム、内径２．１ｍｍ、長さ１００ｍｍ、粒子サイズ３．５μｍ（Ｗａｔｅｒｓ、Ｓａｉｎｔ−Ｑｕｅｎｔｉｎ  Ｅｎ  Ｙｖｅｌｉｎｅｓ、Ｆｒａｎｃｅ）。
●溶媒Ａ：Ｈ２Ｏ＋０．１％のギ酸。
●溶媒Ｂ：ＡＣＮ＋０．１％のギ酸。
ＨＰＬＣの勾配は、以下の表２で規定される：
表２：
2014512015.tif 000112
●クロマトグラフィーカラムから流下する溶出物を、Ａｐｐｌｉｅｄ  Ｂｉｏｓｙｓｔｅｍｓ（Ｆｏｓｔｅｒ  Ｃｉｔｙ、Ｕｎｉｔｅｄ  Ｓｔａｔｅｓ  ｏｆ  Ａｍｅｒｉｃａ）によるＱＴＲＡＰ（登録商標）５５００質量分析器のイオン化源に直接的に注入する。
●微生物タンパク質の消化に由来するペプチドを、ＭＲＭモードの質量分析器により解析する。表３に示されるペプチドだけが検出される。この目的のために、表３に示されるペプチドの（１または複数の）フラグメントを検出する。表３にはまた、前駆体の荷電状態、および酸化したメチオニンの可能な存在も示される。
表３：
2014512015.tif 000113
2014512015.tif 000114
2014512015.tif 000115
2014512015.tif 000116
2014512015.tif 000117
2014512015.tif 000118
2014512015.tif 000119
2014512015.tif 000120
2014512015.tif 000121
【０１２９】
表３において言及されるトランジションは、表４に示されるパラメータを用いることにより検出する。前駆体ペプチドの保持時間およびトランジション、すなわち、Ｑ１による（ｍ／ｚ）１比およびＱ３による（ｍ／ｚ）２比のほか、前駆体イオンをフラグメント化するのに用いられる衝突エネルギーを表４に示す。また、それを上回ればトランジションが検出されると考えられる閾値も表４に示す。
表４：
2014512015.tif 000122
2014512015.tif 000123
2014512015.tif 000124
2014512015.tif 000125
2014512015.tif 000126
2014512015.tif 000127
2014512015.tif 000128
2014512015.tif 000129
2014512015.tif 000130
【０１３０】
用いられる他のマシンパラメータは、以下の通りである：
・走査の種類：ＭＲＭ
・ＭＲＭの設計：あり
・極性：正
・イオン化源：Ｔｕｒｂｏ  Ｖ（商標）（Ａｐｐｌｉｅｄ  ＢｉｏＳｙｓｔｅｍｓ）
・Ｑ１の設定：単位導出によるフィルタリング
・Ｑ３の設定：単位導出によるフィルタリング
・走査間の休止：５．００ミリ秒
・走査速度：１０Ｄａ／秒
・カーテンガス：５０．００ｐｓｉ
・コーン電圧：５５００．００Ｖ
・イオン源の温度：５００．００℃
・噴霧化ガス：５０．００ｐｓｉ
・加熱ガス：４０．００ｐｓｉ
・解離を誘導する衝突ガス：９．００ｐｓｉ
・ダイナミックフィリング：活性化
・デクラスタリング電位（ＤＰ）：８０．００Ｖ
・Ｑ０前のエントリー電位（ＥＰ）：１０．００Ｖ
・衝突セルイグジット電位（ＣＸＰ）：３５Ｖ
・全サイクル時間：１．２秒間
・検出範囲：９０秒間
【０１３１】
トランジションの各々および研究される微生物の各々について得られる面積を測定した。同じペプチドの３つのトランジションの面積が、表４で記載される陽性の閾値より大きいかまたはこれに等しい場合、このペプチドの検出を陽性と考え、表５で「１」に分類する。少なくとも１つのトランジションが、表４で記載される陽性の閾値より小さい面積を含む場合、対応するペプチドを非検出と考え、表５で「０」に分類する。
表５：
2014512015.tif 000131
2014512015.tif 000132
2014512015.tif 000133
2014512015.tif 000134
2014512015.tif 000135
2014512015.tif 000136
2014512015.tif 000137
2014512015.tif 000138
2014512015.tif 000139
2014512015.tif 000140
2014512015.tif 000141
【０１３２】
試料Ｓａｍ１０は、ＴＥＭに特徴的なペプチドを提示しない。試料Ｓａｍ１０中に存在する細菌は、セファロスポリンおよびペニシリンに対して感受性でありうる。
【０１３３】
試料Ｓａｍ１１〜Ｓａｍ６１は、ＴＥＭに特徴的な少なくとも１つのペプチドを含む。したがって、試料Ｓａｍ１１〜Ｓａｍ６１中に存在する細菌は、これらの試料にペニシリンに対する耐性を付与するβ−ラクタマーゼを発現させる。
【０１３４】
表現型２ｂに特異的なペプチドは観察されず、ペニシリンだけに対して耐性であるものとして同定される被験試料は見られない。
【０１３５】
試料Ｓａｍ３５、Ｓａｍ４９、およびＳａｍ５０は、表現型２ｂｒに特異的な少なくとも１つのペプチドを含む。したがって、試料Ｓａｍ３５、Ｓａｍ４９、およびＳａｍ５０は、クラブラン酸型およびタゾバクタム型の阻害剤と随伴するペニシリンに対して耐性である。
【０１３６】
表現型２ｂｅｒに特異的なペプチドは観察されず、この表現型だけに属するものとして同定される被験試料は見られない。
【０１３７】
試料Ｓａｍ１２〜Ｓａｍ２１、Ｓａｍ２３〜Ｓａｍ２７、Ｓａｍ２９、Ｓａｍ３２、Ｓａｍ３３、Ｓａｍ４４、Ｓａｍ４６、Ｓａｍ５２、Ｓａｍ５５、およびＳａｍ５７〜Ｓａｍ６１は、表現型２ｂｅまたは表現型２ｂｅｒに特異的な少なくとも１つのペプチドを含む。したがって、試料Ｓａｍ１２〜Ｓａｍ２１、Ｓａｍ２３〜Ｓａｍ２７、Ｓａｍ２９、Ｓａｍ３２、Ｓａｍ３３、Ｓａｍ４４、Ｓａｍ４６、Ｓａｍ５２、Ｓａｍ５５、およびＳａｍ５７〜Ｓａｍ６１は、ペニシリン、セファロスポリン、およびモノバクタムに対して耐性である。
【実施例７】
【０１３８】
ＣＭＹβ−ラクタムに対する耐性の同定：
ＣＭＹ耐性機構を含むことが可能な種に対応する試料は、以下の方法を使用することにより検出することができる。
【０１３９】
各々の試料を実施例５に従い処理し、次いで、実施例６に従い、表３によるペプチドの代わりに表６によるペプチドを検出することにより解析する。
表６：
2014512015.tif 000142
2014512015.tif 000143
2014512015.tif 000144
2014512015.tif 000145
【０１４０】
トランジションの各々および研究される微生物の各々について得られる面積を測定した。同じペプチドの３つのトランジションの面積が、２５００より大きいかまたはこれに等しい場合、このペプチドの検出を陽性と考え、「１」に分類する。少なくとも１つのトランジションが２５００より小さい面積を含む場合、対応するペプチドを非検出と考え、「０」に分類する。
【実施例８】
【０１４１】
ＣＴＸ−Ｍβ−ラクタムに対する耐性の同定：
ＣＴＸ−Ｍ耐性機構を含むことが可能な種に対応する試料は、以下の方法を使用することにより検出することができる。
【０１４２】
各々の試料を実施例５に従い処理し、次いで、実施例６に従い、表３によるペプチドの代わりに表７によるペプチドを検出することにより解析する。
表７：
2014512015.tif 000146
2014512015.tif 000147
2014512015.tif 000148
2014512015.tif 000149
【０１４３】
トランジションの各々および研究される微生物の各々について得られる面積を測定した。同じペプチドの３つのトランジションの面積が、２５００より大きいかまたはこれに等しい場合、このペプチドの検出を陽性と考え、「１」に分類する。少なくとも１つのトランジションが２５００より小さい面積を含む場合、対応するペプチドを非検出と考え、「０」に分類する。
【実施例９】
【０１４４】
ＳＨＶβ−ラクタムに対する耐性の同定：
ＳＨＶ耐性機構を含むことが可能な種に対応する試料は、以下の方法を使用することにより検出することができる。
【０１４５】
各々の試料を実施例５に従い処理し、次いで、実施例６に従い、表３によるペプチドの代わりに表８によるペプチドを検出することにより解析する。
表８：
2014512015.tif 000150
2014512015.tif 000151
2014512015.tif 000152
2014512015.tif 000153
2014512015.tif 000154
2014512015.tif 000155
【０１４６】
トランジションの各々および研究される微生物の各々について得られる面積を測定した。同じペプチドの３つのトランジションの面積が、２５００より大きいかまたはこれに等しい場合、このペプチドの検出を陽性と考え、「１」に分類する。少なくとも１つのトランジションが２５００より小さい面積を含む場合、対応するペプチドを非検出と考え、「０」に分類する。
【実施例１０】
【０１４７】
ＦＯＸβ−ラクタムに対する耐性の同定：
ＦＯＸ耐性機構を含むことが可能な種に対応する試料は、以下の方法を使用することにより検出することができる。
【０１４８】
各々の試料を実施例５に従い処理し、次いで、実施例６に従い、表３によるペプチドの代わりに表９によるペプチドを検出することにより解析する。
表９：
2014512015.tif 000156
【０１４９】
トランジションの各々および研究される微生物の各々について得られる面積を測定した。同じペプチドの３つのトランジションの面積が、２５００より大きいかまたはこれに等しい場合、このペプチドの検出を陽性と考え、「１」に分類する。少なくとも１つのトランジションが２５００より小さい面積を含む場合、対応するペプチドを非検出と考え、「０」に分類する。
【実施例１１】
【０１５０】
ＴＥＭβ−ラクタムまたはＣＴＸ−Ｍβ−ラクタムに対する耐性の同定：
ＴＥＭ耐性機構またはＣＴＸ−Ｍ耐性機構を含むことが可能な種に対応する試料は、以下の方法を使用することにより検出することができる。
【０１５１】
各々の試料を実施例５に従い処理し、次いで、実施例６に従い、表３によるペプチドの代わりに表１０によるペプチドを検出することにより解析する。
表１０：
2014512015.tif 000157
2014512015.tif 000158
2014512015.tif 000159
【０１５２】
臨床的対象欄内の、ＴＥＭ、２ｂ、２ｂｒ、２ｂｅ、および２ｂｅｒの項目は、表４における意味と同じ意味に対応する。
【０１５３】
表１０において言及されるトランジションは、表１１に示されるパラメータを用いることにより検出する。
表１１：
2014512015.tif 000160
2014512015.tif 000161
2014512015.tif 000162
【０１５４】
同じペプチドの少なくとも２つのトランジションの面積が、表１１で記載される陽性の閾値より大きいかまたはこれに等しい場合、このペプチドの検出を陽性と考える。同じペプチドの２つを超えるトランジションが、表１１で記載される陽性の閾値より小さい面積を含む場合、対応するペプチドを非検出と考える。
【０１５５】
ＴＥＭ耐性機構に対応する少なくとも１つのペプチドが検出される場合、試料は、ＴＥＭタンパク質を発現させる細菌を含有する。これらの細菌は、ペニシリンに対して耐性である。
【０１５６】
ＴＥＭ耐性機構の臨床的対象である２ｂに対応する少なくとも１つのペプチドが検出される場合、試料は、ＴＥＭタンパク質の表現型２ｂを発現させる細菌を含有する。これらの細菌は、ペニシリンだけに対して耐性である。
【０１５７】
ＴＥＭ耐性機構の臨床的対象である２ｂｒに対応する少なくとも１つのペプチドが検出される場合、試料は、ＴＥＭタンパク質の表現型２ｂｒを発現させる細菌を含有する。これらの細菌は、クラブラン酸型およびタゾバクタム型の阻害剤と随伴するペニシリンに対して耐性である。
【０１５８】
ＣＴＸ−Ｍ耐性機構またはＴＥＭ耐性機構の臨床的対象である２ｂｅに対応する少なくとも１つのペプチドが検出される場合、試料は、ＣＴＸ−Ｍタンパク質、またはＴＥＭタンパク質の表現型２ｂｅを発現させる細菌を含有する。これらの細菌は、ペニシリン、セファロスポリン、およびモノバクタムに対して耐性である。
【０１５９】
ＴＥＭ耐性機構の臨床的対象である２ｂｅｒに対応する少なくとも１つのペプチドが検出される場合、試料は、ＴＥＭタンパク質の表現型２ｂｅｒを発現させる細菌を含有する。これらの細菌は、ペニシリン、セファロスポリン、およびモノバクタムに対して耐性であり、クラブラン酸、スルホバクタム、またはタゾバクタムによる阻害に対して非感受性である。
【実施例１２】
【０１６０】
ＰＥＲβ−ラクタムに対する耐性の同定：
試料Ｓａｍ７４〜Ｓａｍ７８は、実施例１、３、または４で記載される方法のうちの１つに従い同定する。種の同定は、表１２に示す。
表１２：
2014512015.tif 000163
【０１６１】
試料Ｓａｍ７４〜Ｓａｍ７８は、ＰＥＲ耐性機構を含むことが可能な種に対応する。各々の試料を実施例５に従い処理し、次いで、実施例６に従い、表３によるペプチドの代わりに表１３によるペプチドを検出することにより解析する。
表１３：
2014512015.tif 000164
2014512015.tif 000165
2014512015.tif 000166
2014512015.tif 000167
2014512015.tif 000168
2014512015.tif 000169
【０１６２】
用いられる他のマシンパラメータは、以下の通りである：
・走査の種類：ＭＲＭ
・ＭＲＭの設計：あり
・極性：正
・イオン化源：Ｔｕｒｂｏ  Ｖ（商標）（Ａｐｐｌｉｅｄ  ＢｉｏＳｙｓｔｅｍｓ）
・Ｑ１の設定：単位導出によるフィルタリング
・Ｑ３の設定：単位導出によるフィルタリング
・走査間の休止：５．００ミリ秒
・走査速度：１０Ｄａ／秒
・カーテンガス：５０．００ｐｓｉ
・コーン電圧：５５００．００Ｖ
・イオン源の温度：５００．００℃
・噴霧化ガス：４０．００ｐｓｉ
・加熱ガス：４０．００ｐｓｉ
・解離を誘導する衝突ガス：９．００ｐｓｉ
・ダイナミックフィリング：活性化
・デクラスタリング電位（ＤＰ）：１００．００Ｖ
・Ｑ０前のエントリー電位（ＥＰ）：１０．００Ｖ
・衝突セルイグジット電位（ＣＸＰ）：１５Ｖ
・全サイクル時間：１秒間
・検出範囲：２４０秒間
【０１６３】
トランジションの各々および研究される微生物の各々について得られる面積を測定した。トランジションの面積が、表１３で記載される陽性の閾値より大きいかまたはこれに等しい場合、このトランジションの検出を陽性と考え、表１４で「１」に分類する。トランジションの面積が、表１３で記載される陽性の閾値より小さい場合、このトランジションを非検出と考え、表１４で「０」に分類する。
【０１６４】
所与のペプチドについて、少なくとも３つのトランジションが「１」に分類される場合、このペプチドは、検出されつつあると考えられる。
表１４：
2014512015.tif 000170
2014512015.tif 000171
【０１６５】
試料Ｓａｍ７４〜Ｓａｍ７８は、ＰＥＲに特徴的な少なくとも１つのペプチドを含む。したがって、試料Ｓａｍ７４〜Ｓａｍ７８中に存在する細菌は、これらの試料にペニシリン、セファロスポリン、およびモノバクタムに対する耐性を付与するβ−ラクタマーゼを発現させる。
【実施例１３】
【０１６６】
ＶＥＢβ−ラクタムに対する耐性の同定：
試料Ｓａｍ７９〜Ｓａｍ８２は、実施例１、３、または４で記載される方法のうちの１つに従い同定する。種の同定は、表１５に示す。
表１５：
2014512015.tif 000172
【０１６７】
試料Ｓａｍ７９〜Ｓａｍ８２は、ＶＥＢ耐性機構を含むことが可能な種に対応する。各々の試料を実施例５に従い処理し、次いで、実施例６に従い、表３によるペプチドの代わりに表１６によるペプチドを検出することにより解析する。
表１６：
2014512015.tif 000173
2014512015.tif 000174
【０１６８】
用いられる他のマシンパラメータは、以下の通りである：
・走査の種類：ＭＲＭ
・ＭＲＭの設計：あり
・極性：正
・イオン化源：Ｔｕｒｂｏ  Ｖ（商標）（Ａｐｐｌｉｅｄ  ＢｉｏＳｙｓｔｅｍｓ）
・Ｑ１の設定：単位導出によるフィルタリング
・Ｑ３の設定：単位導出によるフィルタリング
・走査間の休止：５．００ミリ秒
・走査速度：１０Ｄａ／秒
・カーテンガス：５０．００ｐｓｉ
・コーン電圧：５５００．００Ｖ
・イオン源の温度：５００．００℃
・噴霧化ガス：４０．００ｐｓｉ
・加熱ガス：４０．００ｐｓｉ
・解離を誘導する衝突ガス：９．００ｐｓｉ
・ダイナミックフィリング：活性化
・デクラスタリング電位（ＤＰ）：１００．００Ｖ
・Ｑ０前のエントリー電位（ＥＰ）：１０．００Ｖ
・衝突セルイグジット電位（ＣＸＰ）：１５Ｖ
・全サイクル時間：１．２秒間
・検出範囲：２４０秒間
【０１６９】
トランジションの各々および研究される微生物の各々について得られる面積を測定した。トランジションの面積が、表１６で記載される陽性の閾値より大きいかまたはこれに等しい場合、このトランジションの検出を陽性と考え、表１７で「１」に分類する。トランジションの面積が、表１６で記載される陽性の閾値より小さい場合、このトランジションを非検出と考え、表１７で「０」に分類する。
【０１７０】
所与のペプチドについて、少なくとも３つのトランジションが「１」に分類される場合、このペプチドは、検出されつつあると考えられる。
表１７：
2014512015.tif 000175
2014512015.tif 000176
【０１７１】
試料Ｓａｍ７９〜Ｓａｍ８２は、ＶＥＢに特徴的な少なくとも１つのペプチドを含む。したがって、試料Ｓａｍ７９〜Ｓａｍ８２中に存在する細菌は、これらの試料にペニシリン、セファロスポリン、およびモノバクタムに対する耐性を付与するβ−ラクタマーゼを発現させる。
【実施例１４】
【０１７２】
ＭＯＸβ−ラクタムに対する耐性の同定：
試料Ｓａｍ８３は、実施例１、３、または４で記載される方法のうちの１つに従い同定される。種の同定は、表１８に示す。
表１８：
2014512015.tif 000177
【０１７３】
試料Ｓａｍ８３は、ＭＯＸ耐性機構を含むことが可能な種に対応する。各々の試料を実施例５に従い処理し、次いで、実施例６に従い、表３によるペプチドの代わりに表１９によるペプチドを検出することにより解析する。
表１９：
2014512015.tif 000178
2014512015.tif 000179
【０１７４】
用いられる他のマシンパラメータは、以下の通りである：
・走査の種類：ＭＲＭ
・ＭＲＭの設計：あり
・極性：正
・イオン化源：Ｔｕｒｂｏ  Ｖ（商標）（Ａｐｐｌｉｅｄ  ＢｉｏＳｙｓｔｅｍｓ）
・Ｑ１の設定：単位導出によるフィルタリング
・Ｑ３の設定：単位導出によるフィルタリング
・走査間の休止：５．００ミリ秒
・走査速度：１０Ｄａ／秒
・カーテンガス：４０．００ｐｓｉ
・コーン電圧：５５００．００Ｖ
・イオン源の温度：５００．００℃
・噴霧化ガス：４０．００ｐｓｉ
・加熱ガス：４０．００ｐｓｉ
・解離を誘導する衝突ガス：９．００ｐｓｉ
・ダイナミックフィリング：活性化
・デクラスタリング電位（ＤＰ）：１００．００Ｖ
・Ｑ０前のエントリー電位（ＥＰ）：１０．００Ｖ
・衝突セルイグジット電位（ＣＸＰ）：１５Ｖ
・全サイクル時間：１秒間
・検出範囲：２４０秒間
【０１７５】
トランジションの各々および研究される微生物の各々について得られる面積を測定した。トランジションの面積が、表１９で記載される陽性の閾値より大きいかまたはこれに等しい場合、このトランジションの検出を陽性と考え、表２０で「１」に分類する。トランジションの面積が、表１９で記載される陽性の閾値より小さい場合、このトランジションを非検出と考え、表２０で「０」に分類する。
【０１７６】
所与のペプチドについて、少なくとも３つのトランジションが「１」に分類される場合、このペプチドは、検出されつつあると考えられる。
表２０：
2014512015.tif 000180
2014512015.tif 000181
【０１７７】
試料Ｓａｍ８３は、ＭＯＸに特徴的な少なくとも１つのペプチドを含む。したがって、試料Ｓａｍ８３中に存在する細菌は、この試料にペニシリンおよび第４世代のセファロスポリンを例外としたセファロスポリンに対する耐性を付与するβ−ラクタマーゼを発現させる。
【実施例１５】
【０１７８】
ＡＣＣβ−ラクタムに対する耐性の同定：
ＡＣＣ耐性機構を含むことが可能な種に対応する試料は、以下の方法を使用することにより検出することができる。
【０１７９】
各々の試料を実施例５に従い処理し、次いで、実施例６に従い、表３によるペプチドの代わりに表２１によるペプチドを検出することにより解析する。
表２１：
2014512015.tif 000182
2014512015.tif 000183
【０１８０】
トランジションの各々および研究される微生物の各々について得られる面積を測定した。同じペプチドの３つのトランジションの面積が、２５００より大きいかまたはこれに等しい場合、このペプチドの検出を陽性と考え、「１」に分類する。少なくとも１つのトランジションが２５００より小さい面積を含む場合、対応するペプチドを非検出と考え、「０」に分類する。
【実施例１６】
【０１８１】
ＡＣＴβ−ラクタムに対する耐性の同定：
ＡＣＴ耐性機構を含むことが可能な種に対応する試料は、以下の方法を使用することにより検出することができる。
【０１８２】
各々の試料を実施例５に従い処理し、次いで、実施例６に従い、表３によるペプチドの代わりに表２２によるペプチドを検出することにより解析する。
表２２：
2014512015.tif 000184
2014512015.tif 000185
2014512015.tif 000186
【０１８３】
トランジションの各々および研究される微生物の各々について得られる面積を測定した。同じペプチドの３つのトランジションの面積が、２５００より大きいかまたはこれに等しい場合、このペプチドの検出を陽性と考え、「１」に分類する。少なくとも１つのトランジションが２５００より小さい面積を含む場合、対応するペプチドを非検出と考え、「０」に分類する。
【実施例１７】
【０１８４】
ＣＭＹβ−ラクタムに対する耐性の同定：
ＣＭＹ耐性機構を含むことが可能な種に対応する試料は、以下の方法を使用することにより検出することができる。
【０１８５】
各々の試料を実施例５に従い処理し、次いで、実施例６に従い、表３によるペプチドの代わりに表２３によるペプチドを検出することにより解析する。
表２３：
2014512015.tif 000187
2014512015.tif 000188
2014512015.tif 000189
2014512015.tif 000190
【０１８６】
トランジションの各々および研究される微生物の各々について得られる面積を測定した。同じペプチドの３つのトランジションの面積が、２５００より大きいかまたはこれに等しい場合、このペプチドの検出を陽性と考え、「１」に分類する。少なくとも１つのトランジションが２５００より小さい面積を含む場合、対応するペプチドを非検出と考え、「０」に分類する。
【実施例１８】
【０１８７】
ＣＴＸ−Ｍβ−ラクタムに対する耐性の同定：
ＣＴＸ−Ｍ耐性機構を含むことが可能な種に対応する試料は、以下の方法を使用することにより検出することができる。
【０１８８】
各々の試料を実施例５に従い処理し、次いで、実施例６に従い、表３によるペプチドの代わりに表２４によるペプチドを検出することにより解析する。
表２４：
2014512015.tif 000191
2014512015.tif 000192
2014512015.tif 000193
2014512015.tif 000194
2014512015.tif 000195
【０１８９】
トランジションの各々および研究される微生物の各々について得られる面積を測定した。同じペプチドの３つのトランジションの面積が、２５００より大きいかまたはこれに等しい場合、このペプチドの検出を陽性と考え、「１」に分類する。少なくとも１つのトランジションが２５００より小さい面積を含む場合、対応するペプチドを非検出と考え、「０」に分類する。
【実施例１９】
【０１９０】
ＤＨＡβ−ラクタムに対する耐性の同定：
ＤＨＡ耐性機構を含むことが可能な種に対応する試料は、以下の方法を使用することにより検出することができる。
【０１９１】
各々の試料を実施例５に従い処理し、次いで、実施例６に従い、表３によるペプチドの代わりに表２５によるペプチドを検出することにより解析する。
表２５：
2014512015.tif 000196
【０１９２】
トランジションの各々および研究される微生物の各々について得られる面積を測定した。同じペプチドの３つのトランジションの面積が、２５００より大きいかまたはこれに等しい場合、このペプチドの検出を陽性と考え、「１」に分類する。少なくとも１つのトランジションが２５００より小さい面積を含む場合、対応するペプチドを非検出と考え、「０」に分類する。
【実施例２０】
【０１９３】
ＦＯＸβ−ラクタムに対する耐性の同定：
ＦＯＸ耐性機構を含むことが可能な種に対応する試料は、以下の方法を使用することにより検出することができる。
【０１９４】
各々の試料を実施例５に従い処理し、次いで、実施例６に従い、表３によるペプチドの代わりに表２６によるペプチドを検出することにより解析する。
表２６：
2014512015.tif 000197
【０１９５】
トランジションの各々および研究される微生物の各々について得られる面積を測定した。同じペプチドの３つのトランジションの面積が、２５００より大きいかまたはこれに等しい場合、このペプチドの検出を陽性と考え、「１」に分類する。少なくとも１つのトランジションが２５００より小さい面積を含む場合、対応するペプチドを非検出と考え、「０」に分類する。
【実施例２１】
【０１９６】
ＭＩＲβ−ラクタムに対する耐性の同定：
ＭＩＲ耐性機構を含むことが可能な種に対応する試料は、以下の方法を使用することにより検出することができる。
【０１９７】
各々の試料を実施例５に従い処理し、次いで、実施例６に従い、表３によるペプチドの代わりに表２７によるペプチドを検出することにより解析する。
表２７：
2014512015.tif 000198
【０１９８】
トランジションの各々および研究される微生物の各々について得られる面積を測定した。同じペプチドの３つのトランジションの面積が、２５００より大きいかまたはこれに等しい場合、このペプチドの検出を陽性と考え、「１」に分類する。少なくとも１つのトランジションが２５００より小さい面積を含む場合、対応するペプチドを非検出と考え、「０」に分類する。
【実施例２２】
【０１９９】
ＳＨＶβ−ラクタムに対する耐性の同定：
ＳＨＶ耐性機構を含むことが可能な種に対応する試料は、以下の方法を使用することにより検出することができる。
【０２００】
各々の試料を実施例５に従い処理し、次いで、実施例６に従い、表３によるペプチドの代わりに表２８によるペプチドを検出することにより解析する。
表２８：
2014512015.tif 000199
【０２０１】
トランジションの各々および研究される微生物の各々について得られる面積を測定した。同じペプチドの３つのトランジションの面積が、２５００より大きいかまたはこれに等しい場合、このペプチドの検出を陽性と考え、「１」に分類する。少なくとも１つのトランジションが２５００より小さい面積を含む場合、対応するペプチドを非検出と考え、「０」に分類する。
【実施例２３】
【０２０２】
ＣＡＲＢβ−ラクタムに対する耐性の同定：
ＣＡＲＢ耐性機構を含むことが可能な種に対応する試料は、以下の方法を使用することにより検出することができる。
【０２０３】
各々の試料を実施例５に従い処理し、次いで、実施例６に従い、表３によるペプチドの代わりに表２９によるペプチドを検出することにより解析する。
表２９：
2014512015.tif 000200
2014512015.tif 000201
2014512015.tif 000202
2014512015.tif 000203
【０２０４】
トランジションの各々および研究される微生物の各々について得られる面積を測定した。同じペプチドの３つのトランジションの面積が、２５００より大きいかまたはこれに等しい場合、このペプチドの検出を陽性と考え、「１」に分類する。少なくとも１つのトランジションが２５００より小さい面積を含む場合、対応するペプチドを非検出と考え、「０」に分類する。
【実施例２４】
【０２０５】
ＯＸＡβ−ラクタムに対する耐性の同定：
ＯＸＡ耐性機構を含むことが可能な種に対応する試料は、以下の方法を使用することにより検出することができる。
【０２０６】
各々の試料を実施例５に従い処理し、次いで、実施例６に従い、表３によるペプチドの代わりに表３０によるペプチドを検出することにより解析する。
表３０：
2014512015.tif 000204
2014512015.tif 000205
2014512015.tif 000206
2014512015.tif 000207
2014512015.tif 000208
2014512015.tif 000209
2014512015.tif 000210
2014512015.tif 000211
2014512015.tif 000212
2014512015.tif 000213
2014512015.tif 000214
2014512015.tif 000215
2014512015.tif 000216
2014512015.tif 000217
2014512015.tif 000218
2014512015.tif 000219
2014512015.tif 000220
2014512015.tif 000221
2014512015.tif 000222
2014512015.tif 000223
2014512015.tif 000224
2014512015.tif 000225
2014512015.tif 000226
2014512015.tif 000227
2014512015.tif 000228
2014512015.tif 000229
2014512015.tif 000230
2014512015.tif 000231
2014512015.tif 000232
【０２０７】
トランジションの各々および研究される微生物の各々について得られる面積を測定した。同じペプチドの３つのトランジションの面積が、２５００より大きいかまたはこれに等しい場合、このペプチドの検出を陽性と考え、「１」に分類する。少なくとも１つのトランジションが２５００より小さい面積を含む場合、対応するペプチドを非検出と考え、「０」に分類する。
【実施例２５】
【０２０８】
ＡＣＣβ−ラクタムに対する耐性の同定：
試料Ｓａｍ９６〜Ｓａｍ１０１は、実施例１、３、または４で記載される方法のうちの１つに従い同定する。種の同定は、表３１に示す。
表３１：
2014512015.tif 000233
【０２０９】
試料Ｓａｍ９６〜Ｓａｍ１０１は、ＡＣＣ耐性機構を含むことが可能な種に対応する。各々の試料を実施例５に従い処理し、次いで、実施例６に従い、表３によるペプチドの代わりに表３２によるペプチドを検出することにより解析する。
表３２：
2014512015.tif 000234
2014512015.tif 000235
2014512015.tif 000236
【０２１０】
用いられる他のマシンパラメータは、以下の通りである：
・走査の種類：ＭＲＭ
・ＭＲＭの設計：なし
・極性：正
・イオン化源：Ｔｕｒｂｏ  Ｖ（商標）（Ａｐｐｌｉｅｄ  ＢｉｏＳｙｓｔｅｍｓ）
・Ｑ１の設定：単位導出によるフィルタリング
・Ｑ３の設定：単位導出によるフィルタリング
・走査間の休止：５．００ミリ秒
・走査速度：１０Ｄａ／秒
・カーテンガス：５０．００ｐｓｉ
・コーン電圧：５５００．００Ｖ
・イオン源の温度：５００．００℃
・噴霧化ガス：５０．００ｐｓｉ
・加熱ガス：５０．００ｐｓｉ
・解離を誘導する衝突ガス：９．００ｐｓｉ
・ダイナミックフィリング：活性化
・デクラスタリング電位（ＤＰ）：１００．００Ｖ
・Ｑ０前のエントリー電位（ＥＰ）：６．００Ｖ
・衝突セルイグジット電位（ＣＸＰ）：１５Ｖ
・全サイクル時間：１．３２秒間
【０２１１】
トランジションの各々および研究される微生物の各々について得られる面積を測定した。トランジションの面積が、表３２で記載される陽性の閾値より大きいかまたはこれに等しい場合、このトランジションの検出を陽性と考え、表３３で「１」に分類する。トランジションの面積が、表３２で記載される陽性の閾値より小さい場合、このトランジションを非検出と考え、表３３で「０」に分類する。
【０２１２】
所与のペプチドについて、少なくとも３つのトランジションが「１」に分類される場合、このペプチドは、検出されつつあると考えられる。
表３３：
2014512015.tif 000237
2014512015.tif 000238
【０２１３】
試料Ｓａｍ９６〜Ｓａｍ１０１は、ＡＣＣタンパク質に特徴的な少なくとも１つのペプチドを含む。したがって、試料Ｓａｍ９６〜Ｓａｍ１０１中に存在する細菌は、これらの試料にペニシリンおよび第４世代のセファロスポリンを例外としたセファロスポリンに対する耐性を付与するβ−ラクタマーゼを発現させる。
【実施例２６】
【０２１４】
ＣＭＹβ−ラクタムに対する耐性の同定：
試料Ｓａｍ１０２〜Ｓａｍ１０８は、実施例１、３、または４で記載される方法のうちの１つに従い同定する。種の同定は、表３４に示す。
表３４：
2014512015.tif 000239
【０２１５】
試料Ｓａｍ１０２〜Ｓａｍ１０８は、ＣＭＹ耐性機構を含むことが可能な種に対応する。各々の試料を実施例５に従い処理し、次いで、実施例６に従い、表３によるペプチドの代わりに表３５によるペプチドを検出することにより解析する。
表３５：
2014512015.tif 000240
2014512015.tif 000241
【０２１６】
用いられる他のマシンパラメータは、以下の通りである：
・走査の種類：ＭＲＭ
・ＭＲＭの設計：あり
・極性：正
・イオン化源：Ｔｕｒｂｏ  Ｖ（商標）（Ａｐｐｌｉｅｄ  ＢｉｏＳｙｓｔｅｍｓ）
・Ｑ１の設定：単位導出によるフィルタリング
・Ｑ３の設定：単位導出によるフィルタリング
・走査間の休止：５．００ミリ秒
・走査速度：１０Ｄａ／秒
・カーテンガス：５０．００ｐｓｉ
・コーン電圧：５５００．００Ｖ
・イオン源の温度：５００．００℃
・噴霧化ガス：５０．００ｐｓｉ
・加熱ガス：５０．００ｐｓｉ
・解離を誘導する衝突ガス：９．００ｐｓｉ
・ダイナミックフィリング：活性化
・デクラスタリング電位（ＤＰ）：１００．００Ｖ
・Ｑ０前のエントリー電位（ＥＰ）：６．００Ｖ
・衝突セルイグジット電位（ＣＸＰ）：１５Ｖ
・全サイクル時間：０．０４秒間
・検出範囲：１２０秒間
【０２１７】
トランジションの各々および研究される微生物の各々について得られる面積を測定した。トランジションの面積が、表３５で記載される陽性の閾値より大きいかまたはこれに等しい場合、このトランジションの検出を陽性と考え、表３６で「１」に分類する。トランジションの面積が、表３５で記載される陽性の閾値より小さい場合、このトランジションを非検出と考え、表３６で「０」に分類する。
【０２１８】
所与のペプチドについて、少なくとも３つのトランジションが「１」に分類される場合、このペプチドは、検出されつつあると考えられる。
表３６：
2014512015.tif 000242
2014512015.tif 000243
2014512015.tif 000244
【０２１９】
試料Ｓａｍ１０２〜Ｓａｍ１０８は、ＣＭＹタンパク質に特徴的な少なくとも１つのペプチドを含む。したがって、試料Ｓａｍ１０２〜Ｓａｍ１０８中に存在する細菌は、これらの試料にペニシリンおよび第４世代のセファロスポリンを例外としたセファロスポリンに対する耐性を付与するβ−ラクタマーゼを発現させる。
【実施例２７】
【０２２０】
ＣＴＸ−Ｍβ−ラクタムに対する耐性の同定：
試料Ｓａｍ１０９〜Ｓａｍ１１８は、実施例１、３、または４で記載される方法のうちの１つに従い同定する。種の同定は、表３７に示す。
表３７：
2014512015.tif 000245
【０２２１】
試料Ｓａｍ１０９〜Ｓａｍ１１８は、ＣＴＸ−Ｍ耐性機構を含むことが可能な種に対応する。各々の試料を実施例５に従い処理し、次いで、実施例６に従い、表３によるペプチドの代わりに表３８によるペプチドを検出することにより解析する。
表３８：
2014512015.tif 000246
2014512015.tif 000247
2014512015.tif 000248
2014512015.tif 000249
【０２２２】
用いられる他のマシンパラメータは、以下の通りである：
・走査の種類：ＭＲＭ
・ＭＲＭの設計：あり
・極性：正
・イオン化源：Ｔｕｒｂｏ  Ｖ（商標）（Ａｐｐｌｉｅｄ  ＢｉｏＳｙｓｔｅｍｓ）
・Ｑ１の設定：単位導出によるフィルタリング
・Ｑ３の設定：単位導出によるフィルタリング
・走査間の休止：５．００ミリ秒
・走査速度：１０Ｄａ／秒
・カーテンガス：５０．００ｐｓｉ
・コーン電圧：５５００．００Ｖ
・イオン源の温度：５００．００℃
・噴霧化ガス：５０．００ｐｓｉ
・加熱ガス：５０．００ｐｓｉ
・解離を誘導する衝突ガス：９．００ｐｓｉ
・ダイナミックフィリング：活性化
・デクラスタリング電位（ＤＰ）：１００．００Ｖ
・Ｑ０前のエントリー電位（ＥＰ）：６．００Ｖ
・衝突セルイグジット電位（ＣＸＰ）：１５Ｖ
・全サイクル時間：０．０４秒間
・検出範囲：１２０秒間
【０２２３】
トランジションの各々および研究される微生物の各々について得られる面積を測定した。トランジションの面積が、表３８で記載される陽性の閾値より大きいかまたはこれに等しい場合、このトランジションの検出を陽性と考え、表３９で「１」に分類する。トランジションの面積が、表３８で記載される陽性の閾値より小さい場合、このトランジションを非検出と考え、表３９で「０」に分類する。
【０２２４】
所与のペプチドについて、少なくとも３つのトランジションが「１」に分類される場合、このペプチドは、検出されつつあると考えられる。
表３９：
2014512015.tif 000250
2014512015.tif 000251
2014512015.tif 000252
2014512015.tif 000253
【０２２５】
試料Ｓａｍ１０９〜Ｓａｍ１１８は、ＣＴＸ−Ｍタンパク質に特徴的な少なくとも１つのペプチドを含む。したがって、試料Ｓａｍ１０９〜Ｓａｍ１１８中に存在する細菌は、これらの試料にペニシリン、セファロスポリン、およびモノバクタムに対する耐性を付与するβ−ラクタマーゼを発現させる。
【実施例２８】
【０２２６】
ＤＨＡβ−ラクタムに対する耐性の同定：
試料Ｓａｍ１１９〜Ｓａｍ１２４は、実施例１、３、または４で記載される方法のうちの１つに従い同定する。種の同定は、表４０に示す。
表４０：
2014512015.tif 000254
【０２２７】
試料Ｓａｍ１１９〜Ｓａｍ１２４は、ＤＨＡ耐性機構を含むことが可能な種に対応する。各々の試料を実施例５に従い処理し、次いで、実施例６に従い、表３によるペプチドの代わりに表４１によるペプチドを検出することにより解析する。
表４１：
2014512015.tif 000255
2014512015.tif 000256
【０２２８】
用いられる他のマシンパラメータは、以下の通りである：
・走査の種類：ＭＲＭ
・ＭＲＭの設計：なし
・極性：正
・イオン化源：Ｔｕｒｂｏ  Ｖ（商標）（Ａｐｐｌｉｅｄ  ＢｉｏＳｙｓｔｅｍｓ）
・Ｑ１の設定：単位導出によるフィルタリング
・Ｑ３の設定：単位導出によるフィルタリング
・走査間の休止：５．００ミリ秒
・走査速度：１０Ｄａ／秒
・カーテンガス：５０．００ｐｓｉ
・コーン電圧：５５００．００Ｖ
・イオン源の温度：５００．００℃
・噴霧化ガス：５０．００ｐｓｉ
・加熱ガス：５０．００ｐｓｉ
・解離を誘導する衝突ガス：９．００ｐｓｉ
・ダイナミックフィリング：活性化
・デクラスタリング電位（ＤＰ）：１００．００Ｖ
・Ｑ０前のエントリー電位（ＥＰ）：６．００Ｖ
・衝突セルイグジット電位（ＣＸＰ）：１５Ｖ
・全サイクル時間：１．１７秒間
【０２２９】
トランジションの各々および研究される微生物の各々について得られる面積を測定した。トランジションの面積が、表４１で記載される陽性の閾値より大きいかまたはこれに等しい場合、このトランジションの検出を陽性と考え、表４２で「１」に分類する。トランジションの面積が、表４１で記載される陽性の閾値より小さい場合、このトランジションを非検出と考え、表４２で「０」に分類する。
【０２３０】
所与のペプチドについて、少なくとも３つのトランジションが「１」に分類される場合、このペプチドは、検出されつつあると考えられる。
表４２：
2014512015.tif 000257
【０２３１】
試料Ｓａｍ１１９〜Ｓａｍ１２４は、ＤＨＡタンパク質に特徴的な少なくとも１つのペプチドを含む。したがって、試料Ｓａｍ１１９〜Ｓａｍ１２４中に存在する細菌は、これらの試料にペニシリン、および第４世代のセファロスポリンを例外としたセファロスポリンに対する耐性を付与するβ−ラクタマーゼを発現させる。
【実施例２９】
【０２３２】
ＦＯＸβ−ラクタムに対する耐性の同定：
試料Ｓａｍ１２５〜Ｓａｍ１３０は、実施例１、３、または４で記載される方法のうちの１つに従い同定する。種の同定は、表４３に示す。
表４３：
2014512015.tif 000258
【０２３３】
試料Ｓａｍ１２５〜Ｓａｍ１３０は、ＦＯＸ耐性機構を含むことが可能な種に対応する。各々の試料を実施例５に従い処理し、次いで、実施例６に従い、表３によるペプチドの代わりに表４４によるペプチドを検出することにより解析する。
表４４：
2014512015.tif 000259
2014512015.tif 000260
【０２３４】
用いられる他のマシンパラメータは、以下の通りである：
・走査の種類：ＭＲＭ
・ＭＲＭの設計：なし
・極性：正
・イオン化源：Ｔｕｒｂｏ  Ｖ（商標）（Ａｐｐｌｉｅｄ  ＢｉｏＳｙｓｔｅｍｓ）
・Ｑ１の設定：単位導出によるフィルタリング
・Ｑ３の設定：単位導出によるフィルタリング
・走査間の休止：５．００ミリ秒
・走査速度：１０Ｄａ／秒
・カーテンガス：５０．００ｐｓｉ
・コーン電圧：５５００．００Ｖ
・イオン源の温度：５００．００℃
・噴霧化ガス：５０．００ｐｓｉ
・加熱ガス：５０．００ｐｓｉ
・解離を誘導する衝突ガス：９．００ｐｓｉ
・ダイナミックフィリング：活性化
・デクラスタリング電位（ＤＰ）：１００．００Ｖ
・Ｑ０前のエントリー電位（ＥＰ）：６．００Ｖ
・衝突セルイグジット電位（ＣＸＰ）：１５Ｖ
・全サイクル時間：１．３８秒間
【０２３５】
トランジションの各々および研究される微生物の各々について得られる面積を測定した。トランジションの面積が、表４４で記載される陽性の閾値より大きいかまたはこれに等しい場合、このトランジションの検出を陽性と考え、表４５で「１」に分類する。トランジションの面積が、表４４で記載される陽性の閾値より小さい場合、このトランジションを非検出と考え、表４５で「０」に分類する。
【０２３６】
所与のペプチドについて、少なくとも２つのトランジションが「１」に分類される場合、このペプチドは、検出されつつあると考えられる。
表４５：
2014512015.tif 000261
【０２３７】
試料Ｓａｍ１２５〜Ｓａｍ１３０は、ＦＯＸタンパク質に特徴的な少なくとも１つのペプチドを含む。したがって、試料Ｓａｍ１２５〜Ｓａｍ１３０中に存在する細菌は、これらの試料にペニシリン、および第４世代のセファロスポリンを例外としたセファロスポリンに対する耐性を付与するβ−ラクタマーゼを発現させる。
【実施例３０】
【０２３８】
ＳＨＶβ−ラクタムに対する耐性の同定：
試料Ｓａｍ１３１〜Ｓａｍ１４４は、実施例１、３、または４で記載される方法のうちの１つに従い同定する。種の同定は、表４６に示す。
表４６：
2014512015.tif 000262
【０２３９】
試料Ｓａｍ１３１〜Ｓａｍ１４４は、ＳＨＶ耐性機構を含むことが可能な種に対応する。各々の試料を実施例５に従い処理し、次いで、実施例６に従い、表３によるペプチドの代わりに表４７によるペプチドを検出することにより解析する。
表４７：
2014512015.tif 000263
2014512015.tif 000264
2014512015.tif 000265
2014512015.tif 000266
2014512015.tif 000267
2014512015.tif 000268
2014512015.tif 000269
【０２４０】
用いられる他のマシンパラメータは、以下の通りである：
・走査の種類：ＭＲＭ
・ＭＲＭの設計：あり
・極性：正
・イオン化源：Ｔｕｒｂｏ  Ｖ（商標）（Ａｐｐｌｉｅｄ  ＢｉｏＳｙｓｔｅｍｓ）
・Ｑ１の設定：単位導出によるフィルタリング
・Ｑ３の設定：単位導出によるフィルタリング
・走査間の休止：５．００ミリ秒
・走査速度：１０Ｄａ／秒
・カーテンガス：５０．００ｐｓｉ
・コーン電圧：５５００．００Ｖ
・イオン源の温度：５００．００℃
・噴霧化ガス：５０．００ｐｓｉ
・加熱ガス：５０．００ｐｓｉ
・解離を誘導する衝突ガス：９．００ｐｓｉ
・ダイナミックフィリング：活性化
・デクラスタリング電位（ＤＰ）：１００．００Ｖ
・Ｑ０前のエントリー電位（ＥＰ）：６．００Ｖ
・衝突セルイグジット電位（ＣＸＰ）：１５Ｖ
・全サイクル時間：１秒間
・検出範囲：１２０秒間
【０２４１】
トランジションの各々および研究される微生物の各々について得られる面積を測定した。トランジションの面積が、表４７で記載される陽性の閾値より大きいかまたはこれに等しい場合、このトランジションの検出を陽性と考え、表４８で「１」に分類する。トランジションの面積が、表４７で記載される陽性の閾値より小さい場合、このトランジションを非検出と考え、表４８で「０」に分類する。
【０２４２】
所与のペプチドについて、少なくとも３つのトランジションが「１」に分類される場合、このペプチドは、検出されつつあると考えられる。
表４８：
2014512015.tif 000270
2014512015.tif 000271
2014512015.tif 000272
2014512015.tif 000273
2014512015.tif 000274
2014512015.tif 000275
2014512015.tif 000276
【０２４３】
試料Ｓａｍ１３１〜Ｓａｍ１４４は、ＳＨＶタンパク質に特徴的な少なくとも１つのペプチドを含む。したがって、試料Ｓａｍ１３１〜Ｓａｍ１４４中に存在する細菌は、これらの試料にペニシリンに対する耐性を付与するβ−ラクタマーゼを発現させる。
【０２４４】
試料Ｓａｍ１４２は、表現型２ｂｅに特異的なペプチドを含む。したがって、試料Ｓａｍ１４２は、ペニシリン、セファロスポリン、およびモノバクタムに対して耐性である。
【０２４５】
表現型２ｂおよび２ｂｒに特異的なペプチドは観察されず、これらの表現型だけに属するものとして同定される被験試料は見られない。
【０２４６】
実施例６〜３０で記載した検出方法は、多数のペプチドをアッセイし、同時に、１または複数のβ−ラクタマーゼにより誘導される１または複数の耐性機構の存在を検出することを可能とするのに特に有利である。
【０２４７】
さらに、検出は１時間より短い短時間で実行される。実際、３〜３４分後の間の勾配の一部だけが解析に有用である。さらに、アッセイされるペプチドの保持時間は、全て３４分間未満である。
【０２４８】
加えて、実施例６〜３０で記載した検出方法は、遺伝子の発現産物を検出するものであり、遺伝子自体を検出するものではないために、分子生物学法より有利である。この遺伝子が発現しないか、または有効な耐性をもたらすには発現が弱すぎる場合、耐性の検出は、いかなる臨床的意味も持ちえない。耐性機構に特徴的なタンパク質を特徴づけるペプチドの検出は、この欠点を有さない。
【０２４９】
驚くべきことに、上記の実施例は、分子生物学法が用いられる場合に通常である増幅法を使用することなく、質量分析により、試料中に含有される微生物の、少なくとも１つの抗微生物剤に対する耐性の機構の存在の特異的な検出に必要な感度を達成しうることを示す。
参考文献
［１］Ｊ．ＡｎｈａｌｔおよびＣ．Ｆｅｎｓｅｌａｕ、１９７５、Ａｎａｌ．Ｃｈｅｍ．、４７（２）：２１９〜２２５。
［２］Ａ．ＦＯＸら編、１９９０、Ａｎａｌｙｔｉｃａｌ  ｍｉｃｒｏｂｉｏｌｏｇｙ  ｍｅｔｈｏｄｓ：ｃｈｒｏｍａｔｏｇｒａｐｈｙ  ａｎｄ  ｍａｓｓ  ｓｐｅｃｔｒｏｍｅｔｒｙ、Ｐｌｅｎｕｍ  Ｐｒｅｓｓ、Ｎｅｗ  Ｙｏｒｋ、Ｎ．Ｙ。
［３］Ｍ．Ｃｌａｙｄｏｎら、１９９６、Ｎａｔｕｒｅ  Ｂｉｏｔｅｃｈ．１４：１５８４〜１５８６。
［４］Ｔ．ＫｒｉｓｈｎａｍｕｒｔｈｙおよびＰ．Ｒｏｓｓ、１９９６、Ｒａｐｉｄ  Ｃｏｍ．Ｍａｓｓ  Ｓｐｅｃ．、１０：１９９２〜１９９６。
［５］Ｐ．Ｓｅｎｇら、２００９、Ｃｌｉｎ．Ｉｎｆｅｃｔ．Ｄｉｓ．、４９：５４３〜５５１。
［６］Ｃ．Ｆｅｎｓｅｌａｕら、２００８、Ａｐｐｌ．Ｅｎｖｉｒｏｎ．Ｍｉｃｒｏｂｉｏｌ．、９０４〜９０６。
［７］Ｓ．Ｈｏｆｓｔａｄｌｅｒら、２００５、Ｉｎｔ．Ｊ  Ｍａｓｓ  Ｓｐｅｃｔｒｏｍ．、２４２：２３〜４１。
［８］Ｄ．Ｅｃｋｅｒ、２００８、Ｎａｔ．Ｒｅｖ．Ｍｉｃｒｏｂｉｏｌ．、６（７）：５５３〜５５８。
［９］ＢｕｓｈおよびＪａｃｏｂｙ、２０１０、Ａｎｔｉｍｉｃｒｏｂｉａｌ  Ａｇｅｎｔｓ  ａｎｄ  Ｃｈｅｍｏｔｈｅｒａｐｙ、５４（３）：９６９〜９７６
［１０］Ｗ．−Ｊ．Ｃｈｅｎら、２００８、Ａｎａｌ．Ｃｈｅｍ．、８０：９６１２〜９６２１
［１１］Ｄ．Ｌｏｐｅｚ−Ｆｅｒｒｅｒら、２００８、Ａｎａｌ．Ｃｈｅｍ．、８０：８９３０〜８９３６
［１２］Ｄ．Ｌｏｐｅｚ−Ｆｅｒｒｅｒら、２００５、Ｊ．Ｐｒｏｔｅｏｍｅ  ｒｅｓ．、４（５）：１５６９〜１５７４
［１３］Ｔ．Ｆｏｒｔｉｎら、２００９、Ｍｏｌ．Ｃｅｌｌ  Ｐｒｏｔｅｏｍｉｃｓ、８（５）：１００６〜１０１５。
［１４］Ｈ．Ｋｅｓｈｉｓｈｉａｎら、２００７、Ｍｏｌ．Ｃｅｌｌ  Ｐｒｏｔｅｏｍｉｃｓ、２２１２〜２２２９。
［１５］Ｊ．Ｓｔａｌ−Ｚｅｎｇら、２００７、Ｍｏｌ．Ｃｅｌｌ  Ｐｒｏｔｅｏｍｉｃｓ、１８０９〜１８１７。
［１６］Ｇａｓｋｅｌｌ、Ｅｌｅｃｔｒｏｓｐｒａｙ：ｐｒｉｎｃｉｐｌｅｓ  ａｎｄ  ｐｒａｃｔｉｃｅ、１９９７、Ｊ．Ｍａｓｓ  Ｓｐｅｃｔｒｏｍ．、３２、６７７〜６８８。
［１７］Ｖ．Ｆｕｓａｒｏら、２００９、Ｎａｔｕｒｅ  Ｂｉｏｔｅｃｈ．２７、１９０〜１９８。
［１８］Ｊ．Ｍｅａｄら、２００８年１１月１５日、Ｍｏｌ．Ｃｅｌｌ  Ｐｒｏｔｅｏｍｉｃｓ、Ｅ−ｐｕｂ。
［１９］Ｆ．Ｄｅｓｉｅｒｅら、２００６、Ｎｕｃｌｅｉｃ  Ａｃｉｄｓ  Ｒｅｓ．、３４（データベース号）：Ｄ６５５〜８。
［２０］Ｌ．ＡｎｄｅｒｓｏｎおよびＣ．Ｈｕｎｔｅｒ、２００６、Ｍｏｌ．Ｃｅｌｌ  Ｐｒｏｔｅｏｍｉｃｓ、５７３〜５８８。
［２１］Ｂ．ＨａｎおよびＲ．Ｈｉｇｇｓ、２００８、Ｂｒｉｅｆ  Ｆｕｎｃｔ  Ｇｅｎｏｍｉｃ  Ｐｒｏｔｅｏｍｉｃ．、７（５）：３４０〜５４。
［２２］Ｋ．−Ｙ．Ｗａｎｇら、２００８、Ａｎａｌ．Ｃｈｅｍ、８０（１６）６１５９〜６１６７。
［２３］Ｊ．ＢｕｎｄｙおよびＣ．Ｆｅｎｓｅｌａｕ、１９９９、Ａｎａｌ．Ｃｈｅｍ．７１：１４６０〜１４６３。
［２４］Ｋ−Ｃ  Ｈｏら、２００４、Ａｎａｌ．Ｃｈｅｍ．７６：７１６２〜７２６８。
［２５］Ｙ．Ｓ．Ｌｉｎら、２００５、Ａｎａｌ．Ｃｈｅｍ．、７７：１７５３〜１７６０。
［２６］Ｓ．Ｖａｉｄｙａｎａｔｈａｎら、２００１、Ａｎａｌ．Ｃｈｅｍ．、７３：４１３４〜４１４４。
［２７］Ｒ．Ｅｖｅｒｌｅｙら、２００９、Ｊ．Ｍｉｃｒｏｂｉｏｌ．Ｍｅｔｈｏｄｓ、７７：１５２〜１５８。
［２８］Ｐ．Ｓｅｎｇら、２００９、Ｃｌｉｎ．Ｉｎｆｅｃｔ．Ｄｉｓ．、４９：５４３〜５５１。
［２９］Ｍａｎｅｓ，Ｎ．ら、２００７、Ｍｏｌ．＆  Ｃｅｌｌ．Ｐｒｏｔｅｏｍｉｃｓ、６（４）：７１７〜７２７。
［３０］Ｒ．Ｎａｎｄａｋｕｍａｒら、２００９、Ｏｒａｌ  Ｍｉｃｒｏｂｉｏｌｏｇｙ  Ｉｍｍｕｎｏｌｏｇｙ、２４：３４７〜３５２。
［３１］Ｌ．Ｈｅｒｎｙｃｈｏｖａら、２００８、Ａｎａｌ．Ｃｈｅｍ．、８０：７０９７〜７１０４。
［３２］Ｊ．−Ｍ．Ｐｒａｔｔら、２００６、Ｎａｔ．Ｐｒｏｔｏｃ．、１：１０２９〜１０４３。
［３３］Ｖ．Ｂｒｕｎら、２００７、Ｍｏｌ．Ｃｅｌｌ  Ｐｒｏｔｅｏｍｉｃｓ、２１３９〜２１４９。
【配列表】
2014512015000001.app
【誤訳訂正書】
【提出日】平成25年12月18日(2013.12.18)
【誤訳訂正１】
【訂正対象書類名】明細書
【訂正対象項目名】０１０７
【訂正方法】変更
【訂正の内容】
【０１０７】
前記ペプチドは、以下で規定される配列番号１２６７〜配列番号１８３５および配列番号２１６０〜配列番号２１７１の配列のペプチドから選択することが好ましい。
2014512015.tif 000277
2014512015.tif 000278
2014512015.tif 000279
2014512015.tif 000280
2014512015.tif 000281
2014512015.tif 000282
2014512015.tif 000283
2014512015.tif 000284
2014512015.tif 000285
2014512015.tif 000286
2014512015.tif 000287
2014512015.tif 000288
2014512015.tif 000289
2014512015.tif 000290
2014512015.tif 000291
2014512015.tif 000292
2014512015.tif 000293
2014512015.tif 000294
2014512015.tif 000295
2014512015.tif 000296
2014512015.tif 000297
2014512015.tif 000298
2014512015.tif 000299
2014512015.tif 000300
2014512015.tif 000301
2014512015.tif 000302
2014512015.tif 000303
2014512015.tif 000304
2014512015.tif 000305
2014512015.tif 000306
2014512015.tif 000307
2014512015.tif 000308
【国際調査報告】
2014512015.tif 000309
2014512015.tif 000310
2014512015.tif 000311
2014512015.tif 000312
2014512015.tif 000313
2014512015.tif 000314
2014512015.tif 000315
2014512015.tif 000316